(57)【要約】本明細書においてＧ共役タンパク質受容体関連ポリペプチドをコードする核酸配列が開示される。これらの核酸配列にコードされるポリペプチド、および免疫特異的に該ポリペプチドに結合する抗体、並びに誘導体、変異体、または前述のポリペプチド、ポリヌクレオチドもしくは抗体のフラグメントも開示される。本発明はさらに、これらの新規ヒト核酸およびタンパク質のいずれかに関連する、疾患の診断、治療および予防のための治療、診断および調査方法を開示する。【特許請求の範囲】
【請求項１】
ａ）配列番号２ｎ（ｎは１〜８６の整数である）からなる群から選択されるアミノ酸配列を持つ成熟型；
ｂ）配列番号２ｎ（ｎは１〜８６の整数である）からなる群から選択されるアミノ酸配列を持つ成熟型の変異体、但し、成熟型中の任意のアミノ酸は、成熟型の配列中のアミノ酸残基の１５％未満が変更を受けるという条件で異なるアミノ酸に変更されている；
ｃ）配列番号２ｎ（ｎは１〜８６の整数である）からなる群から選択されるアミノ酸配列；
ｄ）配列番号２ｎ（ｎは１〜８６の整数である）からなる群から選択されるアミノ酸配列を持つ変異体、但し、選択された配列で特定される任意のアミノ酸は、配列中のアミノ酸残基の１５％未満が変更を受けるという条件で異なるアミノ酸に変更されている；および
ｅ）ａ）ないしｄ）のいずれかのフラグメント
からなる群から選択されるアミノ酸配列を含む、単離ポリペプチド。
【請求項２】
配列番号２ｎ（ｎは１〜８６の整数である）からなる群から選択される配列を持つ天然に存在する対立遺伝子変異体である、請求項１に記載のポリペプチド。
【請求項３】
対立遺伝子変異体が、配列番号２ｎ（ｎは１〜８６の整数である）からなる群から選択される核酸配列から１個のヌクレオチドだけ異なる核酸配列の翻訳物であるアミノ酸配列を含む、請求項２に記載のポリペプチド。
【請求項４】
請求項１に記載された変異体ポリペプチドであり、選択された配列中で特定される任意のアミノ酸が保存的置換を生じるように変更されている、請求項１に記載のポリペプチド。
【請求項５】
請求項１に記載のポリペプチドおよび医薬的に許容され得る担体を含む、医薬組成物。
【請求項６】
請求項５に記載の医薬組成物を一つまたはそれ以上の容器内に含む、キット。
【請求項７】
ヒトの疾患に関連する症候群を処置する医薬の製造における治療物質の使用であって、疾患が請求項１に記載のポリペプチドに関連する病変から選択され、治療物質が請求項１に記載のポリペプチドである、使用。
【請求項８】
試料中の請求項１に記載のポリペプチドの存在または量を測定する方法であって、
（ａ）試料を用意すること；
（ｂ）ポリペプチドに免疫特異的に結合する抗体に試料を導入すること；および
（ｃ）ポリペプチドに結合した抗体の存在または量を測定し、それにより試料中のポリペプチドの存在または量を測定すること
を含む、方法。
【請求項９】
第１の哺乳動物の対象中の請求項１に記載のポリペプチドの変化したレベルと関連する疾患の存在または素因を測定する方法であって、
ａ）第１の哺乳動物の対象由来の試料におけるポリペプチドの発現レベルを測定すること；および
ｂ）ステップ（a）の試料中のポリペプチドの量を、疾患または素因を有さないことが知られている第２の哺乳動物の対象由来の対照試料中に存在するポリペプチドの量と比較すること
を含み、対照試料に比較するときの第１の対象中のポリペプチドの発現レベルの変化は、疾患の存在または素因を示す、方法。
【請求項１０】
請求項１に記載のポリペプチドに結合する物質を同定する方法であって：
（ａ）ポリペプチドを物質に導入すること；および
（ｂ）物質がポリペプチドに結合するか否かを測定すること
を含む、方法。
【請求項１１】
物質が細胞の受容体または下流のエフェクターである、請求項１０に記載の方法。
【請求項１２】
病変の処置に用いるための潜在的治療剤を同定する方法であって、病変は請求項１に記載のポリペプチドの異常な発現または異常な生理学的相互作用に関係し、その方法は：
（ａ）請求項１に記載のポリペプチドを発現し、かつポリペプチドに起因する性質または機能を有する細胞を用意すること；
（ｂ）細胞を候補物質を含む組成物と接触させること；および
（ｃ）物質がポリペプチドに起因する性質または機能を変化させるか否かを測定すること
を含み；
それにより、もし物質の存在下に観察される変化が、細胞を物質を含まない組成物と接触させたときには観察されなければ、物質は潜在的治療剤として同定される、方法。
【請求項１３】
請求項１に記載のポリペプチドに関連する病変の活性、潜在活性または素因のモジュレーターをスクリーニングする方法であって、その方法は：
ａ）請求項１に記載のポリペプチドに関連する病変のリスクが増大している被検動物に試験化合物を投与すること、但し、被検動物は請求項１に記載のポリペプチドを組換え的に発現している；
ｂ）ステップ（ａ）の化合物の投与後に被検動物中のポリペプチドの活性を測定すること；および
ｃ）被検動物中のタンパク質の活性を、ポリペプチドを投与されていない対照動物におけるポリペプチドの活性と比較すること、但し、対照動物と比べた被検動物におけるポリペプチドの活性の変化は、試験化合物が請求項１に記載のポリペプチドに関連する病変の潜在活性または素因のモジュレーターであることを示す；
を含む方法。
【請求項１４】
被検動物が試験タンパク質の導入遺伝子を発現するか、または野生型被検動物に比べて増加したレベルのプロモーターの制御下に導入遺伝子を発現する組換え被検動物であり、但し、プロモーターは導入遺伝子の天然の遺伝子プロモーターでない、請求項１３に記載の方法。
【請求項１５】
請求項１に記載のポリペプチドの活性を調整する方法であって、ポリペプチドの活性を調整するのに十分な量でポリペプチドに結合する化合物と共に請求項に記載のポリペプチドを発現する細胞試料を導入することを含む、方法。
【請求項１６】
請求項１に記載のポリペプチドに関連する病変を処置または予防する方法であって、そのような処置または予防が望まれる対象に、対象における病変を処置または予防するために十分な量で請求項１に記載のポリペプチドを投与することを含む、方法。
【請求項１７】
対象がヒトである、請求項１６に記載の方法。
【請求項１８】
哺乳動物の病的状態を処置する方法であって、病的状態を軽減するのに十分な量でポリペプチドを哺乳動物に投与することを含み、ポリペプチドは、配列番号２ｎ（ｎは１〜８６の整数である）からなる群から選択されるアミノ酸配列を含むポリペプチドに少なくとも９５％同一なアミノ酸配列を有するポリペプチドまたはその生物学的に活性なフラグメントである、方法。
【請求項１９】
ａ）配列番号２ｎ（ｎは１〜８６の整数である）を与えられたアミノ酸配列を持つ成熟型；
ｂ）配列番号２ｎ（ｎは１〜８６の整数である）からなる群から選択されるアミノ酸配列を持つ成熟型の変異体であり、選択された配列の成熟型中の任意のアミノ酸が、成熟型の配列中のアミノ酸残基の１５％未満が変更を受けるという条件で異なるアミノ酸に変更されている、変異体；
ｃ）配列番号２ｎ（ｎは１〜８６の整数である）からなる群から選択されるアミノ酸配列；
ｄ）配列番号２ｎ（ｎは１〜８６の整数である）からなる群から選択されるアミノ酸配列の変異体であり、選択された配列中の特定されるアミノ酸が、配列中のアミノ酸残基の１５％未満が変更を受けるという条件で異なるアミノ酸に変更されている、変異体；
ｅ）配列番号２ｎ（ｎは１〜８６の整数である）からなる群から選択されるアミノ酸配列を含むポリペプチドの少なくとも一部分、または選択された配列の任意のアミノ酸が、配列においてアミノ酸残基の１０％未満が変更を受けるという条件で異なるアミノ酸に変更されている、ポリペプチドの任意の変異体をコードする核酸のフラグメント；および
ｆ）核酸分子のいずれかの相補的分子（complement）
からなる群から選択されるアミノ酸配列を含むポリペプチドをコードする核酸配列を含む、単離核酸分子。
【請求項２０】
核酸分子が天然に存在する対立遺伝子の核酸変異体のヌクレオチド配列を含む、請求項１９に記載の核酸分子。
【請求項２１】
変異体ポリペプチドをコードする請求項１９に記載の核酸分子であって、変異体ポリペプチドは、天然に存在するポリペプチド変異体のポリペプチド配列を有する、核酸分子。
【請求項２２】
請求項１９に記載の核酸分子であって、核酸分子が配列番号２ｎ−１（ｎは１〜８６の整数である）からなる群から選択される核酸配列から１個のヌクレオチドだけ異なる、核酸分子。
【請求項２３】
請求項１９に記載の核酸分子であって、
ａ）配列番号２ｎ−１（ｎは１〜８６の整数である）からなる群から選択されるヌクレオチド配列
ｂ）配列番号２ｎ−１（ｎは１〜８６の整数である）からなる群から選択されるヌクレオチド配列中で一つまたはそれ以上のヌクレオチドが、選択された配列からなる群から選択されるものから、ヌクレオチドの１５％未満が変更を受けるという条件で異なるヌクレオチドに変更されているヌクレオチド配列；
ｃ）配列番号２ｎ−１（ｎは１〜８６の整数である）からなる群から選択される配列を持つ核酸フラグメント；および
ｄ）配列番号２ｎ−１（ｎは１〜８６の整数である）からなる群から選択されるヌクレオチド配列中で一つまたはそれ以上のヌクレオチドが、選択された配列からなる群から選択されるものから、ヌクレオチドの１５％未満が変更を受けるという条件で異なるヌクレオチドに変更されている核酸フラグメント
からなる群から選択されるヌクレオチド配列を含む、核酸分子。
【請求項２４】
請求項１９に記載の核酸分子であって、核酸分子が配列番号２ｎ−１（ｎは１〜８６の整数である）からなる群から選択されるヌクレオチド配列、または該ヌクレオチド配列の相補的配列（complement）に厳密な条件下でハイブリダイズする、核酸分子。
【請求項２５】
請求項１９に記載の核酸分子であって、選択されたヌクレオチド配列のコード配列中で特定される任意のヌクレオチドが、選択された配列からなる群から選択されるものから、選択されたコード配列中のヌクレオチドの１５％未満が変更を受けるという条件で異なるヌクレオチドに変更されているヌクレオチド配列、第１のポリヌクレオチドの相補的分子である単離された第２のポリヌクレオチド、またはそれらのいずれかのフラグメントを含む、核酸分子。
【請求項２６】
請求項１９に記載の核酸分子を含むベクター。
【請求項２７】
核酸分子に機能し得るように結合されたプロモーターをさらに含む、請求項２６に記載のベクター。
【請求項２８】
請求項２７に記載のベクターを含む細胞。
【請求項２９】
請求項１９に記載の核酸分子の存在または量を試料中で測定する方法であって：
（ａ）試料を用意すること；
（ｂ）核酸分子に結合するプローブに試料を導入すること；および
（ｃ）核酸分子に結合したプローブの存在または量を測定し、それにより試料中の核酸分子の存在または量を測定すること
を含む、方法。
【請求項３０】
核酸分子の存在または量が、細胞または組織のタイプに対するマーカーとして使用される、請求項２９に記載の方法。
【請求項３１】
細胞または組織のタイプが癌性である、請求項３０に記載の方法。
【請求項３２】
第１の哺乳動物の対象における請求項１９に記載の核酸分子の変化したレベルと関連する疾患の存在または素因を測定する方法であって：
ａ）第１の哺乳動物の対象由来の試料における核酸の量を測定すること；および
ｂ）ステップ（ａ）の試料中の核酸の量を、疾患または素因を有さないことが知られている第２の哺乳動物の対象由来の対照試料中に存在する核酸の量と比較すること；
を含み；
対照試料に比較するときの第１の対象における核酸のレベルの変化は、疾患の存在または素因を示す、方法。
【発明の詳細な説明】
【０００１】
（技術分野）
本発明は細胞、組織、器官または生物における生化学的または生理学的応答の促進に関係する性質を有する新規ポリペプチドに関する。さらに特には、新規ポリペプチドは新規遺伝子の遺伝子産物または特定の生物活性フラグメントまたはその誘導体である。使用方法は診断的なアッセイ手順および予後的なアッセイ手順ならびに広範な病態を処置する方法を包括する。
【０００２】
（背景技術）
真核細胞は、通常の条件下では精妙にバランスを受けて細胞の維持および増殖を達成する生化学的方法および生理学的方法を特徴とする。そのような細胞が脊椎動物のような多細胞生物、またはさらに特別には哺乳動物のような生物の構成要素であるときは、生化学的方法および生理学的方法の調節には精緻な情報伝達経路を伴う。しばしば、そのような情報伝達経路は、細胞外の情報伝達タンパク質、情報伝達タンパク質を結合する細胞受容体、および細胞内に局在するシグナル伝達成分を構成して含む。
【０００３】
情報伝達タンパク質は内分泌性エフェクター、パラクリンエフェクターまたはオートクリンエフェクターに分類され得る。内分泌性エフェクターは所定の器官により循環系中に分泌される情報伝達分子であり、これは次いで遠隔の標的器官または標的組織へと輸送される。標的細胞は内分泌エフェクターの受容体を含み、そして内分泌エフェクターが結合すると、情報伝達カスケードが誘導される。パラクリンエフェクターは、同一組織または同一器官内の２つの異なる種類の細胞のような、互いに近傍にある分泌細胞および受容細胞に関与する。一つの種類の細胞がパラクリンエフェクターを分泌し、これが次いで、例えば細胞外液を介した拡散により、第２の種類の細胞に到達する。第２の種類の細胞はパラクリンエフェクターに対する受容体を含有しており、エフェクターの結合は情報伝達カスケードの誘導をもたらして、これが対応する生化学的作用または生理学的作用を引き出す。オートクリンエフェクターは、オートクリンエフェクターを分泌する同じタイプの細胞が受容体をも含有していることを除いて、パラクリンエフェクターと高度に類似する。従って、オートクリンエフェクターは、同一細胞または近接する全く同一の細胞の受容体に結合する。次いで、結合過程は特色的な生化学的作用または生理学的作用を引き出す。
【０００４】
情報伝達過程は、これらに限定されない例として、細胞または組織の増殖の誘導、成長または増殖の抑制、細胞または組織の分化または成熟の誘導、および細胞または組織の分化または成熟の抑制を含む、細胞および組織に対する種々の作用を引き出し得る。
【０００５】
多くの病態は、重要なエフェクタータンパク質の発現の調節不全に関与している。特定の種類の病変において、調節不全は、タンパク質エフェクターの合成レベルおよび分泌レベルの減少または抑制として現れる。臨床現場において、対象を、興味あるタンパク質エフェクターのレベルの減少または抑制によりもたらされる異常に罹患していると疑い得る。それ故、そのような対象由来の生物学的試料中の興味あるタンパク質エフェクターのレベルをアッセイし、そしてそのレベルを病気のない状態の特徴と比較する必要がある。また、タンパク質エフェクターを生産物として提供する必要がある。それを必要とする対象へのエフェクターの投与は、病態の処置に有用である。したがって、興味あるタンパク質エフェクターレベルの減少または抑制によりもたらされる病態を処置する方法の必要性がある。
【０００６】
(発明の概要)
本発明は配列番号２ｎ（ｎは１〜８６の整数である）からなる群より選択したアミノ酸配列の成熟型から選択したアミノ酸配列を含む単離ポリペプチドの発見に部分的に基づく。本発明はまた、配列番号２ｎ（ｎは１〜８６の整数である）からなる群より選択したアミノ酸配列の成熟型の変異体に部分的に基づき、ここで成熟型の配列のアミノ酸残基の１５％未満が変更を受けるという条件で、成熟型の任意のアミノ酸を異なるアミノ酸に変更する。もう一つの実施態様では、本発明は、配列番号２ｎ（ｎは１〜８６の整数である）からなる群より選択したアミノ酸配列を含む。もう一つの態様では、本発明はまた、配列番号２ｎ（ｎは１〜８６の整数である）からなる群より選択したアミノ酸配列の変異体を含み、ここで配列のアミノ酸残基の１５％未満が変更を受けるという条件で、選択した配列で特定される任意のアミノ酸を異なるアミノ酸に変更する。本発明はまた、配列番号２ｎ（ｎは１〜８６の整数である）からなる群より選択したアミノ酸配列のいずれかの成熟型のフラグメント、またはこの群から選択した任意の他のアミノ酸配列を含む。本発明はまた、残基の１５％までを変異した、これらの群からのフラグメントを含む。
【０００７】
もう一つの実施態様では、本発明は、配列番号２ｎ（ｎは１〜８６の整数である）からなる群より選択した配列の天然に存在する対立遺伝子変異体である、ポリペプチドを包含する。これらの対立遺伝子変異体は、配列番号２ｎ−１（ｎは１〜８６の整数である）からなる群より選択した核酸配列と１個のヌクレオチドだけ異なる核酸配列の翻訳物である、アミノ酸配列を含む。選択した配列の任意のアミノ酸が変換されている変異体ポリペプチドを、保存的変異が生じるよう変換する。
【０００８】
もう一つの実施態様では、本発明は、配列番号２ｎ（ｎは１〜８６の整数である）からなる群より選択したアミノ酸配列を有するポリペプチドおよび医薬的に許容され得る担体を含有する医薬組成物を含む。もう一つの実施態様では、本発明は、本医薬組成物を一つまたはそれ以上の容器中に含むキットを含む。
【０００９】
もう一つの実施態様では、本発明は、ヒトの疾患に関連する症候群を処置する医薬の製造における治療物質の使用を含み、その疾患は、配列番号２ｎ（ｎは１〜８６の整数である）からなる群より選択したアミノ酸配列を有するポリペプチドと関連する病変から選択され、該治療物質はこの群から選択されたポリペプチドである。
【００１０】
もう一つの実施態様では、本発明は、試料中の配列番号２ｎ（ｎは１〜８６の整数である）からなる群より選択したアミノ酸配列を有するポリペプチドの存在または量を測定する方法を含む。その方法は、試料を用意すること；ポリペプチドに免疫特異的に結合する抗体に試料を導入すること；そしてポリペプチドに結合した抗体の存在または量を測定し、それにより試料中のポリペプチドの存在または量を測定することを含む。
【００１１】
もう一つの実施態様では、本発明は、第１の哺乳動物対象中の配列番号２ｎ（ｎは１〜８６の整数である）からなる群より選択したアミノ酸配列を有するポリペプチドの変化レベルと関連する疾患の存在またはその素因を測定する方法を含む。この方法は、第１の哺乳動物の対象由来の試料におけるポリペプチドの発現レベルを測定すること；そして本試料中のポリペプチドの量を、疾患または素因を有さないことが知られている第２の哺乳動物の対象由来の対照試料中に存在するポリペプチドの量と比較することを含み、対照試料に比較するときの第１の対象中のポリペプチドの発現レベルの変化は、疾患の存在またはその素因を示す。
【００１２】
もう一つの実施態様では、本発明は、配列番号２ｎ（ｎは１〜８６の整数である）からなる群より選択されるアミノ酸配列を有するポリペプチドに結合する物質を同定する方法を含み、その方法は、ポリペプチドを物質に導入すること；そして物質がポリペプチドに結合するか否かを測定することを含む。薬剤は、細胞の受容体または下流のエフェクターであり得る。
【００１３】
もう一つの実施態様では、本発明は病変の処置に用いるための潜在的治療剤を同定する方法を含む。ここで病変は配列番号２ｎ（ｎは１〜８６の整数である）からなる群より選択したアミノ酸配列を有するポリペプチドの異常な発現または異常な生理学的相互作用に関係する。その方法は、本発明のポリペプチドを発現し、かつポリペプチドに起因する性質または機能を有する細胞を用意すること；細胞を候補物質を含む組成物と接触させること；そして物質がポリペプチドに起因する性質または機能を変化させるか否かを測定することを含み；それにより、もし物質存在下に観察する変化を、物質を含まない組成物と細胞を接触させたときには観察しなければ、物質を潜在的治療剤として同定する。
【００１４】
もう一つの態様では、本発明は、配列番号２ｎ（ｎは１〜８６の整数である）からなる群より選択したアミノ酸配列を有するポリペプチドに関連する病変の活性、潜在活性または素因のモジュレーターをスクリーニングする方法を含む。その方法は、本発明のポリペプチドに関連する病変のリスクが増大している被検動物に試験化合物を投与すること、但し、被検動物は請求項１に記載のポリペプチドを組換え的に発現している；試験化合物の投与後に被検動物中のポリペプチドの活性を測定すること；および被検動物中のタンパク質の活性を、ポリペプチドを投与されていない対照動物におけるポリペプチドの活性と比較すること、但し、対照動物と比べた被検動物におけるポリペプチドの活性の変化は、試験化合物が請求項１に記載のポリペプチドに関連する病変の潜在活性または素因のモジュレーターであることを示す、を含む。遺伝子組換えの被検動物は、試験タンパク質の導入遺伝子を発現するか、または野生型被検動物に比べて増加したレベルのプロモーターの制御下に導入遺伝子を発現し得る。プロモーターは、導入遺伝子の本来の遺伝子プロモーターであってもなくてもよい。
【００１５】
もう一つの実施態様では、本発明は、配列番号２ｎ（ｎは１〜８６の整数である）からなる群より選択したアミノ酸配列を有するポリペプチドの活性を調整する方法を含む。その方法は、ポリペプチドの活性を調整するのに十分な量でポリペプチドに結合する化合物と共に請求項に記載のポリペプチドを発現する細胞試料を導入することを含む。
【００１６】
もう一つの実施態様では、本発明は、配列番号２ｎ（ｎは１〜８６の整数である）からなる群より選択したアミノ酸配列を有するポリペプチドに関連する病変を処置または予防する方法を含む。その方法は、そのような処置または予防が望まれる対象に、対象における病変を処置または予防するために十分な量でポリペプチドを投与することを含む。対象はヒトであってもよい。
【００１７】
もう一つの実施態様では、本発明は、哺乳動物の病的状態を処置する方法を含む。その方法は、病的状態を軽減するのに十分な量でポリペプチドを哺乳動物に投与することを含む。ここでポリペプチドは、配列番号２ｎ（ｎは１〜８６の整数である）からなる群から選択されるアミノ酸配列を含むポリペプチドに少なくとも９５％同一なアミノ酸配列を有するポリペプチドまたはその生物学的に活性なフラグメントである。
【００１８】
もう一つの実施態様では、本発明は、配列番号２ｎ（ｎは１〜８６の整数である）を与えられたアミノ酸配列を持つ成熟型；配列番号２ｎ（ｎは１〜８６の整数である）からなる群から選択されるアミノ酸配列を持つ成熟型の変異体であり、選択された配列の成熟型中の任意のアミノ酸が、成熟型の配列中のアミノ酸残基の１５％未満が変更を受けるという条件で異なるアミノ酸に変更されている、変異体；配列番号２ｎ（ｎは１〜８６の整数である）からなる群から選択されるアミノ酸配列；配列番号２ｎ（ｎは１〜８６の整数である）からなる群から選択されるアミノ酸配列の変異体であり、選択された配列中の特定されるアミノ酸が、配列中のアミノ酸残基の１５％未満が変更を受けるという条件で異なるアミノ酸に変更されている、変異体；配列番号２ｎ（ｎは１〜８６の整数である）からなる群から選択されるアミノ酸配列を含むポリペプチドの少なくとも一部分、または選択された配列の任意のアミノ酸が、配列においてアミノ酸残基の１０％未満が変更を受けるという条件で異なるアミノ酸に変更されている、ポリペプチドの任意の変異体をコードする核酸のフラグメント；核酸分子のいずれかの相補的分子（complement）からなる群より選択したアミノ酸配列を有するポリペプチドをコードする核酸配列を含む単離核酸分子に関する。
【００１９】
もう一つの実施態様では、本発明は、配列番号２ｎ（ｎは１〜８６の整数である）のアミノ酸配列の成熟型からなる群より選択したアミノ酸配列を含むポリペプチドをコードする核酸配列を有する単離核酸分子を含む。ここで核酸分子は天然に存在する対立遺伝子核酸変異体のヌクレオチド配列を含む。
【００２０】
もう一つの実施態様では、本発明は、変異体ポリペプチドをコードする配列番号２ｎ（ｎは１〜８６の整数である）のアミノ酸配列の成熟型からなる群より選択したアミノ酸配列を有するポリペプチドをコードする核酸配列を含有する単離核酸分子を含み。ここで変異体ポリペプチドは天然に存在するポリペプチド変異体のポリペプチド配列を有する。
【００２１】
もう一つの実施態様では、本発明は、配列番号２ｎ（ｎは１〜８６の整数である）のアミノ酸配列の成熟型からなる群より選択したアミノ酸配列を含むポリペプチドをコードする核酸配列を有する単離核酸分子を含む。ここで核酸分子は、配列番号２ｎ−１（ｎは１〜８６の整数である）からなる群より選択した核酸配列と１個のヌクレオチドのみ異なる。
【００２２】
もう一つの実施態様では、本発明は、配列番号２ｎ（ｎは１〜８６の整数である）のアミノ酸配列の成熟型からなる群より選択したアミノ酸配列を含むポリペプチドをコードする核酸配列を有する単離核酸分子を含む。ここで核酸分子は、配列番号２ｎ−１（ｎは１〜８６の整数である）からなる群から選択されるヌクレオチド配列；配列番号２ｎ−１（ｎは１〜８６の整数である）からなる群から選択されるヌクレオチド配列中で一つまたはそれ以上のヌクレオチドが、選択された配列からなる群から選択されるものから、ヌクレオチドの１５％未満が変更を受けるという条件で異なるヌクレオチドに変更されているヌクレオチド配列；配列番号２ｎ−１（ｎは１〜８６の整数である）からなる群から選択される配列を持つ核酸フラグメント；および、配列番号２ｎ−１（ｎは１〜８６の整数である）からなる群から選択されるヌクレオチド配列中で一つまたはそれ以上のヌクレオチドが、選択された配列からなる群から選択されるものから、ヌクレオチドの１５％未満が変更を受けるという条件で異なるヌクレオチドに変更されている核酸フラグメント、からなる群より選択したヌクレオチド配列を含む。
【００２３】
もう一つの実施態様では、本発明は、配列番号２ｎ（ｎは１〜８６の整数である）のアミノ酸配列の成熟型からなる群より選択したアミノ酸配列を含むポリペプチドをコードする核酸配列を有する単離核酸分子を含む。ここで核酸分子は、配列番号２ｎ−１（ｎは１〜８６の整数である）からなる群から選択されるヌクレオチド配列、または該ヌクレオチド配列の相補的配列（complement）に厳密な条件下でハイブリダイズする。
【００２４】
もう一つの実施態様では、本発明は、配列番号２ｎ（ｎは１〜８６の整数である）のアミノ酸配列の成熟型からなる群より選択したアミノ酸配列を含むポリペプチドをコードする核酸配列を有する単離核酸分子を含む。ここで核酸分子は、選択されたヌクレオチド配列のコード配列中で特定される任意のヌクレオチドが、選択された配列からなる群から選択されるものから、選択されたコード配列中のヌクレオチドの１５％未満が変更を受けるという条件で異なるヌクレオチドに変更されているヌクレオチド配列、第１のポリヌクレオチドの相補的分子である単離された第２のポリヌクレオチド、またはそれらのいずれかのフラグメントを含む。
【００２５】
もう一つの実施態様では、本発明は、配列番号２ｎ（ｎは１〜８６の整数である）のアミノ酸配列の成熟型からなる群より選択したアミノ酸配列を含むポリペプチドをコードする核酸配列を有する核酸分子を含有するベクターを含む。このベクターは、核酸分子に機能し得るように結合させたプロモーターを有することができる。このベクターは細胞内に局在し得る。
【００２６】
もう一つの実施態様では、本発明は、配列番号２ｎ（ｎは１〜８６の整数である）のアミノ酸配列の成熟型からなる群より選択したアミノ酸配列を含有するポリペプチドをコードする核酸配列を有する核酸分子の、存在または量を測定する方法を含む。その方法は、試料を用意すること；核酸分子に結合するプローブに試料を導入すること；および核酸分子に結合したプローブの存在または量を測定し、それにより試料中の核酸分子の存在または量を測定することを含む。核酸分子の存在または量は、細胞タイプまたは組織タイプのマーカーとして使用される。細胞タイプは癌性であり得る。
【００２７】
もう一つの実施態様では、本発明は、第１の哺乳動物対象の配列番号２ｎ（ｎは１〜８６の整数である）のアミノ酸配列の成熟型からなる群より選択したアミノ酸配列を含有するポリペプチドをコードする核酸配列を有する核酸分子の変化したレベルと関連する疾患の存在または素因を測定する方法を含む。その方法は、第１の哺乳動物の対象由来の試料における核酸の量を測定すること；および本試料中の核酸の量を、疾患または素因を有さないことが知られている第２の哺乳動物の対象由来の対照試料中に存在する核酸の量と比較することを含む。ここで対照試料に比較するときの第１の対象における核酸のレベルの変化は、疾患の存在または素因を示す。
【００２８】
特に定義されない限り、本明細書で使用される全ての技術的用語および科学的用語は、本発明が属する当分野の通常の知識を有する者により一般に理解されるのと同じ意味を有する。本明細書に説明されるものと類似または同等の方法および材料を本発明の実施または試験に使用し得るが、適当な方法および適当な材料を以下に説明する。本明細書で言及する全ての刊行物、特許申請、特許、および他の参考文献は全体的な出典明示により本明細書の一部とする。抵触がある場合には本明細書が定義を含め優先する。加えて、材料、方法および実施例は例示的なものであって限定することを意図しない。
本発明の他の特徴および利点は、以下の発明の開示および請求項より明らかである。
【００２９】
（発明の開示）
本発明は、新規ヌクレオチドおよびそれによりコードされたポリペプチドを提供する。本発明は、新規核酸配列、それらのコードされたポリペプチド、抗体、および他の関連化合物を含む。本明細書において、配列を「ＮＯＶＸ核酸」または「ＮＯＶＸポリヌクレオチド」と総称し、対応するコードされたポリペプチドを「ＮＯＶＸポリペプチド」または「ＮＯＶＸタンパク質」と称する。別段の記述がない限り、「ＮＯＶＸ」は本明細書に開示される任意の新規配列を指すことを意味する。表１にＮＯＶＸ核酸およびそれらのコードされたポリペプチドの要約を示す。
【００３０】
【表１】
2005505247.tif 000002
【００３１】
表１の続き
【表２】
2005505247.tif 000003
【００３２】
表１の続き
【表３】
2005505247.tif 000004
【００３３】
表１はＮＯＶＸ核酸の既知のタンパク質ファミリーとのホモロジーを示す。従って、表１の第１欄で特定されるＮＯＶＸに対応する本発明に従う核酸およりポリヌクレオチド、抗体および関連化合物は、例えば、表１の第５欄に特定される既知タンパク質ファミリーに関連する病変および疾患に関係する治療的応用および診断的応用において有用である。
【００３４】
ＮＯＶＸ核酸およびそれらのコードされたポリペプチドは種々の応用および状況において有用である。本発明に従う種々のＮＯＶＸ核酸およびポリペプチドは、該タンパク質とのドメインおよび配列関連性の存在に従うタンパク質ファミリーの新規メンバーとして有用である。加えて、ＮＯＶＸ核酸およびポリペプチドを用いて、ＮＯＶＸポリペプチドが属するファミリーのメンバーであるタンパク質を同定し得る。
【００３５】
表１の第５欄で特定されるタンパク質ファミリーの他の既知のメンバーと一致して、本発明のＮＯＶＸポリペプチドは、そのようなタンパク質ファミリーの他のメンバーにホモロジーを示し、そしてそれらを特徴とするドメインを含有する。それぞれのＮＯＶＸについての配列関連性分析およびドメイン分析の詳細を実施例１〜４４に示す。
【００３６】
ＮＯＶＸ核酸およびポリペプチドを、ＮＯＶＸの活性または機能を阻害または促進する分子をスクリーニングするのに使用し得る。特に、本発明に従う核酸およびポリペプチドは、表１に掲げたタンパク質ファミリーと関連する疾患を調整または阻止する低分子の同定用の標的として使用され得る。
【００３７】
ＮＯＶＸ核酸およびポリペプチドはまた、特定の細胞タイプを検出にも有用である。ＮＯＶＸそれぞれに対する発現分析の詳細を実施例４７に示す。従って、本発明に従うＮＯＶＸ核酸、ポリペプチド、抗体および関連化合物は、正常組織対疾患組織、例えば、種々のがん、において異なる発現を有する種々の疾患の検出における診断的応用および治療的応用を有する。
本発明に従うＮＯＶＸ核酸およびポリペプチドのさらに別の利用法が本明細書に開示される。
【００３８】
ＮＯＶＸクローン
ＮＯＶＸ核酸およびそれらのコードされたポリペプチドは、種々の応用および状況において有用である。本発明に従う種々のＮＯＶＸ核酸およびポリペプチドは、上記該タンパク質と関連するドメインおよび配列の存在に従うタンパク質ファミリーの新規メンバーとして有用である。加えて、ＮＯＶＸ核酸およびポリペプチドを、ＮＯＶＸポリペプチドが所属するファミリーのメンバーであるタンパク質を同定するために使用され得る。
【００３９】
ＮＯＶＸ遺伝子およびそれらの対応するコードされたタンパク質は、例えば、タンパク質治療または遺伝子治療により、医学的状態を予防、処置または緩和するのに有用である。病態を、試料中の新規タンパク質の量を測定または新規遺伝子中の変異の存在を測定することにより診断し得る。ＮＯＶＸ遺伝子が最も高発現する組織に基づいて、それぞれのＮＯＶＸ遺伝子に対する特異的な使用を説明する。使用は、種々の疾患および障害を診断または処置するための産物を開発することを含む。
【００４０】
本発明のＮＯＶＸ核酸およびタンパク質は、潜在的な診断応用および治療応用、および研究ツールとして有用である。これらは、特異的または選択的核酸、または特異的または選択的タンパク質を、診断マーカーおよび／または予後マーカーとして役立つことを含む。ここで核酸またはタンパク質の存在または量、ならびに以下のような潜在的な治療応用を評価する：（ｉ）タンパク質治療薬、（ｉｉ）低分子薬の標的、（ｉｉｉ）抗体の標的（治療的、診断的、薬の標的／細胞障害性抗体）、（ｉｖ）遺伝子治療（遺伝子送達／遺伝子手術）に有用な核酸、および（ｖ）インビトロおよびインビボでの組織再生を促進する組成物、（ｖｉ）生物学的防衛兵器。
【００４１】
一つの特別な実施態様では、本発明は、(ａ) 配列番号２ｎ（ｎは１〜８６の整数である）からなる群から選択されるアミノ酸配列を持つ成熟型；(ｂ) 配列番号２ｎ（ｎは１〜８６の整数である）からなる群から選択されるアミノ酸配列を持つ成熟型の変異体、但し、成熟型中の任意のアミノ酸は、成熟型の配列中のアミノ酸残基の１５％未満が変更を受けるという条件で異なるアミノ酸に変更されている；(ｃ) 配列番号２ｎ（ｎは１〜８６の整数である）からなる群から選択されるアミノ酸配列；(ｄ) 配列番号２ｎ（ｎは１〜８６の整数である）からなる群から選択されるアミノ酸配列を持つ変異体、但し、選択された配列で特定される任意のアミノ酸は、配列中のアミノ酸残基の１５％未満が変更を受けるという条件で異なるアミノ酸に変更されている；およびｅ）ａ）ないしｄ）のいずれかのフラグメント、からなる群より選択したアミノ酸配列を含有する単離ポリペプチドを含む。
【００４２】
もう一つの特別な実施態様では、本発明は、(ａ) 配列番号２ｎ（ｎは１〜８６の整数である）を与えられたアミノ酸配列を持つ成熟型；(ｂ)配列番号２ｎ（ｎは１〜８６の整数である）からなる群から選択されるアミノ酸配列を持つ成熟型の変異体であり、選択された配列の成熟型中の任意のアミノ酸が、成熟型の配列中のアミノ酸残基の１５％未満が変更を受けるという条件で異なるアミノ酸に変更されている、変異体；(ｃ) 配列番号２ｎ（ｎは１〜８６の整数である）からなる群から選択されるアミノ酸配列；(ｄ) 配列番号２ｎ（ｎは１〜８６の整数である）からなる群から選択されるアミノ酸配列の変異体であり、選択された配列中の特定されるアミノ酸が、配列中のアミノ酸残基の１５％未満が変更を受けるという条件で異なるアミノ酸に変更されている、変異体；および(ｅ) 配列番号２ｎ（ｎは１〜８６の整数である）からなる群から選択されるアミノ酸配列を含むポリペプチドの少なくとも一部分、または選択された配列の任意のアミノ酸が、配列においてアミノ酸残基の１０％未満が変更を受けるという条件で異なるアミノ酸に変更されている、ポリペプチドの任意の変異体をコードする核酸のフラグメント；および(ｆ) 核酸分子のいずれかの相補的分子、からなる群より選択したアミノ酸配列を含むポリペプチドをコードする核酸配列を含む単離核酸分子を含む。
【００４３】
なおもう一つの特別な実施態様では、本発明は単離核酸分子を含む。ここで該核酸分子は、(ａ) 配列番号２ｎ−１（ｎは１〜８６の整数である）からなる群から選択されるヌクレオチド配列；(ｂ) 配列番号２ｎ−１（ｎは１〜８６の整数である）からなる群から選択されるヌクレオチド配列中で一つまたはそれ以上のヌクレオチドが、選択された配列からなる群から選択されるものから、ヌクレオチドの１５％未満が変更を受けるという条件で異なるヌクレオチドに変更されているヌクレオチド配列；(ｃ) 配列番号２ｎ−１（ｎは１〜８６の整数である）からなる群から選択される配列を持つ核酸フラグメント；および(ｄ) 配列番号２ｎ−１（ｎは１〜８６の整数である）からなる群から選択されるヌクレオチド配列中で一つまたはそれ以上のヌクレオチドが、選択された配列からなる群から選択されるものから、ヌクレオチドの１５％未満が変更を受けるという条件で異なるヌクレオチドに変更されている核酸フラグメント、からなる群より選択したヌクレオチド配列を含む。
【００４４】
ＮＯＶＸ核酸およびポリペプチド
本発明の一つの態様は、ＮＯＶＸポリペプチドまたはそれらの生物学的に活性な部分をコードする単離核酸分子に関する。また、本発明は、ＮＯＶＸをコードする核酸(例えば、ＮＯＶＸのｍＲＮＡ)を同定するためのハイブリダーゼーションプローブとしての使用に十分な核酸フラグメント、およびＮＯＶＸ核酸分子の増幅および／または変異用のＰＣＲプライマーとしての使用のためのフラグメントを含む。本明細書において使用する用語「核酸分子」とは、ＤＮＡ分子(例えば、ｃＤＮＡまたはゲノムＤＮＡ)、ＲＮＡ分子(例えば、ｍＲＮＡ)、ヌクレオチド類似体を用いて生成されたＤＮＡ類似体またはＲＮＡ類似体、およびそれらの誘導体、フラグメントおよび相同体を含むことを意図する。核酸分子は一本鎖でも二本鎖であり得るが、好ましくは二本鎖ＤＮＡである。
【００４５】
ＮＯＶＸ核酸は成熟ＮＯＶＸポリペプチドをコードし得る。本明細書において使用するように、本発明に開示するポリペプチドまたはタンパク質の「成熟」型とは、天然に存在するポリペプチド、前駆体、またはプロタンパク質の産物である。天然に存在するポリペプチド、前駆体またはプロタンパク質は、限定されない例として、対応する遺伝子によりコードされる全長遺伝子産物を含む。これに代えて、本明細書に説明するＯＲＦによりコードするポリペプチド、前駆体またはプロタンパク質として定義し得る。産物の「成熟」体は、限定されない例として、遺伝子産物を生じる細胞(宿主細胞)内で起こり得る一つまたはそれ以上の天然に存在するプロセシングステップの結果として生じる。ポリペプチドまたはタンパク質の「成熟」型を導くそのようなプロセシングステップの例として、ＯＲＦの開始コドンによりコードされるＮ末端メチオニン残基の切断、またはシグナルペプチドまたはリーダー配列のタンパク質分解的切断を挙げる。従って、残基１がＮ末端メチオニンである１〜Ｎの残基を有する前駆ポリペプチドまたはタンパク質から生じる成熟型は、Ｎ末端メチオニン除去後に残存する残基２〜Ｎを有する。これに代えて、残基１〜残基ＭからＮ末端シグナル配列を切断する、残基１〜Ｎを有する前駆ポリペプチドまたはたんぱく質より生じる成熟型は、残存する残基Ｍ＋１〜残基Ｎを有する。さらに本明細書において使用するように、ポリペプチドまたはタンパク質の「成熟」型はタンパク質分解による切断事象以外の転写後の修飾により生じ得る。そのようなさらに別な方法は、限定されない例として、グリコシル化、ミリストイル化、またはリン酸化を含む。一般に、成熟ポリペプチドまたはタンパク質を、これらの方法のただ一つ、またはそれらのいずれかの組合せの操作によりもたらし得る。
【００４６】
本明細書において使用する用語「プローブ」は、好ましくは少なくとも約１０ヌクレオチド(ｎｔ)から１００ｎｔの間、または特定の使用によっては約、例えば６，０００ｎｔもの長さである可変的長さの核酸配列を指す。プローブを、同一、類似、または相補的な核酸配列の検出に使用し得る。より長いプローブを天然または組換え供給源から一般的に得る。より長いプローブは、特異性が高くより短長オリゴマーのプローブよりハイブリダイズするのが遅い。プローブは、一本鎖または二本鎖でもよく、そしてＰＣＲ、メンブレン−ベースのハイブリダイゼーション技術、またはＥＬＩＳＡ様技術において特異性を有するようにデザインされ得る。
【００４７】
本明細書において使用する用語「単離」核酸分子は、核酸の天然供給源に存在する他の核酸分子から分離された核酸である。好ましくは、「単離」核酸は、核酸が由来する生物のゲノムＤＮＡ中で核酸に天然に隣接する配列(即ち核酸の５'末端および３'末端に位置する配列)を有しない。例えば、種々の実施態様において、単離ＮＯＶＸ核酸分子は、核酸が由来する細胞／組織(例えば、脳、心臓、肝臓、脾臓等)のゲノムＤＮＡ中の核酸分子に天然に隣接する約５ｋｂ、４ｋｂ、３ｋｂ、２ｋｂ、１ｋｂ、０.５ｋｂ、０.１ｋｂ以下、またはそれ未満のヌクレオチド配列を含有し得る。さらに、ｃＤＮＡ分子のような「単離」核酸分子は、他の細胞性物質、培地、または化学的前駆物質または他の化学物質を実質的に含まな。
【００４８】
本発明の核酸分子、例えば、配列番号２ｎ−１（ｎは１〜８６の整数である）のヌクレオチド配列を有する核酸分子、またはこのヌクレオチド配列の補体を、標準的分子生物学の技術および本明細書に示す配列情報を用いて単離し得る。配列番号２ｎ−１（ｎは１〜８６の整数である）の核酸配列の全てまたは一部をハイブリダイゼーションプローブとして用いて、標準的ハイブリダイゼーション技術およびクローニング技術(例えば、Sambrook, et al., (eds.), MOLECULAR CLONING: A LABORATORY MANUAL 2nd Ed., Cold Spring Harbor Laboratory Press, Cold Spring Harbor, NY, 1989; and Ausubel, et al., (eds.), CURRENT PROTOCOLS IN MOLECULAR BIOLOGY, John Wiley & Sons, New York, NY, 1993に記載されるように)を用いてＮＯＶＸ分子を単離し得る。
【００４９】
本発明の核酸は、鋳型としてｃＤＮＡ、ｍＲＮＡ、またはこれに代えてゲノムＤＮＡを使用して標準的ＰＣＲ増幅技術にしたがって適切なオリゴヌクレオチドプライマーで増幅し得る。そのように増幅した核酸を、適切なベクターにクローニングし、ＤＮＡ配列分析により特徴づけ得る。さらに、ＮＯＶＸヌクレオチド配列に対応するオリゴヌクレオチドを、標準合成技術、例えば自動ＤＮＡ合成装置の使用、により調製し得る。
【００５０】
本明細書において使用する用語「オリゴヌクレオチド」は、一連の連結するヌクレオチド残基を指す。短いオリゴヌクレオチド配列は、ゲノム配列またはｃＤＮＡ配列に基づき得るし、またはそれらからデザインし得る。そして短いオリゴヌクレオチド配列を使用して、特定の細胞または組織の同一、類似、または相補的ＤＮＡまたはＲＮＡの存在を増幅し、確認し、または明らかにする。オリゴヌクレオチドは、長さ約１０ｎｔ、５０ｎｔ、または１００ｎｔ、好ましくは長さ約１５ｎｔ〜３０ｎｔの核酸配列を含む。本発明の一つの実施態様では、長さ１００ｎｔ未満の核酸分子を含むオリゴヌクレオチドは、配列番号２ｎ−１（ｎは１〜８６の整数である）の少なくとも６個の連続したヌクレオチド、またはそれらの補体をさらに含む。オリゴヌクレオチドを、化学的に合成し、プローブとして使用し得る。
【００５１】
もう一つの実施態様では、本発明の単離核酸分子は、配列番号２ｎ−１（ｎは１〜８６の整数である）に示すヌクレオチド配列、またはこのヌクレオチド配列の一部(例えば、ＮＯＶＸポリペプチドの生物学的に活性な部分をコードするプローブ、プライマー、またはフラグメントとして使用し得るフラグメント)の補体である核酸分子を含む。配列番号２ｎ−１（ｎは１〜８６の整数である）を示すヌクレオチド配列に相補的である核酸分子は、配列番号２ｎ−１（ｎは１〜８６の整数である）を示すヌクレオチド配列に十分に相補的であるものであり、配列番号２ｎ−１（ｎは１〜８６の整数である）を示すヌクレオチド配列と殆どミスマッチなしでまたは全くミスマッチ無しで水素結合し得。そのため核酸分子は安定な二本鎖を形成する。
【００５２】
本明細書において使用する用語「相補的」は、核酸分子のヌクレオチド単位間のWatson-CrickまたはHoogsteen塩基対を指し、用語「結合」は、２個のポリペプチドまたは化合物、または関連するポリペプチドまたは化合物またはそれらの組合せ間の物理的相互作用または化学的相互作用を意味する。結合は、イオン、非イオン、ファン・デー・ワールス、疎水性相互作用等を含む。物理的相互作用は直接的または間接的であり得る。間接的相互作用は、他のポリペプチドまたは化合物の作用を介したまたはこれに因るものであり得る。直接的結合は、他のポリペプチドまたは化合物の作用を介したまたはこれに因り起こるのではなく、代わりに他の実質的な化学的仲介物無しで起こる相互作用を指す。
【００５３】
本明細書で提供する「フラグメント」は、核酸の場合特異的ハイブリダイゼーションを可能にするのに十分な長さ、アミノ酸の場合にはエピトープの特異的認識に十分な長さである、少なくとも６個の(連続した)核酸または少なくとも４個の(連続した)アミノ酸の配列として定義され、そして全長より短い或る一部である。フラグメントは、選択した核酸またはアミノ酸配列の任意の連続した部分から由来するものであり得る。
【００５４】
全長ＮＯＶＸのクローンを、ＡＴＧ翻訳開始コドンおよびインフレームの停止コドンを含有するとして同定する。ＡＴＧ開始コドンを欠く任意の開示するＮＯＶＸヌクレオチド配列は、それ故にれぞれのＮＯＶＸポリペプチドの切断型Ｃ末端フラグメントをコードし、対応する全長ｃＤＮＡが開示する配列の５'方向へ伸長することを要求する。インフレームの停止コドンを欠く任意の開示するＮＯＶＸヌクレオチド配列は、同様にそれぞれのＮＯＶＸポリペプチドの切断型Ｎ末端フラグメントをコードし、対応する全長ｃＤＮＡが開示する配列の３'方向へ伸長することを要求する。
【００５５】
「誘導体」は、天然の化合物から直接、修飾によりまたは部分的置換によるいずれかで生成した核酸配列またはアミノ酸配列である。「類似体」は、天然化合物に類似しているが同一ではない構造を有する核酸配列またはアミノ酸配列であり、例えば、それらは特定の成分または側鎖に関して天然化合物と異なっている。類似体は、合成であり得るし異なる進化起源を由来とし得るし、野生型と比較して類似または反対の代謝活性を有し得る。相同体は、異なる生物種を由来とする特定の遺伝子の核酸配列またはアミノ酸配列である。
【００５６】
誘導体および類似体は、全長または全長以外であり得る。本発明の核酸またはタンパク質の誘導体または類似体は、同一サイズの核酸またはアミノ酸配列に亘って、または当分野において公知のコンピューターホモロジープログラムにより整列する整列化配列と比較した際、種々の実施態様において、少なくとも約７０％、８０％、または９５％の同一性(好ましくは、８０〜９５％の同一性)で本発明の核酸またはタンパク質に実質的に相同である領域を含む分子、またはそれらのコードする核酸が本発明のタンパク質をコードする配列の補体と厳密、中等度に厳密、または低い厳密度の条件下でハイブリダイズ可能である分子を含むが、これらに限定されない。例えば、Ausubel, et al., CURRENT PROTOCOLS IN MOLECULAR BIOLOGY, John Wiley & Sons, New York, NY, 1993および以下を参照されたい。
【００５７】
「相同な核酸配列」または「相同なアミノ酸配列」またはそれらの変異体は、上述のようにヌクレオチドレベルまたはアミノ酸レベルでのホモロジーにを特徴とする配列を指す。相同なヌクレオチド配列は、ＮＯＶＸポリペプチドのアイソフォームをコードするこれらの配列を含む。アイソフォームを、例えばＲＮＡの選択的スプライシングの結果として同一生物の異なる組織において発現し得る。これに代えて、アイソフォームを、異なる遺伝子によりコードし得る。本発明では、相同なヌクレオチド配列は、ヒト以外の生物種のＮＯＶＸポリペプチドをコードするヌクレオチド配列を含み、脊椎動物を含むが脊椎動物に限定されない。よって例えば、カエル、マウス、ラット、ウサギ、イヌ、ネコ、ウシ、ウマ、および他の生物を含む。相同なヌクレオチド配列はまた、本明細書に示すヌクレオチド配列の天然に存在する対立変異体および対立変異体を含むが、これらに限定しない。しかしながら、相同なヌクレオチド配列は、ヒトＮＯＶＸタンパク質をコードする正確なヌクレオチド配列を含まない。相同な核酸配列は、配列番号２ｎ−１（ｎは１〜８６の整数である）の保存的アミノ酸置換(下記参照)をコードする核酸配列ならびにＮＯＶＸの生物活性を有するポリペプチドを含む。ＮＯＶＸタンパク質の種々の生物学的活性を、以下に説明する。
【００５８】
ＮＯＶＸポリペプチドを、ＮＯＶＸ核酸のオープンリーディングフレーム(「ＯＲＦ」)によりコードする。ＯＲＦは、ポリペプチドに潜在的に翻訳し得るヌクレオチドに対応する。ＯＲＦを有する一連の核酸を、停止コドンにより中断しない。全長タンパク質をコードする配列を表すＯＲＦは、ＡＴＧ「開始」コドンで始まり、３種の「停止」コドン即ちＴＡＡ、ＴＡＧまたはＴＧＡの一つで終わる。本発明の目的のため、ＯＲＦは、開始コドン、停止コドン、またはその両方があってもなくてもよい、コード化配列の任意の部分であり得る。ＯＲＦを真正の細胞性タンパク質をコードする良好な候補として考えるために、最小限の要件、例えば、５０個のアミノ酸またはそれ以上をコードする一連のＤＮＡ、がしばしば定めらる。
【００５９】
ヒトＮＯＶＸ遺伝子のクローニングから決定するヌクレオチド配列は、他の細胞タイプ、例えば他の組織由来のＮＯＶＸ相同体、ならびに他の脊椎動物由来のＮＯＶＸ相同体を同定および／またはクローニングする際に有用であるようデザインするプローブおよびプライマーの作成を可能にする。プローブ／プライマーは、実質的に精製するオリゴヌクレオチドを典型的に含む。オリゴヌクレオチドは、配列番号２ｎ−１（ｎは１〜８６の整数である）の少なくとも約１２、２５、５０、１００、１５０、２００、２５０、３００、３５０または４００個の連続したセンス鎖のヌクレオチド配列；または配列番号２ｎ−１（ｎは１〜８６の整数である）のアンチセンス鎖ヌクレオチド配列；または配列番号２ｎ−１（ｎは１〜８６の整数である）の天然に存在する変異体に厳密な条件下でハイブリダイズするヌクレオチド配列の領域を典型的に含む。
【００６０】
ヒトＮＯＶＸヌクレオチド配列に基づくプローブを、同一タンパク質または相同タンパク質をコードする転写体またはゲノム配列を検出するのに使用し得る。種々の実施態様において、プローブは検出可能な標識がつけられており、例えば、標識は放射性同位元素、蛍光化合物、酵素、または酵素のコファクターであり得る。かかるプローブは、対象由来の細胞試料中の一つのＮＯＶＸコード化核酸のレベルを測定することによるように、一つのＮＯＶＸタンパク質を誤って発現している細胞または組織を同定するための診断試験キットの一部として使用し得る、例えば、ＮＯＶＸのｍＲＮＡを検出するかまたはゲノムＮＯＶＸ遺伝子が変異または欠失をしたか否かを測定する。
【００６１】
「ＮＯＶＸポリペプチドの生物学的に活性な部分を有するポリペプチド」は、特定の生物学的分析において測定するような成熟型を含み、本発明のポリペプチドの活性に類似な、しかし必ずしも同一ではない活性を用量依存性の有無を問わず発揮するポリペプチドを指す。「ＮＯＶＸの生物学的に活性な部分」をコードする核酸フラグメントを、一つのＮＯＶＸの生物活性(ＮＯＶＸタンパク質の生物活性を以下に説明する)を有するポリペプチドをコードする配列番号２ｎ−１（ｎは１〜８６の整数である）の一部を単離し、ＮＯＶＸタンパク質のコードする部分を発現し(例えば、インビトロ組換え発現により)、ＮＯＶＸのコードする部分の活性を評価するすることにより調製し得る。
【００６２】
ＮＯＶＸ核酸およびポリペプチド変異体
本発明はさらに、遺伝子コードの縮重により配列番号２ｎ−１（ｎは１〜８６の整数である）に示すヌクレオチド配列と異なっており、従って配列番号２ｎ−１（ｎは１〜８６の整数である）に示すヌクレオチド配列によりコードするのと同一のＮＯＶＸタンパク質をコードする核酸分子を包含する。もう一つの実施態様では、本発明の単離核酸分子は、配列番号２ｎ（ｎは１〜８６の整数である）に示すアミノ酸配列を有するタンパク質をコードするヌクレオチド配列を有する。
【００６３】
配列番号２ｎ−１（ｎは１〜８６の整数である）に示すヒトＮＯＶＸヌクレオチド配列に加えて、ＮＯＶＸポリペプチドのアミノ酸配列に変化をもたらすＤＮＡ配列の多型が、集団(例えばヒトの集団)中に存在し得ることを当業者は理解する。ＮＯＶＸ遺伝子のかかる遺伝子多型は、天然の対立遺伝子変異に因り集団の中の個人間に存在し得る。本明細書において使用する用語「遺伝子」および「組換え遺伝子」は、ＮＯＶＸタンパク質、好ましくは脊椎動物のＮＯＶＸタンパク質をコードするオープンリーディングフレーム(ＯＲＦ)を含む核酸分子を指す。かかる天然の対立遺伝子変異は、ＮＯＶＸ遺伝子のヌクレオチド配列中に１〜５％の変化を典型的にもたらす。天然の対立遺伝子変異の結果でありＮＯＶＸポリペプチドの機能活性を変化しない任意のおよび全てのかかるヌクレオチド変異体およびそこで得られるＮＯＶＸポリペプチド中のアミノ酸多型は、本発明の範囲内にあるものとする。
【００６４】
さらに、他の生物種由来のＮＯＶＸタンパク質をコードする核酸分子、および従ってヒト配列番号２ｎ−１（ｎは１〜８６の整数である）とは異なるヌクレオチド配列を有する核酸分子は、本発明の範囲内にあるものとする。本発明のＮＯＶＸｃＤＮＡの天然の変異体および相同体に対応する核酸分子は、厳密なハイブリダイゼーション条件下で標準的なハイブリダイゼーション技術に従うヒトｃＤＮＡまたはその一部をハイブリダイゼーション用プローブとして用いて、本明細書に開示するヒトＮＯＶＸ核酸との相同性に基づいて単離し得る。
【００６５】
従って、もう一つの実施態様では、本発明の単離核酸分子は少なくとも６ヌクレオチド長であり、配列番号２ｎ−１（ｎは１〜８６の整数である）のヌクレオチド配列を含む核酸分子に厳密な条件下でハイブリダイズする。もう一つの実施態様では、核酸は少なくとも１０、２５、５０、１００、２５０、５００、７５０、１０００、１５００、２０００またはそれ以上のヌクレオチド長である。なおもう一つの実施態様では、本発明の単離核酸分子はコード化領域にハイブリダイズする。本明細書において用いる用語「厳密な条件下でハイブリダイズする」は、お互いに少なくとも約６５％相同なヌクレオチド配列がお互いに典型的にハイブリダイズしたままであるハイブリダイゼーション条件および洗滌条件を記載することを意図する。
【００６６】
相同体(即ち、ヒト以外の生物種由来のＮＯＶＸタンパク質をコードする核酸)または他の関連配列(例えばパラログ)を、核酸のハイブリダイゼーションおよびクローニングの当分野において既知の方法を用いて特定のヒト配列の全部または一部をプローブとし、低度、中度、または高度に厳密なハイブリダイゼーションにより得られる。
【００６７】
本明細書において使用する用語「厳密なハイブリダイゼーション条件」は、プローブ、プライマーまたはオリゴヌクレオチドが標的配列にハイブリダイズするが他の配列にはハイブリダイズしない条件を指す。厳密な条件は配列依存性であり、異なる環境にり差がある。より長い配列は、より短い配列よりもより高温で特異的にハイブリダイズする。一般的に、厳密な条件を、一定のイオン強度およびｐＨにおいて、特定の配列の融解温度(Ｔｍ)より約５℃低いように選択する。Ｔｍは、標的配列と相補的なプローブの５０％が平衡時に標的配列にハイブリダイズする温度(一定のイオン強度、ｐＨおよび核酸濃度下で)である。標的配列はＴｍにおいて一般的に過剰に存在するので、プローブの５０％を平衡時に占める。典型的に、厳密な条件はｐＨ７.０〜８.３で塩濃度が約１.０Ｍナトリウムイオン未満、典型的には約０.０１〜１.０Ｍナトリウムイオン(または他の塩)であり、温度は短いプローブ、プライマーまたはオリゴヌクレオチド(例えば、１０ｎｔ〜５０ｎｔ)に対して少なくとも約３０℃であり、より長いプローブ、プライマーおよびオリゴヌクレオチドに対して少なくとも約６０℃である。厳密な条件を、フォルムアミドのような不安定化剤の添加によっても達成し得る。
【００６８】
厳密な条件は当業者に公知であり、Ausubel, et al., (eds.), CURRENT PROTOCOLS IN MOLECULAR BIOLOGY, John Wiley & Sons, N.Y. (1989), 6.3.1-6.3.6.に見出すことができる。好ましくは、条件は、互いに少なくとも６５％、７０％、７５％、８５％、９０％、９５％、９８％、または９９％相同な配列が互いに典型的にハイブリダイズしたままであるようなものである。厳密なハイブリダイゼーションの限定されない例は、６×ＳＳＣ、５０ｍＭ Ｔｒｉｓ−ＨＣｌ(ｐＨ７.５)、１ｍＭ ＥＤＴＡ、０.０２％ＰＶＰ、０.０２％Ｆｉｃｏｌｌ、０.０２％ＢＳＡおよび５００ｍｇ／ｍｌの変性サケ精子ＤＮＡを含む高塩緩衝液中６５℃でハイブリダイゼーションを行い、引き次いで０.２×ＳＳＣ、０.０１％ＢＳＡ中６５℃で１回またはそれ以上洗滌する。配列番号２ｎ−１（ｎは１〜８６の整数である）の配列に厳密な条件下でハイブリダイズする本発明の単離核酸分子は、天然に存在する核酸分子に対応する。本明細書において使用づる用語「天然に存在する」核酸分子は、天然に(例えば、天然のタンパク質をコードする)存在する核酸配列を有するＲＮＡ分子またはＤＮＡ分子を指す。
【００６９】
第２の実施態様では、配列番号２ｎ−１（ｎは１〜８６の整数である）のヌクレオチド配列を含む核酸分子、またはそれらのフラグメント、類似体または誘導体と中度に厳密な条件下でハイブリダイズする核酸配列を提供する。中度に厳密なハイブリダイゼーション条件の限定されない例は、６×ＳＳＣ、５×Denhardt溶液、０.５％ＳＤＳおよび１００ｍｇ／ｍｌの変性サケ精子ＤＮＡ中５５℃でハイブリダイゼーションを行い、引き次いで１×ＳＳＣ、０.１％ＳＤＳ中３７℃で１回またはそれ以上洗滌することである。使用され得る他の中度に厳密な条件は当分野内で周知である。例えば、Ausubel, et al. (eds.), 1993, CURRENT PROTOCOLS IN MOLECULAR BIOLOGY, John Wiley & Sons, NY, and Kriegler, 1990; GENE TRANSFER AND EXPRESSION, A LABORATORY MANUAL, Stockton Press, NY.を参照されたい。
【００７０】
第３の実施態様では、配列番号２ｎ−１（ｎは１〜８６の整数である）のヌクレオチド配列を含む核酸分子、またはそれらのフラグメント、類似体または誘導体と低度に厳密な条件下でハイブリダイズする核酸配列を提供する。低度に厳密なハイブリダイゼーション条件の限定されない例は、３５％フォルムアミド、５×ＳＳＣ、５０ｍＭ Ｔｒｉｓ−ＨＣｌ(ｐＨ７.５)、５ｍＭ ＥＤＴＡ、０.０２％ＰＶＰ、０.０２％Ｆｉｃｏｌｌ、０.２％ＢＳＡ、１００ｍｇ／ｍｌの変性サケ精子ＤＮＡ、１０％(ｗｔ／ｖｏｌ)硫酸デキストラン中４０℃でハイブリダイゼーションを行い、引き次いで２×ＳＳＣ、２５ｍＭ Ｔｒｉｓ−ＨＣｌ(ｐＨ７.４)、５ｍＭ ＥＤＴＡ、および０.１％ＳＤＳ中５０℃で１回またはそれ以上洗滌することである。使用し得る他の低度に厳密な条件(例えば種間ハイブリダイゼーションに使用する)は当分野において周知である。例えば、Ausubel, et al. (eds.), 1993, CURRENT PROTOCOLS IN MOLECULAR BIOLOGY, John Wiley & Sons, NY, and Kriegler, 1990; GENE TRANSFER AND EXPRESSION, A LABORATORY MANUAL, Stockton Press, NY.；Shilo and Weinberg, 1981. Proc Natl Acad Sci USA 78: 6789-6792を参照されたい。
【００７１】
保存的変異
集団中に存在し得るＮＯＶＸ配列の天然に存在する対立遺伝子変異に加えて、配列番号２ｎ−１（ｎは１〜８６の整数である）のヌクレオチド配列中に変異により変換を導入することができ、それによってＮＯＶＸタンパク質の機能活性を変えること無しに、コードするＮＯＶＸタンパク質のアミノ酸配列の変化を導くことができることを当業者はさらに理解する。例えば、「非必須」アミノ酸残基でアミノ酸置換に導くヌクレオチド置換を、配列番号２ｎ−１（ｎは１〜８６の整数である）の配列中で行い得る。「非必須」アミノ酸残基は、ＮＯＶＸタンパク質の野生型の配列をそれらの生物活性を変化させることなく変えることのできる残基であるが、一方で「必須」アミノ酸残基をそのような生物活性に必要とする。例えば、本発明のＮＯＶＸタンパク質中で保存するアミノ酸残基を、特に変換に耐えられないと予想する。保存的置換が行われ得るアミノ酸は当分野内で周知である。
【００７２】
本発明のもう一つの態様は、活性に必須でないアミノ酸残基中に変化を含有するＮＯＶＸタンパク質をコードする核酸分子に関する。かかるＮＯＶＸタンパク質は、配列番号２ｎ−１（ｎは１〜８６の整数である）とアミノ酸配列において異なっているが、生物活性を依然保持している。一つの実施態様では、単離核酸分子はタンパク質をコードするヌクレオチド配列を含み、ここでタンパク質は、配列番号２ｎ（ｎは１〜８６の整数である）のアミノ酸配列と少なくとも約４５％相同であるアミノ酸配列を含む。好ましくは、核酸分子によりコードするタンパク質は、配列番号２ｎ（ｎは１〜８６の整数である）に少なくとも約７０％相同であり；さらに好ましくは、配列番号２ｎ（ｎは１〜８６の整数である）に少なくとも約８０％相同であり；それよりさらにより好ましくは、配列番号２ｎ（ｎは１〜８６の整数である）に少なくとも約９０％相同であり；最も好ましくは、配列番号２ｎ（ｎは１〜８６の整数である）に少なくとも約９５％相同である。
【００７３】
配列番号２ｎ（ｎは１〜８６の整数である）のタンパク質に相同な一つのＮＯＶＸタンパク質をコードする単離核酸分子を、１個またはそれ以上のアミノ酸の置換、付加または欠失をコードするタンパク質内に導入するように配列番号２ｎ−１（ｎは１〜８６の整数である）のヌクレオチド配列の中に１個またはそれ以上のヌクレオチドの置換、付加または欠失を導入することにより創成し得る。
【００７４】
変異を、配列番号２ｎ−１（ｎは１〜８６の整数である）の中に、部位直接的変異誘発およびＰＣＲ仲介性変異誘発のような、標準的技術により導入し得る。好ましくは、保存的アミノ酸置換を、予想する１個またはそれ以上の非必須アミノ酸残基において行う。「保存的アミノ酸置換」は、類似の側鎖を有するアミノ酸残基で置き換えるアミノ酸残基中の一つである。類似の側鎖を有するアミノ酸残基のファミリーを当分野内で定義する。これらのファミリーは、塩基性側鎖をもつアミノ酸(例えば、リジン、アルギニン、ヒスチジン)、酸性側鎖をもつアミノ酸(例えば、アスパラギン酸、グルタミン酸)、電荷のない側鎖をもつアミノ酸(例えば、グリシン、アスパラギン、グルタミン、セリン、スレオニン、チロシン、システイン)、無極性側鎖をもつアミノ酸(例えば、アラニン、バリン、ロイシン、イソロイシン、プロリン、フェニルアラニン、メチオニン、トリプトファン)、ベータ位側鎖をもつアミノ酸(例えば、スレオニン、バリン、イソロイシン)、ならびに芳香族側鎖をもつアミノ酸(例えば、チロシン、フェニルアラニン、トリプトファン、ヒスチジン)を含む。従って、ＮＯＶＸタンパク質中に予想する非必須アミノ酸残基を、同じ側鎖ファミリーの別のアミノ酸残基で置換する。これに代えて、もう一つの実施態様では、変異を、飽和突然変異誘発のように、一つのＮＯＶＸコード化配列の全部または一部に沿って無作為に導入し得るし、得られた変異体をＮＯＶＸの生物学的活性についてスクリーニングして活性を保持する変異体を同定し得る。配列番号２ｎ−１（ｎは１〜８６の整数である）の変異誘発に引き続いて、コードされたタンパク質を当分野において公知の任意の組換え技術で発現し、タンパク質の活性を測定し得る。
【００７５】
アミノ酸ファミリーの関連性を、側鎖の相互作用に基づいても決定し得る。置換したアミノ酸は、十分に保存された「強い」残基または十分に保存された「弱い」残基であり得る。保存したアミノ酸残基の「強い」群は、次の群のいずれか一つであり得る：ＳＴＡ、ＮＥＱＫ、ＮＨＱＫ、ＮＤＥＱ、ＱＨＲＫ、ＭＩＬＶ、ＭＩＬＦ、ＨＹ、ＦＹＷであり、ここでアミノ酸の一文字表記は、互いに置換し得るアミノ酸でグル−プ分けする。同様に、保存した残基の「弱い」群は、次のいずれか一つであり得る：ＣＳＡ、ＡＴＶ、ＳＡＧ、ＳＴＮＫ、ＳＴＰＡ、ＳＧＮＤ、ＳＮＤＥＱＫ、ＮＤＥＱＨＫ、ＮＥＱＨＲＫ、ＨＦＹであり、ここでそれぞれの群の文字はアミノ酸の一文字表記を表す。
【００７６】
一つの実施態様では、変異ＮＯＶＸタンパク質を、(i)他のＮＯＶＸタンパク質、他の細胞表面タンパク質またはそれらの生物学的活性部位と相互作用するタンパク質：タンパク質を形成する活性、(ii)変異ＮＯＶＸタンパク質と一つのＮＯＶＸリガンド間の複合体形成、または(iii)細胞内標的タンパク質またはそれらの生物学的活性部位に結合する変異ＮＯＶＸタンパク質の活性についてアッセイし得る；(例えば、アビジンタンパク質)。
なおもう一つの実施態様では、変異ＮＯＶＸタンパク質を、特定の生物学的機能を調節する活性(例えば、インスリン分泌の調節)についてアッセイし得る。
【００７７】
アンチセンス核酸
本発明のもう一つの態様は、配列番号２ｎ−１（ｎは１〜８６の整数である）のヌクレオチド配列を含む核酸分子、またはそれらのフラグメント、相同体または誘導体、とハイブリダイズ可能なまたは相補的な単離アンチセンス核酸分子に関する。「アンチセンス」核酸は、タンパク質をコードする「センス」核酸に相補的な(例えば、二本鎖ｃＤＮＡ分子のコード化鎖に相補的な、またはｍＲＮＡ配列に相補的な)ヌクレオチド配列を含む。特別な態様では、少なくとも約１０、２５、５０、１００、２５０、または５００のヌクレオチドまたは全ＮＯＶＸコード化鎖に相補的な配列、またはそれらの一部のみにを含むアンチセンス核酸分子を提供する。配列番号２ｎ（ｎは１〜８６の整数である）の一つのＮＯＶＸタンパク質のフラグメント、相同体、誘導体および類似体をコードする核酸分子、または配列番号２ｎ−１（ｎは１〜８６の整数である）の一つのＮＯＶＸ核酸配列に相補的なアンチセンス核酸を加えて提供する。
【００７８】
一つの実施態様では、アンチセンス核酸分子は、一つのＮＯＶＸタンパク質をコードするヌクレオチド配列のコード化鎖の「コード化領域」に対するアンチセンスである。用語「コード化領域」は、アミノ酸残基に翻訳するコドンを含むヌクレオチド配列の領域を指す。もう一つの実施態様では、アンチセンス核酸分子は、ＮＯＶＸタンパク質をコードするヌクレオチド配列のコード化鎖の「非コード化領域」に対するアンチセンスである。用語「非コード化領域」は、アミノ酸に翻訳しないコード化領域に隣接する５'配列および３'配列を指す(即ち、５'非翻訳領域および３'非翻訳領域とも呼ぶ)。
【００７９】
本明細書に開示するＮＯＶＸタンパク質をコードするコード化鎖の配列を与えると、本発明のアンチセンス核酸をWatsonとCrickまたはHoogsteenの塩基対の規則にしたがってデザインし得る。アンチセンス核酸分子は、ＮＯＶＸのｍＲＮＡの全コード化領域と相補的であり得るが、さらに好ましくは、ＮＯＶＸのｍＲＮＡのコード化または非コード化領域の一部のみに対するアンチセンスであるオリゴヌクレオチドである。例えば、アンチセンスオリゴヌクレオチドは、ＮＯＶＸのｍＲＮＡの翻訳開始部位を囲む領域に相補的であり得る。アンチセンスオリゴヌクレオチドは、例えば、長さ約５、１０、１５、２０、２５、３０、３５、４０、４５または５０ヌクレオチドであり得る。本発明のアンチセンス核酸を、当分野において公知の手順を用いる化学合成または酵素ライゲーション反応を用いて構築し得る。例えば、アンチセンス核酸(例えば、アンチセンスオリゴヌクレオチド)は、天然に存在するヌクレオチドまたは分子の生物学的安定性を増加またはアンチセンス核酸とセンス核酸の間で形成する二本鎖の物理的安定性を増加するようデザインした様々に修飾したヌクレオチドを用いて、化学合成し得る(例えば、ホスホロチオエート誘導体およびアクリジンで置換したヌクレオチドを使用しうる)。
【００８０】
アンチセンス核酸を作成に使用し得る修飾ヌクレオチドの例として以下のものを挙げる：５−フルオロウラシル、５−ブロモウラシル、５−クロロウラシル、５−ヨードウラシル、ヒポキサンチン、キサンチン、４−アセチルシトシン、５−(カルボキシヒドロキシメチル)ウラシル、５−カルボキシメチルアミノメチル−２−チオウリジン、５−カルボキシメチルアミノメチルウラシル、ジヒドロウラシル、ベータ−Ｄ−ガラクトシルクエノシン、イノシン、Ｎ６−イソペンテニルアデニン、１−メチルグアニン、１−メチルイノシン、２,２−ジメチルグアニン、２−メチルアデニン、２−メチルグアニン、３−メチルシトシン、５−メチルシトシン、Ｎ６−アデニン、７−メチルグアニン、５−メチルアミノメチルウラシル、５−メトキシアミノメチル−２−チオウラシル、ベータ−Ｄ−マンノシルクエオシン、５'−メトキシカルボキシメチルウラシル、５−メトキシウラシル、２−メチルチオ−Ｎ６−イソペンテニルアデニン、ウラシル−５−オキシ酢酸(ｖ)、ワイブトキソシン、プソイドウラシル、クエオシン、２−チオシトシン、５−メチル−２−チオウラシル、２−チオウラシル、４−チオウラシル、５−メチルウラシル、ウラシル−５−オキシ酢酸メチルエステル、ウラシル−５−オキシ酢酸(ｖ)、５−メチル−２−チオウラシル、３−(３−アミノ−３−Ｎ−２−カルボキシプロピル)ウラシル、(ａｃｐ３)ｗ、および２、６−ジアミノプリン。これに代えて、アンチセンス核酸を、核酸がアンチセンスの配向(即ち、挿入した核酸から転写したＲＮＡが、興味ある標的核酸に対するアンチセンスの配向であり、以下の小節でさらに説明する)においてサブクローニングする発現ベクターを使用して生物学的に生産し得る。
【００８１】
本発明のアンチセンス核酸分子を、それらが一つのＮＯＶＸタンパク質をコードする細胞性ｍＲＮＡおよび／またはゲノムＤＮＡとハイブリダイズまたは結合し、それにより(例えば、転写および／または翻訳を阻害することにより)タンパク質発現を阻害するように典型的に対象に投与するか、または組織で作成する。ハイブリダイゼーションは、安定な二本鎖を形成する従来のヌクレオチドの相補性によるものでもあり得る。または、例えば、ＤＮＡ二本鎖に結合するアンチセンス核酸の場合には、二本鎖の大溝での特異的相互作用を介するものであり得る。本発明のアンチセンス核酸分子の投与経路の例として、組織部位への直接の注射を挙げる。これに代えて、アンチセンス核酸分子を、選択した細胞標的へ修飾しそこで全身性に投与し得る。例えば、全身性投与のために、アンチセンス分子を、選択した細胞表面上に発現する受容体または抗原に特異的に結合するように(例えば、ペプチドにアンチセンス核酸分子を連結させることまたは細胞表面受容体または抗原に結合する抗体により)修飾し得る。アンチセンス核酸分子をまた、本明細書に説明するベクターを用いて細胞に送達し得る。十分な核酸分子を送達するために、アンチセンス核酸分子を強力なｐｏｌＩＩプロモーターまたはｐｏｌＩＩＩプロモーターの調節下に置くベクター構造が好ましい。
【００８２】
なおもう一つの実施態様では、本発明のアンチセンス核酸分子は、α−アノマー核酸分子である。α−アノマー核酸分子は、相補的ＲＮＡと特異的二本鎖ハイブリッドを形成し、これは通常のβユニットとは反対で鎖が互いに並行に走行する。例えば、Gaultier, et al., 1987. Nucl. Acids Res. 15: 6625-6641を参照されたい。アンチセンス核酸分子はまた、２'−ｏ−メチルリボヌクレオチド(例えば、Inoue, et al. 1987. Nucl. Acids Res. 15: 6131-6148を参照)またはキメラＲＮＡ−ＤＮＡ類似体(例えば、Inoue, et al., 1987. FEBS Lett. 215: 327-330を参照)を含み得る。
【００８３】
リボゾームおよびＰＮＡ部分
核酸の修飾は、非限定的な例として、修飾した塩基、および糖リン酸主鎖を修飾または誘導した核酸を挙げる。これらの修飾を少なくとも部分的に行い、例えば対象への治療応用において核酸へ結合するアンチセンスとして使用し得るように修飾した核酸の化学的安定性を増強する。
【００８４】
一つの実施態様では、本発明のアンチセンス核酸はリボゾームである。リボゾームは、それらが相補的領域を有するｍＲＮＡのような一本鎖核酸を切断する能力のあるリボヌクレアーゼ活性を有する触媒活性ＲＮＡ分子である。従って、リボゾーム(例えば、Haselhoff and Gerlach 1988. Nature 334: 585-591に記載されているようなハンマーヘッドリボゾーム)を使用して、ＮＯＶＸのｍＲＮＡ転写物を触媒的に切断し、それによりＮＯＶＸのｍＲＮＡの翻訳を阻害し得る。ＮＯＶＸをコードする核酸に対する特異性を有するリボゾームは、本明細書に開示する一つのＮＯＶＸｃＤＮＡのヌクレオチド配列(即ち、配列番号２ｎ−１（ｎは１〜８６の整数である）)に基づいてデザインし得る。例えば、その中で活性部位のヌクレオチド配列がＮＯＶＸをコードするｍＲＮＡ中で切断し得るヌクレオチド配列に相補的であるテトラヒメナＬ−１９ＩＶＳ ＲＮＡの誘導体を構築し得る。例えば、Cech, et al.の米国特許第４,９８７,０７１号およびCech, et al.の米国特許第５,１１６,７４２号を参照されたい。ＮＯＶＸｍＲＮＡをまた、ＲＮＡ分子のプールから特異的リボヌクレアーゼ活性を有する触媒ＲＮＡを選択するのに使用し得る。例えば、Bartel et al., (1993) Science 261:1411-1418を参照されたい。
【００８５】
これに代えて、ＮＯＶＸ遺伝子発現は、ＮＯＶＸ核酸の調節領域(例えば、ＮＯＶＸプロモーターおよび／またはエンハンサー)に相補的なヌクレオチド配列を標的とすることで阻害し、標的細胞中のＮＯＶＸ遺伝子の転写を阻止する三重鎖構造を形成し得る。例えば、Helene, 1991. Anticancer Drug Des. 6: 569-84; Helene, et al. 1992. Ann. N.Y. Acad. Sci. 660: 27-36; Maher, 1992. Bioassays 14: 807-15を参照されたい。
【００８６】
種々の実施態様において、ＮＯＶＸ核酸を塩基部分、糖部分、またはリン酸骨格部分において修飾し、例えば、分子の安定性、ハイブリダイゼーションまたは溶解度を改善し得る。例えば、核酸のデオキシリボースリン酸骨格を修飾して、ペプチド核酸を生成し得る。例えば、Hyrup, et al., 1996. Bioorg Med Chem 4: 5-23を参照されたい。本明細書において使用する用語「ペプチド核酸」または「ＰＮＡ」は、デオキシリボースリン酸骨格を擬似ペプチド骨格で置換し、４個の核酸塩基のみを保持する核酸模倣体(例えばＤＮＡ模倣体)を指す。ＰＮＡの中性骨格は、低イオン強度の条件下でＤＮＡおよびＲＮＡへの特異的ハイブリダイゼーションを可能にすると示す。ＰＮＡオリゴマーの合成を、Hyrup, et al., 1996. supra; Perry-O'Keefe, et al., 1996. Proc. Natl. Acad. Sci. USA 93: 14670-14675に記載されているように、標準固相ペプチド合成プロトコールを用いて実施し得る。
【００８７】
ＮＯＶＸのＰＮＡを治療的応用および診断的応用に使用し得る。例えば、ＰＮＡを、例えば転写または翻訳停止を誘導することまたは複製を阻害することにより、遺伝子発現の配列特異的調整のためのアンチセンスまたは抗原薬剤として使用し得る。ＮＯＶＸのＰＮＡはまた、例えば、遺伝子中の単塩基対変異の分析(例えば、ＰＣＲ固定を指示するＰＮＡ；他の酵素、例えば、Ｓ１ヌクレアーゼ、との組合せで使用し得る人工的制限酵素として(Hyrup, et al., 1996.supraを参照)；またはＤＮＡ配列およびハイブリダイゼーションのプローブまたはプライマーとして(Hyrup, et al., 1996, supra; Perry-O'Keefe, et al., 1996. supraを参照))にも使用し得る。
【００８８】
もう一つの実施態様では、ＮＯＶＸのＰＮＡを修飾して、例えば、ＰＮＡに親油性なまたは他の補助的な基をＰＮＡに結合することにより、ＰＮＡ−ＤＮＡキメラの生成により、またはリポゾームまたは当分野において公知の他の薬剤送達技術の使用によりそれらの安定性または細胞への取り込みを増強し得る。例えば、ＰＮＡとＤＮＡの有益な性質を結合し得るＮＯＶＸのＰＮＡ−ＤＮＡキメラを生成し得る。かかるキメラは、ＤＮＡ認識酵素(例えば、ＲＮａｓｅ ＨおよびＤＮＡポリメラーゼ)がＤＮＡ部分と相互作用し、一方でＰＮＡ部分が結合高親和性および結合高特異性を提供することを可能にする。ＰＮＡ−ＤＮＡキメラは、塩基結合、核酸塩基間の結合数および配向について選択した適当な長さのリンカーを使用して結合し得る(Hyrup, et al., 1996. supraを参照)。ＰＮＡ−ＤＮＡキメラの合成を、Hyrup, et al., 1996. supra and Finn, et al., 1996. Nucl Acids Res 24: 3357-3363に記載のように実施し得る。例えば、ＤＮＡ鎖を、標準ホスホラミダイトカップリング化学反応を使用して固相支持体上で合成し得る。そして修飾したヌクレオシド類似体、例えば、5'-(4-メトキシトリチル)アミノ-5'-デオキシチミジンホスホラミダイトをＰＮＡとＤＮＡの５'末端間で使用し得る。例えば、Mag, et al., 1989. Nucl Acid Res 17: 5973-5988を参照されたい。次いで、ＰＮＡモノマーを段階的にカップリングし、５'ＰＮＡセグメントおよび３'ＤＮＡセグメントを有するキメラ分子を生成する。例えば、Finn, et al., 1996. supraを参照されたい。これに代えて、キメラ分子を５'ＤＮＡセグメントおよび３'ＰＮＡセグメントで合成することもできる。例えば、Petersen, et al., 1975. Bioorg. Med. Chem. Lett. 5: 1119-11124を参照されたい。
【００８９】
他の実施態様では、オリゴヌクレオチドは、ペプチドのような添付群(例えば、インビボにおいて宿主細胞を標的とするため)、または細胞膜(例えば、Letsinger, et al., 1989. Proc. Natl. Acad. Sci. U.S.A. 86: 6553-6556; Lemaitre, et al., 1987. Proc. Natl. Acad. Sci. 84: 648-652; ＰＣＴ公開番号ＷＯ８８／０９８１０を参照)または血液脳関門(例えば、ＰＣＴ公開番号ＷＯ８９／１０１３４を参照)を横切る輸送を促進する薬剤を含み得る。加えて、オリゴヌクレオチドを、ハイブリダイゼーション誘発性切断剤(例えば、Krol, et al., 1988. BioTechniques 6:958-976を参照)または挿入剤(例えば、Zon, 1988. Pharm. Res. 5: 539-549を参照)で修飾し得る。この目的のために、オリゴヌクレオチドを、例えば、ペプチド、ハイブリダイゼーション誘発性架橋剤、輸送剤、ハイブリダイゼーション誘発性切断剤等に複合し得る。
【００９０】
ＮＯＶＸポリペプチド
本発明に従うポリペプチドは、配列が配列番号２ｎ（ｎは１〜８６の整数である）において提供するＮＯＶＸポリペプチドのアミノ酸配列を含有するポリペプチドを含む。本発明はまた、その任意の残基が、配列番号２ｎ（ｎは１〜８６の整数である）に示す対応する残基から変換し得る一方で、そのＮＯＶＸ活性および生理機能を保持するタンパク質、またはそれらの機能的フラグメントを依然コードする変異タンパク質または変種タンパク質を含む。
【００９１】
一般に、ＮＯＶＸ様機能を保持する一つのＮＯＶＸ変異体は、配列中の特定部位の残基を他のアミノ酸で置換する任意の変異体を含み、親タンパク質の２個の残基間にもう一残基または複数残基を挿入する可能性ならびに親配列から１個またはそれ以上の残基を欠失する可能性をさらに含む。任意のアミノ酸の置換、挿入または欠失を本発明に包含する。好ましい状況では、置換は上で定義した保存的置換である。
【００９２】
本発明の一つの態様は、単離ＮＯＶＸタンパク質およびそれらの生物活性部分、またはそれらの誘導体、フラグメント、類似体、または相同体に関する。また、抗ＮＯＶＸ抗体産生用の免疫源としての使用に適当なポリペプチドフラグメントも提供し得る。一つの実施態様では、細胞または組織供給源から標準タンパク質精製技術を使用する適当な精製スキームにより天然のＮＯＶＸタンパク質を単離し得る。もう一つの実施態様では、ＮＯＶＸタンパク質を、組換えＤＮＡ技術により生産する。組換え発現に代えて、一つのＮＯＶＸタンパク質またはポリペプチドを、標準ペプチド合成技術を使用して化学的に合成し得る。
【００９３】
「単離」または「精製」ポリペプチドまたはタンパク質またはそれらの生物活性部分は、ＮＯＶＸタンパク質の由来する細胞供給源または組織供給源の細胞性物質または他の混入タンパク質を実質的に含まず、または化学的に合成したと際化学的前駆体または他の化学物質を実質的に含まない。「細胞性物質が実質的に含まれていない」という用語は、タンパク質を単離または組換え的に生産した元の細胞の細胞成分からタンパク質を分離したＮＯＶＸタンパク質の標本を含む。一つの実施態様では、「細胞原料が実質的に含まれていない」という用語は、約３０％(乾燥重量比)未満の非ＮＯＶＸタンパク質(ここでは「混入タンパク質」とも言う)、さらに好ましくは約２０％未満の非ＮＯＶＸタンパク質、なおさらに好ましくは約１０％未満の非ＮＯＶＸタンパク質、そして最も好ましくは約５％未満の非ＮＯＶＸタンパク質を有するＮＯＶＸタンパク質の標本を含む。ＮＯＶＸタンパク質またはそれらの生物活性部分を組換え的に生産する際には、それはまた、好ましくは培地を実質的に含まず、即ち、培地はＮＯＶＸタンパク質標本の容積の約２０％未満、さらに好ましくは約１０％未満、そして最も好ましくは５％未満を表す。
【００９４】
「化学的前駆体または他の化学物質を実質的に含まない」という用語は、ＮＯＶＸタンパク質の標本を含み、ここでタンパク質を、タンパク質の合成に関与する化学的前駆体または他の化学物質から分離する。一つの実施態様では、「化学的前駆体または他の化学物質を実質的に含まない」という用語は、約３０％未満(乾燥重量比)の化学的前駆体または非ＮＯＶＸ化学物質、さらに好ましくは約２０％未満の化学的前駆体または非ＮＯＶＸ化学物質、なおさらに好ましくは約１０％未満の化学的前駆体または非ＮＯＶＸ化学物質、および最も好ましくは約５％未満の化学的前駆体または非ＮＯＶＸ化学物質を有するＮＯＶＸタンパク質の標本を含む。
【００９５】
ＮＯＶＸタンパク質の生物学的に活性な部分は、全長ＮＯＶＸタンパク質より少ないアミノ酸を含有しＮＯＶＸタンパク質の少なくとも一つの活性を示すＮＯＶＸタンパク質のアミノ酸配列(例えば、配列番号２ｎ(ここで、ｎは１〜８６の整数である)に十分相同なアミノ酸配列またはＮＯＶＸタンパク質のアミノ酸配列に示されるアミノ酸配列)に由来するアミノ酸配列を含むペプチドを含む。典型的に、生物学的に活性な部分は、ＮＯＶＸタンパク質の少なくとも一つの活性を有するドメインまたはモチーフを含む。一つのＮＯＶＸタンパク質の生物学的に活性な部分は、例えば１０、２５、５０、１００またはそれ以上のアミノ酸残基の長さのポリペプチドであり得る。
さらに、タンパク質の他の領域が欠失した他の生物学的に活性な部分を、組換え技術で調製しそして天然のＮＯＶＸタンパク質の機能活性の一つまたはそれ以上について評価し得る。
【００９６】
一つの実施態様では、ＮＯＶＸタンパク質は、配列番号２ｎ(ここで、ｎは１〜８６の整数である)に示すアミノ酸配列を有する。他の実施態様では、ＮＯＶＸタンパク質は、配列番号２ｎ(ここで、ｎは１〜８６の整数である)に実質的に相同であり、配列番号２ｎ(ここで、ｎは１〜８６の整数である)のタンパク質の機能活性を保持するが、なお以下に詳述するように天然の対立遺伝子の変異体または変異に因りアミノ酸配列を異にする。従って、もう一つの実施態様では、ＮＯＶＸタンパク質は、配列番号２ｎ(ここで、ｎは１〜８６の整数である)のアミノ酸配列と少なくとも約４５％相同なアミノ酸配列を含み、配列番号２ｎ(ここで、ｎは１〜８６の整数である)のＮＯＶＸタンパク質の機能活性を保持するタンパク質である。
【００９７】
２個またはそれ以上の配列間のホモロジーを測定すること
２個のアミノ酸配列または２個の核酸のホモロジーの割合を測定するために、配列を至適な比較目的でアラインメント(例えば、ギャップを、２番目のアミノ酸または核酸配列と至適なアラインメントになるように第１のアミノ酸配列または核酸配列の中に入れ得る)。対応するアミノ酸部位または核酸部位におけるアミノ酸残基またはヌクレオチドを次いで比較する。第１の配列の部位を、第２の配列の対応する部位と同じアミノ酸残基またはヌクレオチドにより占めると、両分子はその部位において相同である(即ち、本明細書において使用するように、アミノ酸または核酸の「相同性」はアミノ酸または核酸の「同一性」と同等である)。
【００９８】
核酸配列の相同性を、２個の配列間の同一性の程度として測定し得る。相同性は、ＧＣＧプログラムパッケージに提供されるＧＡＰソフトウエアのような、当分野において公知のコンピュータープログラムを使用して測定し得る。Needleman and Wunsch, 1970. J Mol Biol 48: 443-453を参照されたい。以下のセッティング：ＧＡＰ生成ペナルティー５．０またはＧＡＰ伸長ペナルティー０．３で、ＧＣＧ ＧＡＰソフトウエアを使用して、上述の類似核酸配列のコード化領域は、配列番号２ｎ−１(ここで、ｎは１〜８６の整数である)に示すＤＮＡ配列のＣＤＳ(コード化)部分と好ましくは少なくとも７０％、７５％、８０％、８５％、９０％、９５％、９８％、または９９％の同一性の程度を示す。
【００９９】
用語「配列同一性」は、２個のポリヌクレオチドまたはポリペプチドの配列が比較の特定領域に亘って残基毎に同一である程度を指す。用語「配列同一性の百分率」を、比較の領域に亘って至適にアラインメントした２個の配列を比較し、一致部位の数を求め同一の核酸塩基(例えば、核酸の場合には、Ａ、Ｔ、Ｃ、Ｇ、Ｕ、またはＩ)が両方の配列中に存在する部位数を測定して、一致部位の数を比較領域の部位の総数(即ち、ウインドウサイズ)で除し、商を１００倍して、配列同一性の百分率を得ることにより計算しうる。本明細書において使用する用語「実質的同一性」は、ポリヌクレオチド配列の特性を意味する。ここでポリヌクレオチドは、比較領域に亘って標準配列と比較して少なくとも８０％の配列同一性、好ましくは少なくとも８５％の配列同一性、およびしばしば９０〜９５％の配列同一性、さらに通常には少なくとも９９％の配列同一性を有する配列を含む。
【０１００】
キメラタンパク質または融合タンパク質
本発明はまた、ＮＯＶＸキメラタンパク質または融合タンパク質を提供する。本明細書において使用するように、一つのＮＯＶＸ「キメラタンパク質」または「融合タンパク質」は、非ＮＯＶＸポリペプチドに機能し得るように結合した一つのＮＯＶＸポリペプチドを含む。「ＮＯＶＸポリペプチド」は、配列番号２ｎ(ここで、ｎは１〜８６の整数である)の一つのＮＯＶＸタンパク質に対応するアミノ酸配列を有するポリペプチドを指す一方で、「非ＮＯＶＸポリペプチド」は、ＮＯＶＸタンパク質と実質的に相同でないタンパク質に対応するアミノ酸配列を有するポリペプチド、例えば、ＮＯＶＸタンパク質と異なり同一または異なる生物由来であるタンパク質を指す。一つのＮＯＶＸ融合タンパク質内では、ＮＯＶＸポリペプチドは一つのＮＯＶＸタンパク質の全部または一部に対応し得る。一つの実施態様では、一つのＮＯＶＸ融合タンパク質は一つのＮＯＶＸタンパク質の少なくとも一つの生物学的に活性な部分を含む。もう一つの実施態様では、一つのＮＯＶＸ融合タンパク質は、一つのＮＯＶＸタンパク質の少なくとも二つの生物学的に活性な部分を含む。なおもう一つの実施態様では、一つのＮＯＶＸ融合タンパク質は、一つのＮＯＶＸタンパク質の少なくとも三つの生物学的に活性な部分を含む。融合タンパク質内では、用語「機能し得るように結合した」は、ＮＯＶＸポリペプチドおよび非ＮＯＶＸポリペプチドがお互いにインフレームで融合していることを示すものとする。非ＮＯＶＸポリペプチドを、ＮＯＶＸポリペプチドのＮ末端またはＣ末端に融合し得る。
【０１０１】
一つの実施態様では、融合タンパク質は、ＧＳＴ−ＮＯＶＸ融合タンパク質である。ここでＮＯＶＸ配列がＧＳＴ(グルタチオンＳ転移酵素)のＣ末端に融合する。そのような融合タンパク質は、組換えＮＯＶＸポリペプチドの精製を容易にし得る。
【０１０２】
もう一つの実施態様では、融合タンパク質は、そのＮ末端に異種のシグナル配列を含有する一つのＮＯＶＸタンパク質である。特定の宿主細胞(例えば、哺乳動物の宿主細胞)において、ＮＯＶＸの発現および／または分泌を異種シグナル配列の使用を介して増強し得る。
【０１０３】
なおもう一つの実施態様では、融合タンパク質は、ＮＯＶＸ−免疫グロブリン融合タンパク質である。ここでＮＯＶＸ配列は、免疫グロブリンタンパク質ファミリーのメンバー由来の配列と融合している。本発明のＮＯＶＸ−免疫グロブリン融合タンパク質を、医薬組成物中に組み入れ、対象に投与し、細胞上でのＮＯＶＸリガンドと一つのＮＯＶＸタンパク質との相互作用を阻害し、それによりインビボでのＮＯＶＸ仲介性の情報伝達を抑制し得る。ＮＯＶＸ−免疫グロブリン融合タンパク質を使用して、一つのＮＯＶＸと同種のリガンドの生物学的利用性に影響を及ぼし得る。ＮＯＶＸリガンド／ＮＯＶＸ相互作用の阻害は、増殖および分化障害の処置ならびに細胞生存を調整(例えば増強または阻害)のために治療上有用であり得る。さらに、本発明のＮＯＶＸ−免疫グロブリン融合タンパク質を使用して、対象中で抗ＮＯＶＸ抗体を生産し、ＮＯＶＸリガンドを精製し、そしてスクリーニングアッセイにおいて、ＮＯＶＸの一つのＮＯＶＸリガンドとの相互作用を阻害する分子を同定し得る。
【０１０４】
本発明のＮＯＶＸキメラタンパク質または融合タンパク質を、標準組換えＤＮＡ技術により生産し得る。例えば、異なるポリペプチド配列をコードするＤＮＡフラグメントを、例えば、連結のための平滑末端化または互い違い末端を用いること、適切な末端を提供するための制限酵素による切断、適切に粘着末端の充填、望ましくない結合を防止するためのアルカリホスファターゼ処理、および酵素的結合などの従来の方法にしたがってインフレームで一緒に連結する。もう一つの実施態様では、融合遺伝子を、自動ＤＮＡ合成機を含む従来の技術により合成し得る。これに代えて、遺伝子フラグメントのＰＣＲ増幅を、２個の連続する遺伝子フラグメント間で相補的なオーバーハングを生じるアンカープライマーを用いて行い、それらを引き続いてアニールし、再増幅して、キメラ遺伝子配列を生成し得る(例えば、Ausubel, et al. (eds.) CURRENT PROTOCOLS IN MOLECULAR BIOLOGY, John Wiley & Sons, 1992を参照)。さらに、融合部分を既にコードする多くの発現ベクター(例えば、ＧＳＴポリペプチド)が市販されている。ＮＯＶＸをコードする核酸を、融合部分がＮＯＶＸタンパク質にインフレームで結合するように、そのような発現ベクターの中にクローン化することができる。
【０１０５】
ＮＯＶＸアゴニストおよびアンタゴニスト
本発明はまた、ＮＯＶＸアゴニスト(即ち、ミメティクス)またはＮＯＶＸアンタゴニストのいずれかとして機能するＮＯＶＸタンパク質の変異体を含む。ＮＯＶＸタンパク質の変異体は、突然変異(例えば、ＮＯＶＸタンパク質の離散的変異または切断)により生成し得る。ＮＯＶＸタンパク質のアゴニストは、天然に存在する形のＮＯＶＸタンパク質と実質的に同一な生物学的諸活性またはそのサブセットを保持する。ＮＯＶＸタンパク質のアゴニストは、例えば、ＮＯＶＸタンパク質を含む、細胞の情報伝達カスケードの下流または上流メンバーに拮抗的に結合することにより、天然に存在する形のＮＯＶＸタンパク質の一つまたはそれ以上の活性を阻害し得る。従って、特異的な生物学的作用を、限定された機能を有する変異体での処置により発揮することができる。一つの実施態様では、天然に存在する形のタンパク質の生物学的活性のサブセットを有する変異体による対象の処置は、天然に存在する形のＮＯＶＸタンパク質による処置と比べて対象における副作用がより少ない。
【０１０６】
ＮＯＶＸアゴニスト(即ちミメティック)またはＮＯＶＸアンタゴニストのどちらかとして機能するＮＯＶＸタンパク質の変異体は、ＮＯＶＸタンパク質の変異体(例えば切断変異体)の組換えライブラリーをＮＯＶＸタンパク質アゴニストまたはアンタゴニスト活性についてスクリーニングすることにより同定し得る。一つの実施態様では、ＮＯＶＸ変異体の変化に富むライブラリーを、核酸レベルでの組換え変異誘発によって生成し、そして変化に富む遺伝子ライブラリーによりコードする。ＮＯＶＸ変異体の変化に富むライブラリーは、例えば、潜在的ＮＯＶＸ配列の縮重したセットが個別のポリペプチドとして発現可能であるように、合成オリゴヌクレオチドの混合物を遺伝子配列に酵素的に連結することにより、またはこれに代えて、その中にＮＯＶＸ配列のセットを含有するさらに大きい融合タンパク質(例えば、ファージディスプレー用に)のセットとして、生成し得る。縮重したオリゴヌクレオチド配列から潜在的ＮＯＶＸ変異体のライブラリーを使用して生成し得る種々の方法がある。縮重遺伝子配列の化学合成を自動ＤＮＡ合成機により行い、次いで、合成遺伝子を適切な発現ベクター内に連結し得る。遺伝子の縮重セットの使用は、潜在的ＮＯＶＸ配列の所望のセットをコードする配列の全ての、一つの混合物の提供を可能にする。縮重オリゴヌクレオチドを合成する方法は当分野内において周知である。例えば、Narang, 1983. Tetrahedron 39: 3; Itakura, et al., 1984. Annu. Rev. Biochem. 53: 323; Itakura, et al., 1984. Science 198: 1056; Ike, et al., 1983. Nucl. Acids Res. 11: 477を参照されたい。
【０１０７】
ポリペプチドライブラリー
加えて、ＮＯＶＸタンパク質コード化配列のフラグメントライブラリーを用いて、ＮＯＶＸタンパク質の変異体のスクリーニングおよびそれに続く選択のためにＮＯＶＸフラグメントの変化に富む集団を生成し得る。一つの実施態様では、コード化配列フラグメントのライブラリーを、一つのＮＯＶＸコード化配列の二本鎖ＰＣＲ断片を、ニッキングが分子あたり約１回生じる条件でヌクレアーゼ処置し、二本鎖ＤＮＡを変性させ、ＤＮＡを異なるニッキング産物由来のセンス／アンチセンス対を含み得る二本鎖ＤＮＡに再生し、Ｓ１ヌクレアーゼで再生成した二本鎖から単鎖部分を除去し、そして得られたフラグメントライブラリーを発現ベクターに連結することにより、生成し得る。この方法によって、ＮＯＶＸタンパク質の種々のサイズのＮ末端または内部フラグメントをコードする発現ライブラリーを誘導し得る。
【０１０８】
点変異または切断により作成した組換えライブラリーの遺伝子産物をスクリーニングする、および選択した性質を有する遺伝子産物のためにｃＤＮＡライブラリーをスクリーニングする種々の技術は、当分野において公知である。かかる技術は、ＮＯＶＸタンパク質の組換え変異により生成した遺伝子ライブラリーの迅速なスクリーニングに適用可能である。大きな遺伝子ライブラリーをスクリーニングするハイスループット分析に適用可能な最も広く使用する技術は、遺伝子ライブラリーを複製可能な発現ベクターにクローニングし、得られたベクターライブラリーで適切な細胞を形質転換すること、そして、所望の活性の検出がその生産物を検出する遺伝子をコードするベクターの単離を容易する条件で、組換え遺伝子を発現することを典型的に含む。ライブラリー中の機能的変異の頻度を増大する新しい技術である繰り返しアンサンブル変異誘発(ＲＥＭ)をスクリーニングアッセイと組み合わせて使用して、ＮＯＶＸ変異体を同定し得る。例えば、Arkin and Yourvan, 1992. Proc. Natl. Acad. Sci. USA 89: 7811-7815; Delgrave, et al., 1993. Protein Engineering 6:327-331を参照されたい。
【０１０９】
ＮＯＶＸ抗体
本明細書において使用する用語「抗体」は、免疫グロブリン分子および免疫グロブリン(Ｉｇ)分子の免疫学的に活性な部分、即ち、抗原に特異的に結合する(と免疫学的に反応する)抗原結合部位を含有する分子を指す。かかる抗体としては、ポリクローナル、モノクローナル、キメラ、単鎖、Ｆａｂ、Ｆａｂ' およびＦ(ａｂ)2フラグメントならびにＦａｂ発現ライブラリーが挙げるが、これらに限定しない。一般に、ヒトから得る抗体分子は、ＩｇＧ、ＩｇＭ、ＩｇＡ、ＩｇＥおよびＩｇＤのクラスのいずれかに関し、これらは分子中に存在するＨ鎖の性質によりお互いに異なる。特定のクラスは、ＩｇＧ1、ＩｇＧ2およびその他のような、サブクラスを同様に有する。さらに、ヒトにおいて、Ｌ鎖は、ｋ鎖またはラムダλ鎖であり得る。本明細書における抗体への参照は、ヒト抗体種の全てのそのようなクラス、サブクラスおよびタイプへの参照を含む。
【０１１０】
抗原として使用することを意図した本発明の単離タンパク質、またはその部分またはフラグメントを免疫源として使用しポリクローナルおよびモノクローナル抗体調製の標準的技術を使用し、抗原に免疫特異的に結合する抗体を生成し得る。全長のタンパク質を使用し得るが、またはこれに代えて、本発明は、免疫源として使用するための抗原の抗原性ペプチドフラグメントを提供する。抗原性ペプチドフラグメントは、配列番号２ｎ(ここで、ｎは１〜８６の整数である)に示すアミノ酸配列のような全長タンパク質のアミノ酸配列の少なくとも６個のアミノ酸残基を含み、そしてペプチドに対して育成した抗体が、エピトープを含有する全長タンパク質または任意のフラグメントと特異的な免疫複合体を形成するようそのエピトープを包含する。好ましくは、抗原性ペプチドは、少なくとも１０個のアミノ酸残基、または少なくとも１５個のアミノ酸残基、または少なくとも２０個のアミノ酸残基、または少なくとも３０個のアミノ酸残基を含む。抗原性ペプチドにより包含する好ましいエピトープは、表面に局在するタンパク質領域であり；これらは通常親水性領域である。
【０１１１】
本発明の特定の実施態様において、抗原性ペプチドにより包含される少なくとも一つのエピトープは、タンパク質の表面に局在するＮＯＶＸ領域、例えば、親水性領域である。ヒトＮＯＶＸタンパク質配列の疎水性分析は、ＮＯＶＸポリペプチドのどの領域が特に親水性であり、したがって抗体生産を目標とするために有用な表面残基をコードする可能性が高いかを示す。抗体生産を目標とするための手段として、親水性および疎水性領域を示すハイドロパシープロットを、例えば、どちらもフーリエ変換を用いるかまたは用いないで、Kyte DoolittleまたはHopp Woods方法を含む当分野において周知の任意の方法で生成し得る。例えば、Hopp and Woods, 1981, Proc. Nat. Acad. Sci. USA 78: 3824-3828; Kyte and Doolittle 1982, J. Mol. Biol. 157: 105-142(いずれも全体的な出典明示により本明細書の一部とする)を参照されたい。抗原性タンパク質またはその誘導体、フラグメント、類似体または相同体内の一つまたはそれ以上のドメインに特異的である、抗体はまた、本明細書において提供する。
【０１１２】
本発明のタンパク質、またはその誘導体、フラグメント、類似体、相同体、またはオーソログを、これらのタンパク質成分に免疫特異的に結合する抗体の生成において免疫源として利用することができる。
【０１１３】
当分野内において公知の種々の方法を、本発明のタンパク質、またはその誘導体、フラグメント、類似体、相同体、またはオーソログ、に対するポリクローナルまたはモノクローナル抗体の生産に使用し得る(例えば、Antibodies: A Laboratory Manual, Harlow E, and Lane D, 1988, Cold Spring Harbor Laboratory Press, Cold Spring Harbor, NYを出典明示により本明細書の一部とする)を参照されたい。これらの抗体の幾つかについて以下に考察する。
【０１１４】
ポリクローナル抗体
ポリクローナル抗体の生産には、種々の適当な宿主動物(例えばウサギ、ヤギ、マウス、または他の哺乳動物)を、天然タンパク質、その合成変異体、または前述の誘導体を1回またはそれ以上注射して免疫を行い得る。適切な免疫原性製剤としては、例えば、天然に存在する免疫原性タンパク質、免疫原性タンパク質を代表する化学的に合成したポリペプチド、または組換え的に発現した免疫原性タンパク質を挙げ得る。さらに、タンパク質を、免疫する哺乳動物において免疫原性であることが知られている第２のタンパク質と複合体を形成してもよい。かかる免疫原性タンパク質の例としては、キーホールリンペットヘモシニアン、血清アルブミン、ウシサイログロブリンおよび大豆トリプシン阻害剤が挙げられるが、これらに限定されない。製剤はさらにアジュバントを含有し得る。免疫応答を増大するために使用する種々のアジュバントとしては、フロイントの(完全および不完全)アジュバント、鉱物ゲル(例えば水酸化アルミニウム)、界面活性剤(例えばリゾレシチン、プルロニックポリオール、ポリアニオン、ペプチド、オイルエマルジョン、ジニトロフェノール等)、カルメット-ゲラン杆菌およびコリネバクテリウム-パルヴムのようなヒトに使用可能なアジュバント、または類似の免疫促進剤が挙げられるが、これらに限定されない。使用し得るアジュバントのさらに別な例としては、ＭＰＬ−ＴＤＭアジュバント(モノホスホリルリピドＡ、合成ジコリノミコール酸トレハロース)を挙げ得る。
【０１１５】
免疫原性タンパク質に対するポリクローナル抗体を、哺乳動物から(例えば、血液から)単離して、免疫血清中の主としてＩｇＧ画分を提供するプロテインＡまたはプロテインＧを用いるアフィニティークロマトグラフィーのような、公知の技術を用いてさらに精製し得る。引き続いて、またはこれに代えて、求める免疫グロブリンの標的である特異的抗原、またはそのエピトープ、をカラム上に固相化して、イムノアフィニティークロマトグラフィーにより免疫特異的抗体を精製し得る。免疫グロブリンの精製を、例えば、D. Wilkinson (The Scientist, published by The Scientist, Inc., Philadelphia PA, Vol. 14, No. 8 (April 17, 2000), pp. 25-28)により考察する。
【０１１６】
モノクローナル抗体
本明細書において使用する用語「モノクローナル抗体」(ＭＡｂ)または「モノクローナル抗体組成物」は、特徴的なＬ鎖遺伝子産物および特徴的なＨ鎖遺伝子産物より成る抗体分子の１分子種のみを含有する抗体分子の集団を指す。特に、モノクローナル抗体の相補性決定領域(ＣＤＲ)は、集団の全ての分子において同一である。従って、ＭＡｂは、それに対する特徴的な結合活性を特徴とする抗原の特定のエピトープと免疫反応する能力がある抗原結合部位を含有する。
【０１１７】
モノクローナル抗体を、Kohler and Milstein, Nature, 256:495 (1975)により記載するような、ハイブリドーマ方法を用いて調製し得る。ハイブリドーマ方法では、マウス、ハムスター、または他の適切な宿主動物を典型的に免疫化剤で免疫することにより、免疫化剤に特異的に結合する抗体を生産するかまたは生産する能力のあるリンパ球を誘発する。これに代えて、リンパ球をインビトロで免疫することができる。
【０１１８】
免疫化剤としては典型的に、タンパク質抗原、それらのフラグメントまたはその融合タンパク質が挙げられる。一般的に、ヒト由来の細胞を所望するならば、末梢血リンパ球を使用し、またはヒト以外の哺乳動物源を所望するならば、脾臓細胞またはリンパ節細胞を使用するかのいずれかである。次いで、リンパ球を、ポリエチレングリコールのような適当な融合剤を用いて不死化細胞株と融合し、ハイブリドーマ細胞を生成する（Goding, Monoclonal Antibodies: Principles and Practice, Academic Press, (1986) pp. 59-103）。不死化細胞株は通常、形質転換した哺乳動物細胞、特にげっ歯類、ウシまたはヒト由来の骨髄腫細胞である。通常、ラットまたはマウスの骨髄腫細胞株を使用し得る。ハイブリドーマ細胞を、融合していない不死化細胞の増殖または生存を阻害する一つまたはそれ以上の物質を好ましくは含有する適切な培地中で培養し得る。例えば、親細胞が、酵素ヒポキサンチン・グアニン・ホスホリボシルトランスフェラーゼ(ＨＧＰＲＴまたはＨＰＲＴ)を欠くならば、ハイブリドーマ用の培地は典型的に、その物質がＨＧＰＲＴ欠失細胞の増殖を阻止する、ヒポキサンチン、アミノプテリンおよびチミジンを含む(“ＨＡＴ培地”)。
【０１１９】
好ましい不死化細胞株は、効率的に融合し、選択した抗体生産細胞による抗体の高レベル発現を支持し、そしてＨＡＴ培地のような培地に感受性のあるものである。さらに好ましい不死化細胞株は、例えば、Salk Institute Cell Distribution Center, San Diego, Californiaおよびthe American Type Culture Collection, Manassas, Virginiaから入手し得るマウス骨髄腫細胞株である。ヒト骨髄腫およびマウス−ヒトヘテロ骨髄腫細胞株はまた、ヒトモノクローナル抗体の生産用に記載する（Kozbor, J. Immunol., 133:3001 (1984); Brodeur et al., Monoclonal Antibody Production Techniques and Applications, Marcel Dekker, Inc., New York, (1987) pp. 51-63）。
【０１２０】
ハイブリドーマが培養する培地を次いで、抗原に対するモノクローナル抗体の存在についてアッセイし得る。好ましくは、ハイブリドーマ細胞によって生産したモノクローナル抗体の結合特異性を、免疫沈降によりまたはラジオイムノアッセイ(ＲＩＡ)または酵素結合免疫吸着検査法(ＥＬＩＳＡ)のような、インビトロ結合アッセイによって測定する。そのような技術またはアッセイは当分野において公知である。モノクローナル抗体の結合親和性を、例えば、Munson and Pollard, Anal. Biochem., 107:220 (1980)のScatchard分析により測定し得る。標的抗原に対して高度の特異性および高い結合親和性を有する抗体を同定することは、モノクローナル抗体の治療的応用において特に重要な目的である。
【０１２１】
所望のハイブリドーマ細胞を同定した後、クローンを限界希釈法でサブクローン化して、標準方法で増殖し得る(Goding,1986)。この目的のための適当な培地としては、例えば、Dulbecco's Modified Eagle's Medium培地およびＲＰＭＩ−１６４０培地を挙げ得る。これに代えて、ハイブリドーマ細胞を哺乳動物中で腹水としてインビボで増殖し得る。
【０１２２】
サブクローンにより分泌したモノクローナル抗体を、培地または腹水から、例えば、プロテイン−Ａセファローズ、ハイドロキシアパタイトクロマトグラフィー、ゲル電気泳動、透析、またはアフィニティークロマトグラフィーのような従来の免疫グロブリン精製手順により単離または精製し得る。
【０１２３】
モノクローナル抗体をまた、米国特許第４,８１６,５６７号に記載するような組換えＤＮＡ方法により作り得る。本発明のモノクローナル抗体をコードするＤＮＡを、従来の手順を使用して(例えば、マウス抗体のＨ鎖およびＬ鎖をコードする遺伝子に特異的に結合する能力のある、オリゴヌクレオチドプローブを使用することにより)容易に単離し配列決定し得る。本発明のハイブリドーマ細胞はそのようなＤＮＡの好ましい供給源として役立つ。一旦単離すれば、ＤＮＡを発現ベクター中に配置し、それを次いでサルのＣＯＳ細胞、チャイニーズハムスター卵巣(ＣＨＯ)細胞、またはそうしなければ免疫グロブリンタンパク質を産生しない骨髄腫細胞のような宿主細胞中に形質移入して、組換え宿主細胞中でモノクローナル抗体の合成を取得し得る。ＤＮＡをまた、例えば相同なマウスの配列の代わりにヒトのＨ鎖およびＬ鎖の通常ドメインに対するコード化配列を置換することにより(米国特許第４,８１６,５６７号; Morrison, Nature 368, 812-13 (1994))、または非免疫グロブリンペプチドに対するコード化配列の全部または一部を免疫グロブリンのコード化配列に共有結合することにより、修飾し得る。そのような非免疫グロブリンポリペプチドを、本発明の抗体の通常ドメインに対して置換することができるか、または本発明の抗体の一つの抗原結合部位の可変ドメインに対して置換して、キメラ２価抗体を創成することができる。
【０１２４】
ヒト化抗体
本発明のタンパク質抗原に対する抗体はさらに、ヒト化抗体またはヒト抗体を含む。これらの抗体は、投与した免疫グロブリンに対してヒトによる免疫応答を惹き起こすことなくヒトに投与するのに適している。抗体のヒト化型は、主としてヒト免疫グロブリンの配列より成って、非ヒト免疫グロブリン由来の最小限の配列を含有する、キメラ免疫グロブリン、免疫グロブリン鎖、またはそれらのフラグメント(Ｆｖ、Ｆａｂ、Ｆａｂ'、Ｆ(ａｂ')２または抗体の他の抗原結合サブ配列)である。ヒト化は、Winterまたは共同研究者(Jones et al., Nature, 321:522-525 (1986); Riechmann et al., Nature, 332:323-327 (1988); Verhoeyen et al., Science, 239:1534-1536 (1988))の方法にしたがって、げっ歯類のＣＤＲまたはＣＤＲ配列をヒト抗体の対応する配列で置換することにより、実施し得る。(また、米国特許第５,２２５,５３９号を参照)場合によっては、ヒト免疫グロブリンのＦｖフレーム枠の残基を対応する非ヒト残基により置換し得る。ヒト化抗体はまた、レシピエント抗体またはＣＤＲまたはフレーム枠配列にも見出さない残基を含み得る。一般に、ヒト化抗体は少なくとも一つ、また典型的には二つの可変ドメインの実質的に全てを含む。ここでＣＤＲ領域の全てまたは実質的に全てが非ヒト免疫グロブリンのＣＤＲ領域に対応し、そしてフレーム枠領域の全てまたは実質的に全てがヒト免疫グロブリンのコンセンサス配列のものである。ヒト化抗体は至適にはまた、免疫グロブリンの通常領域(Ｆｃ)、典型的にはヒト免疫グロブリンのものの少なくとも一部を含む(Jones et al., 1986; Riechmann et al., 1988; and Presta, Curr. Op. Struct. Biol., 2:593-596 (1992))。
【０１２５】
ヒト抗体
完全なヒト抗体は、ＣＤＲを含むＬ鎖およびＨ鎖の全配列がヒトの遺伝子より生じる、抗体分子に本質的に関する。かかる抗体は本明細書では、「ヒト抗体」または「完全なヒト抗体」と呼称する。ヒトモノクローナル抗体を、トリオーマ技術；ヒトＢ細胞ハイブリドーマ技術(Kozbor, et al., 1983 Immunol Today 4: 72を参照)およびＥＢＶハイブリドーマ技術により調製し、ヒトモノクローナル抗体を生産し得る(Cole, et al., 1985 In: MONOCLONAL ANTIBODIES AND CANCER THERAPY, Alan R. Liss, Inc., pp. 77-96を参照)。ヒト化モノクローナル抗体を、本発明の実施に利用し得て、そしてヒトハイブリドーマを用いて(Cote, et al., 1983. Proc Natl Acad Sci USA 80: 2026-2030を参照)またはヒトＢ細胞をインビトロでEpstein Barrウイルスにより形質転換することによって(Cole, et al., 1985 In: MONOCLONAL ANTIBODIES AND CANCER THERAPY, Alan R. Liss, Inc., pp. 77-96を参照)生産し得る。
【０１２６】
加えて、ヒト抗体はまた、ファージディスプレイライブラリー(Hoogenboom and Winter, J. Mol. Biol., 227:381 (1991); Marks et al., J. Mol. Biol., 222:581 (1991))を含むさらに別な技術を用いて生産し得る。同様に、ヒト抗体を、ヒト免疫グロブリンの座位をトランスジェニック動物、例えば、マウスに導入することによって作り得る。ここで内在性免疫グロブリン遺伝子を部分的にまたは完全に不活化する。チャレンジによって、遺伝子再配列、アセンブリー、および抗体レパトリ−を含む全ての面でヒトにおいて見られるのと非常に良く似たヒト抗体生産を観察する。このアプローチは、例えば、米国特許第５,５４５,８０７号; ５,５４５,８０６号; ５,５６９,８２５号; ５,６２５,１２６号; ５,６３３,４２５号; ５,６６１,０１６号、ならびに Marks et al. (Bio/Technology 10, 779-783 (1992))、Lonberg et al. (Nature 368 856-859 (1994))、Morrison ( Nature 368, 812-13 (1994))、Fishwild et al,( Nature Biotechnology 14, 845-51 (1996))、Neuberger (Nature Biotechnology 14, 826 (1996))、 Lonberg and Huszar (Intern. Rev. Immunol. 13 65-93 (1995))に記載されている。
【０１２７】
ヒト抗体を、抗体によるチャレンジに応答して動物の内在性抗体ではなく完全なヒト抗体を生産するように修飾したトランスジェニック非ヒト動物を用いて、付加的に生産し得る(ＰＣＴ公開番号ＷＯ９４／０２６０２を参照)。非ヒト宿主中の免疫グロブリンＨ鎖およびＬ鎖をコードする内在性遺伝子を無能にし、そしてヒト免疫グロブリンのＨ鎖およびＬ鎖をコードする活性座位を宿主のゲノムの中に挿入する。ヒトの遺伝子を、例えば、必要なヒトＤＮＡセグメントを含有する酵母の人工染色体を用いて組み入れ得る。全ての所望の修飾を提供する動物は次いで、修飾の全補体より少ない補体を含有するトランスジェニック動物を直接交配することにより子孫として得られる。そのような非ヒト動物の好ましい実施態様はマウスであり、ＰＣＴ公開番号ＷＯ９６／３３７３５およびＷＯ９６／３４０９６号に開示されているようにXenomouse[登録商標]と呼称する。この動物は、完全なヒト免疫グロブリンを分泌する、Ｂ細胞を生産する。抗体は、興味のある免疫原で免疫後、動物から、例えば、ポリクローナル抗体の標本として、直接得ることも、またはこれに代えて、モノクローナル抗体を生産するハイブリドーマのような、動物由来の不死化Ｂ細胞から得ることもできる。これに加えて、ヒトの可変領域を持つ免疫グロブリンをコードする遺伝子を回収し、発現して、抗体を直接得ることもでき、またはさらに修飾して、例えば、単鎖Ｆｖ分子のような抗体の類似体を得ることができる。
【０１２８】
内在性免疫グロブリンのＨ鎖の発現を欠失する、マウスとして例証した、非ヒト宿主を生産する方法の実施例は、米国特許第５,９３９,５９８号、に開示されている。それは、座位の再配列を阻止するためにそして再配列した免疫グロブリンＨ鎖の座位の転写物生成を阻止するために、胚性幹細胞中の少なくとも一つの内在性Ｈ鎖の座位からＪセグメントを欠失させ、この欠失は選択マーカーをコードする遺伝子を含有するターゲティングベクターによりもたらされ、そして体細胞または胚細胞が選択マーカーをコードする遺伝子を含有するトランスジェニックマウスを胚性幹細胞から生産することを含む方法により得られる。
【０１２９】
ヒト抗体のような興味のある抗体を生産する方法は、米国特許第５,９１６,７７１号、に開示されている。それは、Ｈ鎖をコードするヌクレオチド配列を含有する発現ベクターを一つの培養哺乳動物宿主細胞に導入すること、Ｌ鎖をコードするヌクレオチド配列を含有する発現ベクターをさらに別な哺乳動物宿主細胞に導入すること、および２個の細胞を融合してハイブリッド細胞を生成することを含む。ハイブリッド細胞は、Ｈ鎖およびＬ鎖を含有する抗体を発現する。
【０１３０】
この手順のさらなる改良において、免疫原上の臨床的に関係のあるエピトープを同定する方法、および関係のあるエピトープに高親和性で免疫特異的に結合する抗体を選択する相関的方法が、ＰＣＴ公開番号ＷＯ９９／５３０４９に開示されている。
【０１３１】
Ｆａｂフラグメントおよび単鎖抗体
本発明にしたがって、技術を、本発明の抗原タンパク質に特異的な単鎖抗体の生産に適合することができる(例えば米国特許第４,９４６,７７８号を参照)。加えて、方法を、Ｆａｂ発現ライブラリーの構築に適合し(例えば、Huse, et al., 1989 Science 246: 1275-1281、を参照)、タンパク質またはその誘導体、フラグメント、類似体または相同体に対して所望の特異性を有するモノクローナルＦａｂフラグメントの迅速かつ効果的な同定を可能し得る。タンパク質抗原に対するイディオタイプを含有する抗体フラグメントを、当分野において公知の技術により生産し得て、それは、(i)抗体分子のペプシン消化により生産するＦ(ａｂ')２フラグメント；(ii)Ｆ(ａｂ')２フラグメントのジスルフィド架橋を還元して得られるＦａｂフラグメント；(iii)抗体分子をパパインおよび還元剤で処置して生成するＦａｂフラグメント；ならびに(iv)Ｆｖフラグメントを含むが、これらに限定されない。
【０１３２】
二重特異性抗体
二重特異性抗体は、少なくとも二つの異なる抗原に結合特異性を有するモノクローナル抗体、好ましくはヒトのまたはヒト化の抗体である。本明細書においては、結合特異性の一つは本発明の抗原タンパク質に対するものである。２番目の結合標的は、任意の他の抗原であって、有利に細胞表面タンパク質または受容体または受容体サブユニットである。
【０１３３】
二重特異性抗体の作成方法は当分野において公知である。伝統的に、二重特異性抗体の組換え生産は、２個のＨ鎖が異なる特異性を有する２個の免疫グロブリンＨ鎖／Ｌ鎖対の共発現に基づく(Milstein and Cuello, Nature, 305:537-539 (1983))。免疫グロブリンＨ鎖およびＬ鎖のランダムな組合せのため、これらのハイブリドーマ(クアドローマ)は１０種の異なる抗体分子の潜在的混合物を生産し、そのうちの一つだけが正しい２重特異性構造を有する。正しい分子の精製は通常、アフィニティークロマトグラフィーにより行う。類似の方法が、１９９３年５月に公開されたＷＯ９３／０８８２９およびTraunecker et al., EMBO J., 10:3655-3659 (1991)に開示されている。
【０１３４】
所望の結合特異性を持つ抗体の可変ドメイン(抗体−抗原結合部位)を、免疫グロブリンの通常ドメイン配列に融合し得る。融合は、好ましくは、ヒンジ、ＣＨ２およびＣＨ３領域の少なくとも一部を含む免疫グロブリンＨ鎖の通常ドメインと共にある。少なくとも融合の一つの中に存在するＬ鎖結合に必要な部位を含有する第１のＨ鎖通常領域(ＣＨ１)を有することが好ましい。免疫グロブリンＨ鎖の融合をコードするＤＮＡ、および所望ならば、免疫グロブリンＬ鎖を別々の発現ベクター中に挿入し適当な宿主生物中に形質移入する。二重特異性抗体のさらなる詳細については、例えば、Suresh et al., Methods in Enzymology, 121:210 (1986)を参照されたい。
【０１３５】
ＷＯ９６／２７０１１に記載されたもう一つのアプローチによれば、一対の抗体分子間の境界面を工学操作して、組換え細胞培地から回収するヘテロダイマーの百分率を最大にし得る。好ましい境界面は、抗体の通常ドメインのＣＨ３領域の少なくとも一部を含む。この方法では、第１の抗体分子の境界面の一つまたはそれ以上の小さなアミノ酸側鎖を、より大きな側鎖(例えばチロシンまたはトリプトファン)で置換する。大きな側鎖(複数を含む)と同一または類似のサイズの代償的な「空隙」を、大きなアミノ酸側鎖をより小さなもの(例えばアラニンまたはスレオニン)で置換することにより第２の抗体分子の境界面に生成する。これは、ホモダイマーのような他の望ましくない最終産物以上にヘテロダイマーの収量を増加する機構を提供する。
【０１３６】
二重特異性抗体を、抗体の全長または抗体フラグメント(例えばＦ(ａｂ')２二重特異性抗体)として調製することができる。抗体フラグメントから二重特異性抗体を生成する技術は文献に記載されている。例えば、二重特異性抗体フラグメントを、化学的結合を用いて調製することができる。Brennan et al., Science 229:81 (1985)は、完全な抗体をタンパク質分解酵素で切断してＦ(ａｂ')２フラグメントを生成する手順を記載する。これらのフラグメントをジチオール錯化剤の亜ヒ酸ナトリウムの存在下で還元して、隣接するジチオールを安定化させて、分子間ジスルフィド形成を阻止する。次いで、生成したＦａｂ'フラグメントをチオニトロ安息香酸(ＴＮＢ)誘導体に変換する。次いで、Ｆａｂ'−ＴＮＢの一つをメルカプトエチルアミンとの還元によりＦａｂ'−チオールに再変換し、そして等量の他のＦａｂ'−ＴＮＢ誘導体と混合して、二重特異性抗体を生成する。生成した二重特異性抗体を酵素の選択的固定化剤として使用し得る。
【０１３７】
これに加えて、Ｆａｂ'フラグメントを大腸菌から直接回収して、化学的にカップリングして、二重特異性抗体を生成し得る。Shalaby et al., J. Exp. Med. 175:217-225 (1992)は、完全にヒト化した二重特異性抗体のＦ(ａｂ')２分子の生産を記載している。それぞれのＦａｂ'フラグメントを大腸菌から別々に分泌し、インビトロで指向性化学カップリングに供して、二重特異性抗体を形成した。従って形成した二重特異性抗体を、ＥｒｂＢ２受容体を過剰発現する細胞および正常ヒトＴ細胞に結合することができ、ならびにヒト乳腺腫瘍標的に対するヒト細胞障害性リンパ球の溶解活性を誘発することができた。
【０１３８】
組換え細胞培地から直接二重特異性抗体を作成し単離する種々の技術をまた記載する。例えば、二重特異性抗体をロイシンジッパーを用いて生産する。Kostelny et al., J. Immunol. 148(5):1547-1553 (1992)。Ｆｏｓタンパク質およびＪｕｎタンパク質由来のロイシンジッパーを遺伝子融合により二つの異なる抗体のＦａｂ'部分に結合した。抗体のホモダイマーをヒンジ領域において還元して、モノマーを形成し、次いで再酸化して、抗体のヘテロダイマーを形成した。この方法をまた、抗体のホモダイマーの生産に利用することができる。Hollinger et al., Proc. Natl. Acad. Sci. USA 90:6444-6448 (1993)により記載されている「diabody」技術は、二重特異性抗体フラグメント作成のさらに別の機構を提供する。フラグメントは、リンカーによりＬ鎖可変領域(ＶＬ)に連結したＨ鎖可変領域(ＶＨ)を含むが、リンカーが短いため同じ鎖の上の２個のドメイン間での対形成を可能にしない。したがって、一つのフラグメントのＶＨおよびＶＬドメインは強制的にもう一つのフラグメントの相補的なＶＬおよびＶＨドメインと対を形成し、それにより二つの抗原結合部位を形成する。単鎖Ｆｖ(ｓＦｖ)のダイマーの使用による二重特異性抗体フラグメント作成のもう一つの戦略がまた報告されている。Gruber et al., J. Immunol. 152:5368 (1994)を参照されたい。
【０１３９】
３価以上の結合価をもつ抗体も考得る。例えば、３重特異性抗体を調製し得る。例えば、Tutt et al., J. Immunol. 147:60 (1991)。
典型的な二重特異性抗体は、少なくとも一つが本発明のタンパク質抗原に由来する二つの異なるエピトープに結合し得る。これに代えて、免疫グロブリン分子の抗−抗原アームを、白血球上でＴ細胞受容体分子(例えば、ＣＤ２、ＣＤ３、ＣＤ２８またはＢ７)またはＦｃγＲＩ(ＣＤ６４)、ＦｃγＲＩＩ(ＣＤ３２)およびＦｃγＲＩＩＩ(ＣＤ１６)のような、ＩｇＧに対するＦｃ受容体(Ｆｃγ)のような誘発性分子に結合するアームと組み合わせて、特定の抗原を発現する細胞に対する細胞性防御機構に焦点を当て得る。二重特異性抗体をまた使用して、特定の抗原を発現している細胞に細胞障害性物質を指向し得る。これらの抗体は、抗原結合アームおよび細胞障害性薬剤またはＥＯＴＵＢＥ、ＤＰＴＡ、ＤＯＴＡまたはＴＥＴＡのような放射性核種キレート化剤と結合するアームを所有する。興味のあるもう一つの二重特異性抗体は、本明細書に説明するタンパク質抗原と結合して、さらに組織因子(ＴＦ)と結合する。
【０１４０】
ヘテロ複合抗体
ヘテロ複合抗体はまた本発明の範囲内にある。ヘテロ複合抗体は、共有結合で結合した二つの抗体より成る。そのような抗体は、例えば、好ましくない細胞に免疫系の細胞を標的化するため(米国特許第４,６７６,９８０号)、およびＨＩＶ感染の処置のため(ＷＯ９１／００３６０；ＷＯ９２／２００３７３；ＥＰ０３０８９)に提案あされている。これらの抗体を、架橋剤を伴うものを含むタンパク質合成化学の既知の方法を用いてインビトロで調製し得ると考えられている。例えば、ジスルフィド交換反応を使用してまたはチオエーテル結合を形成することより、イムノトキシンを構築することができる。この目的のために適当な試薬の例としては、イミノチオレートおよびメチル−４−メルカプトブチルイミデートならびに、例えば、米国特許第４,６７６,９８０号に開示されているものを挙げ得る。
【０１４１】
エフェクター機能工学
例えば、がんの処置における抗体の有効性を増強するために、本発明の抗体をエフェクター機能に関して修飾することが望ましい。例えば、システイン残基(複数を含む)をＦｃ領域に導入し、それによりこの領域における鎖間ジスルフィド結合形成を可能にし得る。かくして生成したホモダイマーの抗体は、改善した内部移行能および／または増強した補体仲介性細胞殺害ならびに抗体依存性細胞障害作用(ＡＤＣＣ)を有し得る。Caron et al., J. Exp Med., 176: 1191-1195 (1992) and Shopes, J. Immunol., 148: 2918-2922 (1992)を参照されたい。増強した抗腫瘍活性を持つホモダイマー抗体はまた、Wolff et al. Cancer Research, 53: 2560-2565 (1993)に記載されているように、ヘテロ２機能性架橋剤を用いて調製し得る。これに代えて、２重のＦｃ領域を有して、それにより増強した補体依存性細胞溶解およびＡＤＣＣ能を有する抗体を工学操作することができる。Stevenson et al., Anti-Cancer Drug Design, 3: 219-230 (1989)を参照されたい。
【０１４２】
免疫複合体
本発明はまた、化学療法剤、毒素(例えば、細菌、黴、植物、または動物起源の酵素的に活性な毒素、またはそれらのフラグメント)または放射性同位体(即ち、放射性複合体)のような細胞毒性物質と複合した抗体を含む免疫複合体に関する。
【０１４３】
そのような免疫複合体の生成に有用な化学療法剤を上述する。使用できる酵素的に活性な毒素およびそれらのフラグメントとしては、ジフテリアＡ鎖、ジフテリア毒素の非結合性活性フラグメント、内毒素Ａ鎖(Pseudomonas aeruginosa由来)、リシンＡ鎖、アビリンＡ鎖、モデシンＡ鎖、アルファサルシン、Aleurites fordii(シナアブラギリ)タンパク質、ディアンティンタンパク質、Phytolaca americanaタンパク質(ＰＡＰＩ、ＰＡＰＩＩおよびＰＡＰ−Ｓ)、momoridica charantia(ツルレイシ)阻害剤、クルシン、クロチン、sapaonaria officinalisc阻害剤、ゲロニン、ミトゲリン、リストリクトシン、フェノマイシン、エノマイシンおよびトリコテセンが挙げられる。種々の放射性核種を放射性複合抗体の生産に利用できる。例として、２１２Ｂｉ、１３１Ｉ、１３１Ｉｎ、９０Ｙおよび１８６Ｒｅを挙げ得る。
【０１４４】
抗体と細胞障害性薬剤との複合体を、Ｎ−サクシンイミジル−３−(２−ピリジルジチオール)プロピオネート(ＳＰＤＰ)、イミノチオラン(ＩＴ)、イミドエステルの２機能性誘導体(ジメチルアジピイミデートＨＣＬのような)、活性エステル(ジサクシンイミジルスベレートのような)、アルデヒド(グルタルアルデヒドのような)、ビスアジド誘導体(ビス−(ｐ−アジドベンゾイル)−ヘキサンジアミンのような)、ビスジアゾニウム誘導体(ビス−(ｐ−ジアゾニウムベンゾイル)−エチレンジアミンのような)、ジイソシアネート(トリエン２、６−ジイソシアネートのような)、およびビス活性フッ素化合物(１,５−ジフルオロ２,４−ジニトロベンゼンのような)のような種々の２機能性タンパク質カップリング剤を用いて作る。例えば、リシン免疫毒素を、Vitetta et al., Science, 238: 1098 (1987)に記載のように調製することができる。炭素１４で標識した１−イソチオシアナートベンジル−３−メチルジエチレントリアミンペンタ酢酸(ＭＸ−ＤＴＰＡ)は、放射性ヌクレオチドを抗体に結合するための典型的なキレート化剤である。ＷＯ９４／１１０２６を参照されたい。
【０１４５】
もう一つの実施態様では、抗体を、腫瘍をプレターゲティンブのための「受容体」(ストレプトアビジンのような)に結合することができて、そこでは抗体−受容体複合体を患者に投与し、引き続いて未結合の複合体を除去剤を用いて血液循環から除去し、次いで今度は細胞障害性薬剤に複合した「リガンド」(例えばアビジン)を投与する。
【０１４６】
イムノリポゾーム
本明細書で開示される抗体をまた、イムノリポゾームとして処方することができる。抗体を含有するリポゾームは、Epstein et al., Proc. Natl. Acad. Sci. USA, 82: 3688 (1985); Hwang et al., Proc. Natl  Acad. Sci. USA, 77: 4030 (1980); ならびに米国特許第４,４８５,０４５号および第４,５４４,５４５号に記載されているような、当分野において公知の方法で調製する。増大した循環時間を持つリポゾームは、米国特許第５,０１３,５５６号に開示されている。
【０１４７】
特に有用なリポゾームを、ホスファチジルコリン、コレステロールおよびＰＥＧ誘導体化ホスファチジルエタノールアミン(ＰＥＧ−ＰＥ)を含む脂質組成物を用いて逆相蒸発法により生成し得る。リポゾームを定められた孔径のフィルターを通して押し出して、所望の直径のリポゾームを得る。本発明の抗体のＦａｂ'フラグメントを、Martin et al ., J. Biol. Chem., 257: 286-288 (1982)に記載されるように、ジスルフィド交換反応を介してリポゾームに結合し得る。化学療法剤(ドキソルビシンのような)を任意にリポゾーム内に含有する。Gabizon et al., J. National Cancer Inst., 81(19): 1484 (1989)を参照されたい。
【０１４８】
本発明のタンパク質に対して指向した抗体の診断応用
本発明のタンパク質に対して指向した抗体を、タンパク質の局在および／または定量(例えば、適切な生理的試料中のタンパク質レベルの測定における使用、診断法における使用、タンパク質のイメージングにおける使用等)に関する当分野内において公知の方法で使用し得る。ある一定の実施態様では、タンパク質またはその誘導体、フラグメント、類似体、または相同体に対する抗原結合ドメインを含有する抗体を、薬理学的に活性な化合物として利用する(下記を参照)。
【０１４９】
本発明のタンパク質に対して特異的な抗体を、イムノアフィニティークロマトグラフィーまたは免疫沈降のような標準的な技術により、タンパク質を単離するために使用し得る。そのような抗体を、細胞由来の天然タンパク質および宿主細胞で発現する組換え的に生産した抗原の精製を容易にし得る。さらに、そのような抗体を使用して、抗原タンパク質の存在量またはパターンを評価するために抗原タンパク質(例えば、細胞溶解物または細胞上清中の)を検出することができる。タンパク質に対して指向した抗体を診断的に使用して、例えば、与えられた処置法の有効性を測定するために臨床検査の手順の一環として組織中のタンパク質レベルをモニターすることができる。抗体を検出可能な物質にカップリング(即ち物理的に連結)することにより、検出を促進し得る。検出可能な物質の例としては、種々の酵素、配合群、蛍光物質、発光物質、生物発光物質および放射性物質を挙げる。適当な酵素の例としては、西洋わさびペルオキシダーゼ、アルカリホスファターゼ、β−ガラクトシダーゼおよびアセチルコリンエステラーゼを挙げ得る；適当な配合群の例としては、ストレプトアビジン／ビオチンおよびアビジン／ビオチンを挙げ得る；適当な蛍光物質の例としては、ウンベリフェロン、フルオレッセイン、フルオレッセインイソチオシアナート、ローダミン、ジクロロトリアジニルアミンフルオレッセイン、塩化ダンシルまたはフィコエリスリンを挙げ得る；発光物質の例としては、ルミノールを挙げ得る；生物発光物質の例としてはルシフェラーゼ、ルシフェリンおよびエクオリンを挙うるし、適当な放射性物質の例としては、１２５Ｉ、１３１Ｉ、３５Ｓまたは３Ｈを挙げ得る。
【０１５０】
抗体治療法
ポリクローナル、モノクローナル、ヒト化および完全なヒト抗体を含む本発明の抗体を治療薬として使用し得る。そのような薬剤を一般的に、対象の疾患または病変の治療または予防に使用する。抗体製剤、好ましくはその標的抗原に対して高い特異性および高い親和性を有するものを対象に投与して、一般的に標的への結合に因る効果を有する。そのような効果は、与えた抗体分子と問題とする標的抗原との間の相互作用の特異的性質に依存する２種類のうちの一つである。第１の場合では、抗体の投与は、標的の本来結合する内在性リガンドとの結合を阻止または阻害し得る。この場合には、抗体は標的に結合して、リガンドがエフェクター分子として作用する、天然に存在するリガンドの結合部位をマスクする。かくして、受容体はリガンドが役割を担う情報伝達経路を仲介する。
【０１５１】
これに代えて、作用は、抗体が標的分子上のエフェクター結合部位への結合により生理的結果を誘発するものであり得る。この場合には、疾患または病変においては存在しないかまたは欠陥のあり得る内在性リガンドを有する受容体である標的を、代替のエフェクターリガンドとしての抗体と結合して、受容体に基づく情報伝達事象を受容体により開始する。
【０１５２】
本発明の抗体の治療的に有効な量は一般的に、治療目的を達成するのに必要とされる量に関する。上述のように、これは、特定の場合には標的の機能を阻害し、そして他の場合には生理的応答を促進する抗体およびその標的抗原との間の結合相互作用であり得る。投与に必要な量はさらに、特定の抗原に対する抗体の結合親和性に依存するし、そしてまた投与した抗体が投与した対象の自由体積から除去し得る速度に依存する。本発明の抗体または抗体フラグメントの治療的に有効な投与量の通常の範囲は、限定されない例として、約０．１ｍｇ／ｋｇ体重〜約５０ｍｇ／ｋｇ体重であり得る。通常の投与回数は、例えば、１日２回から１週１回の範囲であり得る。
【０１５３】
抗体の医薬組成物
本発明のタンパク質に特異的に結合する抗体、ならびに本明細書に開示するスクリーニングアッセイにより同定する他の分子を、医薬組成物の形で種々の障害の処置のために投与し得る。そのような組成物の調製に関与する原理および考慮事項、ならびに成分の選択の指針は、例えば、The Science And Practice Of Pharmacy 19th ed. (Alfonso R. Gennaro, et al., editors) Mack Pub. Co., Easton, Pa. : 1995、Drug Absorption Enhancement : Concepts, Possibilities, Limitations, And Trends,  Harwood Academic Publishers, Langhorne, Pa.,  1994、および Peptide And Protein Drug Delivery (Advances In Parenteral Sciences, Vol. 4), 1991, M. Dekker,  New Yorkに提供されている。
【０１５４】
抗原タンパク質が細胞内にあり、完全な抗体を阻害剤として使用するならば、内部移行性抗体が好ましい。しかしながら、リポゾームを使用して、抗体または抗体フラグメントを細胞内に送達し得る。抗体フラグメントを使用する場合には、標的タンパク質の結合ドメインに特異的に結合する最も小さな阻害フラグメントが好ましい。例えば、抗体の可変領域の配列に基づいて、標的タンパク質の配列に結合する能力を保持するペプチド分子をデザインし得る。そのようなペプチドを、化学的および／または組換えＤＮＡ技術により合成し得る。例えば、Marasco et al., Proc. Natl. Acad. Sci. USA, 90: 7889-7893 (1993)を参照されたい。本明細書における処方はまた、処置する特定の適応のために必要なニつ以上の活性化合物、好ましくはお互いに悪影響を及ぼし合わない相補的活性を持つものを含有し得る。これに代えて、またはこれに加えて、組成物は、その機能を増強する薬剤、例えば、細胞障害性薬剤、サイトカイン、化学療法剤、または増殖阻害剤を含有していてもよい。そのような分子は好都合には、意図する目的にとって効果的な量で組み合わされて存在する。
【０１５５】
活性成分を、例えば、コアセルベーション技術または界面重合により調製したマイクロカプセル中で、例えば、ハイドロキシメチルセルローズまたはゼラチン−マイクロカプセルおよびポリ−(メチルメタクリレート)マイクロカプセル中で、それぞれ、コロイド状薬送達システム(例えば、リポゾーム、アルブミン小球体、ミクロエマルジョン、ナノ粒子およびナノカプセル)中に、またはマクロエマルジョン中に閉じ込め得る。
【０１５６】
インビボ投与に使用する製剤は無菌でなければならない。このことを、無菌ろ過膜によるろ過により容易に達成する。
徐放性製剤を調製することができる。徐放性製剤の適当な例としては、抗体を含有する固相の疎水性ポリマーの半透過性マトリックスが挙げられ、そのマトリックスは、例えば、フィルムまたはマイクロカプセルのような造形品の形をしている。徐放性マトリックスの例としては、ポリエステル、ハイドロゲル(例えば、ポリ(２−ヒドロキシエチル−メタクリレート)、またはポリ(ビニルアルコール)、ポリラクチド(米国特許第３,７７３,９１９号)、Ｌ−グルタミン酸およびγエチル−Ｌグルタミン酸エステルの共重合体、非分解性エチレン−ビニルアセテート、LUPRON DEPOT[登録商標](乳酸−グリコール酸共重合体および酢酸リュープロリドより成る注射用マイクロスフェア)のような分解性乳酸−グリコール酸共重合体が挙げられる。酢酸エチレンビニルおよび乳酸−グリコール酸のようなポリマーは１００日間に亘って分子を放出することができるが一方、特定のヒドロゲルはより短期間でタンパク質を放出する。
【０１５７】
ＥＬＩＳＡアッセイ
アナライトのタンパク質を検出する薬剤は、アナライトのタンパク質に結合する能力のある抗体、好ましくは検出可能な標識を持つ抗体である。抗体は、ポリクローナルでもよく、またはさらに好ましくはモノクローナルであり得る。完全な抗体またはそのフラグメント(例えば、ＦａｂまたはＦ(ａｂ)２)を使うことができる。用語「標識」とは、プローブまたは抗体に関して、プローブまたは抗体に検出可能な物質をカップリングする(即ち、物理的に連結する)ことによるプローブまたは抗体の直接標識、ならびに直接に標識するもう一つの薬剤との反応性によるプローブまたは抗体の間接標識を包含するものとする。間接標識の例としては、蛍光標識した第２抗体を用いた第１抗体の検出および蛍光標識ストレプトアビジンで検出できるようにＤＮＡプローブをビオチンで末端標識することが挙げられる。用語「生物学的試料」とは、対象から単離した組織、細胞および生物学的液体、ならびに対象内に存在する組織、細胞および液体を含むものとする。それ故に、用語「生物学的試料」の範囲には血液および血清、血漿、またはリンパ液を含む血液のフラクションまたは成分を含み得る。即ち、本発明の検出法を使用して、生物学的試料中のアナライトのｍＲＮＡ、タンパク質またはゲノムＤＮＡをインビトロならびにインビボで検出することができる。例えば、アナライトのｍＲＮＡの検出のためのインビトロ技術としては、ノザンハイブリダイゼーションおよびインサイツハイブリダイゼーションを挙げ得る。アナライトのタンパク質のインビトロ検出技術としては、酵素結合免疫吸着検査法(ＥＬＩＳＡ)、ウエスタンブロット、免疫沈降および免疫蛍光を挙げ得る。アナライトのＤＮＡのインビトロ検出技術としては、サザンハイブリダイゼーションを挙げ得る。イムノアッセイを実施する手順は、例えば、「ELISA: Theory and Practice: Methods in Molecular Biology」, Vol. 42, J. R. Crowther (Ed.) Human Press, Totowa, NJ, 1995、「Immunoassay」, E. Diamandis and T. Christopoulus, Academic Press, Inc., San Diego, CA, 1996、および「Practice and Thory of Enzyme Immunoassays」, P. Tijssen, Elsevier Science Publishers, Amsterdam, 1985に記載されている。さらに、アナライトのタンパク質のインビボ検出のための技術は、標識化した抗アナライトタンパク質抗体を対象に導入することを含む。例えば、対象中での存在または局在が標準的な造影技法で検出できる放射性マーカーで、抗体を標識し得る。
【０１５８】
ＮＯＶＸ組換え発現ベクターおよび宿主細胞
本発明のもう一つの態様は、ＮＯＶＸタンパク質またはその誘導体、フラグメント、類似体または相同体をコードする核酸を含有するベクター、好ましくは発現ベクターに関する。本明細書において使用する用語「ベクター」とは、それに結合しているもう一つの核酸を運搬する能力のある核酸分子を指す。ベクターの一つのタイプは「プラスミド」であり、これは、さらに別なＤＮＡセグメントが結合した環状の二重鎖ＤＮＡループを指す。ベクターのもう一つのタイプはウイルスベクターであり、ここではさらに別なＤＮＡセグメントをウイルスゲノムの中に結合し得る。特定のベクターは、それらを導入した宿主細胞中で自律増幅することができる(例えば、細菌の複製起点を持つ細菌のベクターおよび哺乳動物のエピゾームベクター)。他のベクター(例えば、哺乳動物の非エピゾームベクター)は、宿主細胞中への導入に際し宿主細胞のゲノム中に組み込まれて、それにより宿主ゲノムと一緒に複製し得る。さらに、特定のベクターは、それらが機能し得るように連結した遺伝子の発現を指示する能力がある。そのようなベクターを、本明細書において「発現ベクター」と呼称する。一般に、組換えＤＮＡ技術において有用な発現ベクターはしばしばプラスミドの形をしている。プラスミドはベクターの最も通常に使用する形態であるので、本明細書においては、「プラスミド」および「ベクター」は互換的に使用し得る。しかしながら、本発明は、同等の機能を有するウイルスベクター(例えば、複製能を欠いたレトロウイルス、アデノウイルスおよびアデノ随伴ウイルス)のような他の形の発現ベクターを含むこととする。
【０１５９】
本発明の組換え発現ベクターは、宿主細胞中における核酸の発現に適した形での本発明の核酸を含み、これは組換え発現ウイルスを、発現に使用する宿主細胞に基づいて選択した発現すべき核酸配列に機能し得るように結合した一つまたはそれ以上の調節配列を含むことを意味する。組換え発現ベクター内において、「機能し得るように結合した」とは、興味のある核酸配列が核酸配列の発現を可能にする様式で(例えばインビトロ転写／翻訳システムでまたはベクターを宿主細胞に導入する場合には宿主細胞中で)調節配列に結合していることを意味するものとする。
【０１６０】
用語「調節配列」とは、プロモーター、エンハンサーおよび他の発現制御要素(例えば、ポリアデニル化シグナル)を含むものとする。そのような調節配列は、例えば、Goeddel, GENE EXPRESSION TECHNOLOGY: METHODS IN ENZYMOLOGY 185, Academic Press, San Diego, Calif. (1990)に記載されている。調節配列としては、多くのタイプの宿主細胞中でヌクレオチド配列の構成的発現を指示するものおよび特定の宿主細胞中でのみヌクレオチド配列の発現を指示するもの(例えば、組織特異的調節配列)を挙げ得る。発現ベクターのデザインが、形質転換する宿主細胞の選択、所望のタンパク質の発現レベル等のような要因に依存し得ることを当業者は理解する。本発明の発現ベクターを宿主細胞に導入して、それにより本明細書に説明するように核酸によりコードする融合タンパク質またはペプチドを含むタンパク質またはペプチド(例えば、ＮＯＶＸタンパク質、ＮＯＶＸタンパク質の突然変異型、融合タンパク質等)を生産し得る。
【０１６１】
本発明の組換え発現ベクターを、原核のまたは真核の細胞中におけるＮＯＶＸタンパク質発現用にデザインし得る。例えば、ＮＯＶＸタンパク質を、Escherichia coliのような細菌細胞、昆虫細胞(バキュロウイルス発現ベクターを使用して)、酵母細胞または哺乳動物細胞中で発現し得る。適当な宿主細胞は、Goeddel, GENE EXPRESSION TECHNOLOGY: METHODS IN ENZYMOLOGY 185, Academic Press, San Diego, Calif. (1990)においてさらに考察されている。これに代えて、組換え発現ベクターを、例えば、Ｔ７プロモーター調節配列およびＴ７ポリメラーゼを用いてインビトロで転写して、翻訳し得る。
【０１６２】
真核細胞中におけるタンパク質の発現は最もしばしば、Escherichia coli中で融合タンパク質または非融合タンパク質のどちらかの発現を指示する構成的または誘導性プロモーターを含有するベクターを用いて行われる。融合ベクターは、その中にコードしたタンパク質に多数のアミノ酸を、通常には組換えタンパク質のアミノ末端に付加する。そのような融合ベクターは典型的に三つの目的に役立つ：(i)組換えタンパク質の発現を増大するため；(ii)組換えタンパク質の溶解性を増加するため；および(iii)アフィニティークロマトグラフィーにおけるリガンドとして作用することにより組換えタンパク質の精製を助けるため。しばしば、融合発現ベクターにおいて、タンパク質分解による切断部位を融合部分および組換えタンパク質の接合部に導入して、融合部分から組換えタンパク質の分離に引き続いて融合タンパク質の精製を可能にする。そのような酵素、およびそれらと同種の認識配列としては、Ｆａｃｔｏｒ Ｘａ、トロンビンおよびエンテロキナーゼを挙げ得る。典型的な融合発現ベクターとしては、グルタチオンＳ−トランスフェラーゼ(ＧＳＴ)、マルトースＥ結合タンパク質、またはプロテインＡをそれぞれ標的組換えタンパク質に融合させるｐＧＥＸ(Pharmacia Biotech Inc; Smith and Johnson, 1988. Gene 67: 31-40)、ｐＭＡＬ (New England Biolabs, Beverly, Mass.)およびｐＲＩＴ５ (Pharmacia, Piscataway, N.J.) を挙げ得る。
【０１６３】
適当な誘導性非融合E. coli発現ベクターの例としては、ｐＴｒｃ(Amrann et al., (1988) Gene 69:301-315)およびｐＥＴ１１ｄ (Studier et al., GENE EXPRESSION TECHNOLOGY: METHODS IN ENZYMOLOGY 185, Academic Press, San Diego, Calif. (1990) 60-89)を挙げ得る。
【０１６４】
E. coliにおけるタンパク質発現を最大にする一つの戦略は、組換えタンパク質をタンパク質分解的に切断する能力を障害した宿主細胞中でタンパク質を発現することである。Gottesman, GENE EXPRESSION TECHNOLOGY: METHODS IN ENZYMOLOGY 185, Academic Press, San Diego, Calif. (1990) 119-128を参照されたい。もう一つの戦略は、それぞれのアミノ酸に対する個別のコドンをE. coliで優先的に使用するものとなるように、発現ベクターに挿入する核酸の核酸配列を変更することである(例えば、Wada, et al., 1992. Nucl. Acids Res. 20: 2111-2118を参照)。本発明の核酸配列のそのような変更は標準的ＤＮＡ合成技法により行い得る。
【０１６５】
もう一つの実施態様では、ＮＯＶＸ発現ベクターは酵母の発現ベクターである。酵母のSaccharomyces cerivisae中の発現ベクターの例としては、ｐＹｅｐＳｅｃ１ (Baldari, et al., 1987. EMBO J. 6: 229-234)、ｐＭＦａ(Kurjan and Herskowitz, 1982. Cell 30: 933-943)、ｐＪＲＹ８８ (Schultz et al., 1987. Gene 54: 113-123)、ｐＹＥＳ２(Invitrogen Corporation, San Diego, Calif.)、およびｐｉｃＺ(InVitrogen Corp, San Diego, Calif.)を挙げ得る。
【０１６６】
これに代えて、ＮＯＶＸをバキュロウイルス発現ベクターを用いて昆虫細胞中で発現し得る。培養昆虫細胞(例えば、ＳＦ９細胞)中でのタンパク質発現に利用可能なバクロウイルスベクターとしては、ｐＡｃシリーズ(Smith, et al., 1983. Mol. Cell. Biol. 3: 2156-2165) およびｐＶＬシリーズ(Lucklow and Summers, 1989. Virology 170: 31-39)を挙げ得る。
【０１６７】
なおもう一つの実施態様では、本発明の核酸を、哺乳動物の発現ベクターを用いて哺乳動物細胞中で発現し得る。哺乳動物の発現ベクターの例としては、ｐＣＤＭ８(Seed, 1987. Nature 329: 840)およびｐＭＴ２ＰＣ(Kaufman, et al., 1987. EMBO J. 6: 187-195)を挙げ得る。哺乳動物細胞中で使用するときには、発現ベクターの制御機能はしばしば、ウイルスの調節要素により提供される。例えば、普通に使用するプロモーターは、ポリオーマ、アデノウイルス２、サイトメガロウイルスおよびシミアンウイルス４０に由来する。原核のおよび真核の細胞両方にとって適当な他の発現系については、例えば、Chapters 16 and 17 of Sambrook, et al., MOLECULAR CLONING: A LABORATORY MANUAL. 2nd ed., Cold Spring Harbor Laboratory, Cold Spring Harbor Laboratory Press, Cold Spring Harbor, N.Y., 1989を参照されたい。
【０１６８】
もう一つの実施態様では、組換え哺乳動物表現ベクターは、特定の細胞タイプ中で優先的に核酸の発現を指示する能力がある(例えば、組織特異的調節要素を核酸を発現するために使用する)。組織特異的調節要素は当分野において公知である。適当な組織特異的プロモータの非限定的な例としては、アルブミンプロモーター(肝臓特異的；Pinkert, et al., 1987. Genes Dev. 1: 268-277)、リンパ系特異的プロモーター(Calame and Eaton, 1988. Adv. Immunol. 43: 235-275)、特にT細胞受容体(Winoto and Baltimore, 1989. EMBO J. 8: 729-733)および免疫グロブリン (Banerji, et al., 1983. Cell 33: 729-740; Queen and Baltimore, 1983. Cell 33: 741-748)のプロモーター、ニューロン特異的プロモーター(例えば、ニューロフィラメントプロモーター; Byrne and Ruddle, 1989. Proc. Natl. Acad. Sci. USA 86: 5473-5477)、膵臓特異的プロモーター(Edlund, et al., 1985. Science 230: 912-916)、ならびに乳腺特異的プロモーター(例えば、乳漿；米国特許第４,８７３,３１６号及びヨーロッパ出願公開第２６４,１６６号)を挙得る。例えば、マウスのｈｏｘプロモーター(Kessel and Gruss, 1990. Science 249: 374-379)およびα−フェトプロテインプロモーター(Campes and Tilghman, 1989. Genes Dev. 3: 537-546)の発生的に調節されるプロモーターも包含する。
【０１６９】
本発明はさらに、発現ベクターの中にアンチセンスの配向でクローン化した本発明のＤＮＡ分子を含む組換え発現ベクターを提供する。即ち、ＤＮＡ分子は、ＮＯＶＸｍＲＮＡに対してアンチセンスであるＲＮＡ分子の発現(ＤＮＡ分子の転写による)を可能にするような様式で、調節配列に機能し得るように結合する。種々の細胞タイプ中のアンチセンスＲＮＡ分子の連続的発現を指示するアンチセンスの配向にクローン化した核酸に機能し得るように結合した調節配列、例えば、ウイルスのプロモーターおよび／またはエンハンサーを選択することができるか、またはアンチセンスＲＮＡの組織特異的または細胞タイプ特異的な構成的発現を指示する調節配列を選択することができる。アンチセンス発現ベクターは、ベクターを導入した細胞タイプにより活性を決定する高効率調節領域の制御下で、アンチセンス核酸を生産する組換えプラスミド、ファージミドまたは弱毒化ウイルスの形であり得る。アンチセンス遺伝子を用いた遺伝子発現の調節の考察については、例えば、Weintraub, et al., 「Antisense RNA as a molecular tool for genetic analysis」 Reviews-Trends in Genetics, Vol. 1(1) 1986を参照されたい。
【０１７０】
本発明のもう一つの態様は、本発明の組換え発現ベクターを導入する宿主細胞に関する。用語「宿主細胞」および「組換え宿主細胞」を、本明細書においては互換的に使用する。そのような用語は、特定の対象の細胞のみならずそのような細胞の子孫または潜在的子孫をまた指すことを理解する。突然変異または環境の影響により後の世代に特定の修飾が生じるかもしれないため、そのような子孫は、実際には親細胞と同一ではないかもしれないが、本明細書において使用する用語の範囲内になお含まれる。
【０１７１】
宿主細胞は任意の原核細胞または真核細胞であり得る。例えば、ＮＯＶＸタンパク質を、E. coliのような細菌細胞、昆虫細胞、酵母または哺乳動物細胞(チャイニーズハムスター卵巣細胞(ＣＨＯ)またはＣＯＳ細胞)のような細菌の細胞中で発現することができる。他の適当な宿主細胞は当業者に周知である。
【０１７２】
ベクターＤＮＡを、従来の形質転換または形質移入技術により原核細胞または真核の細胞の中に導入することができる。本明細書において使用する用語「形質転換」および「形質移入」とは、リン酸カルシウムまたは塩化カルシウム共沈、ＤＥＡＥ−デキストラン仲介性形質移入、リポフェクション、またはエレクトロポレーションを含む外来の核酸(例えばＤＮＡ)を宿主細胞に導入するために当分野で認める種々の技術を指すものとする。宿主細胞を形質転換しまたは形質移入するための適当な方法は、MOLECULAR CLONING: A LABORATORY MANUAL. 2nd ed., Cold Spring Harbor Laboratory, Cold Spring Harbor Laboratory Press, Cold Spring Harbor, N.Y., 1989)および他の実験室マニュアルに見出すことができる。
【０１７３】
哺乳動物細胞の安定的な形質移入については、使用される発現ベクターおよび形質移入の技法に依存して、細胞のごく小数のフラクションが外来性ＤＮＡをそのゲノムの中に組み込み得る。これらの組み込み体を同定し選択するために、選択可能なマーカー(例えば、抗生物質に対する抵抗性)が一般的に、興味のある遺伝子と一緒に宿主細胞に導入される。種々の選択可能なマーカーとしては、Ｇ４１８,ハイグロマイシンおよびメトトレキセートのような薬剤に抵抗性を与えるものが挙げられる。選択可能なマーカーをコードする核酸を、ＮＯＶＸをコードするものと同一のベクター上で宿主細胞に導入することができか、または別のベクター上で導入することもできる。導入された核酸で安定に形質移入された細胞は、薬剤選択により同定されることができる(例えば、選択可能なマーカーを組み込んでいる細胞は生き残る一方で、他の細胞は死ぬ)。
【０１７４】
培地中の原核細胞または真核細胞のような本発明の宿主細胞を用いて、ＮＯＶＸタンパク質を生産する(即ち、発現する)ことができる。したがって、本発明は、本発明の宿主細胞を用いるＮＯＶＸタンパク質の生産方法をさらに提供する。一つの実施態様では、その方法は、本発明の宿主細胞(その中にＮＯＶＸタンパク質をコードする組換え発現ベクターを導入する)を、ＮＯＶＸタンパク質を生産するような適当な培地中で培養することを含む。もう一つの実施態様では、その方法は、培地または宿主細胞からＮＯＶＸタンパク質を単離することをさらに含む。
【０１７５】
トランスジェニックＮＯＶＸ動物
本発明の宿主細胞をまた使用して、非ヒトトランスジェニック動物を生産し得る。例えば、一つの実施態様では、本発明の宿主細胞は、その中にＮＯＶＸタンパク質コード化配列を導入する受精卵母細胞または胚性幹細胞である。次いで、そのような宿主細胞を使用して、その中で外来性のＮＯＶＸ配列をゲノムの中に導入する非ヒトトランスジェニック動物、またはその中で内在性のＮＯＶＸ配列を変更する相同な組換え動物を創成することができる。そのような動物は、ＮＯＶＸタンパク質の機能および／または活性の研究にならびにＮＯＶＸタンパク質活性のモジュレーターの同定および／または評価に有用である。本明細書において使用する「トランスジェニック動物」とは、その中で動物の一つまたはそれ以上の細胞が導入遺伝子を含む非ヒト動物、好ましくは哺乳動物、さらに好ましくはラットまたはマウスのようなげっ歯類である。トランスジェニック動物の他の例としては、ヒト以外の霊長類、ヒツジ、イヌ、ウシ、ヤギ、ニワトリ、両棲類等を挙げ得る。導入遺伝子は、それからトランスジェニック動物が発生する細胞のゲノムの中に取り込まれ、そして成熟動物のゲノム内に残存して、それによりトランスジェニック動物の一つまたはそれ以上の細胞タイプまたは組織中におけるコード化遺伝子産物の発現を指令する外来性ＤＮＡである。本明細書において使用する「相同の組換え動物」とは、その中で内在性ＮＯＶＸ遺伝子が内在性遺伝子および、動物の細胞、例えば、動物の胚細胞の中に動物の発生前に導入された外来性ＤＮＡ分子との間で相同組換えにより変更した非ヒト動物、好ましくは哺乳類、さらに好ましくはマウスである。
【０１７６】
本発明のトランスジェニック動物は、ＮＯＶＸをコードする核酸を受精卵母細胞の雄性前核の中に(例えば、マイクロインジェクション、レトロウイルス感染により)導入して、卵母細胞を偽妊娠雌性仮親動物の体内で発生することを可能にすることにより、創成することができる。配列番号２ｎ−１(ここで、ｎは１〜８６の整数である)のヒトＮＯＶＸｃＤＮＡ配列を、非ヒト動物のゲノム内に導入遺伝子として導入することができる。これに代えて、マウスＮＯＶＸ遺伝子のようなヒトＮＯＶＸ遺伝子の非ヒト相同体を、ヒトＮＯＶＸのｃＤＮＡとのハイブリダイゼーション(上にさらに詳述)に基づいて単離して、導入遺伝子として使用し得る。イントロン配列およびポリアデニル化シグナルもまた、導入遺伝子の発現効率を増加するために導入遺伝子中に含み得る。組織特異的調節配列をＮＯＶＸ導入遺伝子に機能し得るように結合して、特定の細胞にＮＯＶＸタンパク質の発現を指示し得る。胚の操作およびマイクロインジェクションによる、トランスジェニック動物、特にマウスのような動物の作成方法は当分野において従来的となってきており、例えば、米国特許第４,７３６,８６６号; ４,８７０,００９号; および４,８７３,１９１号;ならびにHogan, 1986. In: MANIPULATING THE MOUSE EMBRYO, Cold Spring Harbor Laboratory Press, Cold Spring Harbor, N.Y.に記載されている。類似の方法を他のトランスジェニック動物の生産に用い得る。初代トランスジェニック動物を、ゲノム内のＮＯＶＸ導入遺伝子の存在および／または動物の組織または細胞中におけるＮＯＶＸｍＲＮＡの発現に基づいて、同定し得る。次いで、初代トランスジェニック動物を、導入遺伝子を保持する追加的動物の繁殖に使用し得る。さらに、ＮＯＶＸタンパク質をコードする導入遺伝子を保持するトランスジェニック動物を使用して、他の導入遺伝子を保持するさらに別なトランスジェニック動物を繁殖し得る。
【０１７７】
相同の組換え動物を創成するために、その中に欠失、付加または置換を導入していて、それによりＮＯＶＸ遺伝子を変化させる例えば機能的に破壊する一つのＮＯＶＸ遺伝子の少なくとも一部を含有するベクターを調製する。ＮＯＶＸ遺伝子は、ヒト遺伝子(例えば配列番号２ｎ−１(ここで、ｎは１〜８６の整数である)のｃＤＮＡ)であり得るが、さらに好ましくはヒトＮＯＶＸ遺伝子の非ヒト相同体である。例えば、配列番号２ｎ−１(ここで、ｎは１〜８６の整数である)のヒトＮＯＶＸ遺伝子のマウス相同体を使用して、マウスゲノム中の内在性ＮＯＶＸ遺伝子を変更するのに適する相同組換えベクターを構築することができる。一つの実施態様では、ベクターを、相同組換えにより、内在性遺伝子を機能的に破壊する(即ち、もはや機能的なタンパク質をコードしない；「ノックアウト」ベクターとも呼称する)ようにデザインする。
【０１７８】
これに代えて、ベクターは、相同組換えにより内在性ＮＯＶＸ遺伝子を変異するかまたは他のように変更するが、依然機能性タンパク質をコードする(例えば、上流の調節領域を変更してそれにより内在性ＮＯＶＸタンパク質の発現を変更する)ようにデザインし得る。相同組換えベクターでは、ＮＯＶＸ遺伝子の変更したタンパク質は、ＮＯＶＸ遺伝子のさらに別な核酸により５'末端または３'末端に隣接して、ベクターにより保持する外来性ＮＯＶＸ遺伝子および胚性幹細胞中の内在性ＮＯＶＸ遺伝子の間で相同組換えが起こることを可能にする。さらに別な隣接ＮＯＶＸ核酸は、内在性遺伝子と成功裏に相同組換えが起きるように十分な長さを持つ。典型的には、数キロ塩基の隣接ＤＮＡ(５'末端および３'末端の両方とも)をベクターに含み得る。相同組換えベクターの記載については、例えば、Thomas, et al., 1987. Cell 51: 503を参照されたい。次いで、ベクターを胚性幹細胞株に(例えば、エレクトロポレーションにより)導入し、そしてその中で導入したＮＯＶＸ遺伝子を内在性ＮＯＶＸ遺伝子と相同的に組み換えた細胞を選択する。例えば、Li, et al., 1992. Cell 69: 915を参照されたい。
【０１７９】
次いで、選択した細胞を動物(例えば、マウス)の胚盤胞の中に注入して、凝集キメラを形成する。例えば、Bradley, 1987. In: TERATOCARCINOMAS AND EMBRYONIC STEM CELLS: A PRACTICAL APPROACH, Robertson, ed. IRL, Oxford, pp. 113-152を参照されたい。次いで、キメラ胚を適当な偽妊娠雌性仮親動物に植え込んで、胚を満期出産する。生殖細胞内に相同組換えしたＤＮＡを保持している子孫を用いて、その中で動物の全ての細胞が、導入遺伝子の生殖系列を介した伝達により相同組換えＤＮＡを含有する動物を繁殖させることができる。相同組換えベクターおよび相同組換え動物を構築する方法は、Bradley, 1991. Curr. Opin. Biotechnol. 2: 823-829; ＰＣＴ国際公開第: ＷＯ９０／１１３５４号；ＷＯ９１／０１１４０号；ＷＯ９２／０９６８号;およびＷＯ９３／０４１６９号にさらに記載される。
【０１８０】
もう一つの実施態様では、導入遺伝子の調節発現を可能にする選択したシステムを含有する非ヒトトランスジェニック動物を生産し得る。そのようなシステムの一つの例は、バクテリオファージＰ１のｃｒｅ／ｌｏｘＰリコンビナーゼシステムである。ｃｒｅ／ｌｏｘＰリコンビナーゼシステムの記載については、例えば、Lakso, et al., 1992. Proc. Natl. Acad. Sci. USA 89: 6232-6236を参照されたい。リコンビナーゼシステムのもう一つの例は、Saccharomyces cerevisiaeのＦＬＰリコンビナーゼシステムである。O'Gorman, et al., 1991. Science 251:1351-1355を参照されたい。もしｃｒｅ／ｌｏｘＰリコンビナーゼシステムを用いて導入遺伝子の発現を調節するならば、Ｃｒｅリコンビナーゼおよび選択したタンパク質の両方をコードする導入遺伝子を含有する動物が必要となる。そのような動物は、例えば、一つは選択したタンパク質をコードする導入遺伝子を含有し、他はリコンビナーゼをコードする導入遺伝子を含有する二つのトランスジェニック動物を交配させることによる「ダブル」トランスジェニック動物の構築により提供し得る。
【０１８１】
本明細書に説明した非ヒトトランスジェニック動物のクローンはまた、Wilmut, et al., 1997. Nature 385: 810-813に記載された方法にしたがって生産することができる。略述すれば、トランスジェニック動物から細胞(例えば体細胞)を単離し、誘導して、増殖サイクルから抜け出てＧ０期に入ることができる。次いで、静止細胞を、例えば、電気パルスの使用により静止細胞を単離したのと同じ種類の動物由来の脱核した卵母細胞と融合することができる。次いで、再構成した卵母細胞を、それを桑実胚または胚盤胞にまで発生させて、次いで擬妊娠雌性仮親動物に導入するように培養する。この雌性仮親動物から生まれた子孫は、細胞(例えば体細胞)を単離する動物のクローンである。
【０１８２】
医薬組成物
本発明のＮＯＶＩＸ核酸分子、ＮＯＶＩＸタンパク質、抗−ＮＯＶＩＸ抗体(本明細書では「活性化合物」ともいう)、ならびにそれらの誘導体、フラグメント、類似体および相同体を投与に適する医薬組成物の中に組込み得る。典型的に、そのような組成物は核酸分子、タンパク質または抗体およびおよび医薬的に許容され得る担体を含む。本明細書において使用する「医薬的に許容され得る担体」とは、医薬品投与に適合する任意のおよび全ての溶媒、分散媒、コーティング剤、抗菌および抗かび剤、等張および吸収遅延剤等を含むことを意図する。適当な担体は、この分野で標準的な参照テキストであるRemingtonの薬剤学の最新版(出典明示により本明細書の一部とする)に記載されている。そのような担体または賦形剤の好ましい例としては、水、食塩水、フィンガー溶液、ブドウ糖溶液および５％ヒト血清アルブミンを挙げるが、それらに限定しない。リポソームおよび脂肪油のような非水溶性ビークルもまた使用する。薬学的に活性な物質のためのそのような媒体および薬剤は当分野において周知である。任意の従来の媒体または薬剤が活性化合物に適合しない限りでなければ、組成物内のそれらの使用を意図する。補助的な活性化合物をまた、組成物の中に組込み得る。
【０１８３】
本発明の医薬組成物を、その意図する投与経路に適合するように処方する。投与経路の例としては、非経口の、例えば、静脈の、皮内の、皮下の、経口の(例えば、吸入)、経皮の(即ち局所の)、経粘膜のおよび直腸の投与を挙げ得る。非経口の、皮内のまたは皮下の応用に使用する溶液または懸濁液としては、以下の成分を挙げることができる：注射用水のような無菌賦形剤、食塩水溶液、脂肪油、ポリエチレングリコール、グリセリン、プロピレングリコールまたは他の合成溶媒；ベンジルアルコールまたはメチルパラベンのような抗菌剤；アスコルビン酸または亜硫酸水素ナトリウムのような抗酸化剤；エチレンジアミン四酢酸(ＥＤＴＡ)のようなキレート化剤；酢酸塩、クエン酸塩またはリン酸塩のような緩衝剤、ならびに塩化ナトリウムまたはブドウ糖のような等張性を調整する薬剤。塩酸または水酸化ナトリウムのような酸または塩基を用いてｐＨを調整することができる。非経口性製剤を、ガラスまたはプラスチックで作るアンプル、使い捨て注射器、または多回使用バイアルの中に封入し得る。
【０１８４】
注射用に適する医薬組成物としては、無菌水溶液(水溶性である場合)または分散液および無菌注射用の溶液または分散液の必要に応じて調合する製剤用の無菌粉末を挙げ得る。静脈投与のためには、適当な担体としては、生理食塩水、静菌性水、Cremophor EL[登録商標] (BASF, Parsippany, N.J.)またはリン酸緩衝食塩水(ＰＢＳ)を挙げ得る。全ての場合において、組成物は無菌でなければならず、容易に注射できる程度に流動性であるべきである。それは製造および保管の条件下で安定でなければならず、そして細菌および真菌のような微生物の汚染作用に対して保護されなければならない。担体は、例えば、水、エタノール、ポリオール(例えば、グリセリン、プロピレングリコールおよび液性ポリエチレングリコール等)ならびにそれらの適当な混合液を含有する溶媒または分散媒体であり得る。適切な流動性を、例えば、レシチンのようなコーティングの使用により、分散液の場合には必要な粒子径の維持により、および界面活性剤の使用により、保持し得る。微生物作用の保護は、種々の抗菌および抗真菌剤、例えば、パラベン、クロロブタノール、フェノール、アスコルビン酸、チメロサール等、により達成される。多くの場合に、組成物中に、等張性薬剤、例えば、砂糖、マニトールのようなポリアルコール、ソルビトール、塩化ナトリウムを含むことが好ましい。注射用組成剤の吸収の延長は、組成物中に吸収を遅延する薬剤、例えば、モノステアリン酸アルミニウムおよびゼラチンを含むことによりもたらせ得る。
【０１８５】
無菌注射用溶液を、適切な溶媒の中に一つまたは上で列挙した成分の組合せと共に必要な量で活性化合物(例えば、一つのＮＯＶＸタンパク質または抗ＮＯＶＸ抗体)を組み込み、ついでろ過滅菌を行なうことにより調製することができる。一般的に、分散液は、基本的な分散媒体および上で列挙したものから必要な他の成分を含有する無菌ビークルの中に活性化合物を組み込むことにより調製することができる。無菌注射用溶液の調製のための無菌粉末の場合には、調製方法は、活性成分の粉末プラス前もって無菌ろ過されたその溶液からの任意のさらに別の望ましい成分の粉末を生成する真空乾燥および凍結乾燥である。
【０１８６】
一般的に、経口の組成物は、不活性賦形剤または食用の担体を含む。それらをゼラチンカプセル中に封入するかまたは錠剤に打錠することができる。経口治療投与の目的には、活性化合物を添加物と共に組込んで錠剤、トローチまたはカプセルの形状で使用することができる。経口の組成物をまた、うがい薬としての使用のために液体担体を用いて調製し得るが、そこでは液体担体中の化合物を経口的に塗布し、さっと取り除いて、吐き出すか飲み込む。薬学的に適合する結合剤、おおび／またはアジュバント材料を組成物の一部として含み得る。錠剤、丸剤、カプセル、トローチ等は任意の以下の成分または同様な性質を持つ化合物を含有し得る：微結晶セルロース、トラガカントゴムまたはゼラチンのような結合剤；デンプンまたは乳糖のような添加剤、アルギン酸、プリモゲルまたはコーンスターチのような崩壊剤；ステアリン酸マグネシウムまたはステロートのような滑沢剤；コロイド状二酸化ケイ素のような滑り剤；ショ糖またはサッカリンのような甘味剤；またはハッカ、サルチル酸メチル、オレンジ香料のような着香剤。
【０１８７】
吸入による投与のためには、化合物を、適当な噴射剤、例えば二酸化炭素のようなガスを含有する加圧容器またはディスペンザー、またはネブライザーからエアゾールスプレイの形式で送達し得る。
【０１８８】
全身的投与はまた、経粘液または経皮手段により得る。経粘液または経皮投与のためには、透過すべきバリアーに適切な浸透剤を処方に使用する。そのような浸透剤は当分野において一般的に公知であり、そして、例えば、経粘液投与のためには、洗剤、胆汁酸塩、フシジン酸誘導体を挙げ得る。経粘液投与は鼻腔スプレーまたは坐剤の使用により達成され得る。経皮投与のためには、活性化合物は、当分野において一般的に公知であるように、軟膏、軟膏剤、ゲルまたはクリームの中に処方される。
【０１８９】
化合物をまた、直腸送達のために坐薬(例えば、ココアバターおよび他のグリセリドのような従来の坐剤用基材と共に)または保持浣腸剤の形式で調製し得る。
【０１９０】
一つの実施態様において、活性化合物を、埋没およびマイクロカプセル化送達システムを含む制御放出製剤のように、化合物を身体からの迅速な排泄から防止する担体と共に調製する。酢酸エチレンビニル、ポリ酸無水物、ポリグリコール酸、コラーゲン、ポリオルトエステルおよびポリ酢酸のような、生物分解性で生体適合性のポリマーを使用し得る。そのような製剤を調製する方法は当業者に明らかである。材料はまた、Alza CorporationおよびNova Pharmaceuticals, Inc.から市販で入手可能である。リポソームの懸濁液(モノクローナル抗体を持つ感染した細胞からウイルス抗体に至って標的化したリポソームを含む)をまた、医薬的に許容され得る担体として使用することができる。これらを、例えば米国特許第４,５２２,８１１号に記載のように、当業者に公知の方法に従い調製し得る。
【０１９１】
投与の容易さおよび投与量の均一性のために、経口性または非経口性の組成物を単位投与剤型で処方することが特に有益である。本明細書で使用する単位投与剤型とは、処置する対象に対して単一の投与量として適する物理学的に分離した単位を指し；それぞれの単位は、必要な薬学的な担体と一緒に望ましい治療効果を生じるように計算した予め決められた量の活性化合物を含有する。本発明の単位投与剤型の規格は、活性化合物の特異な特色および達成するべき特別な治療効果、ならびにそのような活性化合物を個人の処置のために配合する当分野に固有の制限により指示されかつ直接に依存する。
【０１９２】
本発明の核酸分子をベクターの中に挿入して遺伝子治療ベクターとして使用することができる。遺伝子治療ベクターを、例えば、静脈注射、局所投与により(例えば、米国特許第５,３２８,４７０号を参照)または走触性注射(例えば、Chen, et al., 1994. Proc. Natl. Acad. Sci. USA 91: 3054-3057を参照)により送達し得る。遺伝子治療ベクターの医薬製剤は、許容される賦形剤の中に遺伝子治療ベクターを含むか、またはその中に遺伝子治療ベクターを埋め込んだ持続性マトリックスを含み得る。これに代えて、完全な遺伝子治療ベクターを組換え細胞、例えばレテロウイルスベクターから無傷で生産し得る場合には、医薬製剤は遺伝子送達システムを生産する一つまたはそれ以上の細胞を含み得る。
医薬製剤を、投与指示書と共に、容器、パックまたはディスペンサーの中に含み得る。
【０１９３】
スクリーニングおよび検出の方法
以下に詳述するように、本発明の単離核酸分子を使用して、ＮＯＶＸタンパク質を発現し(例えば、遺伝子治療応用において宿主細胞中で組換え発現ベクターを介して)、ＮＯＶＸｍＲＮＡ(例えば、生物学的試料中の)またはＮＯＶＸタンパク質中の遺伝的欠損を検出し、そしてＮＯＶＸ活性を調整することができる。加えて、ＮＯＶＸタンパク質を用いて、ＮＯＶＸタンパク質の活性または発現を調整する薬または化合物をスクリーニングし、ならびにＮＯＶＸタンパク質の不十分なまたは過剰な生産、またはＮＯＶＸの野生型タンパク質と比較して低下または異常な活性を有するＮＯＶＸタンパク質型の生産を特徴とする疾患(例えば；糖尿病(インスリン放出を調節する)；肥満(脂質に結合し輸送する)；肥満に関連した代謝障害、代謝的シンドロームＸならびに食欲不振および慢性疾患および癌に関連した消耗性疾患、ならびに感染性疾患(抗ウイルス活性を有する)および種々の異脂肪血症を処置し得る。加えて、本発明の抗ＮＯＶＸ抗体を使用して、ＮＯＶＸタンパク質を検出しかつ単離し、そしてＮＯＶＸ活性を調整し得る。なおさらなる態様では、本発明を方法で使用して、食欲、栄養の吸収および代謝基質の処分を正および負の両方の様式で影響させることができる。
本発明はさらに、本明細書に説明するスクリーニングアッセイで同定する新規な薬剤および上述の処置のためのそれらの使用に関する。
【０１９４】
スクリーニングアッセイ
本発明は、モジュレーター、即ち、ＮＯＶＸタンパク質に結合するか、または、例えばＮＯＶＸタンパク質の発現またはＮＯＶＸタンパク質の活性に促進的または阻害的作用を有する候補または試験化合物または薬剤(例えば、ペプチド、ペプチドミメティクス、低分子または他の薬)を同定する方法(本明細書では「スクリーニングアッセイ」とも呼称する)を提供する。本発明はまた、本明細書に説明するスクリーニングアッセイにおいて同定した化合物を含む。
【０１９５】
一つの実施態様では、本発明は、膜結合型の一つのＮＯＶＸタンパク質またはその生物学的に活性な部分に結合するかまたは活性を調整する候補または試験化合物をスクリーニングするためのアッセイを提供する。本発明の試験化合物を、生物学的ライブラリー；空間的にアドレス参照可能な並列の固相または液相ライブラリー；デコンボリューションを必要とする合成的ライブラリー方法；「１ビーズ１化合物」ライブラリー方法；およびアフィニティークロマトグラフィー選択を使用する合成ライブラリー方法：を含む、当分野において周知のコンビナトリアルライブラリーにおける数多くのアプローチのいずれを用いても得られる。生物学的ライブラリーのアプローチはペプチドライブラリーに限定される一方で、他の４種のアプローチはペプチド、非ペプチドオリゴマーまたは化合物の低分子ライブラリーに適用可能である。例えば、Lam, 1997. Anticancer Drug Design 12: 145を参照されたい。
【０１９６】
本明細書において使用する「低分子」とは、約５ｋＤ未満の、最も好ましくは約４ｋＤ未満の分子量を有する組成物を指す。低分子は、例えば、核酸、ペプチド、ポリペプチド、ペプチドミメティクス、炭水化物、脂質または他の有機のまたは無機の分子であり得る。化学的および／または、真菌、細菌、または藻類の抽出物のような、生物学的混合物は当分野において公知であり、本発明の任意のアッセイを用いてスクリーニングすることができる。
【０１９７】
分子ライブラリー合成方法の例を、例えば、DeWitt, et al., 1993. Proc. Natl. Acad. Sci. U.S.A. 90: 6909、Erb, et al., 1994. Proc. Natl. Acad. Sci. U.S.A. 91: 11422、Zuckermann, et al., 1994. J. Med. Chem. 37: 2678、Cho, et al., 1993. Science 261: 1303; Carrell, et al., 1994. Angew. Chem. Int. Ed. Engl. 33: 2059、Carell, et al., 1994. Angew. Chem. Int. Ed. Engl. 33: 2061、およびGallop, et al., 1994. J. Med. Chem. 37: 1233における当分野に見出し得る。
【０１９８】
化合物のライブラリーを、溶液中で(例えば、Houghten, 1992. Biotechniques 13: 412-421)、またはビーズ上で(Lam, 1991. Nature 354: 82-84)、チップ上で(Fodor, 1993. Nature 364: 555-556)、バクテリア(Ladner, 米国特許第５,２２３,４０９号)、胞子 (Ladner, 米国特許第５,２３３,４０９号)、プラスミド (Cull, et al., 1992. Proc. Natl. Acad. Sci. USA 89: 1865-1869)上でまたはファージ上で(Scott and Smith, 1990. Science 249: 386-390; Devlin, 1990. Science 249: 404-406、Cwirla, et al., 1990. Proc. Natl. Acad. Sci. U.S.A. 87: 6378-6382、Felici, 1991. J. Mol. Biol. 222: 301-310、Ladner, 米国特許第５,２３３,４０９号)で提供し得る。
【０１９９】
一つの実施態様では、アッセイは細胞に基づくアッセイであり、そこでは膜結合型のＮＯＶＸタンパク質またはその生物学的に活性な部分を細胞表面に発現する細胞を試験化合物と接触させ、そして試験化合物が一つのＮＯＶＸタンパク質に結合する能力を測定する。細胞は、例えば、哺乳動物由来または酵母細胞であり得る。試験化合物がＮＯＶＸタンパク質に結合する能力を測定することは、例えば、試験化合物を放射性同位元素または酵素標識とカップリングして、ＮＯＶＸタンパク質またはその生物学的に活性な部分への試験化合物の結合を、複合物中の標識化合物を検出することにより測定できるようにする。例えば、試験化合物を、１２５Ｉ、３５Ｓ、１４Ｃまたは３Ｈで直接的にまたは間接的に標識し、そして放射性同位元素を放射線放射の直接計数またはシンチレーション計数により検出する。これに代えて、試験化合物を、例えば、西洋わさびペルオキシダーゼ、アルカリホスファターゼ、またはルシフェラーゼにより酵素的に標識し、そして適切な基質の生産物への変換の測定により酵素標識を検出する。一つの実施態様では、アッセイは、膜結合型のＮＯＶＸタンパク質またはその生物学的に活性な部分を細胞表面に発現する細胞を、ＮＯＶＸに結合する既知の化合物と接触して、アッセイ混合物を形成して、アッセイ混合物を試験化合物と接触し、そして試験化合物が一つのＮＯＶＸタンパク質と相互作用する能力を測定することを含むが、そこでは試験化合物が一つのＮＯＶＸタンパク質と相互作用する能力を測定することは、試験化合物がＮＯＶＸタンパク質またはその生物学的に活性な部分に、既知化合物と比較して優先的に結合する能力を測定することを含む。
【０２００】
もう一つの実施態様では、アッセイは細胞に基づくアッセイであり、膜結合型のＮＯＶＸタンパク質またはその生物学的に活性な部分を細胞表面に発現する細胞を試験化合物と接触し、そして試験化合物がＮＯＶＸタンパク質またはその生物学的に活性な部分の活性を調整する(例えば促進または阻害する)能力を測定することを含む。試験化合物がＮＯＶＸまたはその生物学的に活性な部分の活性を調整する活性を測定することは、例えば、ＮＯＶＸタンパク質が一つのＮＯＶＸの標的分子と結合するかまたは相互作用をする能力を測定することにより達成し得る。本明細書において使用する「標的分子」とは、自然界で一つのＮＯＶＸタンパク質が結合または相互作用する分子、例えば、一つのＮＯＶＸと相互作用するタンパク質を発現する細胞表面の分子、２番目の細胞表面の分子、細胞外の環境中の分子、細胞膜の内側表面と会合している分子または細胞質の分子である。ＮＯＶＸの標的分子は、非ＮＯＶＸ分子または本発明の一つのＮＯＶＸタンパク質またはポリペプチドであり得る。一つの実施態様では、一つのＮＯＶＸの標的分子は、細胞外のシグナル(例えば、膜結合ＮＯＶＸ分子への化合物の結合により発生するシグナル)を細胞膜を通してかつ細胞内への伝達を促進する情報伝達経路の成分である。標的は、例えば、触媒活性を有する２番目の細胞内タンパク質または下流のシグナル分子とＮＯＶＸとの会合を促進するタンパク質であり得る。
【０２０１】
ＮＯＶＸタンパク質を一つのＮＯＶＸの標的分子と結合するかまたは相互作用をする能力を測定することは、直接的な結合を測定する上述の方法の一つにより達成し得る。一つの実施態様では、ＮＯＶＸタンパク質が一つのＮＯＶＸの標的分子と結合または相互作用する能力を測定することは、標的分子の活性を測定することにより達成することができる。例えば、標的分子の活性を、標的の細胞性第二のメッセンジャー(即ち、細胞内Ｃａ２＋、ジアシルグリセロール、ＩＰ３等)の誘導を検出すること、適切な基質に対する標的の触媒／酵素活性を検出すること、受容体遺伝子(検出可能なマーカー、例えば、ルシフェラーゼ、をコードする核酸に機能し得るように結合したＮＯＶＸ応答性調節要素を含む)の誘導を検出すること、または細胞応答、例えば、細胞の生存、細胞の分化、または細胞の増殖、を検出することにより測定し得る。
【０２０２】
なおもう一つの実施態様では、本発明のアッセイは無細胞アッセイであって、一つのＮＯＶＸタンパク質またはその生物学的に活性な部分を試験化合物と接触し、そして試験化合物がＮＯＶＸタンパク質またはその生物学的に活性な部分と結合する能力を測定することを含む。ＮＯＶＸタンパク質への試験化合物の結合を、上述のように、直接的または間接的のどちらかで測定することができる。一つのそのような実施態様では、アッセイは、ＮＯＶＸタンパク質またはその生物学的に活性な部分をＮＯＶＸと結合する既知の化合物と接触して、アッセイ混合物を形成すること、アッセイ混合物を試験化合物と接触すること、および試験化合物が一つのＮＯＶＸタンパク質と相互作用する能力を測定することを含むが、そこでは試験化合物が一つのＮＯＶＸタンパク質と相互作用する能力を測定することは、試験化合物がＮＯＶＸタンパク質またはその生物学的に活性な部分に既知化合物と比較して優先的に結合する能力を測定することを含む。
【０２０３】
なおもう一つの実施態様では、アッセイは、ＮＯＶＸタンパク質またはその生物学的に活性なタンパク質を試験化合物と接触し、そして試験化合物がＮＯＶＸタンパク質またはその生物学的に活性なタンパク質の活性を調整する(例えば促進または阻害する)能力を測定することを含む無細胞アッセイである。ＮＯＶＸの活性を調整する試験化合物の能力を測定することは、例えば、ＮＯＶＸタンパク質が一つのＮＯＶＸの標的分子に結合する活性を直接な結合を測定するために上述した方法の一つにより達成することができる。さらに別の実施態様では、試験化合物がＮＯＶＸタンパク質の活性を調節する能力を測定することは、ＮＯＶＸタンパク質がさらに一つのＮＯＶＸの標的分子を調整する能力を測定することにより達成することができる。例えば、適切な基質に対する標的分子の触媒／酵素活性を上述のように測定することができる。
【０２０４】
なおもう一つの実施態様では、無細胞アッセイは、ＮＯＶＸタンパク質またはその生物学的に活性な部分をＮＯＶＸタンパク質と結合する既知の化合物と接触して、アッセイ混合物を形成すること、アッセイ混合物を試験化合物と接触すること、そして試験化合物がＮＯＶＸタンパク質と相互作用する能力を測定することを含むが、そこでは試験化合物が一つのＮＯＶＸタンパク質と相互作用する能力を測定することは、ＮＯＶＸタンパク質が一つのＮＯＶＸの標的分子に優先的に結合するかまたはその活性を調整する能力を測定することを含む。
【０２０５】
本発明の無細胞アッセイは、可溶性型または膜結合型のＮＯＶＸタンパク質の両方に使用することができる。膜結合型のＮＯＶＸタンパク質を含む無細胞アッセイの場合には、膜結合型のＮＯＶＸタンパク質を溶液中に維持するように、可溶化剤を利用するのが望ましい。そのような可溶化剤の例としては、ｎ−オクチルグルコシド、ｎ−ドデシルグルコシド、ｎ−ドデシルマルトシド、オクタノイル−Ｎ−メチルグルカミド、デカノイル−Ｎ−メチルグルカミド、Ｔｒｉｔｏｎ[登録商標]Ｘ-１００、Ｔｒｉｔｏｎ[登録商標]Ｘ-１１４、Ｔｈｅｓｉｔ[登録商標]、イソトリデシポリ(エチレングリコールエーテル)ｎのような非イオン性界面活性剤、Ｎ−ドデシル−Ｎ,Ｎ−ジメチル−アンモニオ−１−プロパンスルホネート、３−(３−クロルアミドプロピル)ジメチルアミニオール−１−プロパンスルホネート(ＣＨＡＰＳ)、または３−(３−クロルアミドプロピル)ジメチルアミニオール−２ヒドロキシ−１−プロパンスルホネート(ＣＨＡＰＳＯ)を挙げ得る。
【０２０６】
本発明の上記のアッセイ法の二つ以上の実施態様において、ＮＯＶＸタンパク質またはその標的分子を固相化して、一つまたは両方のタンパク質の非複合型から複合型の分離を容易にし、ならびにアッセイの自動化に適合することができる。試験化合物のＮＯＶＸタンパク質への結合、または候補化合物存在下および非存在下でのＮＯＶＸタンパク質と標的分子との相互作用は、反応物質を含有するのに適する任意の容器において達成することができる。そのような容器の例としては、マイクロタイタープレート、試験管、およびマイクロ遠心チューブを挙げ得る。一つの実施態様では、一つまたは両方のタンパク質をマトリックスに結合することを可能にするドメインを付加する融合タンパク質を提供し得る。例えば、ＧＳＴ−ＮＯＶＸ融合タンパク質またはＧＳＴ−標的融合タンパク質をグルタチオンセファローズビーズ(Sigma Chemical, St. Louis, MO)またはグルタチオンで誘導体化したマイクロタイタープレート上に吸着し、これを次いで試験化合物、または試験化合物および非吸着標的タンパク質またはＮＯＶＸタンパク質のどちらかと結合し、そして混合物を複合体形成を促進する条件下で(例えば、塩およびｐＨに関して生理的な条件で)インキュベートする。インキュベーション後、ビーズまたはマイクロタイタープレート穴を洗滌して、非結合成分を全て除去し、ビーズの場合にはマトリックスを固定化し、複合体を例えば上述のように、直接的にまたは間接的に測定する。これに代えて、複合体をマトリックスから解離し、そしてＮＯＶＸタンパク質の結合または活性レベルを標準的技術を用いて測定することもできる。
【０２０７】
マトリックス上にタンパク質を固定化する他の技術をまた、本発明のスクリーニングアッセイに使用し得る。例えば、ＮＯＶＸタンパク質またはその標的分子のいずれかをビオチンおよびストレプトアビジンの結合を利用して固定化することができる。ビオチニル化ＮＯＶＸタンパク質または標的分子をビオチン−ＮＨＳ(Ｎ−ヒドロキシ−サクシンイミド)から当分野内で周知の技術(例えば、ビオチニル化キット、Pierce Chemicals, Rockford, Ill.)を用いて調製して、ストレプトアビジンをコーティングした９６穴プレート(Pierce Chemical)の穴に固定化することができる。これに代えて、ＮＯＶＸタンパク質または標的分子と反応性であるが、ＮＯＶＸタンパク質のその標的タンパク質への結合を妨害しない抗体をプレートの穴に誘導体化して、非結合標的またはＮＯＶＸタンパク質を抗体との結合により穴に捕捉することができる。そのような複合体を検出する方法としては、ＧＳＴ−固定化複合体について上述したものに加えて、ＮＯＶＸタンパク質または標的分子と反応する抗体を用いる複合体の免疫検出、ならびにＮＯＶＸタンパク質または標的分子に関連した酵素活性を検出することに依存する酵素結合アッセイを挙げ得る。
【０２０８】
もう一つの実施態様では、ＮＯＶＸタンパク質発現のモジュレータを、細胞を候補化合物と接触し、細胞中のＮＯＶＸｍＲＮＡまたはタンパク質の発現を測定する方法で同定する。候補化合物の存在下でのＮＯＶＸｍＲＮＡまたはタンパク質の発現レベルを、候補化合物の非存在下でのＮＯＶＸｍＲＮＡまたはタンパク質の発現レベルと比較する。次いで、候補化合物を、この比較に基づいてＮＯＶＸｍＲＮＡまたはタンパク質のモジュレータとして同定し得る。例えば、ＮＯＶＸｍＲＮＡまたはタンパク質の発現を候補化合物の存在下での方がその非存在下でよりも多い(即ち統計的に有意に多い)ときには、候補化合物を、ＮＯＶＸｍＲＮＡまたはタンパク質発現の促進剤として同定する。これに代えて、ＮＯＶＸｍＲＮＡまたはタンパク質の発現が候補化合物の存在下での方がその非存在下でよりも少ない(即ち統計的に有意に少ない)ときには、候補化合物を、ＮＯＶＸｍＲＮＡまたはタンパク質発現の阻害剤として同定する。細胞中のＮＯＶＸｍＲＮＡまたはタンパク質の発現のレベルを、ＮＯＶＸｍＲＮＡまたはタンパク質を検出するために本明細書で説明する方法により測定することができる。
【０２０９】
本発明のなおもう一つの態様では、ＮＯＶＸタンパク質は２ハイブリッドアッセイまたは３ハイブリッドアッセイ(例えば米国特許第5,283,317号、Zervos, et al., 1993. Cell 72: 223-232、Madura, et al., 1993. J. Biol. Chem. 268: 12046-12054、Bartel, et al., 1993. Biotechniques 14: 920-924、Iwabuchi, et al., 1993. Oncogene 8: 1693-1696、および Brent 第ＷＯ９４／１０３００号を参照)おける「ベイトタンパク質」として使用して、ＮＯＶＸと結合または相互作用をしてＮＯＶＸ活性を調整する他のタンパク質(「ＮＯＶＸ結合タンパク質」または「ＮＯＶＸ−ｂｐ」)を同定し得る。そのようなＮＯＶＸ結合タンパク質はまた、例えば、ＮＯＶＸ経路の上流または下流の要素としてＮＯＶＸタンパク質によるシグナルの増幅に関与する可能性が高い。
【０２１０】
２ハイブリッドシステムは、分離可能なＤＮＡ結合および活性化ドメインより成る殆どの転写因子のモジュール構成的性質に基づく。略述すれば、アッセイには２つの異なるＤＮＡ構築物を利用する。１つの構築物においては、ＮＯＶＸをコードする遺伝子を既知の転写因子(例えば、ＧＡＬ−４)のＤＮＡ結合ドメインをコードする遺伝子に融合する。他の構築物においては、未同定のタンパク質(「プレイ」または「試料」)をコードするＤＮＡ配列ライブラリー由来のＤＮＡを、既知の転写因子の活性化ドメインをコードする遺伝子に融合する。もし「ベイト」および「プレイ」タンパク質がインビボで相互作用してＮＯＶＸ依存性複合体を形成することができれば、転写因子のＤＮＡ結合および活性化ドメインを近くに引き寄せ得る。この近接は、転写因子に応答性の転写調節部位に機能し得るように結合したレポーター遺伝子(例えば、ＬａｃＺ)の転写を可能にする。レポーター遺伝子の発現を検出し、機能的転写因子を含有する細胞コロニーを単離し、そしてこれを用いてＮＯＶＸと相互作用するタンパク質をコードするクローン化遺伝子を得ることができる。
本発明はさらに前述のスクリーニングアッセイにより同定する新規薬剤および本明細書に説明する処置へのその使用に関する。
【０２１１】
検出アッセイ
本明細書で同定するｃＤＮＡの一部またはフラグメント(および対応する完全な遺伝子配列)をポリヌクレオチド試薬として種々の方式で使用することができる。例として、限定は無しに、これらの配列を：(i)染色体上のそれぞれの遺伝子をマップし；かくして遺伝的疾患に関連した遺伝子領域の位置を見つける；(ii)微量の生物学的試料から個人を同定する(組織タイピング)；および(iii)生物学的試料の法医学的同定を助けるために用い得る。これらの応用の幾つかを以下のサブセクションで説明する。
【０２１２】
染色体マッピング
一旦遺伝子の配列(または配列の一部)を単離すれば、この配列を用いて、染色体上の遺伝子の位置をマップすることができる。この方法を染色体マッピングと呼ぶ。したがって、配列番号２ｎ−１(ここで、ｎは１〜８６の整数である)であるＮＯＶＸ配列の一部またはフラグメント、またはそれらのフラグメントまたは誘導体を用いて、染色体上のＮＯＶＸ遺伝子の位置をそれぞれマップし得る。染色体へのＮＯＶＸ配列のマッピングは、これらの配列を疾患に関連する遺伝子と相関づける重要な第一歩である。
【０２１３】
略述すれば、ＮＯＶＸ遺伝子を、ＮＯＶＸ配列からＰＣＲプライマー(好ましくは１２−２５ｂｐ長)を調製することにより染色体にマップし得る。ＮＯＶＸ配列のコンピューター分析を使用して、ゲノムＤＮＡ中の二つ以上のエキソンに亘らないで、そのため増幅プロセスを複雑にするプライマーを迅速に選択し得る。次いで、これらのプライマーを、個別のヒト染色体を含有する体細胞ハイブリッドのＰＣＲスクリーニングに使用し得る。ＮＯＶＸ配列に対応するヒト遺伝子を含有するそれらのハイブリッドのが、増幅したフラグメントを生成する。
【０２１４】
体細胞ハイブリッドは、異なる哺乳動物由来の体細胞(例えば、ヒトおよびマウスの細胞)を融合することにより調製する。ヒトおよびマウスの細胞のハイブリッドが増殖し、分裂するうちに、それらはヒト染色体をランダムな順序で徐々に欠失するが、マウスの染色体を保持する。特定の酵素を欠くためマウス細胞は増殖できないが、ヒト細胞は増殖できる培地を用いることにより、必要とする酵素をコードする遺伝子を含有する一つのヒト染色体を保持する。種々の培地を使用することにより、ハイブリッド細胞株のパネルを樹立し得る。パネル中のそれぞれの細胞株は、単一のヒト染色体または少数のヒト染色体、および完全なセットのマウス染色体を含有し、個別の遺伝子を特定のヒト染色体に容易にマップすることを可能にする。例えば、D'Eustachio, et al., 1983. Science 220: 919-924を参照されたい。ヒト染色体のフラグメントのみを含有する体細胞ハイブリッドをまた、転座および欠失を持つヒト染色体を用いることにより生産し得る。
【０２１５】
体細胞ハイブリッドのＰＣＲマッピングは、特定の配列を特定の染色体に対応付ける迅速な手順である。単一のサーマルサイクラーを用いて、１日に３個以上の配列を対応付けることが可能である。ＮＯＶＸ配列を用いてオリゴヌクレオチドプライマーをデザインすることにより、特定の染色体由来のフラグメントのパネルを用いて細かな局在部位の特定化を達成し得る。
【０２１６】
分裂中期の染色体スプレッドへのＤＮＡ配列の蛍光インシツハイブリダイゼーション(ＦＩＳＨ)をさらに用いて、正確な染色体上の位置を１ステップで提供し得る。染色体スプレッドを、コルセミドのような紡錘体を破壊する化学物質により細胞分裂を分裂中期でブロックされている細胞を用いて作成し得る。染色体を短時間トリプシンで処理し、次いでギムザ染色し得る。明暗のバンドのパターンがそれぞれの染色体上に出現し、それにより染色体を個別に同定し得る。ＦＩＳＨ技術を５００または６００塩基と短いＤＮＡ配列で使用し得る。しかしながら、１,０００塩基より大きなクローンは、簡単な検出に十分なシグナル強度で特定の染色体上の位置に結合する可能性がより高い。好ましくは１,０００塩基、そしてさらに好ましくは２,０００塩基が合理的な時間に良好な結果を得るのに十分である。この技術の総説については、Verma, et al., HUMAN CHROMOSOMES: A MANUAL OF BASIC TECHNIQUES (Pergamon Press, New York 1988を参照されたい。
【０２１７】
染色体マッピング用の試薬を個別に使用して、単一の染色体またはその染色体上の単一の部位を標識すること、または試薬のパネルを複数の部位および／または複数の染色体を標識するために使用し得る。遺伝子の非コード化領域に対応する試薬が実際には、マッピングの目的には好ましい。コード化領域を遺伝子ファミリー内で保存する可能性がより高く、かくして染色体マッピングの間に交叉ハイブリダイゼーションのチャンスが増大する。
【０２１８】
一旦配列を正確な染色体上の位置にマッピングすると、染色体上の配列の物理的な位置を遺伝子マップのデータと関連づけ得る。そのようなデータを、例えば、in McKusick, Mendelian Inheritance in Man (Hopkins University Welch Medical Libraryを通してオンラインで入手可能)に見出す。同じ染色体部位にマッピングした遺伝子と疾患との間の関係を、次いで、例えば、Egeland, et al., 1987. Nature, 325: 783-787に記載する関連分析(物理的に隣接している遺伝子の同時遺伝)により同定し得る。
【０２１９】
さらに、ＮＯＶＸ遺伝子に関連した疾患に罹患している個人と罹患していない個人の間のＤＮＡ配列の差を測定し得る。もし変異を罹患している個人のいくらかまたは全部で観察するが、罹患していない個人のいずれでも観察しないならば、変異は特定の疾患の原因剤である可能性が高い。罹患した個人と罹患していない個人の比較は一般的に、まず染色体スプレッドから視認可能な欠失または転座のような染色体の目に見える構造変化、またはそのＤＮＡ配列に基づくＰＣＲの使用で検出可能な構造変化の探索を伴う。最後に、数人の個人由来の遺伝子の完全なシークエンシングを行って、変異の存在を確認し、そして変異を多型性と区別し得る。
【０２２０】
組織タイピング
本発明のＮＯＶＸ配列をまた使用して、微量な生物学的試料から個人を同定し得る。この技術では、個人のゲノムＤＮＡを一つまたはそれ以上の制限酵素で消化して、サザンブロット上でプローブ結合し、同定用のユニークなバンドを生成する。本発明の配列は、ＲＦＬＰ(制限断片長多型、米国特許第５,２７２,０５７号に記載)のさらに別なＤＮＡマーカーとして有用である。
【０２２１】
さらに、本発明の配列を使用して、個人のゲノムの選択した部分の実際の塩基ごとのＤＮＡ配列を測定するさらに別な技術を提供し得る。かくして、本明細書に説明したＮＯＶＸ配列を用いて、配列の５'末端および３'末端から二つののＰＣＲプライマーを調製し得る。次いで、これらのプライマーを用いて、個人のＤＮＡを増幅し、引き続いてこれをシークエンシングし得る。
【０２２２】
それぞれの個人は、対立遺伝子の違いによるそのようなＤＮＡの特徴的セットを有するため、この様式で調製した個人由来の対応するＤＮＡ配列のパネルは、特徴的個人の同定を提供し得る。本発明の配列を使用して、個人および組織由来のそのような同定配列を得ることができる。本発明のＮＯＶＸ配列は、ヒトゲノムの部分を特徴的に表現する。対立遺伝子の変異は、これらの配列のコード化領域中にある程度起こり、そして非コード化領域中にはより大きな程度で起こる。個別のヒト間の対立遺伝子の変異は、５００塩基に約１個の頻度で起こることを推定する。対立遺伝子変異の多くは、制限断片長多型(ＲＦＬＰ)を含む単一ヌクレオチド多型(ＳＮＰ)に因る。
【０２２３】
本明細書に説明する配列のそれぞれを、個人由来のＤＮＡを同定の目的で比較し得る標準として、ある程度、使用し得る。非コード化領域にはより多くの遺伝子多型が起こるため、個人を識別するにはより少ない配列が必要である。非コード化配列は、それぞれが１００塩基の非コード化増幅配列を生じる多分１０〜１,０００個のプライマーのパネルにより個人の明白な同定を無理なく提供し得る。もし配列番号２ｎ−１(ここで、ｎは１〜８６の整数である)の配列のような予想するコード化配列を使用すれば、明白な個人の同定のためのさらに適切なプライマーの数は５００〜２,０００である。
【０２２４】
予防医学
本発明はまた、診断アッセイ、予後アッセイ、薬理ゲノミクス、および臨床試験のモニタリングを予後的(予測的)目的で使用し、それにより個人を予防的に処置する、予測医学の分野に関する。したがって、本発明の１つの態様は、ＮＯＶＸタンパク質および／または核酸の発現ならびにＮＯＶＸ活性を生物学的試料(例えば、血液、血清、細胞、組織)との関連で測定して、それにより個人が異常なＮＯＶＸの発現または活性に関連した疾患または障害に罹患しているか、または障害を発症するリスクを有しているか否かを測定するための診断アッセイに関する。障害としては、代謝障害、糖尿病、肥満、感染性疾患、食欲不振、がん関連悪液質、がん、神経変性障害、アルツハイマー病、パーキンソン病、免疫障害、および造血障害、ならびに種々の異脂肪血症、肥満に伴う代謝障害、代謝性シンドロームＸならびに慢性疾患および種々のがんに関連した消耗性疾患を挙げ得る。本発明はまた、個人がＮＯＶＸタンパク質、核酸の発現または活性に関連した障害を発症するリスクを有しているか否かを測定するための予後的(予測的)アッセイを提供する。例えば、一つのＮＯＶＸ遺伝子の突然変異を生物学的試料中でアッセイし得る。そのようなアッセイを、予後的または予測的目的に使用し、それによりＮＯＶＸタンパク質、核酸の発現または生物学的活性を特徴とするかまたはこれと関連する障害の発生に先立って個人を予防的に処置し得る。
【０２２５】
本発明のもう一つの態様は、個人におけるＮＯＶＸタンパク質、核酸発現または活性を測定し、それによりその個人にとって適切な治療的または予防的な薬剤を選択する方法(本明細書では「薬理ゲノミクス」と呼称する)を提供する。薬理ゲノミクスは、個人の遺伝子型に基づいた個人の治療的または予防的処置のための薬剤(例えば薬)の選択を可能にする(例えば、個人の遺伝子型を検査して、個人が特定の薬剤に応答する能力を測定する)。
【０２２６】
本発明のなおもう一つの態様は、薬剤(例えば、薬、化合物)が臨床試験においてＮＯＶＸの発現または活性に与える影響をモニタリングすることに関する。
これらおよび他の薬剤については以下のセクションで詳細に説明する。
【０２２７】
診断的アッセイ
生物学的試料中におけるＮＯＶＸの存在または非存在を検出する例示的な方法は、被験対象から生物学的試料を得ること、および生物学的試料をＮＯＶＸタンパク質またはＮＯＶＸタンパク質をコードする核酸(例えば、ｍＲＮＡ、ゲノムＤＮＡ)を検出する能力のある化合物または薬剤と接触し、ＮＯＶＸの存在が生物学的試料中で検出できるようにすることを伴う。ＮＯＶＸｍＲＮＡまたはゲノムＤＮＡの検出用の薬剤は、ＮＯＶＸｍＲＮＡまたはゲノムＤＮＡとハイブリダイズする能力のある標識核酸プローブである。核酸プローブは、例えば、配列番号２ｎ−１(ここで、ｎは１〜８６の整数である)の核酸のような全長ＮＯＶＸ核酸、または少なくとも１５、３０、５０、１００、２５０または５００ヌクレオチド長でそして厳密な条件下でＮＯＶＸｍＲＮＡまたはゲノムＤＮＡに特異的にハイブリダイズするのに十分なオリゴヌクレオチドの一部である。本発明の診断的アッセイにおいて使用するための他の適当なプローブを本明細書で説明する。
【０２２８】
ＮＯＶＸタンパク質検出用の薬剤は、ＮＯＶＸタンパク質に結合する能力のある抗体、好ましくは検出可能な標識を持つ抗体である。抗体は、ポリクローナル、またはさらに好ましくはモノクローナルであり得る。完全な抗体、またはそのフラグメント(例えば、ＦａｂまたはＦ(ａｂ')２)を使用し得る。プローブまたは抗体に関する用語「標識」とは、検出可能な物質をプローブまたは抗体にカップリングする(即ち物理的に結合する)ことによりプローブまたは抗体を直接的に標識すること、ならびに直接標識したもう一つの試薬との反応性によりプローブまたは抗体を間接的に標識することを包含する。間接的な標識の例としては、蛍光標識した第２抗体を用いた第１抗体の検出、および蛍光標識したストレブトアビジンで検出し得るように、ビオチンでＤＮＡプローブを末端標識することを挙げ得る。用語「生物学的試料」とは、対象から単離した組織、細胞および生物学的液体、ならびに対象内に存在する組織、細胞および液体を含む。即ち、本発明の検出法を使用して、インビトロおよびインビボで生物学的試料中のＮＯＶＸｍＲＮＡ、タンパク質、またはゲノムＤＮＡを検出し得る。例えば、ＮＯＶＸｍＲＮＡの検出のためのインビトロ技術としては、ノザンハイブリダイゼーションおよびインシツハイブリダイゼーションを挙げ得る。ＮＯＶＸタンパク質を検出するためのインビトロ技術としては、酵素結合免疫測定法(ＥＬＩＳＡ)、ウエスタンブロット、免疫沈降、および免疫蛍光を挙げ得る。ＮＯＶＸゲノムＤＮＡを検出するためのインビトロ技術としては、サザンハイブリダイゼーションを挙げ得る。さらに、ＮＯＶＸタンパク質を検出するためのインビボ技術は、対象中へ標識抗ＮＯＶＸ抗体を導入することを含む。例えば、抗体を、対象中のその存在および位置を標準造影技術で検出し得る放射活性マーカーで標識することができる。
【０２２９】
一つの実施態様では、生物学的試料は被験対象由来のタンパク質分子を含有する。これ代えて、生物学的試料は、被験対象由来のｍＲＮＡ分子または被験対象由来のゲノムＤＮＡ分子を含有し得る。好ましい生物学的試料は、対象より従来の手段で単離した末梢血白血球試料である。
【０２３０】
もう一つの実施態様では、方法は、対照対象から対照の生物学的試料を得ること、対照試料をＮＯＶＸタンパク質、ｍＲＮＡまたはゲノムＤＮＡを検出する能力のある化合物または薬剤と、ＮＯＶＸタンパク質、ｍＲＮＡまたはゲノムＤＮＡの存在を生物学的試料中で検出するように接触すること、および対照試料中のＮＯＶＸタンパク質、ｍＲＮＡまたはゲノムＤＮＡの存在を試験試料中のＮＯＶＸタンパク質、ｍＲＮＡまたはゲノムＤＮＡと比較することをさらに伴う。
【０２３１】
本発明はまた、生物学的試料中のＮＯＶＸの存在を検出するキットを包含する。例えば、キットは：生物学的試料中のＮＯＶＸタンパク質またはｍＲＮＡを検出する能力のある標識化合物または薬剤；試料中のＮＯＶＸの量を測定する手段；および試料中のＮＯＶＸの量を標準と比較する手段を含み得る。化合物および薬剤を適当な容器中に包装し得る。キットは、ＮＯＶＸタンパク質または核酸を検出するキットの使用のための使用説明書をさらに含み得る。
【０２３２】
予後アッセイ
さらに、本明細書に説明する診断方法を利用して、異常ＮＯＶＸの発現または活性に関連した疾患または障害を有するかまたは発症するリスクにある対象を同定し得る。例えば、先行の診断アッセイおよび以下のアッセイのような、本明細書で説明するアッセイを利用して、ＮＯＶＸタンパク質、核酸の発現または活性に関連した障害を有するかまたは発症するリスクにある対象を同定し得る。これに代えて、予後アッセイを利用して、疾患または障害を有するかまたは発症するリスクにある対象を同定し得る。かくして、本発明は、試験試料を対象から得て、そして異常なＮＯＶＸタンパク質または核酸(例えば、ｍＲＮＡ、ゲノムＤＮＡ)を検出する異常なＮＯＶＸの発現または活性に関連した疾患または障害を同定する方法を提供し、そこではＮＯＶＸタンパク質または核酸の存在は、異常なＮＯＶＸの発現または活性に関連した疾患または障害を有するかまたは発症するリスクにある対象に対する診断になる。本明細書において使用する「試験試料」とは、興味のある対象から得られる生物学的試料を指す。例えば、試験試料は生物学的液体(例えば血清)、細胞試料、または組織であり得る。
【０２３３】
さらに、本明細書に説明する予後アッセイを使用して、異常なＮＯＶＸの発現または活性に関連した疾患または障害を処置するために、対象に薬剤(例えばアゴニスト、アンタゴニスト、ペプチドミメティック、タンパク質、ペプチド、核酸、低分子、または他の医薬候補物)を投与することができるか否かを決定し得る。例えば、そのような方法を使用して、対象の疾患を薬剤により有効に処置するか否かを決定し得る。かくして、本発明は、試験試料を得て、ＮＯＶＸタンパク質または核酸を検出する異常なＮＯＶＸの発現または活性に関連した障害を薬剤により対象を有効に処置し得るか否かを決定する方法を提供する(例えば、そこではＮＯＶＸタンパク質または核酸の存在は、異常なＮＯＶＸの発現または活性に関連した障害を処置するために薬剤を投与され得る対象に対する診断になる)。
【０２３４】
本発明の方法をまた使用して一つのＮＯＶＸ遺伝子中の遺伝的損傷を検出し、それにより損傷のある遺伝子を有する対象が異常な細胞増殖および／または分化を特徴とする障害のリスクにあるか否かを決定し得る。種々の実施態様において、これらの方法は、対象由来の細胞試料中において、一つのＮＯＶＸタンパク質をコードする遺伝子の完全性に影響を及ぼす少なくとも一つの変更、即ちＮＯＶＸ遺伝子の誤発現を特徴とする遺伝的損傷の存在または不在の検出を含む。例えば、そのような遺伝的損傷を、(i)一つのＮＯＶＸ遺伝子からの一つまたはそれ以上のヌクレオチドの欠失；(ii)一つのＮＯＶＸ遺伝子への一つまたはそれ以上のヌクレオチドの付加；(iii)一つのＮＯＶＸ遺伝子の一つまたはそれ以上のヌクレオチドの置換、(iv)一つのＮＯＶＸ遺伝子の染色体転座、(v)一つのＮＯＶＸ遺伝子のｍＲＮＡ転写物レベルの変化、(vi)ゲノムＤＮＡのメチル化パターンのような一つのＮＯＶＸ遺伝子の異常修飾、(vii)一つのＮＯＶＸ遺伝子のｍＲＮＡ転写物の非野生型スプライシングパターンの存在、(viii)一つのＮＯＶＸタンパク質の非野生型レベル、(ix)一つのＮＯＶＸ遺伝子の対立遺伝子欠失、および(ｘ)一つのＮＯＶＸタンパク質の不適切な翻訳後修飾の少なくとも一つの存在の確認により検出し得る。本明細書に説明する一つのＮＯＶＸ遺伝子の損傷を検出するために使用し得る当分野において公知の多数のアッセイ技術が存在する。好ましい生物学的試料は、対象から従来の手段で単離した末梢血白血球試料である。しかしながら、例えば、頬粘膜細胞を含む有核細胞を含有する任意の生物学的試料を使用し得る。
【０２３５】
特定の実施態様では、損傷の検出は、アンカーＰＣＲまたはＲＡＣＥ ＰＣＲのようなポリメラーゼ連鎖反応(ＰＣＲ)(例えば米国特許第４,６８３,１９５号および第４,６８３,２０２号を参照)におけるかまたはこれに代えて、連結連鎖反応(ＬＣＲ)(例えば、Landegran, et al., 1988. Science 241: 1077-1080、およびNakazawa, et al., 1994. Proc. Natl. Acad. Sci. USA 91: 360-364を参照)におけるプローブ／プライマーの使用を伴うが、後者はＮＯＶＸ遺伝子中の点突然変異検出に特に有用であり得る(Abravaya, et al., 1995. Nucl. Acids Res. 23: 675-682を参照)。この方法は、患者から細胞試料を集め、試料の細胞から核酸(例えば、ゲノム、ｍＲＮＡまたは両方)を単離し、ＮＯＶＸ遺伝子(もし存在するならば)のハイブリダイゼーションおよび増幅が起きるような条件下で、一つのＮＯＶＸ遺伝子と特異的にハイブリダイズする一つまたはそれ以上のプライマーと核酸試料を接触し、そして増幅産物の存在または不在を検出し、または増幅産物のサイズを検出し、そして対照試料と長さを比較するステップを含み得る。ＰＣＲおよび／またはＬＣＲは、本明細書に説明する変異の検出に使用する任意の技術と一緒に予備的増幅ステップとして使用するのが望ましい。
【０２３６】
さらに別な増幅法としては：自己保持配列複製(Guatelli, et al., 1990. Proc. Natl. Acad. Sci. USA 87: 1874-1878を参照)、転写増幅システム(Kwoh, et al., 1989. Proc. Natl. Acad. Sci. USA 86: 1173-1177を参照); Ｑβレプリカーゼ(Lizardi, et al, 1988. BioTechnology 6: 1197を参照)、または任意の他の核酸増幅法に引き続いて当業者に周知の技術を用いる増幅分子の検出を挙げ得る。これらの検出スキームは、核酸分子がごく少数で存在するならば、そのような分子の検出に特に有用である。
【０２３７】
さらに別の実施態様では、試料細胞由来の一つのＮＯＶＸ遺伝子中の変異を、制限酵素切断パターンの変化により同定し得る。例えば、試料および対照のＤＮＡを単離し、増幅し(任意に)、一つまたはそれ以上の制限エンドヌクレアーゼで処理し、そしてフラグメントのサイズをゲル電気泳動で測定して比較する。試料と対照のＤＮＡ間のフラグメントサイズの差は試料ＤＮＡ中の変異を示す。さらに、配列特異的リボゾーム(例えば、米国特許第５,４９３,５３１号を参照)を使用して、リボゾーム切断部位の発生または消失により特異的な変異の存在を評価し得る。
【０２３８】
他の実施態様では、ＮＯＶＸ中の遺伝的突然変異は、試料および対照の核酸、例えば、ＤＮＡまたはＲＮＡを数百または数千個のオリゴヌクレオチドプローブを含有する高密度アレイにハイブリダイズすることにより同定することができる。例えば、Cronin, et al., 1996. Human Mutation 7: 244-255、Kozal, et al., 1996. Nat. Med. 2: 753-759を参照されたい。例えば、ＮＯＶＸ中の遺伝的変異を、上述のCronin, et al.に記載するように光を発生するＤＮＡプローブを含有する２次元アレイ中で同定し得る。略述すれば、プローブの１番目のハイブリダイゼーションアレイを用いて、試料と対照中の長い一続きのＤＮＡをスキャンして、一連の重なり合うプローブの線形アレイを作成することにより配列間の塩基変化を同定し得る。このステップは点突然変異の同定を可能にする。これに、検出した全ての変種または変異に相補的なさらに小さな特別のプローブアレイを用いることにより特定の変異の特徴化を可能にする２番目のハイブリダイゼーションを行う。それぞれの変異アレイは、一つは野生型遺伝子に相補的で、他は突然変異遺伝子に相補的な並行なプローブのセットから成る。
【０２３９】
なおもう一つの実施態様において、当分野において公知の種々のシークエンシング反応のいずれかを使用してＮＯＶＸ遺伝子を直接にシークエンシングして、試料のＮＯＶＸの配列を対応する野生型(対照)配列と比較することにより変異を検出し得る。シークエンシング反応の例としては、Maxim and Gilbert, 1977. Proc. Natl. Acad. Sci. USA 74: 560またはSanger, 1977. Proc. Natl. Acad. Sci. USA 74: 5463により開発された技術に基づくものを挙げ得る。質量分析によるシークエンシング(例えば、ＰＣＴ国際公開第ＷＯ９４／１６１０１号; Cohen, et al., 1996. Adv. Chromatography 36: 127-162およびGriffin, et al., 1993. Appl. Biochem. Biotechnol. 38: 147-159を参照)を含む種々の自動化シークエンシング方法のいずれも診断アッセイの実施に際して利用され得ることをまた考え得る(例えば、Naeve, et al., 1995. Biotechniques 19: 448を参照)。
【０２４０】
ＮＯＶＸ遺伝子中の変異を検出する他の方法としては、切断剤からの保護を用いてＲＮＡ／ＲＮＡまたはＲＮＡ／ＤＮＡヘテロ二重鎖中のミスマッチ塩基を検出する方法を挙げ得る。例えば、Myers, et al., 1985. Science 230: 1242を参照されたい。一般に、「ミスマッチ切断」の当分野の技術は、野生型ＮＯＶＸ配列を含有する(標識した)ＲＮＡまたはＤＮＡを、組織試料より得た潜在的突然変異体のＲＮＡまたはＤＮＡとハイブリダイズすることにより形成したヘテロ二重鎖を提供することから始まる。二重鎖を、対照および試料の鎖の間の塩基のミスマッチのために存在する二重鎖の単鎖領域を切断する薬剤で処理する。例えば、ＲＮＡ／ＤＮＡ二重鎖をＲＮａｓｅで処理し、ＤＮＡ／ＤＮＡハイブリッドはＳ１ヌクレアーゼで処置し、ミスマッチ領域を酵素的に処理し得る。他の実施態様では、ミスマッチ領域を消化するために、ＤＮＡ／ＤＮＡまたはＲＮＡ／ＤＮＡの二重鎖のどちらかをヒドロキシルアミンまたは四酸化オスミウムおよびピペリジンで処理し得る。ミスマッチ領域の処理の後、得られた材料を次いで変性ポリアクリルアミドゲル上でサイズにより分離して変異の部位を決定する。例えば、Cotton, et al., 1988. Proc. Natl. Acad. Sci. USA 85: 4397、Saleeba, et al., 1992. Methods Enzymol. 217: 286-295を参照されたい。一つの実施態様では、対照のＤＮＡまたはＲＮＡを検出用に標識し得る。
【０２４１】
なおもう一つの実施態様では、ミスマッチ切断反応は、細胞の試料より得られたＮＯＶＸｃＤＮＡ中で点突然変異を検出しマッピングするために、規定したシステム中で二重鎖ＤＮＡ中のミスマッチ塩基対を認識する一つまたはそれ以上のタンパク質(いわゆる「ＤＮＡミスマッチ修復」酵素)を使用する。例えば、E. coliのｍｕｔＹ酵素はＧ／ＡミスマッチのＡを切断し、そしてＨｅＬａ細胞からのチミジンＤＮＡグリコシダーゼはＧ／ＴミスマッチのＴを切断する。例えば、Hsu, et al., 1994. Carcinogenesis 15: 1657-1662を参照されたい。例示的な実施態様によれば、一つのＮＯＶＸ配列、例えば、野生型ＮＯＶＸ配列に基づくプローブを、試験細胞(複数を含む)由来のｃＤＮＡまたは他のＤＮＡ産物とハイブリダイズする。この二重鎖をＤＮＡミスマッチ修復酵素で処理して、切断生産物をもしあれば電気泳動のプロトコール等から検出し得る。例えば、米国特許第５,４５９,０３９号を参照されたい。
【０２４２】
他の実施態様では、電気泳動上の移動度の変化を用いて、ＮＯＶＸ遺伝子の変異を同定する。例えば、単鎖コンフォーメーション多型(ＳＳＣＰ)を使用して、突然変異体および野生型核酸の間の電気泳動移動度の差を検出し得る。例えば、Orita, et al., 1989. Proc. Natl. Acad. Sci. USA: 86: 2766、Cotton, 1993. Mutat. Res. 285: 125-144、Hayashi, 1992. Genet. Anal. Tech. Appl. 9: 73-79を参照されたい。試料および対照のＮＯＶＸ核酸の単鎖ＤＮＡフラグメントを変性し、復元することを可能にする。単鎖核酸の二次構造は配列により異なり、電気泳動上の移動度のそこで得た変化はたとえ１個の塩基変化の検出をも可能にする。ＤＮＡフラグメントを標識プローブで標識または検出し得る。アッセイの感度を、２次構造が配列変化により感受性であるＲＮＡ(ＤＮＡよりもむしろ)を使用することにより増大し得る。一つの実施態様では、主題の方法は、ヘテロ二重鎖分析を利用して、電気泳動の移動度の変化に基づいて二重鎖へテロ二重鎖分子を分離する。例えば、Keen, et al., 1991. Trends Genet. 7: 5を参照されたい。
【０２４３】
なおもう一つの実施態様では、変性剤の勾配を含有するポリアクリルアミドゲル中での突然変異体または野生型フラグメントの移動を、変性濃度勾配ゲル電気泳動(ＤＧＧＥ)を用いてアッセイする。例えば、Myers, et al., 1985. Nature 313: 495を参照されたい。ＤＧＧＥを分析法として使用する際、ＤＮＡを修飾し、例えば、凡そ４０ｂｐの高融点ＧＣ富化ＤＮＡのＧＣクランプをＰＣＲで付加することにより、それが完全に変性しないことを保証する。さらなる実施態様では、変性勾配に代えて温度勾配を使用して、対照および試料のＤＮＡの移動度の差を同定する。例えば、Rosenbaum and Reissner, 1987. Biophys. Chem. 265: 12753を参照されたい。
【０２４４】
点突然変異を検出するための他の技術の例として、選択的オリゴヌクレオチドハイブリダイゼーション、選択的増幅、または選択的プライマー伸長を挙げ得るが、これらに限定しない。例えば、既知の変異を中央に置いたオリゴヌクレオチドプライマーを調製し、次いで完全なマッチが見られる場合にのみハイブリダイゼーションを認める条件下で、標的ＤＮＡとハイブリダイズする。例えば、Saiki, et al., 1986. Nature 324: 163、Saiki, et al., 1989. Proc. Natl. Acad. Sci. USA 86: 6230を参照されたい。オリゴヌクレオチドをハイブリダイズ用膜に付着して、標識した標的ＤＮＡとハイブリダイズする際、そのような対立遺伝子特異的オリゴヌクレオチドは、ＰＣＲ増幅した標的ＤＮＡまたは多数の異なる突然変異体とハイブリダイズする。
【０２４５】
これに代えて、選択的ＰＣＲ増幅に基づく対立遺伝子特異的増幅技術を本発明と一緒に使用し得る。特異的増幅のためのプライマーとして使用するオリゴヌクレオチドは、興味のある変異を分子の中央で(増幅がディファレンシャルハイブリダイゼーションに依存するように；例えば、Gibbs, et al., 1989. Nucl. Acids Res. 17: 2437-2448を参照)または適切な条件下で、ミスマッチがポリメラーゼ伸長を阻止または低減できる(例えば、Prossner, 1993. Tibtech. 11: 238を参照)一つのプライマーの３'最末端において保持していてもよい。加えて、切断に基づく検出を創成するために、変異の領域に新規制限部位を導入するのが望ましい。例えば、Gasparini, et al., 1992. Mol. Cell Probes 6: 1を参照されたい。特定の実施態様では、増幅はまた、増幅のためのＴａｑリガーゼを使用して実施され得ることを予想する。例えば、Barany, 1991. Proc. Natl. Acad. Sci. USA 88: 189を参照されたい。このような場合には、５'末端配列の３'末端に完全なマッチがある場合にのみ連結が起こり、増幅の存在または不在を調べることにより特定の部位における既知の変異の存在を検出することを可能にする。
【０２４６】
本明細書に説明する方法を、例えば、本明細書に説明する少なくとも１つのプローブ核酸または抗体試薬を含むプレパック診断キットを利用することにより実施し得る。これを、例えば、臨床の場においてＮＯＶＸ遺伝子の関与する疾患または疾病の症状を示すかまたは家族歴のある患者を診断するのに簡便に使用し得る。
【０２４７】
さらに、ＮＯＶＸを発現する任意の細胞タイプまたは組織、好ましくは末梢血白血球を本明細書に説明した予後アッセイに利用し得る。しかしながら、例えば、頬粘膜細胞の有核細胞を含む任意の生物学的試料を使用し得る。
【０２４８】
薬理ゲノミクス
本明細書に説明したスクリーニングアッセイにより同定するようなＮＯＶＸ活性(例えば、ＮＯＶＸ遺伝子発現)に促進的または阻害的効果を有する薬剤またはモジュレータを個人に投与し、障害(障害としては、代謝障害、糖尿病、肥満、感染性疾患、食欲不振、がん関連悪液質、がん、神経変性障害、アルツハイマー病、パーキンソン病、免疫障害、および造血障害、ならびに種々の異脂肪血症、肥満に伴う代謝障害、代謝性シンドロームＸならびに慢性疾患および種々のがんに関連した消耗性疾患を挙げ得る)を(予防的にまたは治療的に)処置することができる。そのような処置と一緒に、個人の薬理ゲノミクス(即ち、個人の遺伝子型および外来性化合物または薬に対するその個人の応答との間の関係の研究)を考慮し得る。治療薬の代謝の差は、薬理学的に活性な薬の用量と血中濃度の関係を変えることにより、重症の毒性または治療の失敗をもたらし得る。かくして、個人の薬理ゲノミクスは、個人の遺伝子型の考慮に基く予防的または治療的処置ための有効な薬剤(例えば薬)の選択を許容する。そのような薬理ゲノミクスをさらに用いて、適切な投与量および治療方法を決定し得る。したがって、個人のＮＯＶＸタンパク質の活性、ＮＯＶＸ核酸の発現、またはＮＯＶＸ遺伝子の変異の含量を測定し、それにより個人の治療的処置または予防的処置に適切な薬剤(複数を含む)を選択し得る。
【０２４９】
薬理ゲノミクスは、罹患した人における変化した薬剤分布および異常な作用に因る薬への応答における臨床的に有意な遺伝的変異を取り扱う。例えば、Eichelbaum, 1996. Clin. Exp. Pharmacol. Physiol., 23: 983-985; Linder, 1997. Clin. Chem., 43: 254-266を参照されたい。一般に、二つのタイプの薬理遺伝学的異常を区別し得る。薬が身体に作用する方式を変える単一の因子として伝達する遺伝的異常(変化した薬剤作用)または身体が薬に作用する方式を変える単一因子として伝達する遺伝的異常(変化した薬物代謝)がある。これらの薬理遺伝学的異常は、稀な欠陥または多型性のどちらかとして生じ得る。例えば、グルコース−６−リン酸脱水素酵素(Ｇ６ＰＤ)欠乏症は、よくみられる遺伝性酵素異常症であり、そこでは主な臨床的合併症は、酸化剤の薬(抗マラリア剤、スルホンアミド剤、鎮痛剤、ニトロフラン類)摂取後またはソラマメ摂食後の溶血である。
【０２５０】
例示的実施態様として、薬の代謝酵素の活性は、薬の作用の強度および持続の両者の主たる決定因子である。薬の代謝酵素の遺伝的多型性(例えば、Ｎ−アセチルトランスフェラーゼ２(ＮＡＴ２)ならびにチトクローム妊娠帯前駆タンパク質酵素のＣＹＰ２Ｄ６およびＣＹＰ２Ｃ１９)の発見は、なぜ或る患者は標準かつ安全用量の薬物摂取後に期待した薬の効果を得られないかまたは過大な薬の応答および重篤な毒性を示すのかについての説明を提供する。これらの多型性を、人口集団で高代謝群(ＥＭ)および低代謝群(ＰＭ)の２つの表現型で表現する。ＰＭの存在比率は異なる集団間で異なる。例えば、ＣＹＰ２Ｄ６をコードする遺伝子は高度に多型性で、そして幾つかの変異が、機能的なＣＹＰ２Ｄ６の不在をもたらすＰＭを同定する。ＣＹＰ２Ｄ６およびＣＹＰ２Ｃ１９の低代謝群は、標準的な用量の投与を受けた際、極めて頻繁に過剰な薬の応答および副作用を経験する。代謝物が活性な治療成分であるならば、ＣＹＰ２Ｄ６が生成する代謝物モルヒネにより仲介するコデインの鎮痛作用について実証するように、ＰＭは治療応答を示さない。それと全く正反対なのが、標準の用量に応答しないいわゆる超高速代謝群である。最近、超高速代謝群の分子的根拠をＣＹＰ２Ｄ６遺伝子増幅に因ると確認した。
【０２５１】
従って、個人のＮＯＶＸタンパク質の活性、ＮＯＶＸ核酸の発現、またはＮＯＶＸ遺伝子の変異含量を測定し、それにより個人の治療的処置または予防的処置のために適切な薬剤(複数を含む)を選択し得る。加えて、薬理遺伝学的研究を用いて、薬の代謝酵素をコードする遺伝子多型の対立遺伝子の遺伝子型決定を、個人の薬の応答性の表現型の同定に応用し得る。この知識を投与量および薬の選択に応用する際、本明細書で説明する例示的スクリーニングアッセイの一つにより同定したモジュレータのようなＮＯＶＸモジュレータで対象を処置する際に、有害作用または治療失敗を避け、かくして治療的または予防的効率を増強し得る。
【０２５２】
臨床試験の作用モニタリング
ＮＯＶＸの発現または活性(例えば、異常な細胞増殖および／または分化を調整する活性)に対する薬剤(例えば、薬、化合物)の影響をモニタリングすることは、基礎的な薬のスクリーニングに応用できるだけでなく、また臨床試験にも応用できる。例えば、本明細書に説明したようにスクリーニングアッセイにより、ＮＯＶＸ遺伝子発現、タンパク質レベルを増加し、またはＮＯＶＸ活性を上方調節すると決定した薬剤の有効性を、低下したＮＯＶＸ遺伝子発現、タンパク質レベル、または下方制御されたＮＯＶＸ活性を示す対象の臨床試験でモニターし得る。これに代えて、ＮＯＶＸ遺伝子発現、タンパク質レベルを減少し、またはＮＯＶＸ活性を下方調節すると決定した薬剤の有効性を、増加したＮＯＶＸ遺伝子発現、タンパク質レベル、または上方制御したＮＯＶＸ活性を示す対象の臨床試験でモニターし得る。そのような臨床試験において、ＮＯＶＸ、および、好ましくは、例えば、細胞増殖または免疫障害に関係する他の遺伝子の発現または活性を、特定の細胞の免疫応答性の「読み出し」またはマーカーとして使用し得る。
【０２５３】
限定しない例として、ＮＯＶＸ活性(例えば、本明細書で説明するスクリーニングアッセイで同定する)を調整する薬剤(例えば、化合物、薬または低分子)を用いた処置により細胞中で調整するＮＯＶＸを含む遺伝子を同定し得る。従って、細胞増殖障害に対する薬剤の効果を、例えば、臨床試験において検討するために、細胞を単離してＲＮＡを調製し、そして障害に関連すると思うＮＯＶＸおよび他の遺伝子の発現レベルを分析し得る。遺伝子発現レベル(即ち、遺伝子発現パターン)を、本明細書に説明するようにノザンブロット分析またはＲＴ−ＰＣＲにより、またはこれに代えて本明細書で説明する方法の一つにより生産したタンパク質の量を測定することにより、またはＮＯＶＸまたは他の遺伝子の活性レベルを測定することにより、定量することができる。この様式においては、遺伝子発現パターンは、薬剤に対する細胞の生理学的応答を示すマーカーとしての役割を果たす。したがって、薬剤による個人の処置の前および処置中の種々の時点で、この応答状態を測定し得る。
【０２５４】
一つの実施態様において、本発明は、薬剤(例えば、アゴニスト、アンタゴニスト、タンパク質、ペプチド、ペプチドミメティック、核酸、低分子、または本明細書で説明するスクリーニングアッセイで同定した他の薬候補物)で対象を処置することの有効性をモニターする方法を提供し、その方法は、(i)薬剤投与前に対象から投与前試料を得て、(ii)投与前試料中のＮＯＶＸタンパク質、ｍＲＮＡ、またはゲノムＤＮＡの発現レベルを検出し、(iii)対象から一つまたはそれ以上の投与後の試料を得て、(iv)投与後の試料中のＮＯＶＸタンパク質、ｍＲＮＡ、またはゲノムＤＮＡの発現または活性レベルを検出し、(v)投与前の試料中のＮＯＶＸタンパク質、ｍＲＮＡ、またはゲノムＤＮＡの発現または活性レベルを投与後のひとつまたは複数の試料中のＮＯＶＸタンパク質、ｍＲＮＡ、またはゲノムＤＮＡと比較し、そして(vi)それにしたがって対象への薬剤の投与を変更するステップを含む。例えば、ＮＯＶＸの発現または活性を検出したより高レベルに増加するためには、即ち、薬剤の有効性を増加するためには、薬剤の増加した投与が望ましい。これに代えて、ＮＯＶＸの発現または活性を検出したより低レベルに減少する、即ち、薬剤の有効性を減少するためには、薬剤の減少した投与が望ましい。
【０２５５】
処置方法
本発明は、異常なＮＯＶＸの発現または活性に関連した疾患のリスクにある(罹りやすい)かまたは疾患を有する対象を処置する予防的方法および治療的方法の両方を提供する。疾患としては、心筋症、アテローム性動脈硬化症、高血圧、先天性心疾患、大動脈弁狭窄、心房中隔欠損症(ＡＳＤ)、房室(Ａ−Ｖ)管欠損、動脈管、肺動脈弁狭窄、大動脈弁下部狭窄、心室中隔欠損症(ＶＳＤ)、弁疾患、結節硬化症、強皮症、肥満、移植、副腎白質萎縮症、先天性副腎過形成、前立腺がん、新生物、腺がん、リンパ腫、子宮がん、受胎能、血友病、凝固性亢進、特発性血小板減少性紫斑病、免疫不全症、移植片対宿主病、ＡＩＤＳ、気管支喘息、クローン病；多発性硬化症、アルブライト遺伝性骨ジストロフィーの処置ならびに類似の他の疾患、障害および異常を挙げ得る。
これらの処置法を以下にさらに詳細に考察する。
【０２５６】
疾患および障害
増加したレベル(疾患または障害に罹患していない対象と比べて)または生物学的活性を特徴とする疾患および障害を、活性に拮抗する(即ち、低下するかまたは阻害する)治療薬で処置し得る。活性に拮抗する治療薬を、治療的様式または予防的様式で投与し得る。利用し得る治療薬としては、(i)前述のペプチド、またはその類似体、誘導体、フラグメントまたは相同体；(ii)前述のペプチドに対する抗体；(iii)前述のペプチドをコードする核酸；(iv)アンチセンス核酸および前述のペプチドの内在的機能を相同組換えにより「ノックアウト」するのに使用する「機能障害性」である核酸(即ち、前述のペプチドに対するコード化配列のコード化配列内への非相同的挿入に因る)の投与(例えば、Capecchi, 1989. Science 244: 1288-1292を参照)；または(v)前述のペプチドおよびその結合相手との相互作用を変化するモジュレータ(即ち、本発明のさらに別なペプチドのミメティックまたは本発明のペプチドに特異的な抗体を含む阻害剤、アゴニスト、アンタゴニスト)を挙げ得るが、これらに限定しない。
【０２５７】
減少したレベル(疾患または障害に罹患していない対象と比べて)または生物学的活性を特徴とする疾患および障害を、活性を増加する(即ち、アゴニストである)治療薬で処置し得る。活性を上方制御する治療薬を、治療的様式または予防的様式で投与し得る。利用し得る治療薬としては、前述のペプチド、またはその類似体、誘導体、フラグメント、または相同体；またはバイオアベイラビリティーを増加するアゴニストを挙げ得るが、これらに限定しない。
【０２５８】
増加または減少したレベルを、患者の組織試料(例えば、生検組織から)を得て、インビトロでＲＮＡまたはペプチドのレベル、発現したペプチド(または前述のペプチドのｍＲＮＡ)の構造および／または活性をアッセイすることにより、ペプチドおよび／またはＲＮＡを定量することにより容易に検出し得る。当分野内で周知の方法としては、イムノアッセイ(例えば、ウエスタンブロット分析、免疫沈降とそれに引き続くドデシル硫酸ナトリウム(ＳＤＳ)ポリアクリルアミドゲル電気泳動、免疫細胞化学、等)および／またはｍＲＮＡ発現を検出するためのハイブリダイゼーションアッセイ(例えば、ノザンアッセイ、ドットブロット、インシツハイブリダイゼーション、等)を挙げ得るが、これらに限定しない。
【０２５９】
予防的方法
一つの態様では、異常なＮＯＶＸ発現または少なくとも一つのＮＯＶＸ活性を調整する薬剤を対象に投与することにより、本発明は、異常なＮＯＶＸの発現または活性に関連した疾患または異常を、対象において予防する方法を提供する。異常なＮＯＶＸの発現または活性が原因または一因となって生じる疾患のリスクを有する対象を、例えば、本明細書で説明するように診断的アッセイまたは予後的アッセイのいずれかまたはそれらの組合せによって同定し得る。疾患または障害を予防し、または、これに代えて、その進行を遅らせるようにＮＯＶＸ異常に特徴的な症状の出現に先立って予防的薬剤の投与を行い得る。ＮＯＶＸ異常のタイプに依存して、例えば、一つのＮＯＶＸアゴニストまたはＮＯＶＸアンタゴニストである薬剤を対象の処置に使用し得る。適切な薬剤を、本明細書で説明するスクリーニング法に基づいて決定することができる。本発明の予防的方法をさらに以下のサブセクションで考察する。
【０２６０】
治療的方法
本発明のもう一つの態様は、治療目的のためにＮＯＶＸの発現または活性を調整する方法に関する。本発明の調整方法は、細胞を細胞に関連するＮＯＶＸタンパク質活性の一つまたはそれ以上の活性を調整する薬剤と接触することを含む。ＮＯＶＸタンパク質活性を調整する薬剤は、核酸またはタンパク質、一つのＮＯＶＸタンパク質の天然に存在する同属のリガンド、ペプチド、一つのＮＯＶＸペプチドミメティック、または低分子のような本明細書に説明する薬剤であり得る。一つの実施態様では、薬剤は一つまたはそれ以上のＮＯＶＸタンパク質活性を促進する。そのような促進的薬剤の例としては、活性なＮＯＶＸタンパク質および細胞中に導入したＮＯＶＸをコードする核酸分子を挙げ得る。もう一つの実施態様では、薬剤は一つまたはそれ以上のＮＯＶＸタンパク質活性を阻害する。そのような阻害的薬剤の例としては、アンチセンスＮＯＶＸ核酸分子および抗−ＮＯＶＸ抗体を挙げ得る。これらの調整方法は、インビトロで(例えば、細胞を薬剤と共に培養することにより)または、これに代えて、インビボで(例えば、薬剤を対象に投与することにより)実施し得る。このように、本発明は一つのＮＯＶＸタンパク質または核酸分子の異常な発現または活性を特徴とする疾患または障害に罹患した個人を処置する方法を提供する。一つの実施態様では、その方法は、薬剤(例えば、本明細書で説明するスクリーニングアッセイで同定した薬剤)またはＮＯＶＸの発現または活性を調整する(例えば、上方制御または下方制御する)薬剤の組合せを投与することを伴う。もう一つの実施態様では、その方法は減少または異常なＮＯＶＸの発現または活性を補償するための治療として一つのＮＯＶＸタンパク質または核酸分子を投与することを伴う。
【０２６１】
ＮＯＶＸが異常に下方制御されているかおよび／または増加したＮＯＶＸ活性が有益な効果を有すると思われる状況では、ＮＯＶＸ活性を促進することが望ましい。そのような状況の一つの例は、対象が異常な細胞増殖および／または分化(例えば、がんまたは免疫関連疾患)を特徴とする障害を有する場合である。そのような状況のもう一つの例は、対象が妊娠性疾患(例えば、子癇前症)を有する場合である。
【０２６２】
治療薬の生物学的効果の測定
本発明の種々の実施態様において、適切なインビトロまたはインビボアッセイを実施して、特定の治療薬の効果およびその投与を罹患している組織の処置に適応があるか否かを決定する。
【０２６３】
種々の特定の実施態様において、患者の障害に関与する代表的なタイプ(複数を含む)の細胞についてインビトロアッセイを実施して、投与した治療薬が細胞タイプに所望の効果を発揮するかどうかを測定し得る。治療に使用する化合物を、ヒト対象での試験に先立って、ラット、マウス、ニワトリ、ウシ、サル、ウサギ等を限定することなく含む適切な動物モデルシステムで試験し得る。同様に、インビボ試験でも、ヒト対象への投与に先立って、当分野において公知の動物モデルシステムのいずれかを使用し得る。
【０２６４】
本発明の組成物の予防的使用および治療的使用
本発明のＮＯＶＸ核酸およびタンパク質は：代謝性障害、糖尿病、肥満、感染性疾患、食欲不振、癌関連、神経変性障害、アルツハイマー病、パーキンソン病、免疫障害、造血障害、ならびに種々の異脂肪血症、肥満に伴う代謝障害、代謝性シンドロームＸならびに慢性疾患および種々のがんに関連した消耗性疾患を限定することなく、含み、種々の障害に関連する潜在的で予防的応用および治療的応用に有用である。
【０２６５】
例として、本発明のＮＯＶＸタンパク質をコードするｃＤＮＡは、遺伝子治療に有用であり得、そしてタンパク質は、それを必要とする対象に投与する際に有用であり得る。非限定的な例として、本発明の組成物は、代謝性疾患、糖尿病、肥満、感染性疾患、食欲不振、がん関連悪液質、がん、神経変性障害、アルツハイマー病、パーキンソン病、免疫障害、造血障害、および種々の異脂肪血症：に罹患した患者の処置に効果を有するであろう。
【０２６６】
ＮＯＶＸタンパク質をコードする新規核酸、および本発明のＮＯＶＸタンパク質の両方、またはそれらのフラグメントはまた、核酸またはタンパク質の存在または量を評価する診断的応用にも有用であり得る。さらなる使用は、抗細菌分子(即ち、或るペプチドは抗細菌的性質を有することが見出されている)としてであるかもしれない。これらの物質は、治療的または診断的方法に使用するための本発明の新規物質に免疫特異的に結合する抗体の作成にさらに有用である。
本発明を以下の実施例にさらに説明するが、これらは請求項に説明する本発明の範囲を制限するものではない。
【０２６７】
実施例１
ＮＯＶ１クローンを解析した。ヌクレオチドと予測されるポリペプチド配列を表１Ａに示す。
【表４】
2005505247.tif 000005
【０２６８】
表１Ａの続き
【表５】
2005505247.tif 000006
【０２６９】
上記タンパク質配列の配列比較により、表１Ｂに示す以下の配列の関係が得られた。
【表６】
2005505247.tif 000007
【０２７０】
ＮＯＶ１ａタンパク質のさらなる解析により、表１Ｃに示す以下の特性が得られた。
【表７】
2005505247.tif 000008
【０２７１】
特許および特許公報で刊行された配列を含む所有権データベースであるＧｅｎｅｓｅｑデータベースにおけるＮＯＶ１ａタンパク質の検索により、表１Ｄに示すいくつかの相同タンパク質が得られた。
【表８】
2005505247.tif 000009
【０２７２】
公開配列データベースのＢＬＡＳＲＴ検索において、ＮＯＶ１ａタンパク質は、表１ＥのＢＬＡＳＲＴＰデータに示すタンパク質と相同性を有すると判明した。
【表９】
2005505247.tif 000010
【０２７３】
ＰＦａｍ解析により、ＮＯＶ１ａタンパク質は表１Ｆに示すドメインを含有すると予想された。
【表１０】
2005505247.tif 000011
【０２７４】
実施例２
ＮＯＶ２クローンを解析した。ヌクレオチドと予測されるポリペプチド配列をに示す。
【表１１】
2005505247.tif 000012
【０２７５】
表２Ａの続き
【表１２】
2005505247.tif 000013
【０２７６】
上記タンパク質配列の配列比較により、表２Ｂに示す以下の配列の関係が得られた。
【表１３】
2005505247.tif 000014
【０２７７】
ＮＯＶ２ａタンパク質のさらなる解析により、表２Ｃに示す以下の特性が得られた。
【表１４】
2005505247.tif 000015
【０２７８】
特許および特許公報で刊行された配列を含む所有権データベースであるＧｅｎｅｓｅｑデータベースにおけるＮＯＶ２ａタンパク質の検索により、表２Ｄに示すいくつかの相同タンパク質が得られた。
【表１５】
2005505247.tif 000016
【０２７９】
公開配列データベースのＢＬＡＳＲＴ検索において、ＮＯＶ２ａタンパク質は、表２ＥのＢＬＡＳＲＴＰデータに示すタンパク質と相同性を有すると判明した。
【表１６】
2005505247.tif 000017
【０２８０】
ＰＦａｍ解析により、ＮＯＶ２ａタンパク質は表２Ｆに示すドメインを含有すると予想された。
【表１７】
2005505247.tif 000018
【０２８１】
実施例３
ＮＯＶ３クローンを解析した。ヌクレオチドと予測されるポリペプチド配列を表３Ａに示す。
【表１８】
2005505247.tif 000019
【０２８２】
ＮＯＶ３ａタンパク質のさらなる解析により、表３Ｂに示す以下の特性が得られた。
【表１９】
2005505247.tif 000020
【０２８３】
特許および特許公報で刊行された配列を含む所有権データベースであるＧｅｎｅｓｅｑデータベースにおけるＮＯＶ３ａタンパク質の検索により、表３Ｃに示すいくつかの相同タンパク質が得られた。
【表２０】
2005505247.tif 000021
【０２８４】
公開配列データベースのＢＬＡＳＲＴ検索において、ＮＯＶ３ａタンパク質は、表３ＤのＢＬＡＳＲＴＰデータに示すタンパク質と相同性を有すると判明した。
【表２１】
2005505247.tif 000022
【０２８５】
ＰＦａｍ解析により、ＮＯＶ３ａタンパク質は表３Ｅに示すドメインを含有すると予想された。
【表２２】
2005505247.tif 000023
【０２８６】
実施例４
ＮＯＶ４クローンを解析した。ヌクレオチドと予測されるポリペプチド配列を表４Ａに示す。
【表２３】
2005505247.tif 000024
【０２８７】
上記タンパク質配列の配列比較により、表４Ｂに示す以下の配列の関係が得られた。
【表２４】
2005505247.tif 000025
【０２８８】
ＮＯＶ４ａタンパク質のさらなる解析により、表４Ｃに示す以下の特性が得られた。
【表２５】
2005505247.tif 000026
【０２８９】
特許および特許公報で刊行された配列を含む所有権データベースであるＧｅｎｅｓｅｑデータベースにおけるＮＯＶ４ａタンパク質の検索により、表４Ｄに示すいくつかの相同タンパク質が得られた。
【表２６】
2005505247.tif 000027
【０２９０】
公開配列データベースのＢＬＡＳＲＴ検索において、ＮＯＶ４ａタンパク質は、表４ＥのＢＬＡＳＲＴＰデータに示すタンパク質と相同性を有すると判明した。
【表２７】
2005505247.tif 000028
【０２９１】
ＰＦａｍ解析により、ＮＯＶ４ａタンパク質は表４Ｆに示すドメインを含有すると予想された。
【表２８】
2005505247.tif 000029
【０２９２】
実施例５
ＮＯＶ５クローンを解析した。ヌクレオチドと予測されるポリペプチド配列を表５Ａに示す。
【表２９】
2005505247.tif 000030
【０２９３】
ＮＯＶ５ａタンパク質のさらなる解析により、表５Ｂに示す以下の特性が得られた。
【表３０】
2005505247.tif 000031
【０２９４】
特許および特許公報で刊行された配列を含む所有権データベースであるＧｅｎｅｓｅｑデータベースにおけるＮＯＶ５ａタンパク質の検索により、表５Ｃに示すいくつかの相同タンパク質が得られた。
【表３１】
2005505247.tif 000032
【０２９５】
公開配列データベースのＢＬＡＳＲＴ検索において、ＮＯＶ５ａタンパク質は、表５ＤのＢＬＡＳＲＴＰデータに示すタンパク質と相同性を有すると判明した。
【表３２】
2005505247.tif 000033
【０２９６】
ＰＦａｍ解析により、ＮＯＶ５ａタンパク質は表５Ｅに示すドメインを含有すると予想された。
【表３３】
2005505247.tif 000034
【０２９７】
実施例６
ＮＯＶ６クローンを解析した。ヌクレオチドと予測されるポリペプチド配列を表６Ａに示す。
【表３４】
2005505247.tif 000035
【０２９８】
ＮＯＶ６ａタンパク質のさらなる解析により、表６Ｂに示す以下の特性が得られた。
【表３５】
2005505247.tif 000036
【０２９９】
特許および特許公報で刊行された配列を含む所有権データベースであるＧｅｎｅｓｅｑデータベースにおけるＮＯＶ６ａタンパク質の検索により、表６Ｃに示すいくつかの相同タンパク質が得られた。
【表３６】
2005505247.tif 000037
【０３００】
公開配列データベースのＢＬＡＳＲＴ検索において、ＮＯＶ６ａタンパク質は、表６ＤのＢＬＡＳＲＴＰデータに示すタンパク質と相同性を有すると判明した。
【表３７】
2005505247.tif 000038
【０３０１】
ＰＦａｍ解析により、ＮＯＶ６ａタンパク質は表６Ｅに示すドメインを含有すると予想された。
【表３８】
2005505247.tif 000039
【０３０２】
実施例７
ＮＯＶ７クローンを解析した。ヌクレオチドと予測されるポリペプチド配列を表７Ａに示す。
【表３９】
2005505247.tif 000040
【０３０３】
ＮＯＶ７ａタンパク質のさらなる解析により、表７Ｂに示す以下の特性が得られた。
【表４０】
2005505247.tif 000041
【０３０４】
特許および特許公報で刊行された配列を含む所有権データベースであるＧｅｎｅｓｅｑデータベースにおけるＮＯＶ７ａタンパク質の検索により、表７Ｃに示すいくつかの相同タンパク質が得られた。
【表４１】
2005505247.tif 000042
【０３０５】
公開配列データベースのＢＬＡＳＲＴ検索において、ＮＯＶ７ａタンパク質は、表７ＤのＢＬＡＳＲＴＰデータに示すタンパク質と相同性を有すると判明した。
【表４２】
2005505247.tif 000043
【０３０６】
ＰＦａｍ解析により、ＮＯＶ７ａタンパク質は表７Ｅに示すドメインを含有すると予想された。
【表４３】
2005505247.tif 000044
【０３０７】
実施例８
ＮＯＶ８クローンを解析した。ヌクレオチドと予測されるポリペプチド配列を表８Ａに示す。
【表４４】
2005505247.tif 000045
【０３０８】
上記タンパク質配列の配列比較により、表８Ｂに示す以下の配列の関係が得られた。
【表４５】
2005505247.tif 000046
【０３０９】
ＮＯＶ８ａタンパク質のさらなる解析により、表８Ｃに示す以下の特性が得られた。
【表４６】
2005505247.tif 000047
【０３１０】
特許および特許公報で刊行された配列を含む所有権データベースであるＧｅｎｅｓｅｑデータベースにおけるＮＯＶ８ａタンパク質の検索により、表８Ｄに示すいくつかの相同タンパク質が得られた。
【表４７】
2005505247.tif 000048
【０３１１】
公開配列データベースのＢＬＡＳＲＴ検索において、ＮＯＶ８ａタンパク質は、表８ＥのＢＬＡＳＲＴＰデータに示すタンパク質と相同性を有すると判明した。
【表４８】
2005505247.tif 000049
【０３１２】
ＰＦａｍ解析により、ＮＯＶ８ａタンパク質は表８Ｆに示すドメインを含有すると予想された。
【表４９】
2005505247.tif 000050
【０３１３】
実施例９
ＮＯＶ９クローンを解析した。ヌクレオチドと予測されるポリペプチド配列を表９Ａに示す。
【表５０】
2005505247.tif 000051
【０３１４】
ＮＯＶ９ａタンパク質のさらなる解析により、表９Ｂに示す以下の特性が得られた。
【表５１】
2005505247.tif 000052
【０３１５】
特許および特許公報で刊行された配列を含む所有権データベースであるＧｅｎｅｓｅｑデータベースにおけるＮＯＶ９ａタンパク質の検索により、表９Ｃに示すいくつかの相同タンパク質が得られた。
【表５２】
2005505247.tif 000053
【０３１６】
公開配列データベースのＢＬＡＳＲＴ検索において、ＮＯＶ９ａタンパク質は、表９ＤのＢＬＡＳＲＴＰデータに示すタンパク質と相同性を有すると判明した。
【表５３】
2005505247.tif 000054
【０３１７】
ＰＦａｍ解析により、ＮＯＶ９ａタンパク質は表９Ｅに示すドメインを含有すると予想された。
【表５４】
2005505247.tif 000055
【０３１８】
実施例１０
ＮＯＶ１０クローンを解析した。ヌクレオチドと予測されるポリペプチド配列を表１０Ａに示す。
【表５５】
2005505247.tif 000056
【０３１９】
ＮＯＶ１０ａタンパク質のさらなる解析により、表１０Ｂに示す以下の特性が得られた。
【表５６】
2005505247.tif 000057
【０３２０】
特許および特許公報で刊行された配列を含む所有権データベースであるＧｅｎｅｓｅｑデータベースにおけるＮＯＶ１０ａタンパク質の検索により、表１０Ｃに示すいくつかの相同タンパク質が得られた。
【表５７】
2005505247.tif 000058
【０３２１】
公開配列データベースのＢＬＡＳＲＴ検索において、ＮＯＶ１０ａタンパク質は、表１０ＤのＢＬＡＳＲＴＰデータに示すタンパク質と相同性を有すると判明した。
【表５８】
2005505247.tif 000059
【０３２２】
ＰＦａｍ解析により、ＮＯＶ１０ａタンパク質は表１０Ｅに示すドメインを含有すると予想された。
【表５９】
2005505247.tif 000060
【０３２３】
実施例１１
ＮＯＶ１１クローンを解析した。ヌクレオチドと予測されるポリペプチド配列を表１１Ａに示す。
【表６０】
2005505247.tif 000061
【０３２４】
ＮＯＶ１１ａタンパク質のさらなる解析により、表１１Ｂに示す以下の特性が得られた。
【表６１】
2005505247.tif 000062
【０３２５】
特許および特許公報で刊行された配列を含む所有権データベースであるＧｅｎｅｓｅｑデータベースにおけるＮＯＶ１１ａタンパク質の検索により、表１１Ｃに示すいくつかの相同タンパク質が得られた。
【表６２】
2005505247.tif 000063
【０３２６】
公開配列データベースのＢＬＡＳＲＴ検索において、ＮＯＶ１１ａタンパク質は、表１１ＤのＢＬＡＳＲＴＰデータに示すタンパク質と相同性を有すると判明した。
【表６３】
2005505247.tif 000064
【０３２７】
表１１Ｄの続き
【表６４】
2005505247.tif 000065
【０３２８】
ＰＦａｍ解析により、ＮＯＶ１１ａタンパク質は表１１Ｅに示すドメインを含有すると予想された。
【表６５】
2005505247.tif 000066
【０３２９】
実施例１２
ＮＯＶ１２クローンを解析した。ヌクレオチドと予測されるポリペプチド配列を表１２Ａに示す。
【表６６】
2005505247.tif 000067
【０３３０】
表１２Ａの続き
【表６７】
2005505247.tif 000068
【０３３１】
表１２Ａの続き
【表６８】
2005505247.tif 000069
【０３３２】
表１２Ａの続き
【表６９】
2005505247.tif 000070
【０３３３】
表１２Ａの続き
【表７０】
2005505247.tif 000071
【０３３４】
上記タンパク質配列の配列比較により、表１２Ｂに示す以下の配列の関係が得られた。
【表７１】
2005505247.tif 000072
【０３３５】
ＮＯＶ１２ａタンパク質のさらなる解析により、表１２Ｃに示す以下の特性が得られた。
【表７２】
2005505247.tif 000073
【０３３６】
特許および特許公報で刊行された配列を含む所有権データベースであるＧｅｎｅｓｅｑデータベースにおけるＮＯＶ１２ａタンパク質の検索により、表１２Ｄに示すいくつかの相同タンパク質が得られた。
【表７３】
2005505247.tif 000074
【０３３７】
公開配列データベースのＢＬＡＳＲＴ検索において、ＮＯＶ１２ａタンパク質は、表１２ＥのＢＬＡＳＲＴＰデータに示すタンパク質と相同性を有すると判明した。
【表７４】
2005505247.tif 000075
【０３３８】
ＰＦａｍ解析により、ＮＯＶ１２ａタンパク質は表１２Ｆに示すドメインを含有すると予想された。
【表７５】
2005505247.tif 000076
【０３３９】
実施例１３
ＮＯＶ１３クローンを解析した。ヌクレオチドと予測されるポリペプチド配列を表１３Ａに示す。
【表７６】
2005505247.tif 000077
【０３４０】
表１３Ａの続き
【表７７】
2005505247.tif 000078
【０３４１】
表１３Ａの続き
【表７８】
2005505247.tif 000079
【０３４２】
表１３Ａの続き
【表７９】
2005505247.tif 000080
【０３４３】
上記タンパク質配列の配列比較により、表１３Ｂに示す以下の配列の関係が得られた。
【表８０】
2005505247.tif 000081
【０３４４】
ＮＯＶ１３ａタンパク質のさらなる解析により、表１３Ｃに示す以下の特性が得られた。
【表８１】
2005505247.tif 000082
【０３４５】
特許および特許公報で刊行された配列を含む所有権データベースであるＧｅｎｅｓｅｑデータベースにおけるＮＯＶ１３ａタンパク質の検索により、表１３Ｄに示すいくつかの相同タンパク質が得られた。
【表８２】
2005505247.tif 000083
【０３４６】
公開配列データベースのＢＬＡＳＲＴ検索において、ＮＯＶ１３ａタンパク質は、表１３ＥのＢＬＡＳＲＴＰデータに示すタンパク質と相同性を有すると判明した。
【表８３】
2005505247.tif 000084
【０３４７】
ＰＦａｍ解析により、ＮＯＶ１３ａタンパク質は表１３Ｆに示すドメインを含有すると予想された。
【表８４】
2005505247.tif 000085
【０３４８】
実施例１４
ＮＯＶ１４クローンを解析した。ヌクレオチドと予測されるポリペプチド配列を表１４Ａに示す。
【表８５】
2005505247.tif 000086
【０３４９】
ＮＯＶ１４ａタンパク質のさらなる解析により、表１４Ｂに示す以下の特性が得られた。
【表８６】
2005505247.tif 000087
【０３５０】
特許および特許公報で刊行された配列を含む所有権データベースであるＧｅｎｅｓｅｑデータベースにおけるＮＯＶ１４ａタンパク質の検索により、表１４Ｃに示すいくつかの相同タンパク質が得られた。
【表８７】
2005505247.tif 000088
【０３５１】
公開配列データベースのＢＬＡＳＲＴ検索において、ＮＯＶ１４ａタンパク質は、表１４ＤのＢＬＡＳＲＴＰデータに示すタンパク質と相同性を有すると判明した。
【表８８】
2005505247.tif 000089
【０３５２】
ＰＦａｍ解析により、ＮＯＶ１４ａタンパク質は表１４Ｅに示すドメインを含有すると予想された。
【表８９】
2005505247.tif 000090
【０３５３】
実施例１５
ＮＯＶ１５クローンを解析した。ヌクレオチドと予測されるポリペプチド配列を表１５Ａに示す。
【表９０】
2005505247.tif 000091
【０３５４】
表１５Ａの続き
【表９１】
2005505247.tif 000092
【０３５５】
上記タンパク質配列の配列比較により、表１５Ｂに示す以下の配列の関係が得られた。
【表９２】
2005505247.tif 000093
【０３５６】
ＮＯＶ１５ａタンパク質のさらなる解析により、表１５Ｃに示す以下の特性が得られた。
【表９３】
2005505247.tif 000094
【０３５７】
特許および特許公報で刊行された配列を含む所有権データベースであるＧｅｎｅｓｅｑデータベースにおけるＮＯＶ１５ａタンパク質の検索により、表１５Ｄに示すいくつかの相同タンパク質が得られた。
【表９４】
2005505247.tif 000095
【０３５８】
公開配列データベースのＢＬＡＳＲＴ検索において、ＮＯＶ１５ａタンパク質は、表１５ＥのＢＬＡＳＲＴＰデータに示すタンパク質と相同性を有すると判明した。
【表９５】
2005505247.tif 000096
【０３５９】
ＰＦａｍ解析により、ＮＯＶ１５ａタンパク質は表１５Ｆに示すドメインを含有すると予想された。
【表９６】
2005505247.tif 000097
【０３６０】
実施例１６
ＮＯＶ１６クローンを解析した。ヌクレオチドと予測されるポリペプチド配列を表１６Ａに示す。
【表９７】
2005505247.tif 000098
【０３６１】
表１６Ａの続き
【表９８】
2005505247.tif 000099
【０３６２】
上記タンパク質配列の配列比較により、表１６Ｂに示す以下の配列の関係が得られた。
【表９９】
2005505247.tif 000100
【０３６３】
ＮＯＶ１６ａタンパク質のさらなる解析により、表１６Ｃに示す以下の特性が得られた。
【表１００】
2005505247.tif 000101
【０３６４】
特許および特許公報で刊行された配列を含む所有権データベースであるＧｅｎｅｓｅｑデータベースにおけるＮＯＶ１６ａタンパク質の検索により、表１６Ｄに示すいくつかの相同タンパク質が得られた。
【表１０１】
2005505247.tif 000102
【０３６５】
公開配列データベースのＢＬＡＳＲＴ検索において、ＮＯＶ１６ａタンパク質は、表１６ＥのＢＬＡＳＲＴＰデータに示すタンパク質と相同性を有すると判明した。
【表１０２】
2005505247.tif 000103
【０３６６】
ＰＦａｍ解析により、ＮＯＶ１６ａタンパク質は表１６Ｆに示すドメインを含有すると予想された。
【表１０３】
2005505247.tif 000104
【０３６７】
実施例１７
ＮＯＶ１７クローンを解析した。ヌクレオチドと予測されるポリペプチド配列を表１７Ａに示す。
【表１０４】
2005505247.tif 000105
【０３６８】
ＮＯＶ１７ａタンパク質のさらなる解析により、表１７Ｂに示す以下の特性が得られた。
【表１０５】
2005505247.tif 000106
【０３６９】
特許および特許公報で刊行された配列を含む所有権データベースであるＧｅｎｅｓｅｑデータベースにおけるＮＯＶ１７ａタンパク質の検索により、表１７Ｃに示すいくつかの相同タンパク質が得られた。
【表１０６】
2005505247.tif 000107
【０３７０】
公開配列データベースのＢＬＡＳＲＴ検索において、ＮＯＶ１７ａタンパク質は、表１７ＤのＢＬＡＳＲＴＰデータに示すタンパク質と相同性を有すると判明した。
【表１０７】
2005505247.tif 000108
【０３７１】
ＰＦａｍ解析により、ＮＯＶ１７ａタンパク質は表１７Ｅに示すドメインを含有すると予想された。
【表１０８】
2005505247.tif 000109
【０３７２】
実施例１８
ＮＯＶ１８クローンを解析した。ヌクレオチドと予測されるポリペプチド配列を表１８Ａに示す。
【表１０９】
2005505247.tif 000110
【０３７３】
表１８Ａの続き
【表１１０】
2005505247.tif 000111
【０３７４】
表１８Ａの続き
【表１１１】
2005505247.tif 000112
【０３７５】
上記タンパク質配列の配列比較により、表１８Ｂに示す以下の配列の関係が得られた。
【表１１２】
2005505247.tif 000113
【０３７６】
ＮＯＶ１８ａタンパク質のさらなる解析により、表１８Ｃに示す以下の特性が得られた。
【表１１３】
2005505247.tif 000114
【０３７７】
特許および特許公報で刊行された配列を含む所有権データベースであるＧｅｎｅｓｅｑデータベースにおけるＮＯＶ１８ａタンパク質の検索により、表１８Ｄに示すいくつかの相同タンパク質が得られた。
【表１１４】
2005505247.tif 000115
【０３７８】
公開配列データベースのＢＬＡＳＲＴ検索において、ＮＯＶ１８ａタンパク質は、表１８ＥのＢＬＡＳＲＴＰデータに示すタンパク質と相同性を有すると判明した。
【表１１５】
2005505247.tif 000116
【０３７９】
ＰＦａｍ解析により、ＮＯＶ１８ａタンパク質は表１８Ｆに示すドメインを含有すると予想された。
【表１１６】
2005505247.tif 000117
【０３８０】
実施例１９
ＮＯＶ１９クローンを解析した。ヌクレオチドと予測されるポリペプチド配列を表１９Ａに示す。
【表１１７】
2005505247.tif 000118
【０３８１】
ＮＯＶ１９ａタンパク質のさらなる解析により、表１９Ｂに示す以下の特性が得られた。
【表１１８】
2005505247.tif 000119
【０３８２】
特許および特許公報で刊行された配列を含む所有権データベースであるＧｅｎｅｓｅｑデータベースにおけるＮＯＶ１９ａタンパク質の検索により、表１９Ｃに示すいくつかの相同タンパク質が得られた。
【表１１９】
2005505247.tif 000120
【０３８３】
公開配列データベースのＢＬＡＳＲＴ検索において、ＮＯＶ１９ａタンパク質は、表１９ＤのＢＬＡＳＲＴＰデータに示すタンパク質と相同性を有すると判明した。
【表１２０】
2005505247.tif 000121
【０３８４】
ＰＦａｍ解析により、ＮＯＶ１９ａタンパク質は表１９Ｅに示すドメインを含有すると予想された。
【表１２１】
2005505247.tif 000122
【０３８５】
実施例２０
ＮＯＶ２０クローンを解析した。ヌクレオチドと予測されるポリペプチド配列を表２０Ａに示す。
【表１２２】
2005505247.tif 000123
【０３８６】
ＮＯＶ２０ａタンパク質のさらなる解析により、表２０Ｂに示す以下の特性が得られた。
【表１２３】
2005505247.tif 000124
【０３８７】
特許および特許公報で刊行された配列を含む所有権データベースであるＧｅｎｅｓｅｑデータベースにおけるＮＯＶ２０ａタンパク質の検索により、表２０Ｃに示すいくつかの相同タンパク質が得られた。
【表１２４】
2005505247.tif 000125
【０３８８】
公開配列データベースのＢＬＡＳＲＴ検索において、ＮＯＶ２０ａタンパク質は、表２０ＤのＢＬＡＳＲＴＰデータに示すタンパク質と相同性を有すると判明した。
【表１２５】
2005505247.tif 000126
【０３８９】
ＰＦａｍ解析により、ＮＯＶ２０ａタンパク質は表２０Ｅに示すドメインを含有すると予想された。
【表１２６】
2005505247.tif 000127
【０３９０】
実施例２１
ＮＯＶ２１クローンを解析した。ヌクレオチドと予測されるポリペプチド配列を表２１Ａに示す。
【表１２７】
2005505247.tif 000128
【０３９１】
表２１Ａの続き
【表１２８】
2005505247.tif 000129
【０３９２】
表２１Ａの続き
【表１２９】
2005505247.tif 000130
【０３９３】
表２１Ａの続き
【表１３０】
2005505247.tif 000131
【０３９４】
表２１Ａの続き
【表１３１】
2005505247.tif 000132
【０３９５】
表２１Ａの続き
【表１３２】
2005505247.tif 000133
【０３９６】
表２１Ａの続き
【表１３３】
2005505247.tif 000134
【０３９７】
表２１Ａの続き
【表１３４】
2005505247.tif 000135
【０３９８】
表２１Ａの続き
【表１３５】
2005505247.tif 000136
【０３９９】
表２１Ａの続き
【表１３６】
2005505247.tif 000137
【０４００】
上記タンパク質配列の配列比較により、表２１Ｂに示す以下の配列の関係が得られた。
【表１３７】
2005505247.tif 000138
【０４０１】
ＮＯＶ２１ａタンパク質のさらなる解析により、表２１Ｃに示す以下の特性が得られた。
【表１３８】
2005505247.tif 000139
【０４０２】
特許および特許公報で刊行された配列を含む所有権データベースであるＧｅｎｅｓｅｑデータベースにおけるＮＯＶ２１ａタンパク質の検索により、表２１Ｄに示すいくつかの相同タンパク質が得られた。
【表１３９】
2005505247.tif 000140
【０４０３】
公開配列データベースのＢＬＡＳＲＴ検索において、ＮＯＶ２１ａタンパク質は、表２１ＥのＢＬＡＳＲＴＰデータに示すタンパク質と相同性を有すると判明した。
【表１４０】
2005505247.tif 000141
【０４０４】
ＰＦａｍ解析により、ＮＯＶ２１ａタンパク質は表２１Ｆに示すドメインを含有すると予想された。
【表１４１】
2005505247.tif 000142
【０４０５】
実施例２２
ＮＯＶ２２クローンを解析した。ヌクレオチドと予測されるポリペプチド配列を表２２Ａに示す。
【表１４２】
2005505247.tif 000143
【０４０６】
ＮＯＶ２２ａタンパク質のさらなる解析により、表２２Ｂに示す以下の特性が得られた。
【表１４３】
2005505247.tif 000144
【０４０７】
特許および特許公報で刊行された配列を含む所有権データベースであるＧｅｎｅｓｅｑデータベースにおけるＮＯＶ２２ａタンパク質の検索により、表２２Ｃに示すいくつかの相同タンパク質が得られた。
【表１４４】
2005505247.tif 000145
【０４０８】
公開配列データベースのＢＬＡＳＲＴ検索において、ＮＯＶ２２ａタンパク質は、表２２ＤのＢＬＡＳＲＴＰデータに示すタンパク質と相同性を有すると判明した。
【表１４５】
2005505247.tif 000146
【０４０９】
ＰＦａｍ解析により、ＮＯＶ２２ａタンパク質は表２２Ｅに示すドメインを含有すると予想された。
【表１４６】
2005505247.tif 000147
【０４１０】
実施例２３
ＮＯＶ２３クローンを解析した。ヌクレオチドと予測されるポリペプチド配列を表２３Ａに示す。
【表１４７】
2005505247.tif 000148
【０４１１】
表２３Ａの続き
【表１４８】
2005505247.tif 000149
【０４１２】
表２３Ａの続き
【表１４９】
2005505247.tif 000150
【０４１３】
上記タンパク質配列の配列比較により、表２３Ｂに示す以下の配列の関係が得られた。
【表１５０】
2005505247.tif 000151
【０４１４】
ＮＯＶ２３ａタンパク質のさらなる解析により、表２３Ｃに示す以下の特性が得られた。
【表１５１】
2005505247.tif 000152
【０４１５】
特許および特許公報で刊行された配列を含む所有権データベースであるＧｅｎｅｓｅｑデータベースにおけるＮＯＶ２３ａタンパク質の検索により、表２３Ｄに示すいくつかの相同タンパク質が得られた。
【表１５２】
2005505247.tif 000153
【０４１６】
公開配列データベースのＢＬＡＳＲＴ検索において、ＮＯＶ２３ａタンパク質は、表２３ＥのＢＬＡＳＲＴＰデータに示すタンパク質と相同性を有すると判明した。
【表１５３】
2005505247.tif 000154
【０４１７】
ＰＦａｍ解析により、ＮＯＶ２３ａタンパク質は表２３Ｆに示すドメインを含有すると予想された。
【表１５４】
2005505247.tif 000155
【０４１８】
実施例２４
ＮＯＶ２４クローンを解析した。ヌクレオチドと予測されるポリペプチド配列を表２４Ａに示す。
【表１５５】
2005505247.tif 000156
【０４１９】
ＮＯＶ２４ａタンパク質のさらなる解析により、表２４Ｂに示す以下の特性が得られた。
【表１５６】
2005505247.tif 000157
【０４２０】
特許および特許公報で刊行された配列を含む所有権データベースであるＧｅｎｅｓｅｑデータベースにおけるＮＯＶ２４ａタンパク質の検索により、表２４Ｃに示すいくつかの相同タンパク質が得られた。
【表１５７】
2005505247.tif 000158
【０４２１】
公開配列データベースのＢＬＡＳＲＴ検索において、ＮＯＶ２４ａタンパク質は、表２４ＤのＢＬＡＳＲＴＰデータに示すタンパク質と相同性を有すると判明した。
【表１５８】
2005505247.tif 000159
【０４２２】
ＰＦａｍ解析により、ＮＯＶ２４ａタンパク質は表２４Ｅに示すドメインを含有すると予想された。
【表１５９】
2005505247.tif 000160
【０４２３】
実施例２５
ＮＯＶ２５クローンを解析した。ヌクレオチドと予測されるポリペプチド配列を表２５Ａに示す。
【表１６０】
2005505247.tif 000161
【０４２４】
表２５Ａの続き
【表１６１】
2005505247.tif 000162
【０４２５】
ＮＯＶ２５ａタンパク質のさらなる解析により、表２５Ｂに示す以下の特性が得られた。
【表１６２】
2005505247.tif 000163
【０４２６】
特許および特許公報で刊行された配列を含む所有権データベースであるＧｅｎｅｓｅｑデータベースにおけるＮＯＶ２５ａタンパク質の検索により、表２５Ｃに示すいくつかの相同タンパク質が得られた。
【表１６３】
2005505247.tif 000164
【０４２７】
公開配列データベースのＢＬＡＳＲＴ検索において、ＮＯＶ２５ａタンパク質は、表２５ＤのＢＬＡＳＲＴＰデータに示すタンパク質と相同性を有すると判明した。
【表１６４】
2005505247.tif 000165
【０４２８】
ＰＦａｍ解析により、ＮＯＶ２５ａタンパク質は表２５Ｅに示すドメインを含有すると予想された。
【表１６５】
2005505247.tif 000166
【０４２９】
実施例２６
ＮＯＶ２６クローンを解析した。ヌクレオチドと予測されるポリペプチド配列を表２６Ａに示す。
【表１６６】
2005505247.tif 000167
【０４３０】
表２６Ａの続き
【表１６７】
2005505247.tif 000168
【０４３１】
表２６Ａの続き
【表１６８】
2005505247.tif 000169
【０４３２】
表２６Ａの続き
【表１６９】
2005505247.tif 000170
【０４３３】
上記タンパク質配列の配列比較により、表２６Ｂに示す以下の配列の関係が得られた。
【表１７０】
2005505247.tif 000171
【０４３４】
ＮＯＶ２６ａタンパク質のさらなる解析により、表２６Ｃに示す以下の特性が得られた。
【表１７１】
2005505247.tif 000172
【０４３５】
特許および特許公報で刊行された配列を含む所有権データベースであるＧｅｎｅｓｅｑデータベースにおけるＮＯＶ２６ａタンパク質の検索により、表２６Ｄに示すいくつかの相同タンパク質が得られた。
【表１７２】
2005505247.tif 000173
【０４３６】
公開配列データベースのＢＬＡＳＲＴ検索において、ＮＯＶ２６ａタンパク質は、表２６ＥのＢＬＡＳＲＴＰデータに示すタンパク質と相同性を有すると判明した。
【表１７３】
2005505247.tif 000174
【０４３７】
ＰＦａｍ解析により、ＮＯＶ２６ａタンパク質は表２６Ｆに示すドメインを含有すると予想された。
【表１７４】
2005505247.tif 000175
【０４３８】
実施例２７
ＮＯＶ２７クローンを解析した。ヌクレオチドと予測されるポリペプチド配列を表２７Ａに示す。
【表１７５】
2005505247.tif 000176
【０４３９】
ＮＯＶ２７ａタンパク質のさらなる解析により、表２７Ｂに示す以下の特性が得られた。
【表１７６】
2005505247.tif 000177
【０４４０】
特許および特許公報で刊行された配列を含む所有権データベースであるＧｅｎｅｓｅｑデータベースにおけるＮＯＶ２７ａタンパク質の検索により、表２７Ｃに示すいくつかの相同タンパク質が得られた。
【表１７７】
2005505247.tif 000178
【０４４１】
公開配列データベースのＢＬＡＳＲＴ検索において、ＮＯＶ２７ａタンパク質は、表２７ＤのＢＬＡＳＲＴＰデータに示すタンパク質と相同性を有すると判明した。
【表１７８】
2005505247.tif 000179
【０４４２】
ＰＦａｍ解析により、ＮＯＶ２７ａタンパク質は表２７Ｅに示すドメインを含有すると予想された。
【表１７９】
2005505247.tif 000180
【０４４３】
実施例２８
ＮＯＶ２８クローンを解析した。ヌクレオチドと予測されるポリペプチド配列を表２８Ａに示す。
【表１８０】
2005505247.tif 000181
【０４４４】
表２８Ａの続き
【表１８１】
2005505247.tif 000182
【０４４５】
表２８Ａの続き
【表１８２】
2005505247.tif 000183
【０４４６】
上記タンパク質配列の配列比較により、表２８Ｂに示す以下の配列の関係が得られた。
【表１８３】
2005505247.tif 000184
【０４４７】
ＮＯＶ２８ａタンパク質のさらなる解析により、表２８Ｃに示す以下の特性が得られた。
【表１８４】
2005505247.tif 000185
【０４４８】
特許および特許公報で刊行された配列を含む所有権データベースであるＧｅｎｅｓｅｑデータベースにおけるＮＯＶ２８ａタンパク質の検索により、表２８Ｄに示すいくつかの相同タンパク質が得られた。
【表１８５】
2005505247.tif 000186
【０４４９】
公開配列データベースのＢＬＡＳＲＴ検索において、ＮＯＶ２８ａタンパク質は、表２８ＥのＢＬＡＳＲＴＰデータに示すタンパク質と相同性を有すると判明した。
【表１８６】
2005505247.tif 000187
【０４５０】
ＰＦａｍ解析により、ＮＯＶ２８ａタンパク質は表２８Ｆに示すドメインを含有すると予想された。
【表１８７】
2005505247.tif 000188
【０４５１】
実施例２９
ＮＯＶ２９クローンを解析した。ヌクレオチドと予測されるポリペプチド配列を表２９Ａに示す。
【表１８８】
2005505247.tif 000189
【０４５２】
表２９Ａの続き
【表１８９】
2005505247.tif 000190
【０４５３】
表２９Ａの続き
【表１９０】
2005505247.tif 000191
【０４５４】
ＮＯＶ２９ａタンパク質のさらなる解析により、表２９Ｂに示す以下の特性が得られた。
【表１９１】
2005505247.tif 000192
【０４５５】
特許および特許公報で刊行された配列を含む所有権データベースであるＧｅｎｅｓｅｑデータベースにおけるＮＯＶ２９ａタンパク質の検索により、表２９Ｃに示すいくつかの相同タンパク質が得られた。
【表１９２】
2005505247.tif 000193
【０４５６】
公開配列データベースのＢＬＡＳＲＴ検索において、ＮＯＶ２９ａタンパク質は、表２９ＤのＢＬＡＳＲＴＰデータに示すタンパク質と相同性を有すると判明した。
【表１９３】
2005505247.tif 000194
【０４５７】
ＰＦａｍ解析により、ＮＯＶ２９ａタンパク質は表２９Ｅに示すドメインを含有すると予想された。
【表１９４】
2005505247.tif 000195
【０４５８】
実施例３０
ＮＯＶ３０クローンを解析した。ヌクレオチドと予測されるポリペプチド配列を表３０Ａに示す。
【表１９５】
2005505247.tif 000196
【０４５９】
表３０Ａの続き
【表１９６】
2005505247.tif 000197
【０４６０】
ＮＯＶ３０ａタンパク質のさらなる解析により、表３０Ｂに示す以下の特性が得られた。
【表１９７】
2005505247.tif 000198
【０４６１】
特許および特許公報で刊行された配列を含む所有権データベースであるＧｅｎｅｓｅｑデータベースにおけるＮＯＶ３０ａタンパク質の検索により、表３０Ｃに示すいくつかの相同タンパク質が得られた。
【表１９８】
2005505247.tif 000199
【０４６２】
公開配列データベースのＢＬＡＳＲＴ検索において、ＮＯＶ３０ａタンパク質は、表３０ＤのＢＬＡＳＲＴＰデータに示すタンパク質と相同性を有すると判明した。
【表１９９】
2005505247.tif 000200
【０４６３】
ＰＦａｍ解析により、ＮＯＶ３０ａタンパク質は表３０Ｅに示すドメインを含有すると予想された。
【表２００】
2005505247.tif 000201
【０４６４】
実施例３１
ＮＯＶ３１クローンを解析した。ヌクレオチドと予測されるポリペプチド配列を表３１Ａに示す。
【表２０１】
2005505247.tif 000202
【０４６５】
ＮＯＶ３１ａタンパク質のさらなる解析により、表３１Ｂに示す以下の特性が得られた。
【表２０２】
2005505247.tif 000203
【０４６６】
特許および特許公報で刊行された配列を含む所有権データベースであるＧｅｎｅｓｅｑデータベースにおけるＮＯＶ３１ａタンパク質の検索により、表３１Ｃに示すいくつかの相同タンパク質が得られた。
【表２０３】
2005505247.tif 000204
【０４６７】
公開配列データベースのＢＬＡＳＲＴ検索において、ＮＯＶ３１ａタンパク質は、表３１ＤのＢＬＡＳＲＴＰデータに示すタンパク質と相同性を有すると判明した。
【表２０４】
2005505247.tif 000205
【０４６８】
ＰＦａｍ解析により、ＮＯＶ３１ａタンパク質は表３１Ｅに示すドメインを含有すると予想された。
【表２０５】
2005505247.tif 000206
【０４６９】
実施例３２
ＮＯＶ３２クローンを解析した。ヌクレオチドと予測されるポリペプチド配列を表３２Ａに示す。
【表２０６】
2005505247.tif 000207
【０４７０】
ＮＯＶ３２ａタンパク質のさらなる解析により、表３２Ｂに示す以下の特性が得られた。
【表２０７】
2005505247.tif 000208
【０４７１】
特許および特許公報で刊行された配列を含む所有権データベースであるＧｅｎｅｓｅｑデータベースにおけるＮＯＶ３２ａタンパク質の検索により、表３２Ｃに示すいくつかの相同タンパク質が得られた。
【表２０８】
2005505247.tif 000209
【０４７２】
公開配列データベースのＢＬＡＳＲＴ検索において、ＮＯＶ３２ａタンパク質は、表３２ＤのＢＬＡＳＲＴＰデータに示すタンパク質と相同性を有すると判明した。
【表２０９】
2005505247.tif 000210
【０４７３】
ＰＦａｍ解析により、ＮＯＶ３２ａタンパク質は表３２Ｅに示すドメインを含有すると予想された。
【表２１０】
2005505247.tif 000211
【０４７４】
実施例３３
ＮＯＶ３３クローンを解析した。ヌクレオチドと予測されるポリペプチド配列を表３３Ａに示す。
【表２１１】
2005505247.tif 000212
【０４７５】
ＮＯＶ３３ａタンパク質のさらなる解析により、表３３Ｂに示す以下の特性が得られた。
【表２１２】
2005505247.tif 000213
【０４７６】
特許および特許公報で刊行された配列を含む所有権データベースであるＧｅｎｅｓｅｑデータベースにおけるＮＯＶ３３ａタンパク質の検索により、表３３Ｃに示すいくつかの相同タンパク質が得られた。
【表２１３】
2005505247.tif 000214
【０４７７】
公開配列データベースのＢＬＡＳＲＴ検索において、ＮＯＶ３３ａタンパク質は、表３３ＤのＢＬＡＳＲＴＰデータに示すタンパク質と相同性を有すると判明した。
【表２１４】
2005505247.tif 000215
【０４７８】
ＰＦａｍ解析により、ＮＯＶ３３ａタンパク質は表３３Ｅに示すドメインを含有すると予想された。
【表２１５】
2005505247.tif 000216
【０４７９】
実施例３４
ＮＯＶ３４クローンを解析した。ヌクレオチドと予測されるポリペプチド配列を表３４Ａに示す。
【表２１６】
2005505247.tif 000217
【０４８０】
上記タンパク質配列の配列比較により、表３４Ｂに示す以下の配列の関係が得られた。
【表２１７】
2005505247.tif 000218
【０４８１】
ＮＯＶ３４ａタンパク質のさらなる解析により、表３４Ｃに示す以下の特性が得られた。
【表２１８】
2005505247.tif 000219
【０４８２】
特許および特許公報で刊行された配列を含む所有権データベースであるＧｅｎｅｓｅｑデータベースにおけるＮＯＶ３４ａタンパク質の検索により、表３４Ｄに示すいくつかの相同タンパク質が得られた。
【表２１９】
2005505247.tif 000220
【０４８３】
公開配列データベースのＢＬＡＳＲＴ検索において、ＮＯＶ３４ａタンパク質は、表３４ＥのＢＬＡＳＲＴＰデータに示すタンパク質と相同性を有すると判明した。
【表２２０】
2005505247.tif 000221
【０４８４】
ＰＦａｍ解析により、ＮＯＶ３４ａタンパク質は表３４Ｆに示すドメインを含有すると予想された。
【表２２１】
2005505247.tif 000222
【０４８５】
実施例３５
ＮＯＶ３５クローンを解析した。ヌクレオチドと予測されるポリペプチド配列を表３５Ａに示す。
【表２２２】
2005505247.tif 000223
【０４８６】
ＮＯＶ３５ａタンパク質のさらなる解析により、表３５Ｂに示す以下の特性が得られた。
【表２２３】
2005505247.tif 000224
【０４８７】
特許および特許公報で刊行された配列を含む所有権データベースであるＧｅｎｅｓｅｑデータベースにおけるＮＯＶ３５ａタンパク質の検索により、表３５Ｃに示すいくつかの相同タンパク質が得られた。
【表２２４】
2005505247.tif 000225
【０４８８】
公開配列データベースのＢＬＡＳＲＴ検索において、ＮＯＶ３５ａタンパク質は、表３５ＤのＢＬＡＳＲＴＰデータに示すタンパク質と相同性を有すると判明した。
【表２２５】
2005505247.tif 000226
【０４８９】
ＰＦａｍ解析により、ＮＯＶ３５ａタンパク質は表３５Ｅに示すドメインを含有すると予想された。
【表２２６】
2005505247.tif 000227
【０４９０】
実施例３６
ＮＯＶ３６クローンを解析した。ヌクレオチドと予測されるポリペプチド配列を表３６Ａに示す。
【表２２７】
2005505247.tif 000228
【０４９１】
表３６Ａの続き
【表２２８】
2005505247.tif 000229
【０４９２】
上記タンパク質配列の配列比較により、表３６Ｂに示す以下の配列の関係が得られた。
【表２２９】
2005505247.tif 000230
【０４９３】
ＮＯＶ３６ａタンパク質のさらなる解析により、表３６Ｃに示す以下の特性が得られた。
【表２３０】
2005505247.tif 000231
【０４９４】
特許および特許公報で刊行された配列を含む所有権データベースであるＧｅｎｅｓｅｑデータベースにおけるＮＯＶ３６ａタンパク質の検索により、表３６Ｄに示すいくつかの相同タンパク質が得られた。
【表２３１】
2005505247.tif 000232
【０４９５】
公開配列データベースのＢＬＡＳＲＴ検索において、ＮＯＶ３６ａタンパク質は、表３６ＥのＢＬＡＳＲＴＰデータに示すタンパク質と相同性を有すると判明した。
【表２３２】
2005505247.tif 000233
【０４９６】
ＰＦａｍ解析により、ＮＯＶ３６ａタンパク質は表３６Ｆに示すドメインを含有すると予想された。
【表２３３】
2005505247.tif 000234
【０４９７】
実施例３７
ＮＯＶ３７クローンを解析した。ヌクレオチドと予測されるポリペプチド配列を表３７Ａに示す。
【表２３４】
2005505247.tif 000235
【０４９８】
表３７Ａの続き
【表２３５】
2005505247.tif 000236
【０４９９】
表３７Ａの続き
【表２３６】
2005505247.tif 000237
【０５００】
表３７Ａの続き
【表２３７】
2005505247.tif 000238
【０５０１】
表３７Ａの続き
【表２３８】
2005505247.tif 000239
【０５０２】
表３７Ａの続き
【表２３９】
2005505247.tif 000240
【０５０３】
表３７Ａの続き
【表２４０】
2005505247.tif 000241
【０５０４】
上記タンパク質配列の配列比較により、表３７Ｂに示す以下の配列の関係が得られた。
【表２４１】
2005505247.tif 000242
【０５０５】
ＮＯＶ３７ａタンパク質のさらなる解析により、表３７Ｃに示す以下の特性が得られた。
【表２４２】
2005505247.tif 000243
【０５０６】
特許および特許公報で刊行された配列を含む所有権データベースであるＧｅｎｅｓｅｑデータベースにおけるＮＯＶ３７ａタンパク質の検索により、表３７Ｄに示すいくつかの相同タンパク質が得られた。
【表２４３】
2005505247.tif 000244
【０５０７】
公開配列データベースのＢＬＡＳＲＴ検索において、ＮＯＶ３７ａタンパク質は、表３７ＥのＢＬＡＳＲＴＰデータに示すタンパク質と相同性を有すると判明した。
【表２４４】
2005505247.tif 000245
【０５０８】
ＰＦａｍ解析により、ＮＯＶ３７ａタンパク質は表３７Ｆに示すドメインを含有すると予想された。
【表２４５】
2005505247.tif 000246
【０５０９】
表３７Ｆの続き
【表２４６】
2005505247.tif 000247
【０５１０】
実施例３８
ＮＯＶ３８クローンを解析した。ヌクレオチドと予測されるポリペプチド配列を表３８Ａに示す。
【表２４７】
2005505247.tif 000248
【０５１１】
表３８Ａの続き
【表２４８】
2005505247.tif 000249
【０５１２】
上記タンパク質配列の配列比較により、表３８Ｂに示す以下の配列の関係が得られた。
【表２４９】
2005505247.tif 000250
【０５１３】
ＮＯＶ３８ａタンパク質のさらなる解析により、表３８Ｃに示す以下の特性が得られた。
【表２５０】
2005505247.tif 000251
【０５１４】
特許および特許公報で刊行された配列を含む所有権データベースであるＧｅｎｅｓｅｑデータベースにおけるＮＯＶ３８ａタンパク質の検索により、表３８Ｄに示すいくつかの相同タンパク質が得られた。
【表２５１】
2005505247.tif 000252
【０５１５】
公開配列データベースのＢＬＡＳＲＴ検索において、ＮＯＶ３８ａタンパク質は、表３８ＥのＢＬＡＳＲＴＰデータに示すタンパク質と相同性を有すると判明した。
【表２５２】
2005505247.tif 000253
【０５１６】
ＰＦａｍ解析により、ＮＯＶ３８ａタンパク質は表３８Ｆに示すドメインを含有すると予想された。
【表２５３】
2005505247.tif 000254
【０５１７】
実施例３９
ＮＯＶ３９クローンを解析した。ヌクレオチドと予測されるポリペプチド配列を表３９Ａに示す。
【表２５４】
2005505247.tif 000255
【０５１８】
ＮＯＶ３９ａタンパク質のさらなる解析により、表３９Ｂに示す以下の特性が得られた。
【表２５５】
2005505247.tif 000256
【０５１９】
特許および特許公報で刊行された配列を含む所有権データベースであるＧｅｎｅｓｅｑデータベースにおけるＮＯＶ３９ａタンパク質の検索により、表３９Ｃに示すいくつかの相同タンパク質が得られた。
【表２５６】
2005505247.tif 000257
【０５２０】
公開配列データベースのＢＬＡＳＲＴ検索において、ＮＯＶ３９ａタンパク質は、表３９ＤのＢＬＡＳＲＴＰデータに示すタンパク質と相同性を有すると判明した。
【表２５７】
2005505247.tif 000258
【０５２１】
ＰＦａｍ解析により、ＮＯＶ３９ａタンパク質は表３９Ｅに示すドメインを含有すると予想された。
【表２５８】
2005505247.tif 000259
【０５２２】
実施例４０
ＮＯＶ４０クローンを解析した。ヌクレオチドと予測されるポリペプチド配列を表４０Ａに示す。
【表２５９】
2005505247.tif 000260
【０５２３】
表４０Ａの続き
【表２６０】
2005505247.tif 000261
【０５２４】
表４０Ａの続き
【表２６１】
2005505247.tif 000262
【０５２５】
ＮＯＶ４０ａタンパク質のさらなる解析により、表４０Ｂに示す以下の特性が得られた。
【表２６２】
2005505247.tif 000263
【０５２６】
特許および特許公報で刊行された配列を含む所有権データベースであるＧｅｎｅｓｅｑデータベースにおけるＮＯＶ４０ａタンパク質の検索により、表４０Ｃに示すいくつかの相同タンパク質が得られた。
【表２６３】
2005505247.tif 000264
【０５２７】
公開配列データベースのＢＬＡＳＲＴ検索において、ＮＯＶ４０ａタンパク質は、表４０ＤのＢＬＡＳＲＴＰデータに示すタンパク質と相同性を有すると判明した。
【表２６４】
2005505247.tif 000265
【０５２８】
ＰＦａｍ解析により、ＮＯＶ４０ａタンパク質は表４０Ｅに示すドメインを含有すると予想された。
【表２６５】
2005505247.tif 000266
【０５２９】
表４０Ｅの続き
【表２６６】
2005505247.tif 000267
【０５３０】
実施例４１
ＮＯＶ４１クローンを解析した。ヌクレオチドと予測されるポリペプチド配列を表４１Ａに示す。
【表２６７】
2005505247.tif 000268
【０５３１】
上記タンパク質配列の配列比較により、表４１Ｂに示す以下の配列の関係が得られた。
【表２６８】
2005505247.tif 000269
【０５３２】
ＮＯＶ４１ａタンパク質のさらなる解析により、表４１Ｃに示す以下の特性が得られた。
【表２６９】
2005505247.tif 000270
【０５３３】
特許および特許公報で刊行された配列を含む所有権データベースであるＧｅｎｅｓｅｑデータベースにおけるＮＯＶ４１ａタンパク質の検索により、表４１Ｄに示すいくつかの相同タンパク質が得られた。
【表２７０】
2005505247.tif 000271
【０５３４】
公開配列データベースのＢＬＡＳＲＴ検索において、ＮＯＶ４１ａタンパク質は、表４１ＥのＢＬＡＳＲＴＰデータに示すタンパク質と相同性を有すると判明した。
【表２７１】
2005505247.tif 000272
【０５３５】
ＰＦａｍ解析により、ＮＯＶ４１ａタンパク質は表４１Ｆに示すドメインを含有すると予想された。
【表２７２】
2005505247.tif 000273
【０５３６】
実施例４２
ＮＯＶ４２クローンを解析した。ヌクレオチドと予測されるポリペプチド配列を表４２Ａに示す。
【表２７３】
2005505247.tif 000274
【０５３７】
表４２Ａの続き
【表２７４】
2005505247.tif 000275
【０５３８】
表４２Ａの続き
【表２７５】
2005505247.tif 000276
【０５３９】
表４２Ａの続き
【表２７６】
2005505247.tif 000277
【０５４０】
表４２Ａの続き
【表２７７】
2005505247.tif 000278
【０５４１】
表４２Ａの続き
【表２７８】
2005505247.tif 000279
【０５４２】
上記タンパク質配列の配列比較により、表４２Ｂに示す以下の配列の関係が得られた。
【表２７９】
2005505247.tif 000280
【０５４３】
ＮＯＶ４２ａタンパク質のさらなる解析により、表４２Ｃに示す以下の特性が得られた。
【表２８０】
2005505247.tif 000281
【０５４４】
特許および特許公報で刊行された配列を含む所有権データベースであるＧｅｎｅｓｅｑデータベースにおけるＮＯＶ４２ａタンパク質の検索により、表４２Ｄに示すいくつかの相同タンパク質が得られた。
【表２８１】
2005505247.tif 000282
【０５４５】
公開配列データベースのＢＬＡＳＲＴ検索において、ＮＯＶ４２ａタンパク質は、表４２ＥのＢＬＡＳＲＴＰデータに示すタンパク質と相同性を有すると判明した。
【表２８２】
2005505247.tif 000283
【０５４６】
ＰＦａｍ解析により、ＮＯＶ４２ａタンパク質は表４２Ｆに示すドメインを含有すると予想された。
【表２８３】
2005505247.tif 000284
【０５４７】
実施例４３
ＮＯＶ４３クローンを解析した。ヌクレオチドと予測されるポリペプチド配列を表４３Ａに示す。
【表２８４】
2005505247.tif 000285
【０５４８】
上記タンパク質配列の配列比較により、表４３Ｂに示す以下の配列の関係が得られた。
【表２８５】
2005505247.tif 000286
【０５４９】
ＮＯＶ４３ａタンパク質のさらなる解析により、表４３Ｃに示す以下の特性が得られた。
【表２８６】
2005505247.tif 000287
【０５５０】
特許および特許公報で刊行された配列を含む所有権データベースであるＧｅｎｅｓｅｑデータベースにおけるＮＯＶ４３ａタンパク質の検索により、表４３Ｄに示すいくつかの相同タンパク質が得られた。
【表２８７】
2005505247.tif 000288
【０５５１】
公開配列データベースのＢＬＡＳＲＴ検索において、ＮＯＶ４２ａタンパク質は、表４３ＥのＢＬＡＳＲＴＰデータに示すタンパク質と相同性を有すると判明した。
【表２８８】
2005505247.tif 000289
【０５５２】
ＰＦａｍ解析により、ＮＯＶ４３ａタンパク質は表４３Ｆに示すドメインを含有すると予想された。
【表２８９】
2005505247.tif 000290
【０５５３】
実施例４４
ＮＯＶ４４クローンを解析した。ヌクレオチドと予測されるポリペプチド配列を表４４Ａに示す。
【表２９０】
2005505247.tif 000291
【０５５４】
ＮＯＶ４４ａタンパク質のさらなる解析により、表４４Ｂに示す以下の特性が得られた。
【表２９１】
2005505247.tif 000292
【０５５５】
特許および特許公報で刊行された配列を含む所有権データベースであるＧｅｎｅｓｅｑデータベースにおけるＮＯＶ４４ａタンパク質の検索により、表４４Ｃに示すいくつかの相同タンパク質が得られた。
【表２９２】
2005505247.tif 000293
【０５５６】
公開配列データベースのＢＬＡＳＲＴ検索において、ＮＯＶ４４ａタンパク質は、表４４ＤのＢＬＡＳＲＴＰデータに示すタンパク質と相同性を有すると判明した。
【表２９３】
2005505247.tif 000294
【０５５７】
ＰＦａｍ解析により、ＮＯＶ４４ａタンパク質は表４４Ｅに示すドメインを含有すると予想された。
【表２９４】
2005505247.tif 000295
【０５５８】
実施例４５：ＮＯＶＸクローンのシークエンシング方法および同定
１．GeneCalling [商標登録]技術：これは、CuraGenで開発した２個またはそれ以上の試料間の差次的遺伝子発現プロフィール化を実施する専売方法であり、Shimkets, et al.，"Gene expression analysis by transcript profiling coupled to a gene database query" Nature Biotechnology 17:198-803 (1999)に記載されている。ｃＤＮＡを、多重組織型、正常および病的状態、生理的状態ならびに異なるドナーからの発生状態を表す種々のヒト試料から誘導した。試料を、組織全体、一次細胞または一次細胞を培養した組織または細胞株として得た。細胞および細胞株は、遺伝子発現を制御する生物的薬剤または化学的薬剤、例えば、成長因子、ケモカインまたはステロイド、で処置されていてもよい。次いで、このように誘導したｃＤＮＡを、１２０対のような多数の制限酵素で処理し、それぞれ対の制限酵素に特異的なリンカー−アダプターの対を適切な末端に結合した。制限切断は、特有のｃＤＮＡ遺伝子フラグメントの混合物を生成する。限定ＰＣＲ増幅を、一つのプライマーがビオチン化されかつ他方が蛍光的に標識されているリンカーアダプター配列に相同的なプライマーにより実施する。二重標識した物質を単離し、蛍光的に標識した一本鎖をキャピラリーゲル電気泳動により分割した。コンピューターアルゴリズムは、それぞれの制限切断に対する実験および対照群からの電気泳動を比較する。このおよびさらに別な配列由来の情報を用いて、種々のゲノムデータベースを用いてそれぞれの差次的発現遺伝子フラグメントの同一性を予測する。遺伝子フラグメントの同一性を、さらに別な遺伝子−特異的競合的ＰＣＲによりまたは遺伝子フラグメントの単離およびシークエンシングにより確認した。
【０５５９】
２．SeqCalling[登録商標]技術：ｃＤＮＡを、多重組織型、正常および病的状態、生理的状態ならびに異なるドナーからの発生状態を表す種々のヒト試料から誘導した。試料を、組織全体、一次細胞または一次細胞を培養した組織または細胞株として得た。細胞および細胞株は、遺伝子発現を制御する生物的薬剤または化学的薬剤、例えば、成長因子、ケモカインまたはステロイド、で処置されていてもよい。次いで、このように誘導したｃＤＮＡを、CuraGenの専売SeqCalling技術を用いてシークエンスした。配列トレースを手動で評価し、妥当であれば訂正のために編集した。すべての試料からのｃＤＮＡ配列を、公的なヒト配列を時には含むバイオインフォマチックプログラムを用いて、一緒に集め、それぞれの集合体に対する共通配列を生産した。それぞれの集合体を、Curagen Corporationのデータベースに含む。他の成分との同一性の程度が少なくとも９５％で５０ｂｐ以上であったときには、配列は集合体の成分として含めた。それぞれの集合体は、遺伝子またはその一部分を表し、そしてスプライス形態の単一ヌクレオチド多型(ＳＮＰ)、挿入、欠失および他の配列変異体のような変異体についての情報を含む。
【０５６０】
３．PathCalling[登録商標]技術：
ＮＯＶＸ核酸配列を、２ハイブリッドアプローチによるｃＤＮＡライブラリーの実験室スクリーニングによって誘導する。ＤＮＡ配列の全長またはその配列の部分のいずれか一方または両方をカバーするｃＤＮＡフラグメントをシークエンスした。インシリコ予測は、Curagen Corporationの専売配列データベースまたは公的ヒト配列データベース中で利用できる配列に基づいており、全長ＤＮＡ配列またはその或る部分のどちらかを提供した。
【０５６１】
実験室スクリーニングを、以下に要約した方法を用いて実施した：
ｃＤＮＡライブラリーを、多重組織型、正常および病的状態、生理的状態ならびに異なるドナーからの発生状態を表す種々のヒト試料から誘導した。試料を、組織全体、一次細胞または一次細胞を培養した組織または細胞株として得た。細胞および細胞株は、遺伝子発現を制御する生物的薬剤または化学的薬剤、例えば、成長因子、ケモカインまたはステロイド、で処置されていてもよい。次いで、このように誘導したｃＤＮＡを、適当な２ハイブリッドベクター(Ｇａｌ４−活性化ドメイン(Ｇａｌ４−ＡＤ)融合体)の中へ指向的にクローン化した。そのようなｃＤＮＡライブラリーならびにClontech(Palo Alto, CA)から商業的に入手可能なｃＤＮＡライブラリーを、次いで、E. coliからCuragen Corporationの専売酵母株(米国特許６,０５７,１０１および６,０８３,６９３(全体的な出典明示により本明細書の一部とする)に開示した)へ形質転換した。
【０５６２】
Curagen Corporationの専売ヒト配列ライブラリーのＧａｌ４−結合ドメイン(Ｇａｌ４−ＢＤ)融合体を用いて、多重のＧａｌ４−ＡＤ融合体ｃＤＮＡライブラリーをスクリーニングし、それぞれにおいてＧａｌ４−ＡＤ融合体が個別ののｃＤＮＡを含む酵母ハイブリッド二倍体の選択をもたらした。それぞれの試料を、ｃＤＮＡ挿入境界域において非特異的なプライマーを用いるポリメラーゼ連鎖反応(ＰＣＲ)を用いて増幅した。そのようなＰＣＲ生成物をシークエンスした；配列トレースを手動で評価し、妥当であれば訂正のため編集した。公的ヒト配列を時には含むバイオインフォマチックプログラムを用いて、すべての試料からのｃＤＮＡ配列を一緒に集め、それぞれの集合体に対する共通配列を生産した。それぞれの集合体を、Curagen Corporationのデータベースに含めた。他の成分との同一性の程度が少なくとも９５％で５０ｂｐ以上であったときには、配列を集合体の成分として含んだ。それぞれの集合体は、遺伝子またはその一部分を表し、そしてスプライス形態の単一ヌクレオチド多型(ＳＮＰ)、挿入、欠失および他の配列変異体のような変異体についての情報を含む。
【０５６３】
物理的クローン：全オープンリーディングフレームをカバーするスクリーニング手順により誘導したｃＤＮＡフラグメントを、組換えＤＮＡとして用いたｐＡＣＴ２プラスミド(Clontech)の中へクローン化し、ｃＤＮＡライブラリーを作製した。その組換えプラスミドを宿主に挿入して、Curagen Corporationの専売酵母株Ｎ１０６´およびＹＵＬＨ(米国特許６,０５７,１０１および６,０８３,６９３)両方の掛け合わせによるスクリーニング手順の間に生成した酵母二倍体により選択した。
【０５６４】
４．ＲＡＣＥ：ｃＤＮＡ末端の迅速増幅(ＲＡＣＥ)のようなポリメラーゼ連鎖反応に基づく技術を用いて、本発明のｃＤＮＡの予測した配列を単離または完結した。通常は、多重クローンを一つまたはそれ以上のヒト試料からシークエンスし、フラグメントのための配列を誘導した。異なるドナーからの種々のヒト組織試料を、ＲＡＣＥ反応に用いた。これらの手順から誘導した配列を、先章で記載したSeqCalling Assembly方法に含めた。
【０５６５】
５．エクソン結合：本発明で同定したＮＯＶＸ標的配列をエクソン結合方法に供し、配列を確認した。ＰＣＲプライマーは、順方向プライマーについては利用可能な最上流の配列から、そして逆方向プライマーについては利用可能な最下流の配列から出発することでデザインした。それぞれの場合において、特有なまたは高選択的などちらかである適当な配列に出会うまで、または逆方向プライマーの場合には停止コドンに到達するまで、それぞれの末端からコーディング配列に向かって内側に踏み込んで配列を検討した。そのようなプライマーを、全長ｃＤＮＡ、標的配列のＤＮＡまたはタンパク質配列の部分(一つまたはそれ以上のエクソン)に対するインシリコの予測に基づいて、または他の種からの緊密に類似したヒト配列に対する予測エクソンの翻訳した相同性によりデザインした。次いで、これらのプライマーを以下のヒトｃＤＮＡプールに基づいたＰＣＲ増幅において使用した：副腎、骨髄、脳−扁桃、脳−小脳、脳−海馬、脳−黒質、脳−視床、脳−全縁、胎児脳、胎児腎臓、胎児肝臓、胎児肺臓、心臓、腎臓、リンパ腫−ラージ、乳腺、膵臓、脳下垂体、胎盤、前立腺、唾液腺、骨格筋、小腸、脊髄、脾臓、胃、精巣、甲状腺、気管、子宮。通常は、得られた単位複製配列をゲル精製し、クローン化し、そして高度重複性に至るまでシークエンスした。エクソン結合から誘導したＰＣＲ産物を、InvitrogenのｐＣＲ２.１ベクターの中にクローン化した。得た細菌性クローンは、ｐＣＲ２.１ベクター中へクローン化した全オープンリーディングフレームをカバーする挿入断片を有する。すべてのクローンから得た配列を、それ自体と、CuraGen Corporationデータベース中の他のフラグメントと、および公的ＥＳＴと共に集合した。フラグメントおよびＥＳＴを、集合体の他の成分とのそれらの同一性の程度が少なくとも９５％で５０ｂｐ以上であったとき、集合体の成分として含んだ。加えて、配列トレースを手動で評価し、妥当であれば訂正のため編集した。これらの手順が本明細書において報告する配列を提供する。
【０５６６】
６．物理的クローン：エクソンを相同性により予測し、そして標準的遺伝法則を用いてイントロン／エクソン境界域を決定した。エクソンをさらに選択し、そして多重ＢＬＡＳＴ(例えば、ｔＢｌａｓｔＮ、ＢｌａｓｔＸおよびＢｌａｓｔＮ)をおよび、或る場合には、GeneScanおよびGrailを用いる類似性測定手段により精錬した。利用できるときには、公的および専売データベース両方からの発現配列をまた追加して、遺伝子配列をさらに定義し、完成した。次いで手動で、ＤＮＡ配列を、明白な矛盾について訂正し、それによって全長タンパク質をコード化する配列を得た。
全オープンリーディングフレームをカバーするエクソン結合により誘導したＰＣＲ産物を、InvitrogenのｐＣＲ２.１ベクターにクローン化して、発現およびスクリーニングの目的に用いるクローンを提供した。
【０５６７】
実施例４６：ＮＯＶＸ核酸配列中の単一ヌクレオチド多型の同定
変異体配列も、本出願に含む。変異体配列は、単一ヌクレオチド多型(ＳＮＰ)を含み得る。ある場合には、ＳＮＰを「ｃＳＮＰ」と呼び、そのＳＮＰを含むヌクレオチド配列がｃＤＮＡとして起源を有することを表示した。ＳＮＰは、幾つかの方式で起こり得る。例えば、ＳＮＰは、多型部位における一つのヌクレオチドのもう一つによる置換に起因し得る。そのような置換は、転位または転換のどちらでもあり得る。ＳＮＰはまた、参照対立遺伝子と比べ、ヌクレオチドの欠失またはヌクレオチドの挿入から起こり得る。この場合、多型部位は、一つの対立遺伝子がもう一つの対立遺伝子中の特定ヌクレオチドに関して間隙を有する部位である。遺伝子内で発生するＳＮＰは、ＳＮＰの位置で遺伝子によりコード化されたアミノ酸の変更を生じ得る。遺伝子内ＳＮＰはまた、ＳＮＰを含むコドンが遺伝子コードの重複性の結果として同じアミノ酸をコード化するときには、沈黙し得る。遺伝子の領域外でまたは遺伝子内のイントロン中で発生するＳＮＰは、タンパク質の任意のアミノ酸配列にも変化を生じないが、発現パターンの調節変更を生じ得る。例としては、時間的発現における変化、生理的応答調節、細胞型発現調節、発現強度、および転写されるメッセージの安定性が挙げられる。
【０５６８】
エクソン結合方法により生産するSeqCalling集合体を選択し、以下の判定基準を用いて伸長した。初期または伸長した配列のすべてまたは部分に対し９８％同一性を持つ領域を有するゲノムクローンを、クエリーヒトゲノムデータベースに関連する配列を用いてＢＬＡＳＴＮ検索により同定した。この同一性は、これらのクローンがこれらのSeqCalling集合体に対するゲノム遺伝子座を含むことを示すので、生じたゲノムクローンをさらなる分析用に選択した。これらの配列を、推定コーディング領域に対してならびに公知のＤＮＡおよびタンパク質配列に対する類似性に対して分析した。これらの分析のために用いたプログラムとしては、Ｇｒａｉｌ、Ｇｅｎｓｃａｎ、ＢＬＡＳＴ、ＨＭＭＥＲ、ＦＡＳＴ、Ｈｙｂｒｉｄおよび他の関連プログラムが挙げられる。
【０５６９】
選択したSeqCalling集合体はこれらの領域にマップするので、或るさらに別な遺伝子領域がまた、同定されていてもよい。そのようなSeqCalling配列は、相同性またはエクソン予測により定義する領域と重なっていてもよい。それらはまた、フラグメントの位置が、元の予測した配列に含む類似性またはエクソン予測により同定する遺伝子領域の近傍にあったため含まれていてもよい。そのように同定した配列を手動で集め、次いでCuragen CorporationのヒトSeqCallingデータベースから取得した一つまたはそれ以上のさらに別な配列を用いて伸長していてもよい。包含するのに適するSeqCallingフラグメントを、CuraTool[登録商標]プログラムseqExtendにより、または分析されるゲノムクローンの適切な領域にマッピングするSeqCallingフラグメントを同定することにより、同定した。
【０５７０】
上記の手順によって定義する領域を、次に手動で積算し、例えば、元のフラグメント中の誤称塩基からまたは予測エクソン接合部、ＥＳＴ位置および配列類似領域の間の不一致から起こり得た明白な矛盾を訂正し、本明細書に開示する最終配列を誘導した。必要なときには、SeqCalling集合体およびゲノムクローンを同定し、そして分析すべき方法を反復して、全長配列(Alderborn et al.， Determination of Single Nucleotide Polymorphisms by Real-time Pyrophosphate DNA Sequencing. Genome Research. 10 (8) 1249-1265, 2000)を誘導した。
変異体を個別に報告するが、変異体のすべてまたは選択したサブセットの任意の組合せもまた、本発明の意図するＮＯＶＸ実施態様として含む。
【０５７１】
ＮＯＶ２ａＳＮＰデータ：
ＮＯＶ２ａには２個のＳＮＰ変異体があり、ヌクレオチドおよびアミノ酸配列に対するその変異位置に、各々配列番号９および１０に従って番号を付けた。表４６Ａに示すように、ＮＯＶ２ａ変異体のヌクレオチド配列は相違している。
【表２９５】
2005505247.tif 000296
【０５７２】
ＮＯＶ６ａＳＮＰデータ：
ＮＯＶ６ａには２個のＳＮＰ変異体があり、ヌクレオチドおよびアミノ酸配列に対するその変異位置に、各々配列番号２３および２４に従って番号を付けた。表４６Ｂに示すように、ＮＯＶ６ａ変異体のヌクレオチド配列は相違している。
【表２９６】
2005505247.tif 000297
【０５７３】
ＮＯＶ７ａＳＮＰデータ：
ＮＯＶ７ａには２個のＳＮＰ変異体があり、ヌクレオチドおよびアミノ酸配列に対するその変異位置に、各々配列番号２５および２６に従って番号を付けた。表４６Ｃに示すように、ＮＯＶ７ａ変異体のヌクレオチド配列は相違している。
【表２９７】
2005505247.tif 000298
【０５７４】
ＮＯＶ９ａＳＮＰデータ：
ＮＯＶ９ａには２個のＳＮＰ変異体があり、ヌクレオチドおよびアミノ酸配列に対するその変異位置に、各々配列番号３１および３２に従って番号を付けた。表４６Ｄに示すように、ＮＯＶ９ａ変異体のヌクレオチド配列は相違している。
【表２９８】
2005505247.tif 000299
【０５７５】
ＮＯＶ１１ａＳＮＰデータ：
ＮＯＶ１１ａには２個のＳＮＰ変異体があり、ヌクレオチドおよびアミノ酸配列に対するその変異位置に、各々配列番号３５および３６に従って番号を付けた。表４６Ｅに示すように、ＮＯＶ１１ａ変異体のヌクレオチド配列は相違している。
【表２９９】
2005505247.tif 000300
【０５７６】
ＮＯＶ１４ａＳＮＰデータ：
ＮＯＶ１４ａには２個のＳＮＰ変異体があり、ヌクレオチドおよびアミノ酸配列に対するその変異位置に、各々配列番号５７および５８に従って番号を付けた。表４６Ｆに示すように、ＮＯＶ１４ａ変異体のヌクレオチド配列は相違している。
【表３００】
2005505247.tif 000301
【０５７７】
ＮＯＶ１５ａＳＮＰデータ：
ＮＯＶ１５ａには２個のＳＮＰ変異体があり、ヌクレオチドおよびアミノ酸配列に対するその変異位置に、各々配列番号５９および６０に従って番号を付けた。表４６Ｇに示すように、ＮＯＶ１５ａ変異体のヌクレオチド配列は相違している。
【表３０１】
2005505247.tif 000302
【０５７８】
ＮＯＶ１６ａＳＮＰデータ：
ＮＯＶ１６ａには２個のＳＮＰ変異体があり、ヌクレオチドおよびアミノ酸配列に対するその変異位置に、各々配列番号６５および６６に従って番号を付けた。表４６Ｈに示すように、ＮＯＶ１６ａ変異体のヌクレオチド配列は相違している。
【表３０２】
2005505247.tif 000303
【０５７９】
ＮＯＶ１８ａＳＮＰデータ：
ＮＯＶ１８ａには２個のＳＮＰ変異体があり、ヌクレオチドおよびアミノ酸配列に対するその変異位置に、各々配列番号７３および７４に従って番号を付けた。表４６Ｈに示すように、ＮＯＶ１８ａ変異体のヌクレオチド配列は相違している。
【表３０３】
2005505247.tif 000304
【０５８０】
ＮＯＶ２１ａＳＮＰデータ：
ＮＯＶ２１ａには２個のＳＮＰ変異体があり、ヌクレオチドおよびアミノ酸配列に対するその変異位置に、各々配列番号８５および８６に従って番号を付けた。表４６Ｉに示すように、ＮＯＶ２１ａ変異体のヌクレオチド配列は相違している。
【表３０４】
2005505247.tif 000305
【０５８１】
ＮＯＶ２５ａＳＮＰデータ：
ＮＯＶ２５ａには２個のＳＮＰ変異体があり、ヌクレオチドおよびアミノ酸配列に対するその変異位置に、各々配列番号１２１および１２２に従って番号を付けた。表４６Ｊに示すように、ＮＯＶ２５ａ変異体のヌクレオチド配列は相違している。
【表３０５】
2005505247.tif 000306
【０５８２】
ＮＯＶ２７ａＳＮＰデータ：
ＮＯＶ２７ａには２個のＳＮＰ変異体があり、ヌクレオチドおよびアミノ酸配列に対するその変異位置に、各々配列番号１２７および１２８に従って番号を付けた。表４６Ｋに示すように、ＮＯＶ２７ａ変異体のヌクレオチド配列は相違している。
【表３０６】
2005505247.tif 000307
【０５８３】
ＮＯＶ２８ａＳＮＰデータ：
ＮＯＶ２８ａには２個のＳＮＰ変異体があり、ヌクレオチドおよびアミノ酸配列に対するその変異位置に、各々配列番号１２９および１３０に従って番号を付けた。表４６Ｋに示すように、ＮＯＶ２８ａ変異体のヌクレオチド配列は相違している。
【表３０７】
2005505247.tif 000308
【０５８４】
ＮＯＶ３１ａＳＮＰデータ：
ＮＯＶ３１ａには２個のＳＮＰ変異体があり、ヌクレオチドおよびアミノ酸配列に対するその変異位置に、各々配列番号１４１および１４２に従って番号を付けた。表４６Ｌに示すように、ＮＯＶ３１ａ変異体のヌクレオチド配列は相違している。
【表３０８】
2005505247.tif 000309
【０５８５】
ＮＯＶ３４ａＳＮＰデータ：
ＮＯＶ３４ａには２個のＳＮＰ変異体があり、ヌクレオチドおよびアミノ酸配列に対するその変異位置に、各々配列番号１４７および１４８に従って番号を付けた。表４６Ｍに示すように、ＮＯＶ３４ａ変異体のヌクレオチド配列は相違している。
【表３０９】
2005505247.tif 000310
【０５８６】
ＮＯＶ４０ａＳＮＰデータ：
ＮＯＶ４０ａには２個のＳＮＰ変異体があり、ヌクレオチドおよびアミノ酸配列に対するその変異位置に、各々配列番号１７９および１８０に従って番号を付けた。表４６Ｎに示すように、ＮＯＶ４０ａ変異体のヌクレオチド配列は相違している。
【表３１０】
2005505247.tif 000311
【０５８７】
ＮＯＶ４２ａＳＮＰデータ：
ＮＯＶ４２ａには２個のＳＮＰ変異体があり、ヌクレオチドおよびアミノ酸配列に対するその変異位置に、各々配列番号１８５および１８６に従って番号を付けた。表４６Ｏに示すように、ＮＯＶ４２ａ変異体のヌクレオチド配列は相違している。
【表３１１】
2005505247.tif 000312
【０５８８】
ＮＯＶ４４ａＳＮＰデータ：
ＮＯＶ４４ａには２個のＳＮＰ変異体があり、ヌクレオチドおよびアミノ酸配列に対するその変異位置に、各々配列番号１９５および１９６に従って番号を付けた。表４６Ｐに示すように、ＮＯＶ４４ａ変異体のヌクレオチド配列は相違している。
【表３１２】
2005505247.tif 000313
【０５８９】
実施例４７：種々の細胞および組織におけるクローンの定量的発現分析
種々の正常および病変由来の細胞、細胞株、および組織からのＲＮＡ試料を含むマイクロタイタープレートを用い、リアルタイム定量的ＰＣＲ(ＲＴＱ  ＰＣＲ)を使用して種々のクローンの定量的な発現を評価した。ＲＴＱ  ＰＣＲを、Applied Biosystems ABI PRISM [登録商標] 7700 またはABI PRISM [登録商標] 7900 HT Sequence Detection Systemで実施した。試料の種々の収集物をプレートにめ、そしてパネル１(正常組織およびがん細胞株を含有する)、パネル２(正常および癌供給源からの組織由来の試料を含有する)、パネル３(がん細胞株を含有する)、パネル４(正常組織からの細胞および細胞株ならびに炎症状態に関連する細胞を含有する)、パネル５Ｄ／５Ｉ(代謝性疾患を強調するヒト組織および細胞株を含有する)、ＡＩ_包括的_パネル(正常組織および自己免疫疾患からの試料を含有する)、パネルＣＮＳＤ.０１(正常および疾患脳からの中枢神経系試料を含有する)、ならびにＣＮＳ_神経変性_パネル(正常およびアルツハイマー病の脳からの試料を含有する)と呼ぶ。
【０５９０】
すべての試料からのＲＮＡの完全性を、２８Ｓおよび１８ＳリボソームＲＮＡ染色強度比を指針(２：１〜２.５：１  ２８Ｓ：１８Ｓ)として用いるアガロースゲル電気泳動図および分解生成物を示唆する低分子量ＲＮＡの不在の目視評価により品質制御した。試料を、単一エクソンの区間にまたがって増幅するようにデザインしたプローブおよびプライマーのセットを用い、逆転写酵素の不在下で行われるＲＴＱ  ＰＣＲ反応によりゲノムＤＮＡコンタミネーションに対して、制御した。
【０５９１】
最初に、ＲＮＡ試料を、恒常的に発現する遺伝子(例えば、β−アクチンおよびＧＡＰＤＨ)のような参照核酸へ標準化した。標準化したＲＮＡ(５μｌ)をｃＤＮＡに変換し、製造元の指示にしたがいOne Step RT-PCR Master Mix Reagents (Applied Biosystems; Catalog No. 4309169)および遺伝子−特異的プライマーを用いるＲＴＱ  ＰＣＲにより分析した。
【０５９２】
他の場合では、標準化していないＲＮＡ試料を、製造元の指示にしたがい、Superscript II (Invitrogen Corporation; Catalog No. 18064-147)およびランダムな６量体を用いて、一本鎖ｃＤＮＡ(ｓｓｃＤＮＡ)に変換した。１０μｇまでの全ＲＮＡを含む反応を２０μｌの容積で実施し、４２℃で６０分間インキュベートした。この反応は、１００μｌの最終容積のうち５０μｇの全ＲＮＡにまでスケールを拡大し得る。次いで、ｓｓｃＤＮＡ試料を、製造元の指示にしたがい1X TaqMan [登録商標] Universal Master mix (Applied Biosystems; catalog No. 4324020)を用いて、先に記載したように参照核酸へ標準化した。
【０５９３】
プローブおよびプライマーを、Applied Biosystems Primer Express Software package (Version I for Apple Computer's Macintosh Power PC)または標的配列を入力として用いる類似のアルゴリズムにしたがい、それぞれのアッセイに対してデザインした。反応条件に対してデフォルト設定を使用し、そしてプライマ−を選択する以前に以下のパラメーターを設定した：プライマー濃度＝２５０ｎＭ、プライマー融解温度(Ｔｍ)範囲＝５８°〜６０℃、プライマー最適Ｔｍ＝５９℃、最大プライマー融解温度差＝２℃、プローブは５´Ｇを有さず、プローブのＴｍはプライマーのＴｍよりも１０℃大きくなければならない、単位複製配列のサイズは７５ｂｐ〜１００ｂｐ。選択したプローブおよびプライマー(下を参照)は、Synthegen (Houston, TX, USA)により合成した。プローブをＨＰＬＣで二回精製して未カップリングの色素を除去し、質量分析法により評価して、レポーターおよびクエンチャー色素がプローブのそれぞれ５´および３´末端にカップリングしていることを立証した。それらの最終濃度は、順方向および逆方向プライマーでそれぞれ９００ｎＭ、およびプローブで２００ｎＭであった。
【０５９４】
ＰＣＲ条件：ＲＮＡ試料で作業する際、それぞれの組織およびそれぞれの細胞株からの標準化したＲＮＡを、９６穴または３８４穴のＰＣＲプレート(Applied Biosystems)のいずれか一方のそれぞれの穴の中にスポットした。ＰＣＲカクテルは、単一の遺伝子特異的プローブとプライマーのセットまたは多重プローブとプライマーの二つのセット(標的クローンに特異的なセットおよび標的プローブにより多重化されているもう一つの遺伝子特異的なセット)のどちらかを含んでいた。製造元の指示にしたがい、TaqMan [登録商標] One-Step RT-PCR Master Mix (Applied Biosystems; Catalog No. 4313803)を用いて、ＰＣＲ反応をセットアップした。逆転写を、４８℃で３０分間実施し、引き続いて以下のように増幅／ＰＣＲサイクルを実施した：９５℃で１０分、次いで９５℃で１５秒間、６０℃で１分間の４０サイクル。結果をｌｏｇ尺度を用いてＣＴ値(与えられた試料が蛍光の閾値を横切るサイクル)として記録し、与えられた試料と２のデルタＣＴ乗として表わす最低ＣＴ値を有する試料との間のＲＮＡ濃度の差とした。次いで、百分率相対発現を、このＲＮＡ差の逆数を取り１００倍することによって得た。
【０５９５】
ｓｓｃＤＮＡ試料で作業する際、先にＲＮＡ試料について記載したように、標準化したｓｓｃＤＮＡを用いた。製造元の指示にしたがって、1X TaqMan [登録商標] Universal Master mix (Applied Biosystems; catalog No. 4324020)を用いて、一つまたは二つのセットのプローブとプライマーを含むＰＣＲ反応をセットアップした。ＰＣＲ増幅を以下のように実施した：９５℃で１０分、次いで９５℃で１５秒間、６０℃で１分間の４０サイクル。結果を分析し、先に説明したように処理した。
【０５９６】
パネル１、１.１、１.２、および１.３Ｄ
パネル１、１.１、１.２、および１.３Ｄのためのプレートは、２個の対照穴(ゲノムＤＮＡ対照および化学対照)ならびに種々の試料からのｃＤＮＡを含有する９４穴を含む。これらのパネルにおける試料を、二つのクラス：培養細胞株由来の試料および一次正常組織由来の試料に区分した。細胞株は、以下のタイプの癌由来である：肺がん、乳がん、悪性黒色腫、結腸がん、前立腺がん、ＣＮＳがん、扁平上皮細胞がん腫、卵巣がん、肝臓がん、腎臓がん、胃がんおよび膵臓がん。これらのパネルで用いた細胞株を、培養細胞株のための保管所であるthe American Type Culture Collection (ＡＴＣＣ)を通じて広く入手でき、そしてＡＴＣＣにより推奨された条件を用いて培養した。これらのパネルで見られる正常組織は、単一の成人個体または胎児のすべての主要器官系に由来する試料から成る。これらの試料は以下の器官に由来する：成人骨格筋、胎児骨格筋、成人心臓、胎児心臓、成人腎臓、胎児腎臓、成人肝臓、胎児肝臓、成人肺臓、胎児肺臓、脳の種々の領域、脾臓、骨髄、リンパ節、膵臓、唾液腺、脳下垂体、副腎、脊髄、胸腺、胃、小腸、結腸、膀胱、気管、乳房、卵巣、子宮、胎盤、前立腺、精巣および脂肪。
【０５９７】
パネル１、１.１、１.２、および１.３Ｄについての結果では、以下の略語を用いる。
ｃａ．：がん腫
＊：転移から確立される
ｍｅｔ：転移
ｓ  ｃｅｌｌ  ｖａｒ：小細胞変異体
ｎｏｎ−ｓ＝ｎｏｎ−ｓｍ：非小
ｓｑｕａｍ：扁平
pl.eff＝pl  effusion：胸膜浸出液
ｇｌｉｏ：神経膠腫
ａｓｔｒｏ：星細胞腫、および
ｎｅｕｒｏ：神経芽細胞腫
【０５９８】
一般的＿スクリーニング＿パネル＿Ｖ１.４
パネル１.４のためのプレートは、２個の対照穴(ゲノムＤＮＡ対照および化学対照)ならびに種々の試料からのｃＤＮＡを含有する９４穴を含む。パネル１.４における試料を、二つのクラス：培養細胞株由来の試料および一次正常組織由来の試料に区分した。細胞株は、以下の型のがんに由来する：肺がん、乳がん、悪性黒色腫、結腸がん、前立腺がん、ＣＮＳがん、扁平上皮細胞がん腫、卵巣がん、肝臓がん、腎臓がん、胃がんおよび膵臓がん。パネル１.４で用いる細胞株を、培養細胞株のための保管所であるAmerican Type Culture Collection (ＡＴＣＣ)を通じて広く入手でき、ＡＴＣＣにより推奨された条件を用いて培養した。パネル１.４で見られる正常組織は、２〜５人の別々の成人個体または胎児のすべての主要器官系に由来する試料プールから成る。これらの試料は以下の器官に由来する：成人骨格筋、胎児骨格筋、成人心臓、胎児心臓、成人腎臓、胎児腎臓、成人肝臓、胎児肝臓、成人肺臓、胎児肺臓、脳の種々の領域、脾臓、骨髄、リンパ節、膵臓、唾液腺、脳下垂体、副腎、脊髄、胸腺、胃、小腸、結腸、膀胱、気管、乳房、卵巣、子宮、胎盤、前立腺、精巣および脂肪。略語は、パネル１、１.１、１.２、および１.３Ｄについて記載した通りである。
【０５９９】
パネル２Ｄおよび２.２
パネル２Ｄおよび２.２のためのプレートは、一般的に２個の対照穴およNational Cancer Institute's Cooperative Human Tissue Network (ＣＨＴＮ)またはNational Disease Research Initiative (ＮＤＲＩ)と密接に協力して働く外科医により調達されたヒト組織から単離したＲＮＡまたはｃＤＮＡから成る９４個の試験試料を含む。組織はヒト悪性腫瘍に由来し、指示した場合には、多くの悪性腫瘍組織は、腫瘍の直ぐ横に隣接した非癌組織から得た「対応辺縁」を有する。これらを正常隣接組織と呼称し、以下の結果では「ＮＡＴ」と表した。腫瘍組織および「対応辺縁」は、二人の別々の病理学者(外科病理学者および再びＮＤＲＩまたはＣＨＴＮの病理学者)により評価した。この分析は、腫瘍分化のグレードの組織病理学的評価を提供する。さらに、大部分の試料は、患者の臨床段階に関する情報を提供する外科病理学的報告原本を含む。これらの対応辺縁は、手術領域を取り囲む組織(即ち、直接隣接部)から採取した (表ＲＲでは、正常隣接組織の場合「ＮＡＴ」と表記する)。加えて、ＲＮＡおよびｃＤＮＡ試料は、高齢者または突然死犠牲者(事故、など)で実施した剖検由来の種々のヒト組織から得た。これらの組織は無疾患であることが確認されており、Clontech (Palo Alto, CA)、Research GeneticsおよびInvitrogenのような種々の商業的供給者から購入した。
【０６００】
パネル３Ｄ
パネル３Ｄのプレートは、９４個のｃＤＮＡ試料および２個の対照試料から成る。特に、これらの試料のうち９２個は培養ヒトがん細胞株由来であり、２個のヒト一次小脳組織の試料、および２個の対照である。ヒト細胞株を、ＡＴＣＣ(American Type Culture Collection)、ＮＣＩまたはドイツ癌細胞バンクから一般的に得らて、以下の組織群に入れた：舌の扁平上皮細胞癌腫、乳癌、前立腺癌、悪性黒色腫、類表皮癌腫、肉腫、膀胱癌腫、膵臓癌、腎臓癌、白血病／リンパ腫、卵巣／子宮／子宮頚部、胃、結腸、肺およびＣＮＳ癌細胞株。加えて、２個の独立した小脳の試料がある。これらの細胞をすべて標準的推奨条件下で培養し、ＲＮＡを標準的な手法を用いて抽出した。パネル３Ｄおよび１.３Ｄにおける細胞株は、科学的な文献で用いられる最も普通の細胞株である。
【０６０１】
パネル４Ｄ、４Ｒ、および４.１Ｄ
パネル４は、炎症状態に関連する種々のヒト細胞株または組織から単離したＲＮＡ(パネル４Ｒ)またはｃＤＮＡ(パネル４Ｄ／４.１Ｄ)から成る９６穴プレート(２個の対照穴、９４個の試験試料)上の試料を含む。大腸および肺(Stratagene, La Jolla, CA)ならびに胸腺および腎臓(Clonetech)のような対照正常組織からの全ＲＮＡを使用した。肝硬変患者の肝臓組織およびエリトマトーデス患者の腎臓からの全ＲＮＡを、BioChain (Biochain Institute, Inc., Hayward, CA)から入手した。クローン病および潰瘍性大腸炎を持つと診断された患者からのＲＮＡ標本用の腸組織は、National Disease Research Interchange (ＮＤＲＩ) (Philadelphia, PA)から入手した。
【０６０２】
星状膠細胞、肺線維芽細胞、皮膚線維芽細胞、冠動脈平滑筋細胞、小気道上皮、気管支上皮、微小血管皮膚内皮細胞、微小血管肺内皮細胞、ヒト肺動脈内皮細胞、ヒト臍帯静脈内皮細胞を、すべてClonetics (Walkersville, MD)から購入し、これらの細胞タイプのためにCloneticsから供給された培地中で発育した。これらの一次細胞タイプを、指示されたとおり６時間および／または１２〜１４時間、種々のサイトカインまたはサイトカインの組合せで活性化した。以下のサイトカインを用いた：凡そ１〜５ｎｇ／ｍｌのＩＬ−１β、凡そ５〜１０ｎｇ／ｍｌのＴＮＦα、凡そ２０〜５０ｎｇ／ｍｌのＩＦＮγ、凡そ５〜１０ｎｇ／ｍｌのＩＬ−４、凡そ５〜１０ｎｇ／ｍｌのＩＬ−９、凡そ５〜１０ｎｇ／ｍｌのＩＬ−１３。時には内皮細胞を、０.１％血清を有するCloneticsの基礎培地中での培養により種々の時間絶食状態にした。
【０６０３】
単核細胞を、CuraGen Corporationの従業員の血液からFicollを用いて調製した。ＬＡＫ細胞を、これらの細胞からＤＭＥＭ５％ＦＣＳ(Hyclone)、１００μＭ非必須アミノ酸(Gibco/Life Technologies, Rockville, MD)、１ｍＭピルビン酸ナトリウム(Gibco)、メルカプトエタノール５.５×１０−５Ｍ(Gibco)、ならびに１０ｍＭ  Ｈｅｐｅｓ(Gibco)およびインターロイキン２中で４〜６日間の培養により調製した。次いで、細胞を、１０〜２０ｎｇ／ｍｌのＰＭＡおよび１〜２μｇ／ｍｌのイオノマイシン、５〜１０ｎｇ／ｍｌのＩＬ−１２、２０〜５０ｎｇ／ｍｌのＩＦＮγならびに５〜１０ｎｇ／ｍｌのＩＬ−１８のいずれかで６時間活性化した。或る場合には、単核細胞を、凡そ５μｇ／ｍｌのＰＨＡ(フィトヘマグルチニン)またはＰＷＭ(アメリカヤマゴボウマイトジェン)と共に、ＤＭＥＭ５％ＦＣＳ(Hyclone)、１００μＭ非必須アミノ酸(Gibco)、１ｍＭピルビン酸ナトリウム(Gibco)、メルカプトエタノール５.５×１０−５Ｍ(Gibco)、および１０ｍＭ  Ｈｅｐｅｓ(Gibco)中で４〜５日間培養した。試料をＲＮＡ調製のために２４、４８および７２時間で採取した。ＭＬＲ(混合リンパ球反応)試料は、二人のドナーから血液を採取し、Ficollを用いて単核細胞を単離し、そして単離した単核細胞を１：１で、ＤＭＥＭ５％ＦＣＳ(Hyclone)、１００μＭ非必須アミノ酸(Gibco)、１ｍＭピルビン酸ナトリウム(Gibco)、メルカプトエタノール(５.５×１０−５Ｍ)(Gibco)、および１０ｍＭ  Ｈｅｐｅｓ(Gibco)中で凡そ２×１０６細胞／ｍｌの最終濃度で混合することにより得た。ＭＬＲを培養し、そしてＲＮＡ調製のために試料を１〜７日の範囲にわたる種々の時点で採取した。
【０６０４】
単核細胞から単球を、製造元の指示にしたがいＣＤ１４Miltenyi Beads、positive ｖｅ ＶＳ選択カラムおよびVario Magnetを用いて、単離した。単球を、ＤＭＥＭ５％ウシ胎仔血清(ＦＣＳ)(Hyclone, Logen, UT)、１００μＭ非必須アミノ酸(Gibco)、１ｍＭピルビン酸ナトリウム(Gibco)、メルカプトエタノール５.５×１０−５Ｍ(Gibco)、ならびに１０ｍＭ  Ｈｅｐｅｓ(Gibco)、５０ｎｇ／ｍｌ ＧＭＣＳＦおよび５ｎｇ／ｍｌ  ＩＬ−４中で５〜７日間の培養により樹状細胞に分化した。マクロファージを、ＤＭＥＭ５％ＦＣＳ(Hyclone)、１００μＭ非必須アミノ酸(Gibco)、１ｍＭピルビン酸ナトリウム(Gibco)、メルカプトエタノール５.５×１０−５Ｍ(Gibco)、１０ｍＭ  Ｈｅｐｅｓ(Gibco)および１０％ＡＢヒト血清または凡そ５０ｎｇ／ｍｌのＭＣＳＦ中で５〜７日間の単球の培養により、調製した。単球、マクロファージおよび樹状細胞を、１００ｎｇ／ｍｌのリポ多糖(ＬＰＳ)で６時間および１２〜１４時間刺激した。樹状細胞をまた、１０μｇ／ｍｌの抗−ＣＤ４０モノクローナル抗体で６時間および１２〜１４時間刺激した。
【０６０５】
ＣＤ４リンパ球、ＣＤ８リンパ球およびＮＫ細胞も、製造元の指示にしたがいＣＤ４、ＣＤ８およびＣＤ５６  Miltenyi Beads、positive ＶＳ選択カラムならびにVario Magnetを用いて、単核細胞から単離した。ＣＤ４５ＲＡおよびＣＤ４５ＲＯ  ＣＤ４リンパ球を、ＣＤ８、ＣＤ５６、ＣＤ１４およびＣＤ１９Miltenyi Beadsならびにpositive 選択を用いて、ＣＤ８、ＣＤ５６、ＣＤ１４およびＣＤ１９の単核細胞を除去することにより、単離した。次いで、ＣＤ４５ＲＯビーズを用いてＣＤ４５ＲＯ  ＣＤ４リンパ球を、ＣＤ４５ＲＡ  ＣＤ４リンパ球を残すことで単離した。ＣＤ４５ＲＡ  ＣＤ４、ＣＤ４５ＲＯ  ＣＤ４およびＣＤ８リンパ球を、ＤＭＥＭ５％ＦＣＳ(Hyclone)、１００μＭ非必須アミノ酸(Gibco)、１ｍＭピルビン酸ナトリウム(Gibco)、メルカプトエタノール５.５×１０−５Ｍ(Gibco)、および１０ｍＭ  Ｈｅｐｅｓ(Gibco)中に１０６細胞／ｍｌで、ＰＢＳ中０.５μｇ／ｍｌ抗−ＣＤ２８ (Pharmingen)および３μｇ／ｍｌ抗−ＣＤ３(ＯＫＴ３、ＡＴＣＣ)で一晩コーティングしたFalcon ６穴組織培養プレート上へ入れた。６および２４時間後に、細胞をＲＮＡ調製のため収穫した。慢性的に活性化したＣＤ８リンパ球を、我々は単離したＣＤ８リンパ球を抗−ＣＤ２８および抗−ＣＤ３でコーティングしたプレート上で４日間活性化し、次いで細胞を収穫し、それらをＤＭＥＭ５％ＦＣＳ(Hyclone)、１００μＭ非必須アミノ酸(Gibco)、１ｍＭピルビン酸ナトリウム(Gibco)、メルカプトエタノール５.５×１０−５Ｍ(Gibco)、ならびに１０ｍＭ  Ｈｅｐｅｓ(Gibco)およびＩＬ−２中で増大させて調製した。次いで、増大したＣＤ８細胞を、抗−ＣＤ３および抗−ＣＤ２８を結合したプレートで４日間再び活性化し、以前のように増大した。第二の活性化後６および２４時間ならびに第二の拡大培養４日後にＲＮＡを単離した。単離したＮＫ細胞を、ＲＮＡの調製前の４〜６日間、ＤＭＥＭ５％ＦＣＳ(Hyclone)、１００μＭ非必須アミノ酸(Gibco)、１ｍＭピルビン酸ナトリウム(Gibco)、メルカプトエタノール５.５×１０−５Ｍ(Gibco)、ならびに１０ｍＭ  Ｈｅｐｅｓ(Gibco)およびＩＬ−２中で培養した。
【０６０６】
Ｂ細胞を得るために、扁桃腺をＮＤＲＩから取得した。扁桃腺を無菌解剖バサミで切り裂き、次いで篩いに通過させた。次いで、扁桃腺細胞を遠心沈殿し、ＤＭＥＭ５％ＦＣＳ(Hyclone)、１００μＭ非必須アミノ酸(Gibco)、１ｍＭピルビン酸ナトリウム(Gibco)、メルカプトエタノール５.５×１０−５Ｍ(Gibco)および１０ｍＭ  Ｈｅｐｅｓ(Gibco)中に、１０６細胞／ｍｌで再懸濁した。細胞を活性化するために、我々は５μｇ／ｍｌのＰＷＭまたは凡そ１０μｇ／ｍｌの抗−ＣＤ４０(Pharmingen)および５〜１０ｎｇ／ｍｌのＩＬ−４を用いた。ＲＮＡ調製のために、細胞を２４、４８および７２時間にて収穫した。
【０６０７】
一次および二次Ｔｈ１／Ｔｈ２およびＴｒ１細胞を調製するために、６−穴Falconプレートを１０μｇ／ｍｌ抗−ＣＤ２８(Pharmingen)および２μｇ／ｍｌ  ＯＫＴ３(ＡＴＣＣ)で一晩コーティングして、次いでＰＢＳで二回洗滌した。臍帯血ＣＤ４リンパ球(Poietic Systems, German Town, MD)を、ＤＭＥＭ５％ＦＣＳ(Hyclone)、１００μＭ非必須アミノ酸(Gibco)、１ｍＭピルビン酸ナトリウム(Gibco)、メルカプトエタノール５.５×１０−５Ｍ(Gibco)、１０ｍＭ  Ｈｅｐｅｓ(Gibco)およびＩＬ−２(４ｎｇ／ｍｌ)中に、１０５〜１０６細胞／ｍｌで培養した。Ｔｈ１へ指向するためにはＩＬ−１２(５ｎｇ／ｍｌ)および抗−ＩＬ４(１μｇ／ｍｌ)を用いた一方で、Ｔｈ２へ指向するためにはＩＬ−４(５ｎｇ／ｍｌ)および抗−ＩＦＮガンマ(１μｇ／ｍｌ)を用い、そしてＴｒ１へ指向するためには５ｎｇ／ｍｌのＩＬ−１０を用いた。４〜５日後、活性化したＴｈ１、Ｔｈ２およびＴｒ１のリンパ球をＤＭＥＭ中で一回洗滌し、そしてＤＭＥＭ５％ＦＣＳ(Hyclone)、１００μＭ非必須アミノ酸(Gibco)、１ｍＭピルビン酸ナトリウム(Gibco)、メルカプトエタノール５.５×１０−５Ｍ(Gibco)、１０ｍＭ  Ｈｅｐｅｓ(Gibco)およびＩＬ−２(１ｎｇ／ｍｌ)中で４〜７日間増大した。これに続いて、活性化したＴｈ１、Ｔｈ２およびＴｒ１のリンパ球を、抗−ＣＤ２８／ＯＫＴ３および上記のようなサイトカインで、ただしアポトーシスを阻止するために抗−ＣＤ９５Ｌ(１μｇ／ｍｌ)を加えて、５日間再刺激した。４〜５日後、Ｔｈ１、Ｔｈ２およびＴｒ１のリンパ球を洗滌し、次いでＩＬ−２で４〜７日間再び拡大した。活性化Ｔｈ１およびＴｈ２のリンパ球を、最大３サイクルの間このように維持した。ＲＮＡを、一次および二次Ｔｈ１、Ｔｈ２およびＴｒ１から、抗−ＣＤ３および抗−ＣＤ２８ｍＡｂを結合したプレートでの第二および第三活性化の後６および２４時間後、ならびにインターロイキン２での第二および第三の増大培養開始から４日後に、調製した。
【０６０８】
以下の白血球細胞株をＡＴＣＣから入手した：Ｒａｍｏｓ、ＥＯＬ−１、ＫＵ−８１２。ＥＯＬ細胞を、０.１ｍＭ  ｄｂｃＡＭＰ中に５×１０５細胞／ｍｌで三日毎に培地を交換し、かつ細胞濃度を５×１０５細胞／ｍｌに調整しながら、８日間の培養によりさらに分化させた。これらの細胞を培養するために、我々は、５％ＦＣＳ(Hyclone)、１００μＭ非必須アミノ酸(Gibco)、１ｍＭピルビン酸ナトリウム(Gibco)、メルカプトエタノール５.５×１０−５Ｍ(Gibco)、１０ｍＭ  Ｈｅｐｅｓ(Gibco)を添加したＤＭＥＭまたはＲＰＭＩ(ＡＴＣＣによって推奨されたように)を用いた。ＲＮＡを、休止細胞または１０ｎｇ／ｍｌのＰＭＡおよび１μｇ／ｍｌのイオノマイシンで６および１４時間活性化した細胞のいずれかから、調製した。角化細胞株ＣＣＤ１０６および気道上皮腫瘍株ＮＣＩ−Ｈ２９２をまた、ＡＴＣＣから取得した。両方を、ＤＭＥＭ５％ＦＣＳ(Hyclone)、１００μＭ非必須アミノ酸(Gibco)、１ｍＭピルビン酸ナトリウム(Gibco)、メルカプトエタノール５.５×１０−５Ｍ(Gibco)、および１０ｍＭ  Ｈｅｐｅｓ(Gibco)中で培養した。ＣＣＤ１１０６細胞を凡そ５ｎｇ／ｍｌ  ＴＮＦアルファおよび１ｎｇ／ｍｌ  ＩＬ−１βで６および１４時間活性化する一方で、ＮＣＩ−Ｈ２９２細胞を以下のサイトカインで６および１４時間活性化した：５ｎｇ／ｍｌ  ＩＬ−４、５ｎｇ／ｍｌ  ＩＬ−９、５ｎｇ／ｍｌ  ＩＬ−１３および２７ｎｇ／ｍｌ  ＩＦＮγ。
【０６０９】
これらの細胞株および血液細胞については、ＲＮＡを、Trizol (Gibco BRL)を用い凡そ１０７細胞／ｍｌを溶解し調製した。手短に言えば、１／１０容量のブロモクロロプロパン(Molecular Research Corporation)をＲＮＡ試料に加え、ボルテックスし、室温にて１０分後にチューブをSorvall SS34回転器内で１４,０００ｒｐｍで遠心した。水相を取り出し、１５ｍｌのFalcon Tubeの中に入れた。等容積のイソプロパノールを加えて、−２０℃で一晩放置した。沈殿したＲＮＡをSorvall SS34回転器内で、９,０００ｒｐｍで、１５分間、遠心沈殿し、７０％エタノール中で洗滌した。ペレットをＲＮＡｓｅの無い水３００μｌに再溶解し、緩衝液(Promega) ３５μｌ、ＤＴＴ５μｌ、ＲＮＡｓｉｎ７μｌおよびＤＮＡｓｅ８μｌを加えた。チューブを３７℃で３０分間インキュベートし、汚染しているゲノムＤＮＡを除去し、フェノール／クロロホルムで一回抽出し、１／１０容積の３Ｍ酢酸ナトリウムおよび２容積の１００％エタノールで再沈殿した。ＲＮＡを遠心沈殿し、ＲＮＡｓｅの無い水中に入れた。ＲＮＡを−８０℃で保存した。
【０６１０】
ＡＩ_包括的_パネル_V１.０
ＡＩ_包括的_パネル_V１.０のためのプレートは、２個の対照穴およびBackus HospitalおよびClinomics (Frederick, MD)から取得した手術および検死ヒト組織から単離したｃＤＮＡから成る８９個の試験試料を含む。全ＲＮＡを、Backus Hospitalの組織試料からCuraGenの施設で抽出した。他の組織からの全ＲＮＡは、Clinomicsから取得した。
【０６１１】
滑液、滑膜、骨および軟骨を含む関節組織を、Backus Hospitalで全膝または臀部置換手術を行った患者から取得した。直ぐ後で、組織試料を液体窒素中で素早く凍結し、単離したＲＮＡが最適な品質であり分解していないことを保証した。変形性関節炎および慢性関節リウマチの関節組織のさらに別の試料を、Clinomicsから取得した。正常な対照組織をClinomicsから供給し、そして外傷犠牲者の剖検の間に取得した。
【０６１２】
乾癬組織および隣接対応組織の手術標本を、全ＲＮＡとしてClinomicsにより提供した。二人の男性および二人の女性患者を年齢２５歳から４７歳から選択した。いずれの患者も、試料が単離した際、処方薬剤を服用していなかった。
潰瘍性大腸炎およびクローン病を持つ患者からの疾患結腸ならびに隣接対応組織の手術標本は、Clinomicsから取得した。年齢４１〜６９歳の間の三人の女性および三人の男性のクローン病患者からの腸組織を用いた。二人の患者は処方医薬品を受けていなかった一方で、他はデキサメタゾン、フェノバルビタールまたはタイレノールを服用していた。潰瘍性大腸炎組織は、三人の男性および四人の女性患者からのものであった。患者のうち四人はレブビドを服用し、二人はフェノバルビタールを受けていた。
【０６１３】
無疾患または肺気腫、喘息またはＣＯＰＤを持つ外傷被害者の検死肺組織からの全ＲＮＡを、Clinomicsから購入した。年齢４０〜７０歳の範囲にわたる肺気腫患者は、すべて喫煙者であって、この年齢範囲は、タバコ関連の肺気腫を持つ患者に焦点を当てかつα−１抗−トリプシン欠乏症を持つそれらの患者を除外するために、選択した。喘息患者は、年齢３６〜７５歳の範囲にわたり、そしてＣＯＰＤを持つそれらの患者を阻止するために喫煙者を除外した。ＣＯＰＤ患者は、年齢３５〜８０歳の範囲にわたり、喫煙者および非喫煙者の両方を含む。大部分の患者は、コルチコステロイドおよび気管支拡張剤を服用していた。
【０６１４】
ＡＩ_包括的_パネル_V１.０パネルの中の組織を同定するために使用するラベルの中で、以下の略語を用いる。
ＡＩ：  自己免疫
Ｓｙｎ：  滑液
正常：  明白な疾患なし
Ｒｅｐ２２／Ｒｅｐ２０：個別のの患者
ＲＡ：  慢性関節リウマチ
Backus：  Backus Hospitalから
ＯＡ：  変形性関節炎
(ＳＳ)(ＢＡ)(ＭＦ)：個別のの患者
Ａｄｊ：隣接組織
対応対照：隣接組織
−男性：  男性
−女性：  女性
ＣＯＰＤ：  慢性閉塞性肺疾患
【０６１５】
パネル５Ｄおよび５Ｉ
パネル５Ｄおよび５Ｉのためのプレートは、２個の対照穴および代謝性疾患を強調するヒト組織および細胞株から単離した種々のｃＤＮＡを含む。代謝組織を、Gestational Diabetes(妊娠性糖尿病)研究に登録した患者から取得した。ヒト間葉系幹細胞からの脂肪細胞の分化の種々の段階中で、細胞を取得した。また、ヒト膵島も取得した。
【０６１６】
Gestational Diabetes(妊娠性糖尿病)研究では対象は、若くて(１８〜４０歳)、日常的な(選択的)帝王切開術を行う妊娠性糖尿病の有無以外は健康な婦人である。幼児出産後、外科的切開を修復／縫合している際、産科医がそれぞれの外科的レベルの縫合中に露出した代謝組織の小量の試料(＜１ｃｃ)を摘出した。生検物質を、無菌生理食塩液ですすぎ洗いされ、吸い取られ、摘出時から５分以内に迅速凍結した。次いで、組織を液体窒素中で急速凍結し、個別に無菌のねじ蓋チューブに入れて保存し、CuraGenまで輸送するかまたはドライアイス上に置かれ引き取られた。興味のある代謝組織としては、子宮壁(平滑筋)、内臓脂肪、骨格筋(直筋)および皮下脂肪が挙げられる。患者の説明は以下の通りである。
患者２        糖尿病ラテンアメリカ系、過体重、インスリン非服用
患者７〜９    非糖尿病白人系で肥満(ＢＭＩ＞３０)
患者１０      糖尿病ラテンアメリカ系、過体重、インスリン服用
患者１１      非糖尿病アフリカ系米国人で過体重
患者１２      インスリン服用の糖尿病ラテンアメリカ系
【０６１７】
脂肪細胞の分化を、二つの複製のみを有するドナー３Ｕを除き、Osirus(Clonetics/Bio Whittakerの一部門)から３部で得たドナー前駆細胞中で誘導した。Cloneticsの科学者は、CuraGenのためにヒト間葉幹細胞(ＨｕＭＳＣ)を、Mark F. Pittenger, et al., Multilineage Potential of Adult Human Mesenchymal Stem Cells Science Apr 2 1999: 143-147に見られる公開プロトコルに基づいて単離し、成長させ、分化させた。Cloneticsは、ｍＲＮＡの単離およびｄｓ  ｃＤＮＡの生産に適するTrizol溶解物または凍結ペレットを供給した。それぞれのドナーの一般的説明は、以下の通りである。
ドナー２および３Ｕ：  間葉系幹細胞、未分化脂肪
ドナー２および３ＡＭ：  脂肪、中途分化脂肪
ドナー２および３ＡＤ：  脂肪、分化脂肪
【０６１８】
ヒト細胞株を、一般的にＡＴＣＣ(American Type Culture Collection)、ＮＣＩまたはドイツがん細胞バンクから得て、以下の組織群に入る：近位曲尿細管、子宮平滑筋細胞、小腸、肝臓ＨｅｐＧ２がん細胞、心臓一次間質細胞および副腎皮質腺腫細胞。これらの細胞をすべて標準的な推奨された条件下で培養し、ＲＮＡを標準的な手順を用いて抽出した。すべての試料をCuraGenで加工して、一本鎖ｃＤＮＡを生産した。
【０６１９】
パネル５Ｉは、先に記載したすべての試料に、University of Miami School of Medicine にあるDiabetic Research Instituteから取得した、５８歳女性患者からの膵島の追加を含む。膵島組織を外部業者で全ＲＮＡに加工し、パネル５Ｉに加えるためにCuraGenに配達した。
【０６２０】
５Ｄおよび５Ｉパネル中の組織を確認するために使用するラベルでは、以下の略語を用いる：
ＧＯ Adipose：  大網膜脂肪
ＳＫ：  骨格筋
ＵＴ：  子宮
ＰＬ：  胎盤
ＡＤ：  分化脂肪
ＡＭ：  中途分化脂肪
Ｕ：  未分化幹細胞
【０６２１】
パネルＣＮＳＤ.０１
パネルＣＮＳＤ.０１のためのプレートは、２個の対照穴とthe Harvard Brain Tissue Resource Centerから取得した検死ヒト脳組織から単離したｃＤＮＡから成る９４個の試験試料を含む。脳を、死後４〜２４時間の間のドナーの頭蓋冠から取り出し、神経解剖学者が切片にし、液体窒素蒸気中−８０℃で凍結した。神経病理学者がすべての脳を切片にしかつ検査して、明確な関連する神経病理学で診断を確認した。
【０６２２】
疾患診断を患者記録からを取った。パネルは以下の診断のそれぞれからの二つの脳を含む：アルツハイマー病、パーキンソン病、ハンティントン病、進行性核上性麻痺、抑鬱、および「正常対照」。これらのそれぞれの脳内で、以下の領域を提示する：帯状回、側頭極、淡蒼球、黒質、Brodman４野(一次運動野)、Brodman７野(頭頂皮質)、Brodman９野(前前頭皮質)およびBrodman１７野(後頭皮質)。すべての場合において、脳領域のすべてを提示していない；例えば、ハンティントン病は、部分的に淡蒼球における神経変性を特徴とし、かくしてこの領域は確認したハンティントン病の症例から取得することは不可能である。同じくパーキンソン病は、黒質の変性を特徴とし、この領域を取得するのをさらに困難にしている。正常対照脳の神経病理学検査を行い、神経変性と一致するいかなる病理もないことを見い出した。
【０６２３】
ＣＮＳパネル中の組織を確認するために使用するラベルでは、以下の略語を用いる。
ＰＳＰ：  進行性核上麻痺
Sub Nigra：  黒質
Glob Palladus：  淡蒼球
Temp Pole：  側頭極
Cing Gyr：  帯状回
ＢＡ４：  Brodman４野
【０６２４】
パネルＣＮＳ_神経変性_Ｖ１.０
パネルＣＮＳ_神経変性_Ｖ１.０のためのプレートは、２個の対照穴とHarvard Brain Tissue Resource Center (McLean Hospital)およびHuman Brain and Spinal Fluid Resource Center (VA Greater Los Angeles Healthcare System)から取得した検死ヒト脳組織から単離したｃＤＮＡから成る４７個の試験試料を含む。脳を、死後４〜２４時間の間のドナーの頭蓋冠から取り出し、神経解剖学者が切片にし、液体窒素蒸気中−８０℃で凍結した。神経病理学者がすべての脳を切片にしかつ検査して明確な関連する神経病理学で診断を確認する。
【０６２５】
疾患診断を患者記録から取得した。パネルは、アルツハイマー病(ＡＤ)疾患からの６個の脳および死亡前に痴呆の形跡を示さなかった「正常対照」からの８個の脳を含む。８個の正常対照脳を、二種の範疇に区分する：痴呆およびアルツハイマー様病理(対照)を持たない対照ならびに痴呆を持たないが重症アルツハイマー様病理、(特に０〜３の尺度でレベル３として評価する老人斑負荷；０＝斑形跡なし、３＝重症ＡＤ老人斑負荷)、の証拠を持つ対照。これらのそれぞれの脳内で、以下の領域を提示する：海馬、側頭皮質(Brodman２１野)、頭頂皮質(Brodman７野)および後頭皮質(Brodman１７野)。これらの領域を、ＡＤにおける全てのレベルを包含するために選択した。海馬はＡＤにおける初期および重症神経損失の領域であり；側頭皮質は海馬の後でＡＤにおいて神経変性を呈すと知られており；頭頂皮質は病気の後期段階で中程度の神経死を呈し；後頭皮質はＡＤにおいて生き長らえ、それ故にＡＤ患者内で「対照」領域として働く。すべての場合において、脳領域のすべてを提示していない。
【０６２６】
ＣＮＳ_神経変性_Ｖ１.０パネル中の組織を確認するために使用するラベルでは、以下の略語を用いる。
ＡＤ：  アルツハイマー病脳；患者は痴呆になり、剖検でＡＤ様病理を呈した。
対照：  対照脳；痴呆でない患者、神経病理を呈さない
対照(病理)：  対照脳；痴呆ではないが重症ＡＤ様病理を呈する患者
Sup  Temporal  Ctx：上側頭皮質
Inf  Temporal  Ctx：下側頭皮質
【０６２７】
Ａ．ＮＯＶ１ａ、ＮＯＶ１ｃ、およびＮＯＶ１ｄ：ニューレキソフィリン１前駆体
表ＡＡに記載するプライマー−プローブのセットＡｇ３３７１を用いて、遺伝子ＮＯＶ１ａ、変異体ＮＯＶ１ｃおよびＮＯＶ１ｄ遺伝子の発現を評価した。ＲＴＱ−ＰＣＲの実施結果を表ＡＢおよびＡＣに示す。遺伝子配列の予測を確認しつつ、ＮＯＶ１ｃおよびＮＯＶ１ｄがＮＯＶ１ａ遺伝子の物理学的クローン全長を表すことに注意されたい。
【表３１３】
2005505247.tif 000314
【０６２８】
【表３１４】
2005505247.tif 000315
【０６２９】
【表３１５】
2005505247.tif 000316
【０６３０】
表ＡＣの続き
【表３１６】
2005505247.tif 000317
【０６３１】
ＣＮＳ_神経変異性_ｖ１.０概要：Ａｇ３３７１  このパネルでは、この遺伝子が個々の独立した群の脳において中程度のレベルで発現することを確認する。しかしながら、この遺伝子の発現差を、この実験のアルツハイマー病死後脳と痴呆でないコントロール死後脳間で検出しない。パネル１.４を、中枢神経系疾患の処置におけるこの遺伝子の潜在的な有用性の考察のために参照されたい。
【０６３２】
一般的_スクリーニング_パネル_ｖ１.４概要：Ａｇ３３７１  ＮＯＶ１ａ遺伝子を、胎児脳における最高発現を伴い、このパネルに表す脳の全領域において中程度のレベルで発現する（ＣＴ＝２９.２−３１.７）。従って、この遺伝子の発現を、このパネルの脳と他の試料とを区別するのに用い得る。ＮＯＶ１ａ遺伝子は、ニューレキソフィリンと相同なタンパク質をコードする。ニューレキソフィリンは、神経細胞表面に発現する受容体様タンパク質であるαニューレキシンに結合する神経ペプチド様糖タンパク質のファミリーのメンバーである（Missler and Sudhof， J Neurosci 18（10）:3630-8）， 1998）。それゆえ、この遺伝子は、アルツハイマー病、パーキンソン病、てんかん、多発性硬化症、統合失調症およびうつ病のような中枢神経系疾患において機能し得る。
【０６３３】
パネル４Ｄ概要：Ａｇ３３７１   このパネルの全試料において、この遺伝子の発現を低値／検出しない（ＣＴ＞３５）。
【０６３４】
Ｂ．ＮＯＶ２ａ：ニューロフィリン
表ＢＡに記載するプライマー−プローブのセットＡｇ３３６９を用いて、遺伝子ＮＯＶ２ａの発現を評価した。ＲＴＱ−ＰＣＲの実施結果を表ＢＢ、ＢＣおよびＢＤに示す。
【表３１７】
2005505247.tif 000318
【０６３５】
【表３１８】
2005505247.tif 000319
【０６３６】
【表３１９】
2005505247.tif 000320
【０６３７】
表ＢＣの続き
【表３２０】
2005505247.tif 000321
【０６３８】
【表３２１】
2005505247.tif 000322
【０６３９】
表ＢＤの続き
【表３２２】
2005505247.tif 000323
【０６４０】
ＣＮＳ_神経変異性_ｖ１.０概要：Ａｇ３３６９  このパネルでは、ＮＯＶ２ａ遺伝子が個々の独立した群の脳において中程度のレベルで発現することを確認する。しかしながら、この遺伝子の発現差を、この実験のアルツハイマー病死後脳と痴呆でないコントロール死後脳間で検出しない。パネル１.４を、中枢神経系疾患の処置におけるこの遺伝子の潜在的な有用性の考察のために参照されたい。
【０６４１】
一般的_スクリーニング_パネル_ｖ１.４概要：Ａｇ３３６９  ＮＯＶ２遺伝子は小脳において高発現（ＣＴ＝２６.２）する。それゆえ、この遺伝子の発現を、このパネルのこの試料と他の試料とを区別するのに用い得る。加えて、この遺伝子は、海馬、視床、黒質、大脳皮質および脊髄において中程度のレベルで発現する。ＮＯＶ２ａ遺伝子は、ラットニューレキソフィリン３と相同なタンパク質をコードする。ニューレキソフィリンは、神経細胞表面に発現する受容体様タンパク質、αニューレキシンに結合する神経ペプチド様糖タンパク質のファミリーのメンバーである（参考文献１）。それゆえ、この遺伝子は、アルツハイマー病、パーキンソン病、てんかん、多発性硬化症、統合失調症およびうつ病のような中枢神経系疾患において機能し得る。
【０６４２】
代謝機能または内分泌機能をつかさどる組織の間で、この遺伝子は、膵臓、脂肪、脳下垂体、心臓および消化管において中程度のレベルで発現し、副腎、甲状腺、および骨格筋において低レベルで発現する。それゆえ、この遺伝子活性の治療的調節は、肥満および糖尿病のような内分泌性／代謝性関連疾患の処置において有益となり得る。この遺伝子を、胎児心臓（ＣＴ＝３３.３）と比較して成人心臓においても有意に高発現（ＣＴ＝３０）し、このことは、それをこの組織の成人供給源と胎児供給源を区別するのに用い得ることを示す。
【０６４３】
この遺伝子の発現は、癌細胞株よりむしろ正常組織と一次的に関係する。ＮＯＶ２ａ遺伝子の発現を、対応する正常組織と比較してＣＮＳ癌細胞株、大腸癌細胞株、胃癌細胞株、および腎臓癌細胞株において下方制御する。従って、この遺伝子の発現は、このタイプの癌に対するマーカーとして有用であり得る。さらに、タンパク質療法としてのＮＯＶ２ａ遺伝子産物の応用は、ＣＮＳ癌、大腸癌、胃癌、および腎臓癌の処置において有益であり得る（Missler and Sudhof 1998）。
【０６４４】
パネル４Ｄ概要：Ａｇ３３６９  ＮＯＶ２ａ遺伝子を、γインターフェロンで処置したＨＵＶＥＣにおいて最も高発現（ＣＴ＝３１.６）する。それゆえ、ＨＵＶＥＣにおける転写物発現の調節は、この転写物によりコードするタンパク質がγインターフェロンに因る炎症性変化に寄与し得ることを示す。それゆえ、この転写物によりコードするタンパク質でデザインした治療は、自己免疫疾患および炎症性疾患患者の症状を減少または排除し得る。ここでエリテマトーデス、喘息、肺気腫、クローン病、潰瘍性大腸炎、多発性硬化症、関節リウマチ、骨関節炎および乾癬のような内皮細胞および星状膠細胞を含む。
正常大腸および正常肺における有意なレベルの発現は、このタンパク質活性の治療的調節は炎症性腸疾患および炎症性肺疾患の処置において有益となり得ることを示す。
【０６４５】
Ｃ．ＮＯＶ３ａ：プロテアーゼ阻害剤９
表ＣＡに記載するプライマー−プローブのセットＡｇ３３６８を用いて、遺伝子ＮＯＶ３ａの発現を評価した。
【表３２３】
2005505247.tif 000324
【０６４６】
ＣＮＳ_神経変異性_ｖ１.０概要：Ａｇ３３６８  このパネルの全試料において、この遺伝子の発現を低値／検出しない（ＣＴ＞３５）。
一般的_スクリーニング_パネル_ｖ１.４概要：Ａｇ３３６８  このパネルの全試料において、この遺伝子の発現を低値／検出しない（ＣＴ＞３５）。
パネル４Ｄ概要：Ａｇ３３６８  このパネルの全試料において、この遺伝子の発現を低値／検出しない（ＣＴ＞３５）。
【０６４７】
Ｄ．ＮＯＶ６ａ：増殖抑制因子／レプレカン
表ＤＡに記載するプライマー−プローブのセットＡｇ３３５４を用いて、遺伝子ＮＯＶ６ａの発現を評価した。ＲＴＱ−ＰＣＲの実施結果を表ＤＢ、ＤＣおよびＤＤに示す。
【表３２４】
2005505247.tif 000325
【０６４８】
【表３２５】
2005505247.tif 000326
【０６４９】
【表３２６】
2005505247.tif 000327
【０６５０】
表ＤＣの続き
【表３２７】
2005505247.tif 000328
【０６５１】
【表３２８】
2005505247.tif 000329
【０６５２】
表ＤＤの続き
【表３２９】
2005505247.tif 000330
【０６５３】
ＣＮＳ_神経変異性_ｖ１.０概要：Ａｇ３３５４  このパネルでは、ＮＯＶ６ａ遺伝子がいくつかの個々の脳において低レベルから中程度のレベルで発現することを確認する。しかしながら、この遺伝子の発現差を、この実験のアルツハイマー病死後脳と痴呆でないコントロール死後脳間で検出しない。
【０６５４】
一般的_スクリーニング_パネル_ｖ１.４概要：Ａｇ３３５４  一つの実験結果を挙げていない。アンププロットは、この実施に伴なう実験的困難を示す。
パネル２.２概要：Ａｇ３３５４  ＮＯＶ６ａ遺伝子は、正常卵巣において高発現（ＣＴ＝３２.３）する。従って、この遺伝子の発現を、このパネルのこの試料と他の試料とを区別および卵巣組織のマーカーとして用い得る。ＮＯＶ６ａ遺伝子は、ヒトGros１およびラットレプレカン 遺伝子と相同なタンパク質をコードする。ＮＩＨ３Ｔ３細胞へのマウスGros１ｃＤＮＡの安定トランスフェクションにより、それらの増殖は遅くなり、コロニー形成率は低下する。このことは、このタンパク質が増殖抑制因子として働き得ることを示す。それゆえ、タンパク質療法としてのＮＯＶ６ａ遺伝子産物の使用は、癌処置において有益であり得る（Kaul et al.， Oncogene 19（32）:3576-83， 2000）。
【０６５５】
パネル４Ｄ概要：Ａｇ３３５４  ＮＯＶ６遺伝子は、処置したにもかかわらず皮膚線維芽細胞および肺線維芽細胞において高発現（ＣＴ＝２８−３０）する。この遺伝子は、内皮細胞においても中程度のレベルで発現する。従って、それがコードする転写物またはタンパク質を使用して、内皮または線維芽細胞を同定し得る。内皮細胞は、エフェクター炎症性細胞の活性および補充で含まれる表面タンパク質の発現を変えることにより、炎症性応答において重要な働きをすると知られている。皮膚線維芽細胞および皮膚微小血管内皮細胞におけるこの遺伝子の発現は、このタンパク質産物を、乾癬を含む皮膚疾患に対する炎症性応答において含むことを示す。肺線維芽細胞および肺微小血管内皮細胞での発現は、この転写物によりコードするタンパク質を喘息、アレルギー、慢性閉塞性肺疾患および肺気腫を含有する肺疾患において含み得ることを示す。それゆえ、この遺伝子によりコードするタンパク質の治療的調節は、乾癬、喘息、アレルギー、慢性閉塞性肺疾患および肺気腫と関係する症状の改善を導き得る。
【０６５６】
Ｅ．ＮＯＶ１０ａ：オルファクトメジン様
表ＥＡに記載するプライマー−プローブのセットＡｇ３３８４を用いて、遺伝子ＮＯＶ１０ａの発現を評価した。ＲＴＱ−ＰＣＲの実施結果を表ＥＢ、ＥＣ、ＥＤ、ＥＥおよびＥＦに示す。
【表３３０】
2005505247.tif 000331
【０６５７】
【表３３１】
2005505247.tif 000332
【０６５８】
【表３３２】
2005505247.tif 000333
【０６５９】
表ＥＣの続き
【表３３３】
2005505247.tif 000334
【０６６０】
【表３３４】
2005505247.tif 000335
【０６６１】
表ＥＤの続き
【表３３５】
2005505247.tif 000336
【０６６２】
【表３３６】
2005505247.tif 000337
【０６６３】
表ＥＥの続き
【表３３７】
2005505247.tif 000338
【０６６４】
ＣＮＳ_神経変異性_ｖ１.０概要：Ａｇ３３８４  オルファクトメジン相同体であるＮＯＶ１０ａ遺伝子を、アルツハイマー病患者の側頭皮質においてわずかに上方制御する。オルファクトメジンファミリーのメンバーを、細胞外環境の物理的資質を制御する際に包含する。それゆえ、このタンパク質の治療的阻害は、アルツハイマー病および神経細胞死と関係する痴呆／記憶障害を回復する際に有用であり得る（Kulkarni et al.， Genet Res 76（1）:41-50， 2000）。
【０６６５】
一般的_スクリーニング_パネル_ｖ１.４概要：Ａｇ３３８４  ＮＯＶ１０遺伝子は、卵巣癌細胞株において高発現（ＣＴ＝３０.４）する。この遺伝子を、胃癌細胞株においても有意なレベルで発現する。従って、この遺伝子の発現をこのパネルのこれらの試料と他の試料とを区別および卵巣癌および胃癌の存在を検出するマーカーとして使用し得る。さらに、この遺伝子の発現または機能の治療的調節は、卵巣癌および胃癌の処置において効果的であり得る。
【０６６６】
代謝機能をつかさどる組織の間で、この遺伝子は、下垂体、脂肪、副腎、膵臓、甲状腺、胎児骨格筋、胎児肝臓および成人／胎児心臓において中程度のレベルで発現する。これらの組織間でのこの広範な発現は、この遺伝子産物が正常神経内分泌および正常代謝において働き得ることおよびこの遺伝子の非調節な発現が肥満および糖尿病のような神経内分泌性疾患または代謝性疾患に寄与し得ることを示す。
【０６６７】
加えて、この遺伝子を、黒質、胎児脳、および脊髄を含む中枢神経系由来のいくつかの試料において低発現する。ＣＮＳ_神経変異性_ｖ１.０を、中枢神経系におけるこの遺伝子の有用性の更なる考察のために参照されたい。
パネル２.２概要：Ａｇ３３８４  以下のパネル４Ｄと一致して、この遺伝子を、腎臓辺縁試料ＯＤ０４３４８における最高発現（ＣＴ＝３２.６）を伴い、腎臓において有意なレベルで発現する。胃、子宮、肺、および卵巣由来の試料においても、低発現する。従って、この遺伝子の発現を、このパネルの腎臓と他の試料とを区別および腎臓組織のマーカーとして用い得る。
【０６６８】
パネル４Ｄ概要：Ａｇ３３８４  ＮＯＶ１０ａ遺伝子は、腎臓（ＣＴ＝３２.５）および胸腺（ＣＴ＝３２.７）において高発現する。それゆえ、ＮＯＶ１０ａタンパク質でデザインしたタンパク質、抗体または低分子療法を用いて、腎臓またはＴ細胞の発生を調節し得るし、ループス、糸球体腎炎、器官移植、ＡＩＤＳ処置または化学療法後の免疫再構築を含む腎臓および胸腺に作用する炎症性疾患または自己免疫疾患の処置において重要であり得る。
【０６６９】
パネルＣＮＳ_１概要：Ａｇ３３８４  このパネルの全試料において、この遺伝子の発現を低値／検出しない（ＣＴ＞３５）。
【０６７０】
Ｆ．ＮＯＶ１２ａおよびＮＯＶ１３ａ：神経細胞接着タンパク質BIG-２前駆体
表ＦＡ、ＦＢ，ＦＣおよびＦＤに記載するプライマー−プローブのセットＡｇ３２２８、Ａｇ３２６１、Ａｇ５２６７およびＡｇ５２６８を用いて、遺伝子ＮＯＶ１２ａおよびＮＯＶ１３ａの発現を評価した。ＲＴＱ−ＰＣＲの実施結果を表ＦＥ、ＦＦ、ＦＧ、ＦＨ、ＦＩ、ＦＪおよびＦＫに示す。
【表３３８】
2005505247.tif 000339
【０６７１】
【表３３９】
2005505247.tif 000340
【０６７２】
【表３４０】
2005505247.tif 000341
【０６７３】
【表３４１】
2005505247.tif 000342
【０６７４】
【表３４２】
2005505247.tif 000343
【０６７５】
表ＦＥの続き
【表３４３】
2005505247.tif 000344
【０６７６】
表ＦＥの続き
【表３４４】
2005505247.tif 000345
【０６７７】
表ＦＥの続き
【表３４５】
2005505247.tif 000346
【０６７８】
【表３４６】
2005505247.tif 000347
【０６７９】
表ＦＦの続き
【表３４７】
2005505247.tif 000348
【０６８０】
【表３４８】
2005505247.tif 000349
【０６８１】
表ＦＧの続き
【表３４９】
2005505247.tif 000350
【０６８２】
表ＦＧの続き
【表３５０】
2005505247.tif 000351
【０６８３】
【表３５１】
2005505247.tif 000352
【０６８４】
表ＦＨの続き
【表３５２】
2005505247.tif 000353
【０６８５】
表ＦＨの続き
【表３５３】
2005505247.tif 000354
【０６８６】
【表３５４】
2005505247.tif 000355
【０６８７】
表ＦＩの続き
【表３５５】
2005505247.tif 000356
【０６８８】
【表３５６】
2005505247.tif 000357
【０６８９】
表ＦＪの続き
【表３５７】
2005505247.tif 000358
【０６９０】
表ＦＪの続き
【表３５８】
2005505247.tif 000359
【０６９１】
【表３５９】
2005505247.tif 000360
【０６９２】
表ＦＫの続き
【表３６０】
2005505247.tif 000361
【０６９３】
表ＦＫの続き
【表３６１】
2005505247.tif 000362
【０６９４】
ＡＩ_包括的_パネル_ｖ１.０概要：Ａｇ５２６７／Ａｇ５２６８  異なるプローブ／プライマーセットを用いた２度の実験結果は、いくつかの正常組織および疾患組織におけるこの転写物の発現を示し、これらの結果は他の２つのプローブ／プライマーセットでのデータと一致する。この観察結果は、ＡＧ５２６７およびＡｇ５２６８プローブ／プライマーセットが、Ａｇ３２２８およびＡｇ３２６１での検出より広範な発現パターンを伴なう転写物のアイソフォームを検出し得ることを示す。パネル４Ｄを、炎症におけるこのタンパク質の潜在的働き、およびその治療的有用性の考察のために参照されたい。Ａｇ３２６１  ＮＯＶ１２ａ遺伝子を、一つの乾癬試料に限り、有意なレベルで発現する。Ａｇ３２２８  このパネルの全試料において、この遺伝子の発現を低値／検出しない（ＣＴ＞３５）。
【０６９５】
ＣＮＳ_神経変異性_ｖ１.０概要：Ａｇ３２６１／Ａｇ５２６７／Ａｇ５２６８  このパネルで用いる３度の実験結果では、この遺伝子が、個々の独立した群の脳において低レベルで発現することを確認する。しかしながら、この遺伝子の発現差を、この実験のアルツハイマー病死後脳と痴呆でないコントロール死後脳間で検出しない。パネル１.４を、中枢神経系疾患の処置におけるこの遺伝子の潜在的な有用性の考察のために参照されたい。Ａｇ３２２８プローブ／プライマーセットでの１度の実験結果は、このパネルの全試料において、発現を低値／検出できないレベルを示す（ＣＴ＞３５）。
【０６９６】
一般的_スクリーニング_パネル_ｖ１.４概要：Ａｇ３２２８  ＮＯＶ１２ａ遺伝子を、小脳において最も高発現（ＣＴ＝３０.４）する。従って、この遺伝子の発現を、小脳に対するマーカーとして用い得る。さらに、この脳−優先的な高発現は、脳でのこの遺伝子産物の特異的な働きを示す。ＮＯＶ１２ａ遺伝子は、神経細胞接着分子（ＮＣＡＭ）と相同なタンパク質をコードする。Ｎｒ−ＣＡＭのようなＮＣＡＭ 関連タンパク質は、神経突起伸長において決定的な働きをする（参考文献１）。それゆえ、コンタクチン（Contactin）のような定方向脳領域でのこの遺伝子産物に対する特異的なリガンドの誘導は、焦点の神経突起増殖を育成する際に有用性を有し得るし、従って、アルツハイマー病、運動失調、およびパーキンソン病のような神経変性疾患において神経突起変性を治療的に逆襲する際に有用性を有し得る。
【０６９７】
Ａｇ３２６１プローブおよびプライマーセットでの２度目の実験結果を挙げていない。アンププロットは、この実施に伴なう実験的困難を示す（Sakurai et al.， J Cell Biol 154（6）:1259-73， 2001）。
【０６９８】
一般的_スクリーニング_パネル_ｖ１.５概要：Ａｇ５２６８  ＮＯＶ１２ａ遺伝子を、脳において有意に発現する。パネル１.４を、脳におけるこの遺伝子の潜在的な有用性の考察のために参照されたい。この遺伝子を、脳腫瘍細胞株においても有意に発現する。従って、この遺伝子の発現を用いて、このパネルの脳由来の試料と他の試料とを区別し得る。
【０６９９】
代謝機能をつかさどる組織の間で、この遺伝子を、下垂体、脂肪、副腎、膵臓、甲状腺、および成人骨格筋および胎児骨格筋、心臓、および肝臓において中程度のレベルから低レベルで発現する。これらの組織間でのこの広範な発現は、この遺伝子産物が正常神経内分泌および正常代謝において働き得ることおよびこの遺伝子の非調節な発現が肥満および糖尿病のような神経内分泌性疾患または代謝性疾患に寄与し得ることを示す。
【０７００】
パネル２.２概要：Ａｇ３２２８  この遺伝子を、卵巣癌試料（ＣＴ＝３３.８）において独占的に有意に発現する。それゆえ、この遺伝子の発現を、このパネルの卵巣癌を他の試料と区別するのに用い得る。さらに、この遺伝子によりコードするタンパク質活性の治療的調節は、卵巣癌の処置において有益であり得る。
【０７０１】
パネル４.１Ｄ概要：Ａｇ５２６７／Ａｇ５２６８  異なるプローブ／プライマーセットを用いた２度の実験結果は、互いに非常に一致し、パネル４での全発現パターンと類似するが、ずっと高レベルでの発現パターンを示す。これは、結果として２つのパネルの差を示すか、用いたプローブ／プライマーセットの差を示す。ＮＯＶ１２ａ転写物を、ＬＡＫ細胞およびこの転写物の発現を上方制御するＰＭＡおよびイオノマイシンで処置したＬＡＫ細胞において発現する。この転写物を、活性型ＥＯＬ細胞および線維芽細胞においても誘導する。ＮＯＶ１２ａ遺伝子は、細胞の相互作用、接着およびシグナル伝達においてしばしば含まれる細胞表面タンパク質型である推定ＮＣＡＭと相同なタンパク質をコードする。それゆえ、コードしたタンパク質でデザインしたこの転写物に対する治療は、喘息、肺気腫、乾癬および関節炎のような疾患の処置において重要であり得る。
【０７０２】
パネル４Ｄ概要：Ａｇ３２２８／Ａｇ３２６１  全く同一のプローブ／プライマーセットを用いた２度の実験結果はよく一致する。ＮＯＶ１２ａ転写物を、ＬＡＫ細胞およびこの転写物の発現を上方制御するＰＭＡおよびイオノマイシンで処置したＬＡＫ細胞において発現する。ＮＯＶ１２ａ遺伝子は、細胞の相互作用、接着およびシグナル伝達においてしばしば含まれる細胞表面タンパク質型である推定ＮＣＡＭと相同なタンパク質をコードする。それゆえ、コードしたタンパク質でデザインしたこの転写物に対する治療は、喘息、肺気腫、乾癬および関節炎のような疾患の処置において重要であり得る。
【０７０３】
Ｇ．ＮＯＶ１３ｂおよびＮＯＶ１３ｃ：ＭＡＭおよびＩｇドメインを含有するタンパク質
表ＧＡに記載するプライマー−プローブのセットＡｇ５２６７を用いて、遺伝子ＮＯＶ１３ｂおよびＮＯＶ１３ｃの発現を評価した。ＲＴＱ−ＰＣＲの実施結果を表ＧＢ、ＧＣ、ＧＤおよびＧＥに示す。
【表３６２】
2005505247.tif 000363
【０７０４】
【表３６３】
2005505247.tif 000364
【０７０５】
表ＧＢの続き
【表３６４】
2005505247.tif 000365
【０７０６】
【表３６５】
2005505247.tif 000366
【０７０７】
【表３６６】
2005505247.tif 000367
【０７０８】
表ＧＤの続き
【表３６７】
2005505247.tif 000368
【０７０９】
表ＧＤの続き
【表３６８】
2005505247.tif 000369
【０７１０】
【表３６９】
2005505247.tif 000370
【０７１１】
表ＧＥの続き
【表３７０】
2005505247.tif 000371
【０７１２】
ＡＩ_包括的_パネル_ｖ１.０概要：Ａｇ５２６７  このパネルでは、ＮＯＶ１３ｂ遺伝子がヒト免疫機能に関連するいくつかの正常組織および疾患組織において発現することを確認する。パネル４.１Ｄを、炎症におけるこのタンパク質の潜在的な働きおよびその治療の有用性の考察のために参照されたい。
【０７１３】
ＣＮＳ_神経変異性_ｖ１.０概要：Ａｇ５２６７  この実験の結果は、この遺伝子が個々のいくつかの脳において低レベルで発現することを示す。しかしながら、この遺伝子の発現差を、この実験のアルツハイマー病死後脳と痴呆でないコントロール死後脳間で検出しない。
【０７１４】
ＮＯＶ１３ｂ遺伝子は、神経細胞接着分子（ＮＣＡＭ）と相同なタンパク質をコードする。Ｎｒ−ＣＡＭのようなＮＣＡＭ関連タンパク質は、神経突起伸長において決定的な働きをする（参考文献１）。それゆえ、Contactinのような、定方向脳領域でのこの遺伝子産物に対する特異的なリガンドの誘導は、焦点の神経突起増殖を育成する際に有用性を有し得るし、従って、アルツハイマー病、運動失調、およびパーキンソン病のような神経変性疾患において神経突起変性を治療的に逆襲する際に有用性を有し得る。
【０７１５】
一般的_スクリーニング_パネル_ｖ１.５概要：Ａｇ５２６７  一つの実験結果を挙げていない。アンププロットは、この実施に伴なう実験的困難を示す。
【０７１６】
パネル４.１Ｄ概要：Ａｇ５２６７  ＮＯＶ１３ｂ転写物を、ＬＡＫ細胞およびこの転写物の発現を上方制御するＰＭＡおよびイオノマイシンで処置したＬＡＫ細胞において発現する。ＮＯＶ１３ｂ遺伝子は、細胞の相互作用、接着およびシグナル伝達においてしばしば含まれる細胞表面タンパク質型である推定ＮＣＡＭと相同なタンパク質をコードする。それゆえ、コードしたタンパク質でデザインしたこの転写物に対する治療は、喘息、肺気腫、乾癬および関節炎のような疾患の処置において重要であり得る。
【０７１７】
Ｈ．ＮＯＶ１８ａ：アジポフィリン
表ＨＡに記載するプライマー−プローブのセットＡｇ５７３７を用いて、遺伝子ＮＯＶ１８ａの発現を評価した。ＲＴＱ−ＰＣＲの実施結果を表ＨＢおよびＨＣに示す。
【表３７１】
2005505247.tif 000372
【０７１８】
【表３７２】
2005505247.tif 000373
【０７１９】
表ＨＢの続き
【表３７３】
2005505247.tif 000374
【０７２０】
【表３７４】
2005505247.tif 000375
【０７２１】
一般的_スクリーニング_パネル_ｖ１.５概要：Ａｇ５７３７  ＮＯＶ１８ａ遺伝子は、成人骨格筋において高発現（ＣＴ＝２８.２）し、胎児骨格筋において非常に低発現（ＣＴ＝３４.４）する。従って、この遺伝子の発現を、成人骨格筋と胎児骨格筋とを区別するのに用い得る。代謝機能および内分泌機能をつかさどる組織の間で、この遺伝子を、脂肪、肝臓、心臓、膵臓、副腎、脳下垂体および甲状腺において低レベルから中程度のレベルで発現する。ＮＯＶ１８ａ遺伝子は、アジポフィリンと相同なタンパク質をコードする。アジポフィリンは、脂肪細胞での脂肪酸の取り込みにおいて含み、多くの種類の動物細胞における脂質小球と関係する（参考文献１−２）。この遺伝子産物は、脂肪のホメオスタシスにおいて決定的な働きをし得る。それゆえ、ＮＯＶ１８ａ遺伝子またはそのタンパク質産物の活性の治療的調節は、肥満および糖尿病を含む代謝性疾患の処置であり得る。
【０７２２】
加えて、この遺伝子を、扁桃、海馬、黒質、視床、脳、脳皮質、および脊髄を含む試験した中枢神経系の全領域において低レベルで発現する。それゆえ、この遺伝子は、アルツハイマー病、パーキンソン病、てんかん、多発性硬化症、統合失調症およびうつ病のような中枢神経系疾患において機能し得る。
【０７２３】
最終的に、この遺伝子の発現は、癌細胞株を対照として正常組織と一次的に関連する。ＮＯＶ１８ａ遺伝子の発現を、ＣＮＳ癌細胞株および腎臓癌細胞株において下方制御する。それゆえ、タンパク質療法としてのＮＯＶ１８ａ遺伝子産物の使用は、ＣＮＳ癌および腎臓癌の処置において有益であり得る（Londos et al.， Semin Cell Dev Biol. 10（1）:51-8， 1999; Serrero et al.， Biochim Biophys Acta. 1488（3）:245-54， 2000）。
パネル５Ｉ概要：Ａｇ５７３７  ＮＯＶ１８ａ遺伝子を、膵臓のランゲルハンス島（ＣＴ＝３２.４）、ならびに骨格筋試料において中程度に発現する。ＮＯＶ１８ａ遺伝子は、アジポフィリンと相同なタンパク質をコードし、そのタンパク質は脂肪細胞での脂肪酸の取り込みにおいて含み、多くの種類の動物細胞における脂質小球と関係する。脂質ホメオスタシスを、ランゲルハンス島のβ細胞によるインスリン分泌において決定的に含む。この遺伝子産物の治療的調節は、２型糖尿病のベータ細胞分泌障害に対する処置であり得る（Unger and Orci， FASEB J. 15（2）:312-21， 2001; Unger and Zhou， Diabetes. 50 Suppl 1:S118-21， 2001）。
【０７２４】
Ｉ．ＮＯＶ１９ａ：＃＃
表ＩＡに記載するプライマー−プローブのセットＡｇ３５４９を用いて、遺伝子ＮＯＶ１９の発現を評価した。
【表３７５】
2005505247.tif 000376
【０７２５】
ＣＮＳ_神経変異性_ｖ１.０概要：Ａｇ３５４９  このパネルの全試料において、ＮＯＶ１９ａ遺伝子の発現を低値／検出しない（ＣＴ＞３５）。
一般的_スクリーニング_パネル_ｖ１.４概要：Ａｇ３５４９  このパネルの全試料において、ＮＯＶ１９ａ遺伝子の発現を低値／検出しない（ＣＴ＞３５）。
パネル４Ｄ概要：Ａｇ３５４９  このパネルの全試料において、ＮＯＶ１９ａ遺伝子の発現を低値／検出しない（ＣＴ＞３５）。
【０７２６】
Ｊ．ＮＯＶ２０ａ：＃＃
表ＪＡに記載するプライマー−プローブのセットＡｇ３８６６を用いて、遺伝子ＮＯＶ２０ａの発現を評価した。
【表３７６】
2005505247.tif 000377
【０７２７】
ＣＮＳ_神経変異性_ｖ１.０概要：Ａｇ３８６６  このパネルの全試料において、ＣＧ５９８４６−０１遺伝子の発現を低値／検出しない（ＣＴ＞３５）。アンププロットは、高確率でプローブが不出来であることを示す。
【０７２８】
一般的_スクリーニング_パネル_ｖ１.４概要：Ａｇ３８６６  このパネルの全試料において、ＣＧ５９８４６−０１遺伝子の発現を低値／検出しない（ＣＴ＞３５）。アンププロットは、高確率でプローブが不出来であることを示す。
【０７２９】
パネル２.２概要：Ａｇ３８６６  このパネルの全試料において、ＣＧ５９８４６−０１遺伝子の発現を低値／検出しない（ＣＴ＞３５）。アンププロットは、高確率でプローブが不出来であることを示す。
【０７３０】
パネル４.１Ｄ概要：Ａｇ３８６６  このパネルの全試料において、ＣＧ５９８４６−０１遺伝子の発現を低値／検出しない（ＣＴ＞３５）。アンププロットは、高確率でプローブが不出来であることを示す。
【０７３１】
Ｋ．ＮＯＶ２１ａ：神経伝達関連タンパク質
表ＫＡに記載するプライマー−プローブのセットＡｇ６７５を用いて、遺伝子ＮＯＶ２１ａの発現を評価した。
【表３７７】
2005505247.tif 000378
パネル１.１概要：Ａｇ６７５  このパネルの全試料において、ＮＯＶ２１ａ遺伝子の発現を低値／検出しない（ＣＴ＞３５）。
【０７３２】
Ｌ．ＮＯＶ２１ｎ：神経伝達関連タンパク質（ＮＴＡＰ）
表ＬＡに記載するプライマー−プローブのセットＡｇ６７５を用いて、遺伝子ＮＯＶ２１ｎの発現を評価した。
【表３７８】
2005505247.tif 000379
パネル１.１概要：Ａｇ６７５  このパネルの全試料において、ＮＯＶ２１ａ遺伝子の発現を低値／検出しない（ＣＴ＞３５）。
【０７３３】
Ｍ．ＮＯＶ２２ａ：ドレブリン
表ＭＡに記載するプライマー−プローブのセットＡｇ３９４６を用いて、遺伝子ＮＯＶ２２の発現を評価した。
【表３７９】
2005505247.tif 000380
パネルＣＮＳ_１概要：Ａｇ３９４６  このパネルの全試料において、ＮＯＶ２２ａ遺伝子の発現を低値／検出しない（ＣＴ＞３５）。
【０７３４】
Ｎ．ＮＯＶ２３ａ：ＵＮＣ５Ｈ２相同体
表ＮＡに記載するプライマー−プローブのセットＡｇ３５４６を用いて、遺伝子ＮＯＶ２３ａの発現を評価した。ＲＴＱ−ＰＣＲの実施結果を表ＮＢ、ＮＣ、ＮＤ、ＮＥおよびＮＦに示す。
【表３８０】
2005505247.tif 000381
【０７３５】
【表３８１】
2005505247.tif 000382
【０７３６】
【表３８２】
2005505247.tif 000383
【０７３７】
表ＮＣの続き
【表３８３】
2005505247.tif 000384
【０７３８】
【表３８４】
2005505247.tif 000385
【０７３９】
表ＮＤの続き
【表３８５】
2005505247.tif 000386
【０７４０】
【表３８６】
2005505247.tif 000387
【０７４１】
表ＮＥの続き
【表３８７】
2005505247.tif 000388
【０７４２】
【表３８８】
2005505247.tif 000389
【０７４３】
表ＮＦの続き
【表３８９】
2005505247.tif 000390
【０７４４】
ＣＮＳ_神経変異性_ｖ１.０概要：Ａｇ３５４６  このパネルでは、ＮＯＶ２３ａ遺伝子が個々の独立した群の脳において有意なレベルで発現することを確認する。しかしながら、この遺伝子の発現差を、この実験のアルツハイマー病死後脳と痴呆でないコントロール死後脳間で検出しない。パネル１.４を、中枢神経系疾患の処置におけるこの遺伝子の潜在的な有用性の考察のために参照されたい。
【０７４５】
一般的_スクリーニング_パネル_ｖ１.４概要：Ａｇ３５４６  ＮＯＶ２３ａ遺伝子は、胎児脳において最も高発現（ＣＴ＝２５.２）する。加えて、この遺伝子は、扁桃、海馬、黒質、視床、小脳、大脳皮質、および脊髄を含む試験した中枢神経系の全領域において高レベル（ＣＴ＝２５.２）で発現する。それゆえ、この遺伝子は、アルツハイマー病、パーキンソン病、てんかん、多発性硬化症、統合失調症およびうつ病のような中枢神経系疾患において機能し得る。
【０７４６】
ＮＯＶ２３ａ遺伝子は、ラットＵＮＣ５Ｈ２遺伝子の相同体をコードする。ＵＮＣ５Ｈのメンバーは、ネトリン（Netrin）−１に対する膜受容体であり、軸索誘導および神経性遊走に決定的である。ネトリンは、発生時の軸索成長を導く化学屈性因子のファミリーである。インサイツハイブリダイゼーションは、ネトリン1受容体、ＤＣＣ１およびＵＮＣ５Ｈ２ｍＲＮＡを正常成人網膜神経節細胞（ＲＧＣ）により発現することを明らかにする。加えて、ＤＣＣ１ｍＲＮＡおよびＵＮＣ５Ｈ２ｍＲＮＡの発現を、ＲＧＣ軸索切断を起こすＲＧＣにおいて下方制御する。従って、ネトリン-1、ＤＣＣ、およびＵＮＣ５Ｈ２は、成人ＲＧＣの再生能力を再調節することに寄与し得る（参考文献１）。従って、胎児脳および成人脳でのＮＯＶ２３ａ遺伝子の高発現は、この遺伝子産物が成人ＲＧＣの再生能力においても機能し得ることを示す。
【０７４７】
最近、ネトリン-1受容体ＵＮＣ５Ｈ（ＵＮＣ５Ｈ１、ＵＮＣ５Ｈ２、ＵＮＣ５Ｈ３）もまた依存の受容体として働くことが分かった。それらはアポトーシスを誘導するが、この作用を、ネトリン-1の存在下において防ぎ得る。従って、神経システムの発生において、ネトリン-1の存在は、ＵＮＣ５Ｈを発現するニューロンおよびＤＣＣを発現するニューロンの生存を特に脳幹の脳室部において維持するのに決定的である（参考文献２）。それゆえ、ネトリン1に沿うＮＯＶ２３ａ遺伝子産物は、ニューロンの生存において重要であり得る。
【０７４８】
代謝機能または内分泌機能をつかさどる組織の間で、この遺伝子は、膵臓、脂肪、副腎、甲状腺、脳下垂体、骨格筋、心臓、肝臓および消化管において高レベルから中程度のレベルで発現する。それゆえ、この遺伝子活性の治療的調節は、肥満および糖尿病のような内分泌性／代謝性関連疾患の処置において有益となり得る。
【０７４９】
胎児肝臓および胎児肺においても有意に発現する。興味深いことに、この遺伝子は、成人肝臓および成人肺（ＣＴ＝４０）を対照として胎児肝臓および胎児肺においてずっと高レベルで（ＣＴ＝３２−３４.９）発現する。この観察結果は、この遺伝子の発現を胎児肝臓または肺と成人肝臓または肺とをそれぞれ区別するのに用い得ることを示す（Ellezam et al.， Exp Neurol 168（1）:105-15， 2001; Llambi et al.， EMBO J 20（11）:2715-22， 2001）。
【０７５０】
パネル２.２概要：Ａｇ３５４６  このパネルのＮＯＶ２３ａ遺伝子は、腎臓由来組織（ＣＴ＝３２−３３）において一次的に発現する。従って、この遺伝子の発現を、このパネルの腎臓由来試料と他の試料とを区別するのに用いうる。
【０７５１】
パネル４Ｄ概要：Ａｇ３５４６  ＮＯＶ２３ａ遺伝子は、正常大腸において高発現（ＣＴ＝２８.３）する。それゆえ、この遺伝子の発現を、このパネルの大腸と他の組織とを区別するのに用い得る。さらに、この遺伝子の発現は、正常大腸を対照としてＩＢＤ大腸炎およびクローン病患者由来の大腸試料において減少する。それゆえ、この遺伝子によりコードするタンパク質活性の治療的調節は、炎症性腸疾患の処置において有益であり得る。
【０７５２】
パネルＣＮＳ_１概要：Ａｇ３５４６  このパネルでは、ＮＯＶ２３ａ遺伝子が個々の独立した群の脳において有意なレベルで発現することを確認する。パネル１.４を、中枢神経系疾患の処置におけるこの遺伝子の潜在的な有用性の考察のために参照されたい。
【０７５３】
Ｏ．ＮＯＶ２４ａ：トリプシン阻害因子
表ＯＡに記載するプライマー−プローブのセットＡｇ３４８５を用いて、遺伝子ＮＯＶ２４ａの発現を評価した。ＲＴＱ−ＰＣＲの実施結果を表ＯＢおよびＯＣに示す。
【表３９０】
2005505247.tif 000391
【０７５４】
【表３９１】
2005505247.tif 000392
【０７５５】
表ＯＢの続き
【表３９２】
2005505247.tif 000393
【０７５６】
【表３９３】
2005505247.tif 000394
【０７５７】
表ＯＣの続き
【表３９４】
2005505247.tif 000395
【０７５８】
ＣＮＳ_神経変異性_ｖ１.０概要：Ａｇ３４８５  このパネルの全試料において、ＮＯＶ２４ａ遺伝子の発現を低値／検出しない（ＣＴ＞３５）。
【０７５９】
一般的_スクリーニング_パネル_ｖ１.４概要：Ａｇ３４８５  ＮＯＶ２４ａ遺伝子は、肺癌細胞株由来の2つの試料に限り発現（ＣＴ＝３０−３４）する。従って、この遺伝子の発現を、このパネルのこれらの試料と他の試料とを区別および肺癌の存在を検出するマーカーとして用い得る。さらに、この遺伝子の発現または機能の治療的調節は、肺癌の処置において効果的であり得る。
【０７６０】
パネル４Ｄ概要：Ａｇ３４８５  ＮＯＶ２４ａ遺伝子は、正常肺組織に限り発現する。このパネルとパネル１.４の肺由来組織におけるこの特異的な発現は、この組織の正常ホメオスタシスにおけるこの遺伝子の働きを示す。この遺伝子の発現または機能の治療的調節は、炎症時の肺に対する正常機能を維持または保持する際に有益であり得る。
【０７６１】
Ｐ．ＮＯＶ２６ａおよびＮＯＶ２６ｂ：オボスタチン
表ＰＡに記載するプライマー−プローブのセットＡｇ１２８２を用いて、遺伝子ＮＯＶ２６ａおよび変異体ＮＯＶ２６ｂの発現を評価した。ＲＴＱ−ＰＣＲの実施結果を表ＰＢ、ＰＣ、ＰＤ、ＰＥおよびＰＦに示す。
【表３９５】
2005505247.tif 000396
【０７６２】
【表３９６】
2005505247.tif 000397
【０７６３】
表ＰＢの続き
【表３９７】
2005505247.tif 000398
【０７６４】
【表３９８】
2005505247.tif 000399
【０７６５】
表ＰＣの続き
【表３９９】
2005505247.tif 000400
【０７６６】
【表４００】
2005505247.tif 000401
【０７６７】
表ＰＤの続き
【表４０１】
2005505247.tif 000402
【０７６８】
【表４０２】
2005505247.tif 000403
【０７６９】
表ＰＥの続き
【表４０３】
2005505247.tif 000404
【０７７０】
【表４０４】
2005505247.tif 000405
【０７７１】
表ＰＦの続き
【表４０５】
2005505247.tif 000406
【０７７２】
一般的_スクリーニング_パネル_ｖ１.４概要：Ａｇ１２８２  ＮＯＶ２６ａ遺伝子は、悪性黒色腫細胞株において最も高発現する。加えて、乳癌細胞株において有意に高レベルで発現する。従って、この遺伝子の発現をこのパネルのこれらの試料と他の試料とを区別および悪性黒色腫および乳癌の存在を検出するマーカーとして用い得る。さらに、この遺伝子の発現または機能の治療的調節は、悪性黒色腫および乳癌の処置において効果的あり得る。
【０７７３】
代謝機能をつかさどる組織の間で、この遺伝子は、下垂体、脂肪、副腎、膵臓、甲状腺、および成人骨格筋および胎児骨格筋、心臓、および肝臓において中程度のレベルで発現する。これらの組織間でのこの広範な発現は、この遺伝子産物が正常神経内分泌および正常代謝性において働き得ることおよびこの遺伝子の非調節な発現は肥満および糖尿病のような神経内分泌性疾患または代謝性疾患に寄与し得ることを示す。
加えて、この遺伝子は、成人対応組織における発現（ＣＴ＝３０−３２）を対照として胎児肺組織、肝臓組織および骨格筋組織において非常に高レベル（ＣＴ＝２７−２９）で発現する。従って、この遺伝子の発現を用いて、これらの組織の胎児供給源と成人供給源とを区別し得る。
【０７７４】
この分子は、試験したＣＮＳの領域において中程度に発現する新規オボスタチンであり得る。それゆえ、神経性疾患処置のための標的であり得る。
【０７７５】
パネル１.３Ｄ概要：Ａｇ１２８２  ＮＯＶ２６ａ遺伝子の発現は、パネル１.４における発現と一致する。この遺伝子は、乳癌細胞株（ＭＤＡ−Ｎ）由来の試料において最も高発現（ＣＴ＝２６.９）する。加えて、肺癌細胞株および悪性黒色腫細胞株由来の他の試料において高発現する。従って、この遺伝子の発現を、そのパネルのＭＤＡ−Ｎ細胞と他の試料とを区別するのに用い得る。この遺伝子は新規オボスタチンをコードする。 オボスタチンは、血清の非存在下における腫瘍細胞の増殖をサポートすると分かっているプロテアーゼ阻害剤である。それらはまた、線維芽細胞増殖、コラーゲン蓄積および毛細管形成の促進を仲介すると分かっている。これらの活性は、腫瘍の進行および腫瘍の増殖におけるこのオボスタチン相同体に対する働きを示す。従って、この遺伝子産物を標的とする治療は、ＮＯＶ２６ａ遺伝子の行為に関係する癌細胞の非調節の増殖を防ぎ得る。このことは、特にその遺伝子が正常隣接組織を対照として高発現する肺癌、乳癌および悪性黒色腫瘍のような癌種において、細胞増殖、コラーゲン蓄積または毛細管形成の任意の可能な複合体において起こり得る。パネル１.４を、この遺伝子の付加的な有用性のために参照されたい。
【０７７６】
パネル２Ｄ概要：Ａｇ１２８２  ＮＯＶ２６ａ遺伝子を、眼球悪性黒色腫の肝臓への転移由来の試料において最も高発現（ＣＴ＝２７）する。加えて、肺癌由来の他の試料において高発現する。従って、この遺伝子の発現を、そのパネルの肝臓癌細胞を他の試料と区別するのに用い得る。さらに、低分子薬、タンパク質療法または抗体の使用を通じたこの遺伝子の治療的調節は、肝臓癌または肺癌の処置において有益であり得る。
【０７７７】
パネル３Ｄ概要：Ａｇ１２８２  ＮＯＶ２６遺伝子での1度の実験結果を含まない。アンププロットは、この実施に伴なう実験的困難を示す。
【０７７８】
パネル４および４.１Ｄ概要：Ａｇ１２８２  オボスタチン様タンパク質であるＮＯＶ２６ａ遺伝子は、全４種のメカニズムクラスのプロテインナーゼ（セリンプロテインナーゼ、システインプロテインナーゼ、アスパルチル プロテインナーゼ、およびメタロプロテイナーゼ）である既知の阻害剤であるオボスタチンと関係する（参考文献を参照）。その遺伝子は、胸腺および腎臓において最も高発現（ＣＴ＝２８−２９）する。加えて、このパネルの多くのサンプルにおいて中程度のレベルから低レベルで発現する。従って、ＮＯＶ２６ａタンパク質産物は、クローン病、潰瘍性大腸炎、多発性硬化症、慢性閉塞性肺疾患、喘息、肺気腫、関節リウマチ、エリテマトーデス、または乾癬、創傷治癒、および感染症のような炎症性疾患および自己免疫疾患において含むが、これらに限定されない様々なタンパク質分解活性の減少に対する治療タンパク質として有用であり得る（Saxena and Tayyab， Cell Mol Life Sci 53（1）:13-23， 1997; Ofuji et al.， Periodontal Clin Investig 14（2）:13-22， 1992）。
【０７７９】
Ｑ．ＮＯＶ２８ａ：ラミニン型ＥＧＦ様タンパク質
表ＱＡに記載するプライマー−プローブのセットＡｇ３９９を用いて、遺伝子ＮＯＶ２８ａの発現を評価した。ＲＴＱ−ＰＣＲの実施結果を表ＱＢ、ＱＣ、ＱＤ、ＱＥおよびＱＦに示す。
【表４０６】
2005505247.tif 000407
【０７８０】
【表４０７】
2005505247.tif 000408
【０７８１】
【表４０８】
2005505247.tif 000409
【０７８２】
表ＱＣの続き
【表４０９】
2005505247.tif 000410
【０７８３】
【表４１０】
2005505247.tif 000411
【０７８４】
表ＱＤの続き
【表４１１】
2005505247.tif 000412
【０７８５】
【表４１２】
2005505247.tif 000413
【０７８６】
表ＱＥの続き
【表４１３】
2005505247.tif 000414
【０７８７】
【表４１４】
2005505247.tif 000415
【０７８８】
表ＱＦの続き
【表４１５】
2005505247.tif 000416
【０７８９】
ＣＮＳ_神経変異性_ｖ１.０概要：Ａｇ３９９  このパネルでは、ＮＯＶ２８ａ遺伝子が個々の独立した群の脳において低レベルで発現することを確認する。しかしながら、この遺伝子の発現差を、この実験のアルツハイマー病死後脳と痴呆でないコントロール死後脳間で検出しない。パネル１.４を、中枢神経系疾患の処置におけるこの遺伝子の潜在的な有用性の考察のために参照されたい。
【０７９０】
パネル１.１概要：Ａｇ３９９  ＮＯＶ２８ａ遺伝子を、肺癌（非小細胞）細胞株ＨＯＰ−６２において高発現（ＣＴ＝２１）する。それゆえ、この遺伝子の発現を、このパネルのこの試料と他の試料とを区別するのに用い得る。ＮＯＶ２８ａ遺伝子は、ラミニンファミリーに属するラミニン型ＥＧＦ様タンパク質をコードする。ラミニンは、細胞接着、増殖遊走、および分化を仲介する基底膜の主要な非コラーゲン性構成要素である（パネル１.４における参考文献１を参照されたい）。それゆえ、このパネルの試料におけるこの遺伝子の中程度から高レベルの発現は、細胞接着、増殖遊走、および分化におけるこの遺伝子産物の広範な働きの可能性を示す。
【０７９１】
代謝機能または内分泌機能をつかさどる組織の間で、この遺伝子を、膵臓、脂肪、副腎、甲状腺、脳下垂体、骨格筋、心臓、肝臓および消化管において、高レベルから中程度のレベルで発現する。それゆえ、この遺伝子活性の治療的調節は、肥満および糖尿病のような内分泌性／代謝性関連疾患の処置において有益となり得る。.
加えて、この遺伝子を、扁桃、海馬、黒質、視床、小脳、大脳皮質、および脊髄を含む試験した中枢神経系の全領域において、有意なレベルで発現する。 それゆえ、この遺伝子は、アルツハイマー病、パーキンソン病、てんかん、多発性硬化症、統合失調症およびうつ病のような中枢神経系疾患において機能し得る（Beck et al.， FASEB J. 4：148-160， 1990）。
【０７９２】
パネル１.２概要：Ａｇ３９９  ＮＯＶ２８ａ遺伝子を、脳下垂体において最も高発現（ＣＴ＝２２）する。それゆえ、この遺伝子の発現を、このパネルのこの試料を他の試料と区別するのに用い得る。加えて、このパネルの試料における中程度から高レベルでのこの遺伝子の発現は、細胞接着、増殖遊走、および分化におけるこの遺伝子産物の広範な働きを示す。
【０７９３】
代謝機能または内分泌機能をつかさどる組織の間で、この遺伝子を、膵臓、脂肪、副腎、甲状腺、脳下垂体、骨格筋、心臓、肝臓および消化管において高レベルから中程度のレベルで発現する。それゆえ、この遺伝子活性の治療的調節は、肥満および糖尿病のような内分泌性／代謝性関連疾患の処置において有益となり得る。
加えて、この遺伝子を、扁桃、海馬、黒質、視床、小脳、大脳皮質、および脊髄を含む試験した中枢神経系の全領域において有意なレベルで発現する。それゆえ、この遺伝子は、アルツハイマー病、パーキンソン病、てんかん、多発性硬化症、統合失調症およびうつ病のような中枢神経系疾患において機能し得る。
【０７９４】
パネル１.３Ｄ概要：Ａｇ３９９  ＮＯＶ２８ａ遺伝子を、脳（海馬）試料において最も高発現（ＣＴ＝２９）する。この遺伝子を、扁桃細胞、黒質細胞、視床細胞、小脳細胞、大脳皮質細胞、脊髄細胞および神経膠腫細胞を含むＣＮＳにおいても高発現する。それゆえ、この遺伝子は、アルツハイマー病、パーキンソン病、てんかん、多発性硬化症、統合失調症およびうつ病のような中枢神経系疾患において機能し得る。加えて、この遺伝子の発現を、このパネルで用いた脳由来の組織試料を他の試料と区別するのに用い得る。ＮＯＶ２８ａ遺伝子は、ラミニンファミリーに属するラミニン型ＥＧＦ様タンパク質をコードする。ラミニンは、細胞接着、増殖遊走、および分化を仲介する基底膜の主要な非コラーゲン性構成要素である（Beck et al.， 1990）。正常脳細胞は、神経膠腫細胞の侵害に直面した際、ラミニン、フィブロネクチンおよびコラーゲンＩＶ型を産生し得る。ラミニンはまた、インビトロにおいて様々なヒト神経膠腫細胞株の細胞遊走を刺激する（Tysnes et al.， Invasion Metastasis 17（5）:270-80， 1997）。
【０７９５】
ＮＯＶ２８ａ遺伝子は、このパネルで用いたほぼ全試料において低レベルで発現し、細胞接着、増殖遊走、および分化におけるこの遺伝子産物の広範な働きの可能性を示す。
代謝機能をつかさどる組織の間で、この遺伝子を、脂肪、副腎、消化管、膵臓、骨格筋および甲状腺を含む多くの組織において低レベルから中程度のレベルで発現する。それゆえ、この遺伝子活性の治療的調節は、肥満および糖尿病のような内分泌性／代謝性関連疾患の処置において有益となり得る。
【０７９６】
パネル４Ｄ概要：Ａｇ３９９  ＮＯＶ２８ａは、ＰＷＭで活性化したＢリンパ球における高発現（ＣＴ＝３０）を伴ない、ラミニン型ＥＧＦ様タンパク質をコードする。加えて、この遺伝子を、健康および疾患での免疫応答における有意な細胞型の広範囲で高レベルから中程度のレベルで発現する。これらの細胞は、Ｔ細胞、Ｂ細胞、内皮細胞、マクロファージ／単球、および末梢血単核細胞ファミリーのメンバー、ならびに肺および皮膚由来の上皮細胞型および線維芽細胞型、および大腸、肺、胸腺および腎臓の正常組織を含む。発現のこの偏在パターンは、この遺伝子産物をこれらの細胞型および他の細胞型および組織に対するホメオスタシスにおいて含み得ることを示す。このパターンは、一般的_スクリーニング_パネル_ｖ１.５における発現特性と一致し、 細胞生存および細胞増殖における遺伝子産物に対する働きをも示す。それゆえ、機能的治療での遺伝子産物の調節は、これらの細胞型と関係する機能の変化を導き得るし、喘息、アレルギー、炎症性腸疾患、エリテマトーデス、乾癬、関節リウマチ、および骨関節炎のような自己免疫疾患および炎症性疾患を病む患者の症状改善を導き得る。
【０７９７】
Ｒ．ＮＯＶ２９ａ：多発性嚢胞腎１タンパク質
表ＲＡに記載するプライマー−プローブのセットＡｇ３５１９を用いて、遺伝子ＮＯＶ２９ａの発現を評価した。ＲＴＱ−ＰＣＲの実施結果を表ＲＢ、ＲＣおよびＲＤに示す。
【表４１６】
2005505247.tif 000417
【０７９８】
【表４１７】
2005505247.tif 000418
【０７９９】
【表４１８】
2005505247.tif 000419
【０８００】
表ＲＣの続き
【表４１９】
2005505247.tif 000420
【０８０１】
【表４２０】
2005505247.tif 000421
【０８０２】
表ＲＤの続き
【表４２１】
2005505247.tif 000422
【０８０３】
ＣＮＳ_神経変異性_ｖ１.０概要：Ａｇ３５１９  このパネルでは、ＮＯＶ２９ａ遺伝子が個々の独立した群の脳において低レベルで発現することを確認する。しかしながら、この遺伝子の発現差を、この実験のアルツハイマー病死後脳と痴呆でないコントロール死後脳間で検出しない。パネル１.４を、中枢神経系疾患の処置におけるこの遺伝子の潜在的な有用性の考察のために参照されたい。
【０８０４】
一般的_スクリーニング_パネル_ｖ１.４概要：Ａｇ３５１９  ＮＯＶ２９ａを、乳癌Ｔ４７Ｄ細胞株のひとつにおいて最も高発現（ＣＴ＝２９）する。それゆえ、この遺伝子の発現を、このパネルのこの試料と他の試料とを区別するのに用い得る。加えて、この遺伝子を、このパネルにおいて用いる多くの試料において低レベルから中程度のレベルで発現する。それゆえ、この遺伝子は細胞の機能において重要な働きをする。
【０８０５】
加えて、この遺伝子を、扁桃、海馬、黒質、視床、小脳、大脳皮質、および脊髄を含む試験した中枢神経系の全領域において中程度のレベル（ＣＴ＝３１−３３）で発現する。それゆえ、この遺伝子は、アルツハイマー病、パーキンソン病、てんかん、多発性硬化症、統合失調症およびうつ病のような中枢神経系疾患において機能し得る。
代謝機能または内分泌機能をつかさどる組織の間で、この遺伝子を、膵臓、脂肪、副腎、甲状腺、脳下垂体、骨格筋、心臓、肝臓および消化管において低レベルから中程度のレベルで発現する。それゆえ、この遺伝子活性の治療的調節は、肥満および糖尿病のような内分泌性／代謝性関連疾患の処置において有益となり得る。
【０８０６】
この遺伝子を、腎臓試料において中程度のレベル（ＣＴ＝３１）で発現する。この遺伝子は、細胞と細胞との相互作用または細胞と基質との相互作用において含む多タンパク質膜に橋を架ける複合体の一部としての機能であると分かっている多発性嚢胞腎（ＰＫＤ）タンパク質に類似のタンパク質をコードする。２つの異なるＰＫＤ遺伝子（ＰＫＤ１またはＰＫＤ２）のどちらかでの変異は、常染色体優性多発性嚢胞腎（ＡＤＰＫＤ）を引き起こす。ＡＤＰＫＤは、腎臓に影響を及ぼす巨大化、尿細管由来の体液充満嚢胞および集合管、および肝臓嚢胞および膵臓嚢胞、高血圧症、心臓弁欠損、および脳動脈瘤および大動脈瘤を含む多くの腎臓外での徴候により特徴付ける重篤な遺伝性疾患である（参考文献１）。それゆえ、この遺伝子またはタンパク質産物の治療的調節は、ＡＤＰＫＤの処置において有益であり得る（Calvet and Grantham， Semin Nephrol 21（2）:107-23， 2001）。
【０８０７】
パネル４Ｄ概要：Ａｇ３５１９  ＮＯＶ２９ａ遺伝子を、このパネルで用いた多くの試料において低レベルから中程度のレベルで発現する。興味深いことに、休止単球（ＣＴ＝３６）よりＬＰＳで刺激した単球においてより高発現（ＣＴ＝３２）する。それゆえ、この遺伝子の発現を、これら二つの試料を区別するのに用い得る。この遺伝子は、ＴＮＦα＋ＩＬ−１βで処置したＨＰＡＥＣにおいて最も高発現（ＣＴ＝２９.４）する。このパネルの発現に基づいくこの遺伝子またはそのタンパク質の治療的調節は、全身の自己免疫、リウマチ、喘息、およびＢ細胞疾患の処置において有益であり得る。
【０８０８】
Ｓ．ＮＯＶ３０ａ：ポリシスチン２
表ＳＡに記載するプライマー−プローブのセットＡｇ３５２２を用いて、遺伝子ＮＯＶ３０ａの発現を評価した。
【表４２２】
2005505247.tif 000423
【０８０９】
ＣＮＳ_神経変異性_ｖ１.０概要：Ａｇ３５２２  このパネルの全試料において、ＮＯＶ３０ａ遺伝子の発現を低値／検出しない（ＣＴ＞３５）。
一般的_スクリーニング_パネル_ｖ１.４概要：Ａｇ３５２２  このパネルの全試料において、この遺伝子の発現を低値／検出しない（ＣＴ＞３５）。
パネル４.１Ｄ概要：Ａｇ３５２２  この遺伝子での１度の実験結果を含まない。アンププロットは、この実施に伴なう実験的困難を示す。
【０８１０】
Ｔ．ＮＯＶ３１ａ：スリット様タンパク質
表ＴＡおよびＴＢに記載するプライマー−プローブのセットＡｇ９０７およびＡｇ１９２５を用いて、遺伝子ＮＯＶ３１ａの発現を評価した。ＲＴＱ−ＰＣＲの実施結果を表ＴＣ、ＴＤ、ＴＥおよびＴＦに示す。
【表４２３】
2005505247.tif 000424
【０８１１】
【表４２４】
2005505247.tif 000425
【０８１２】
【表４２５】
2005505247.tif 000426
【０８１３】
【表４２６】
2005505247.tif 000427
【０８１４】
表ＴＤの続き
【表４２７】
2005505247.tif 000428
【０８１５】
表ＴＤの続き
【表４２８】
2005505247.tif 000429
【０８１６】
【表４２９】
2005505247.tif 000430
【０８１７】
表ＴＥの続き
【表４３０】
2005505247.tif 000431
【０８１８】
【表４３１】
2005505247.tif 000432
【０８１９】
表ＴＦの続き
【表４３２】
2005505247.tif 000433
【０８２０】
ＣＮＳ_神経変異性_ｖ１.０概要：Ａｇ９０７  このパネルでは、ＮＯＶ３１ａ遺伝子が個々の独立した群の脳において有意なレベルで発現することを確認する。しかしながら、この遺伝子の発現差を、この実験のアルツハイマー病死後脳と痴呆でないコントロール死後脳間で検出しない。パネル１.２を、中枢神経系疾患の処置におけるこの遺伝子の潜在的な有用性の考察のために参照されたい。
【０８２１】
パネル１.２概要：Ａｇ９０７  同一のプライマーおよびプローブセットでの２度の独立した実験は、スリット相同体であるＮＯＶ３１ａ遺伝子の高発現を伴ない、扁桃、黒質、視床、小脳、大脳皮質、および脊髄におけるＣＮＳを通じて非常に一致する結果となる。スリットは、それらの細胞の離れた受容体との相互作用を介した神経性遊走および軸索増殖を撃退し得る誘導タンパク質を分泌するファミリーであり、このすばらしい結果を全身の軸索、樹状突起および／または錘状体の増殖に対する神経性誘導タンパク質する（参考文献１−２）。このタンパク質レベル、またはこのタンパク質を介したシグナル伝達の可能性の治療的調節は、神経細胞死（脳梗塞、頭部外傷）、軸索損傷（脊髄損傷）、または神経変異性（アルツハイマー病、パーキンソン病、ハンチントン舞踏病、血管性の痴呆または任意の神経変性疾患）の応答でのＣＮＳにおける代償性のシナプス形成および線維増殖を増強／方向付ける際に有用であり得る。それゆえ、この遺伝子は、アルツハイマー病、パーキンソン病、てんかん、多発性硬化症、統合失調症およびうつ病のような中枢神経系疾患において機能し得る。
【０８２２】
加えて、この遺伝子は、悪性黒色腫、精巣、前立腺、前立腺癌、胎盤、子宮、卵巣癌、乳癌、乳腺、肺癌、成人肺および胎児肺、成人肝臓および胎児肝臓、リンパ節、脾臓、骨格筋、胃、小腸、結腸癌および腎臓癌試料においても低レベルから中程度のレベルで発現し、細胞内情報伝達における広範な働きの可能性を示す。
【０８２３】
代謝機能または内分泌機能をつかさどる組織の間で、この遺伝子を、膵臓、副腎、甲状腺、脳下垂体、骨格筋、心臓、肝臓および消化管において低レベルから中程度のレベルで発現する。それゆえ、この遺伝子活性の治療的調節は、肥満および糖尿病のような内分泌性／代謝性関連疾患の処置において有益となり得る（Battye et al.， J. Neurosci. 21：4290-4298， 2001; Itoh et al.， Brain Res. Mol. Brain Res. 62：175-186， 1998）。
【０８２４】
パネル４Ｄ概要：Ａｇ９０７  ＮＯＶ３１ａ遺伝子を、大腸、肺、星状膠細胞、冠状動脈ＳＭＣ、および肺微小血管ＥＣ細胞由来の試料において中程度から高レベルで発現する。この遺伝子を、処置していない肺微小血管ＥＣ細胞において最も高発現（ＣＴ＝２９.３）する。従って、この遺伝子の発現を、そのパネルのこれらの試料と他の試料とを区別するのに用い得る。さらに、この遺伝子の発現は、正常大腸（ＣＴ＝３１.１）を対照としてＩＢＤ大腸炎およびクローン病患者由来の大腸試料において（ＣＴ＝４０）減少する。それゆえ、この遺伝子によりコードするスリット様タンパク質活性の治療的調節は、炎症性腸疾患の治療において有益であり得る。
【０８２５】
ＴＮＦα＋ＩＬ−１βで処置した星状膠細胞および休止星状膠細胞における（ＣＴ＝２９.５３、８４.７％）この遺伝子の発現は、この遺伝子によりコードするスリット様タンパク質活性の治療的調節はＣＮＳ炎症性疾患の処置においても有用であり得ることを示す。
【０８２６】
パネルＣＮＳ_１概要：Ａｇ９０７  このパネルでは、ＮＯＶ３１ａ遺伝子が脳において発現することを確認する。パネル１.２を、中枢神経系疾患の処置におけるこの遺伝子の潜在的な有用性の考察のために参照されたい。
【０８２７】
ＮＯＶ３２ａ：チロシルタンパク質スルフォトランスフェラーゼ２
表ＵＡに記載するプライマー−プローブのセットＡｇ３４０８を用いて、遺伝子ＮＯＶ３２ａの発現を評価した。ＲＴＱ−ＰＣＲの実施結果を表ＵＢおよびＵＣに示す。
【表４３３】
2005505247.tif 000434
【０８２８】
【表４３４】
2005505247.tif 000435
【０８２９】
表ＵＢの続き
【表４３５】
2005505247.tif 000436
【０８３０】
【表４３６】
2005505247.tif 000437
【０８３１】
表ＵＣの続き
【表４３７】
2005505247.tif 000438
【０８３２】
ＣＮＳ_神経変異性_ｖ１.０概要：Ａｇ３４０８  このパネルの全試料において、この遺伝子の発現を低値／検出しない（ＣＴ＞３４）。
【０８３３】
一般的_スクリーニング_パネル_ｖ１.４概要：Ａｇ３４０８  ＮＯＶ３２ａ遺伝子を、乳癌細胞株において最も高発現（ＣＴ＝２）する。それゆえ、この遺伝子の発現を、このパネルのこの試料と他の試料とを区別するのに用い得る。加えて、この遺伝子の発現を、卵巣癌細胞株においても中程度のレベルで発現する。ゆえに、この遺伝子産物の活性の治療的調節は、乳癌および卵巣癌の処置において有益であり得る。
この遺伝子を、消化管、膵臓、および骨格筋を含む代謝機能または内分泌機能をつかさどる多くの組織において低レベルから中程度のレベルで発現する。それゆえ、この遺伝子活性の治療的調節は、肥満および糖尿病のような内分泌性／代謝性関連疾患の処置において有益となり得る。
【０８３４】
パネル４Ｄ概要：Ａｇ３４０８  ＮＯＶ３２ａ遺伝子を、ＩＬ−４で処置したＮＣＩ−Ｈ２９２細胞において最も高発現（ＣＴ＝３１）する。しかしながら、この遺伝子を、健康および疾患での免疫応答における有意な細胞型の広範囲において高レベルから中程度のレベルで発現する。これらの細胞は、Ｔ細胞、Ｂ細胞、内皮細胞、マクロファージ／単球、および末梢血単核球ファミリーのメンバー、ならびに肺および皮膚由来の上皮細胞型および線維芽細胞型、および肺、胸腺および腎臓の正常組織を含む。発現のこの偏在パターンは、この遺伝子産物をこれらの細胞型および他の細胞型および組織に対するホメオスタシスにおいて含み得ることを示す。
【０８３５】
興味深いことに、この遺伝子の発現を、ＰＷＭ／ＰＨＡ−Ｌで処置したＰＢＭＣ細胞、ＩＬ−２／ＩＬ−２＋ＩＦＮγ／ＩＬ−２＋ＩＬ−１８で処置したＬＡＫ細胞およびイオノマイシンで処置したRamos（Ｂ細胞）細胞において刺激する。それゆえ、この遺伝子産物の機能と拮抗する低分子は、自己免疫疾患および炎症性疾患患者の症状を減少または排除する治療薬として有用であり得る。ここでＴ細胞およびＢ細胞が、全身性エリテマトーデス、クローン病、潰瘍性大腸炎、多発性硬化症、慢性閉塞性肺疾患、喘息、肺気腫、関節リウマチ、または乾癬のような疾患の惹起または進行において働き得る。
【０８３６】
Ｖ．ＮＯＶ３３ａ：セリンプロテアーゼ阻害因子
表ＶＡに記載するプライマー−プローブのセットＡｇ３４３６を用いて、遺伝子ＮＯＶ３３ａの発現を評価した。ＲＴＱ−ＰＣＲの実施結果を表ＶＢに示す。
【表４３８】
2005505247.tif 000439
【０８３７】
【表４３９】
2005505247.tif 000440
【０８３８】
表ＶＢの続き
【表４４０】
2005505247.tif 000441
【０８３９】
ＣＮＳ_神経変異性_ｖ１.０概要：Ａｇ３４３６  このパネルの全試料において、ＮＯＶ３３ａ遺伝子の発現を低値／検出しない（ＣＴ＞３５）。
一般的_スクリーニング_パネル_ｖ１.４概要：Ａｇ３４３６  このパネルの全試料において、ＮＯＶ３３ａ遺伝子の発現を低値／検出しない（ＣＴ＞３５）。
【０８４０】
パネル４Ｄ概要：Ａｇ３４３６  ＮＯＶ３３ａ遺伝子を、肝硬変試料において最も高発現（ＣＴ＝３１.８）する。従って、この遺伝子の発現を、このパネルのこの試料と他の試料とを区別するのに用い得る。さらに、この遺伝子の発現または機能の治療的調節は、肝硬変において起こる線維症を減少または防止する。加えて、この遺伝子の発現を肝硬変の診断に用い得る。
【０８４１】
さらに、この遺伝子を、大腸において低レベル（ＣＴ＝３３.１）だが有意なレベルで発現する。この遺伝子を、ＩＢＤ大腸炎およびクローン病患者由来の大腸試料において発現（ＣＴ＞３５）する。それゆえ、この遺伝子によりコードするタンパク質活性の治療的調節は、炎症性腸疾患の処置において有用であり得る。カモスタットメシル酸塩である関係するセリンプロテアーゼ阻害因子を用いて、潰瘍性大腸炎の二人の患者にサリチルアゾスルファピリジンを、上記の副作用に寄与して投与して寛解を誘導し維持した（Senda et al.， Intern Med 32（4）:350-4， 1993）。
【０８４２】
Ｗ．ＮＯＶ３４ａおよびＮＯＶ３４ｂ：フィブロネクチン３型様
表ＷＡに記載するプライマー−プローブのセットＡｇ３５３８を用いて、遺伝子ＮＯＶ３４ａおよびＮＯＶ３４ｂの発現を評価した。ＲＴＱ−ＰＣＲの実施結果を表ＷＢおよびＷＣに示す。遺伝子配列の予想を確認しつつ、ＮＯＶ３４ｂがＮＯＶ３４ａ遺伝子の物理学的クローン全長を表すことに注意されたい。
【表４４１】
2005505247.tif 000442
【０８４３】
【表４４２】
2005505247.tif 000443
【０８４４】
表ＷＢの続き
【表４４３】
2005505247.tif 000444
【０８４５】
【表４４４】
2005505247.tif 000445
【０８４６】
表ＷＣの続き
【表４４５】
2005505247.tif 000446
【０８４７】
ＣＮＳ_神経変異性_ｖ１.０概要：Ａｇ３５３８  このパネルの全試料において、この遺伝子の発現を低値／検出しない（ＣＴ＞３５）。
【０８４８】
一般的_スクリーニング_パネル_ｖ１.４概要：Ａｇ３５３８  ＮＯＶ３４ａ遺伝子を、精巣由来の試料において最も高発現（ＣＴ＝２９.８）する。従って、この遺伝子の発現を、そのパネルのこの試料と他の試料とを区別するのに用い得る。さらに、この遺伝子の発現または機能の治療的調節は、受精不能疾患および生殖機能不全の処置において効果的であり得る。
【０８４９】
加えて、この遺伝子を、膵臓癌細胞株、ＣＮＳ癌細胞株、大腸癌細胞株、胃癌細胞株、腎臓癌細胞株、肺癌細胞株、乳癌細胞株、卵巣癌細胞株および扁平上皮癌細胞株において有意なレベルで発現する。それゆえ、低分子薬、タンパク質療法または抗体の使用を通じたこの遺伝子またはそのタンパク質産物の活性の治療的調節は、これらの癌治療において有益であり得る。
【０８５０】
興味深いことに、この遺伝子を、成人脳試料（ＣＴ＝３６−４０）を対照として胎児脳試料においてずっと高レベル（ＣＴ＝３３）で発現する。この観察結果は、この遺伝子の発現を、胎児脳と成人脳とを区別するのに用い得ることを示す。
【０８５１】
パネル４Ｄ概要：Ａｇ３５３８  ＮＯＶ３４ａ遺伝子を、大腸由来の試料において最も高発現（ＣＴ＝２９.７８）する。従って、この遺伝子の発現を、そのパネルのこの試料と他の試料とを区別するのに用い得る。さらに、この遺伝子の発現は、正常大腸を対照としてＩＢＤ大腸炎およびクローン病患者由来の大腸試料（ＣＴ＞３７）において減少する。それゆえ、この遺伝子によりコードするＧＰＣＲ活性の治療的調節は、炎症性腸疾患の処置において有用であり得る。
【０８５２】
Ｘ．ＮＯＶ３５ａ：アジポフィリン（脂肪分化関連タンパク質）
表ＸＡに記載するプライマー−プローブのセットＡｇ５７３３を用いて、遺伝子ＮＯＶ３５ａの発現を評価した。ＲＴＱ−ＰＣＲの実施結果を表ＸＢに示す。
【表４４６】
2005505247.tif 000447
【０８５３】
【表４４７】
2005505247.tif 000448
【０８５４】
表ＸＢの続き
【表４４８】
2005505247.tif 000449
【０８５５】
一般的_スクリーニング_パネル_ｖ１.５概要：Ａｇ５７３３  ＮＯＶ３５ａ遺伝子を、肝臓癌細胞株由来の試料において最も高発現（ＣＴ＝２４）する。従って、この遺伝子の発現を、このパネルのこの試料と他の試料とを区別するのに用い得る。加えて、この遺伝子の高発現は、腎臓癌細胞株、悪性黒色腫細胞株、乳癌細胞株、結腸癌細胞株、および肺癌細胞株とも関連する。それゆえ、この遺伝子産物の治療的調節は、これらの癌処置において有益であり得る。
【０８５６】
この遺伝子を、脂肪、副腎、消化管、膵臓、骨格筋および甲状腺を含む代謝機能または内分泌機能をつかさどる多くの組織において中程度のレベルから高レベルで発現する。ＮＯＶ３５ａ遺伝子は、Perilipinファミリーに属するアジポフィリンをコードする。Perilipinは、脂肪組織のトリアシルグリセロール加水分解および脂質代謝の調節において働くと知られている（参考文献１）。それゆえ、この遺伝子活性の治療的調節は、肥満および糖尿病のような内分泌性／代謝性関連疾患の処置において有益となり得る。
【０８５７】
加えて、この遺伝子を、扁桃、海馬、黒質、視床、小脳、大脳皮質、および脊髄を含む試験した中枢神経系の全領域において中程度のレベルで発現する。それゆえ、この遺伝子は、アルツハイマー病、パーキンソン病、てんかん、多発性硬化症、統合失調症およびうつ病のような中枢神経系疾患において機能し得る（Tansey et al.， Proc Natl Acad Sci U S A 98（11）:6494-9， 2001）。
【０８５８】
Ｙ．ＮＯＶ３７ａ、ＮＯＶ３７ｂおよびＮＯＶ３７ｃ：タンパク質１に結合する潜在性形質転換成長因子β
表ＹＡに記載するプライマー−プローブのセットＡｇ３５９６を用いて、遺伝子ＮＯＶ３７ａ、ＮＯＶ３７ｂおよびＮＯＶ３７ｃの発現を評価した。ＲＴＱ−ＰＣＲの実施結果を表ＹＢ、ＹＣおよびＹＤに示す。
【表４４９】
2005505247.tif 000450
【０８５９】
【表４５０】
2005505247.tif 000451
【０８６０】
【表４５１】
2005505247.tif 000452
【０８６１】
表ＹＣの続き
【表４５２】
2005505247.tif 000453
【０８６２】
【表４５３】
2005505247.tif 000454
【０８６３】
表ＹＤの続き
【表４５４】
2005505247.tif 000455
【０８６４】
ＣＮＳ_神経変異性_ｖ１.０概要：Ａｇ３５９６  このパネルでは、ＮＯＶ３７ａ遺伝子が個々の独立した群の脳において低レベルで発現することを確認する。この遺伝子を、アルツハイマー病患者の測頭皮質において上方制御すると分かっている。この遺伝子産物の遮断は、この疾患の処置において有用であり、神経細胞死を減少し得る。
【０８６５】
一般的_スクリーニング_パネル_ｖ１.４概要：Ａｇ３５９６  ＮＯＶ３７ａ遺伝子を、ＣＮＳ癌細胞株の一つにおいて最も高発現（ＣＴ＝２６）する。従って、この遺伝子の発現を、このパネルのこの試料を他の試料と区別するのに用い得る。加えて、この遺伝子を、前立腺癌においても有意なレベル（ＣＴ＝２７）で発現する。それゆえ、低分子薬、タンパク質療法または抗体の使用を通じたこの遺伝子またはそのタンパク質産物の活性の治療的調節は、ＣＮＳ癌または前立腺癌の処置において有益であり得る。
【０８６６】
前立腺癌において、ＴＧＦβ１−ＬＴＢＰ１複合体は、嚢胞切除した前立腺および前立腺肥大において存在するが、ＴＧＦ−β１を悪性細胞において関連−ＬＴＢＰ１なしで産生する免疫組織化学的な証拠がある（Eklov et al.， Cancer Res. 53， 3193-3197， 1993）。
【０８６７】
代謝機能または内分泌機能をつかさどる組織の間で、この遺伝子を、膵臓、脂肪、副腎、甲状腺、脳下垂体、骨格筋、心臓、肝臓および消化管において中程度のレベルで発現する。それゆえ、この遺伝子活性の治療的調節は、肥満および糖尿病のような内分泌性／代謝性関連疾患の処置において有益となり得る。
【０８６８】
加えて、この遺伝子を、扁桃、海馬、黒質、視床、小脳、大脳皮質、および脊髄を含む試験した中枢神経系の全領域において有意なレベルで発現する。それゆえ、この遺伝子は、アルツハイマー病、パーキンソン病、てんかん、多発性硬化症、統合失調症およびうつ病のような中枢神経系疾患において機能し得る。
【０８６９】
パネル４.１Ｄ概要：Ａｇ３５９６  ＮＯＶ３７ａ遺伝子を、ＩＬ−９で処置した肺線維芽細胞において最も高発現（ＣＴ＝２７.３）する。加えて、この遺伝子の高発現を、ＴＮＦα＋ＩＬ−１β／ＩＬ−４／ＩＬ−１３／ＩＦＮγで処置したならびに処置していない肺線維芽細胞およびＩＦＮγで処置した皮膚線維芽細胞および処置していない皮膚線維芽細胞において検出する。従って、この遺伝子の発現を、このパネルの肺線維芽細胞試料および皮膚線維芽細胞試料と他の試料とを区別するのに用い得る。また、機能的治療でのこの遺伝子産物の調節は、これらの細胞と関連する機能の変化を導き、喘息、アレルギー、乾癬および特発性肺線維症（ＩＰＦ）のような自己免疫疾患および炎症性疾患を病む患者の症状を改善に導き得る。
【０８７０】
最近、Saika 等は（Saika et al.， Graefes Arch Clin Exp Ophthalmol 239（3）:234-41， 2001）ＬＴＢＰ１、β１−ＬＡＰおよびフィブリン−１は、選別小胞および培養した粘膜線維芽細胞のＥＣＭに共存在することを示した。粘膜内皮および線維芽細胞の両方を、小胞治癒におけるＴＧＦβの供給源であると考える。インビボおよびインビトロでの半粘膜線維芽細胞により分泌したＥＧＭは、ＴＧＦβの捕捉剤または持続剤として働き得る。
【０８７１】
Ｚ．ＮＯＶ３９ａ：ウロキナーゼプラスミノーゲン活性化因子細胞表面受容体前駆体
表ＺＡに記載するプライマー−プローブのセットＡｇ３１３４を用いて、遺伝子ＮＯＶ３９ａの発現を評価した。ＲＴＱ−ＰＣＲの実施結果を表ＺＢ、ＺＣ、ＺＤ、ＺＥおよびＺＦに示す。
【表４５５】
2005505247.tif 000456
【０８７２】
【表４５６】
2005505247.tif 000457
【０８７３】
【表４５７】
2005505247.tif 000458
【０８７４】
表ＺＣの続き
【表４５８】
2005505247.tif 000459
【０８７５】
【表４５９】
2005505247.tif 000460
【０８７６】
表ＺＤの続き
【表４６０】
2005505247.tif 000461
【０８７７】
【表４６１】
2005505247.tif 000462
【０８７８】
表ＺＥの続き
【表４６２】
2005505247.tif 000463
【０８７９】
【表４６３】
2005505247.tif 000464
【０８８０】
表ＺＦの続き
【表４６４】
2005505247.tif 000465
【０８８１】
ＣＮＳ_神経変異性_ｖ１.０概要：Ａｇ３１３４  このパネルでは、この遺伝子が個々の独立した群の脳において低レベルから中程度のレベルで発現することを確認する。しかしながら、この遺伝子の発現差を、この実験のアルツハイマー病死後脳と痴呆でないコントロール死後脳間で検出しない。パネル１.３Ｄを、中枢神経系疾患の処置におけるこの遺伝子の潜在的な有用性の考察のために参照されたい。
【０８８２】
パネル１.３Ｄ概要：Ａｇ３１３４  ＮＯＶ３９ａ遺伝子は、胎盤において高発現（ＣＴ＝２９.５）する。加えて、この遺伝子を、扁桃、海馬、黒質、視床、小脳、大脳皮質、および脊髄を含む試験した中枢神経系の全領域において中程度のレベル（ＣＴ＝２９.５−３２）で発現する。従って、この遺伝子の発現を、このパネルの脳および胎盤を他の試料と区別するのに用い得る。さらに、この遺伝子は、アルツハイマー病、パーキンソン病、てんかん、多発性硬化症、統合失調症およびうつ病のような中枢神経系疾患において機能し得る。
【０８８３】
パネル２Ｄ概要：Ａｇ３１３４  この遺伝子は、膀胱癌試料において高発現（ＣＴ＝２８.３）する。興味深いことに、対応する正常隣接膀胱組織における発現は、ずっと低レベル（ＣＴ＝３４.５）である。加えて、ＮＯＶ３９ａ遺伝子を、正常対応隣接組織を対照として多くの他の腫瘍組織においてより高レベルで発現する。特に、この遺伝子の発現を、胃癌および肺癌において上方制御する。従って、この遺伝子の発現を、膀胱癌、胃癌、および肺癌を区別するのに用い得る。さらに、低分子薬、抗体またはタンパク質療法の使用を通じたこの遺伝子またはそのタンパク質産物の活性の治療的調節は、膀胱癌、胃癌および肺癌の処置において有益であり得る。
【０８８４】
ＮＯＶ３９ａ遺伝子は、肺癌および他の癌の転移において重要な働きをすると以前にわかっているウロキナーゼプラスミノーゲン活性化因子表面受容体前駆体と相同なタンパク質をコードする（Lakka et al.， Clin Cancer Res 7（4）:1087-93， 2001）。加えて、ウロキナーゼ型プラスミノーゲン活性化因子受容体遺伝子のアンチセンス技術を用いた阻害は、非小細胞性肺癌細胞株における腫瘍細胞浸潤および転移を減少することが分かっている（Lakka et al.， Clin Cancer Res 7（4）:1087-93， 2001）。この観察結果は、ＮＯＶ３９ａ遺伝子の治療的阻害は腫瘍細胞の浸潤および転移を減少するのにも有用であり得ることを示す。
【０８８５】
パネル３Ｄ概要：Ａｇ３１３４  この遺伝子を、肺癌細胞株において最も高発現（ＣＴ＝２９）する。ＮＯＶ３９ａ遺伝子を、いくつかの肺癌細胞株、胃癌細胞株、および膀胱癌細胞株を含む多くの他の癌細胞株において中程度のレベルで発現する。この観察結果は、パネル２Ｄに示す結果と一致する。
【０８８６】
パネル４Ｄ概要：Ａｇ３１３４  ＮＯＶ３９ａ遺伝子の発現を、活性型ケラチノサイトならびにＩＦＮγで処置した皮膚線維芽細胞において上方制御する。それゆえ、この遺伝子によりコードしたタンパク質の低分子薬または抗体を用いた調節は、乾癬の処置において有用であり得る。ＮＯＶ３９ａ遺伝子は、ウロキナーゼプラスミノーゲン活性化因子表面受容体前駆体に相同なタンパク質をコードする。乾癬におけるこの遺伝子に対する潜在的な働きとの一致して、プラスミノーゲン活性化因子発現における変化は乾癬において起こると既に分かっている（Spiers et al.， J Invest Dermatol 102（3）:333-8， 1994）。
【０８８７】
加えて、この遺伝子の発現を、ＴＮＦα＋ＩＦＮγで処置したＨＵＶＥＣ細胞（ＣＴ＝２９.８）およびＩＦＮγで処置したＮＣＩ−Ｈ２９２細胞（ＣＴ＝３１）において、それらの処置していない対応物（ＣＴ＝３７−４０）を対照として上方制御する。この遺伝子は、正常肺においても中程度のレベルでの発現を示す。活性型粘膜表皮性細胞株（ＮＣＩ−Ｈ２９２細胞）および内皮細胞（ＨＵＶＥＣ）でのこの遺伝子の発現は、この遺伝子がこれらの細胞型の増殖または活性化において働き得ることを示す。それゆえ、その遺伝子によりコードしたタンパク質でデザインした治療は、慢性閉塞性肺疾患、喘息、アレルギー、および肺気腫における肺上皮の炎症により起こる症状を減少または排除する。
【０８８８】
ＡＡ．ＮＯＶ４０ａ：新規ヒトアグリン
表ＡＡＡに記載するプライマー−プローブのセットＡｇ３６０５を用いて、遺伝子ＮＯＶ４０ａの発現を評価した。ＲＴＱ−ＰＣＲの実施結果を表ＡＡＢ、ＡＡＣ、ＡＡＤ、ＡＡＥおよびＡＡＦに示す。
【表４６５】
2005505247.tif 000466
【０８８９】
【表４６６】
2005505247.tif 000467
【０８９０】
【表４６７】
2005505247.tif 000468
【０８９１】
表ＡＡＣの続き
【表４６８】
2005505247.tif 000469
【０８９２】
【表４６９】
2005505247.tif 000470
【０８９３】
表ＡＡＤの続き
【表４７０】
2005505247.tif 000471
【０８９４】
【表４７１】
2005505247.tif 000472
【０８９５】
表ＡＡＥの続き
【表４７２】
2005505247.tif 000473
【０８９６】
【表４７３】
2005505247.tif 000474
【０８９７】
表ＡＡＦの続き
【表４７４】
2005505247.tif 000475
【０８９８】
ＣＮＳ_神経変異性_ｖ１.０概要：Ａｇ３６０５  このパネルでは、この遺伝子が個々の独立した群の脳において中程度のレベルで発現することを確認する。しかしながら、この遺伝子の発現差を、この実験のアルツハイマー病死後脳と痴呆でないコントロール死後脳間で検出しない。パネル１.４を、中枢神経系疾患の処置におけるこの遺伝子の潜在的な有用性の考察のために参照されたい。
【０８９９】
一般的_スクリーニング_パネル_ｖ１.４概要：Ａｇ３６０５  ＮＯＶ４０ａ 遺伝子を、乳癌細胞株において最も高発現（ＣＴ＝２５.２）する。加えて、この遺伝子の発現は、正常組織より癌細胞株と一次的に関係する。特に、この遺伝子の発現を、それらの対応する正常組織を対照として膵臓癌細胞株、ＣＮＳ癌細胞株、大腸癌細胞株、胃癌細胞株、腎臓癌細胞株、肺癌細胞株、乳癌細胞株、卵巣癌細胞株、および前立腺癌細胞株において上方制御する。従って、低分子薬、抗体またはタンパク質療法の使用を通じたこの遺伝子またはそのタンパク質産物の活性の治療的調節は、このタイプの癌の処置において有益であり得る。
【０９００】
加えて、この遺伝子を、扁桃、海馬、黒質、視床、小脳、大脳皮質、および脊髄を含む試験した中枢神経系の全領域において中程度のレベルで発現する。ＮＯＶ４０ａ遺伝子は、をコードする。ＮＯＶ４０ａ遺伝子は、アグリンに対する相同性を有するタンパク質をコードする。アグリンは、筋肉線維においてアセチルコリン受容体の集合およびシナプス後タンパク質の集合を誘導し、神経筋接合部の形成に決定的である神経の集合性因子である。さらに最近、アグリンは、インビトロおよびインビボの両方で興奮性神経伝達物質に対する一定の神経応答において重要な働きをすることが分かっている（Hilgenberg et al.， Mol Cell Neurosci 19（1）:97-110， 2002; Bixby et al.， J Neurobiol 50（2）:164-79， 2002）。中枢神経系におけるＮＯＶ４０ａ遺伝子の発現は、このタンパク質はアグリンとして類似の機能を有し得るという仮説と一致する。それゆえ、この遺伝子は、アルツハイマー病、パーキンソン病、てんかん、多発性硬化症、統合失調症およびうつ病のような中枢神経系疾患において機能し得る。
【０９０１】
代謝機能または内分泌機能をつかさどる組織の間で、この遺伝子を、膵臓、脂肪、甲状腺、および消化管において中程度のレベルで発現し、副腎、脳下垂体、骨格筋、心臓、および肝臓において低レベルで発現する。それゆえ、この遺伝子活性の治療的調節は、肥満および糖尿病のような内分泌性／代謝性関連疾患の処置において有益となり得る。この仮説の裏づけにおいて、アグリンの糸球体の発現は、糖尿病性腎症において減少する（Yard et al.， Decreased glomerular expression of agrin in diabetic nephropathy and podocytes， cultured in high glucose medium. Exp Nephrol 9（3）:214-22， 2001）。
【０９０２】
パネル２.２概要：Ａｇ３６０５  ＮＯＶ４０ａ遺伝子は、正常腎臓試料において最も高発現（ＣＴ＝２７.４）する。興味深いことに、この遺伝子の発現を、一致コントロール辺縁を対照として多くの卵巣癌および腎臓癌において上方制御する。従って、この遺伝子の発現を卵巣癌および腎臓癌に対するマーカーとして用い得る。さらに、低分子薬、抗体またはタンパク質療法の使用を通じたこの遺伝子またはそのタンパク質産物の活性の治療的調節は、腎臓癌および卵巣癌の処置において有益であり得る。この遺伝子を、腫瘍組織と正常組織との発現レベルの差がほとんどないまたは全くないことを伴ない、このパネルの残存試料において中程度のレベルで発現する。
【０９０３】
パネル４.１Ｄ概要：Ａｇ３６０５  ＮＯＶ４０ａ遺伝子を、肺微小血管内皮細胞、微小血管皮膚内皮細胞、粘膜表皮性細胞株ＮＣＩ−Ｈ２９２、星状膠細胞、およびケラチノサイトにおいて最も高発現する。それゆえ、ＮＯＶ４０ａ遺伝子によりコードしたタンパク質でデザインした低分子薬療法、抗体療法またはタンパク質療法は、喘息、肺気腫、アレルギー、乾癬、筋ジストロフィーおよび多発性硬化症における炎症を減少し防御し得る。
【０９０４】
ＮＯＶ４０ａ遺伝子は、アグリンに相同なタンパク質をコードする。最近、神経筋接合部の形成に対して決定的な集合性タンパク質であるアグリンは、リンパ球においても発現し、膜脂質微小ドメインの認識において重要であり、閾値 Ｔ細胞シグナル伝達に対する閾値を設定することを証明した（Khan et al.， Science 292（5522）:1681-6， 2001）。Ｔ細胞活性化は、Ｔ細胞受容体を介して伝わった一次的シグナルと共受容体により仲介する二次的な同時刺激のシグナル両方に依存する。共刺激は、特異的な再分布、および膜のクラスターおよび細胞内のキナーゼリッチな脂質ラフト微小ドメインの形成を通じて、Ｔ細胞と抗原提示細胞間の認識サイトで働くと考えられる。このサイトは、免疫性シナプスと呼ぶ。Ｋｈａｎ等は（2001）、アグリンが脂質ラフト経路を通じた免疫システムおよび神経システムにおいてシグナルタンパク質のアグリゲーションおよびシグナルドメインの産生を誘導すると結論付けている。
【０９０５】
パネルＣＮＳ_１概要：Ａｇ３６０５  このパネルでは、この遺伝子が個々の独立した群の脳において低レベルで発現することを確認する。パネル１.４を、中枢神経系疾患の処置におけるこの遺伝子の潜在的な有用性の考察のために参照されたい。
【０９０６】
ＡＢ．ＮＯＶ４１ａ：主要尿タンパク質４前駆体（ＭＵＰ４）
表ＡＢＡに記載するプライマー−プローブのセットＡｇ２２８９を用いて、遺伝子ＮＯＶ４１ａの発現を評価した。ＲＴＱ−ＰＣＲの実施結果を表ＡＢＢ、ＡＢＣおよびＡＢＤに示す。
【表４７５】
2005505247.tif 000476
【０９０７】
【表４７６】
2005505247.tif 000477
【０９０８】
【表４７７】
2005505247.tif 000478
【０９０９】
表ＡＢＣの続き
【表４７８】
2005505247.tif 000479
【０９１０】
【表４７９】
2005505247.tif 000480
【０９１１】
表ＡＢＤの続き
【表４８０】
2005505247.tif 000481
【０９１２】
ＣＮＳ_神経変異性_ｖ１.０概要：Ａｇ２２８９  このパネルは、ＮＯＶ４１ａ遺伝子の発現がアルツハイマー病において差がないことを示す。しかしながら、この発現の特性は、脳におけるこの遺伝子の存在を確認する。パネル１.３Ｄを、中枢神経系におけるこの遺伝子の有用性の考察のために参照されたい。
【０９１３】
パネル１.３Ｄ概要：Ａｇ２２８９  ＮＯＶ４１ａ遺伝子の発現は、海馬における最も高発現（ＣＴ＝３０）を伴ない、脳特異的に高発現する。それゆえ、この遺伝子は、アルツハイマー病、パーキンソン病、てんかん、多発性硬化症、統合失調症およびうつ病のような中枢神経系疾患において機能し得る。
【０９１４】
加えて、この遺伝子を、成人対応物（ＣＴ＝４０）における発現を対照として胎児骨格筋組織（ＣＴ＝３２）においてずっと高レベルで発現する。従って、この遺伝子の発現を用いて、胎児由来組織と成人由来組織とを区別し得る。さらに、この遺伝子に関係する胎児骨格筋における発現は、タンパク質産物が、胎児における筋肉の成長および筋肉の発生を高め得るし、従って、成人における再生能力においても働き得ることを示す。それゆえ、この遺伝子によりコードするタンパク質の治療的調節は、筋肉関係疾患の処置において有用であり得る。さらに特異的に、この遺伝子によりコードした虚弱筋肉または傷害を受けた筋肉の処置は、筋肉塊または筋肉の機能を保ちうる。
【０９１５】
この遺伝子はＭＵＰの相同体であり、そのマウス相同体はPheremone結合活性を有すると分かっている（Timm et al.， Protein Sci 10（5）:997-1004， 2001; Novotny et al.， Proc R Soc Lond B Biol Sci 266（1432）:2017-22， 1999）。相同性に基づき、このタンパク質は、成人女性における性的な成熟およびサイクルにおいて働き得る。
パネル２.２概要：Ａｇ２２８９  このパネルの全試料において、ＮＯＶ４１ａ遺伝子の発現を低値／検出しない（ＣＴ＞３５）。
【０９１６】
パネル４.１Ｄ概要：Ａｇ２２８９  ＮＯＶ４１ａ遺伝子を、腎臓（ＣＴ＝３４.７）においてのみ検出可能なレベルで発現する。この遺伝子によりコードする推定タンパク質は、腎臓内の細胞が特異的な微小環境のシグナル伝達に応答するのを可能にする。それゆえ、この遺伝子によりコードしてタンパク質でデザインした治療法は、腎臓機能を調整し得るし、ループスおよび糸体球体腎炎を含む腎臓を障害する炎症性疾患または自己免疫疾患の処置において重要であり得る。
【０９１７】
パネルＣＮＳ_１概要：Ａｇ２２８９  ＮＯＶ４１ａ遺伝子の発現を、このパネルの全試料において、遺伝子の発現を低値／検出しない（ＣＴ＞３５）。
【０９１８】
ＡＣ．ＮＯＶ４１ｂ：主要尿タンパク質４前駆体
表ＡＣＡに記載するプライマー−プローブのセットＡｇ２３２１を用いて、遺伝子ＮＯＶ４１ｂの発現を評価した。ＲＴＱ−ＰＣＲの実施結果を表ＡＣＡに示す。
【表４８１】
2005505247.tif 000482
【０９１９】
パネル１.３Ｄ概要：Ａｇ２３２１  このパネルの全試料において、ＮＯＶ４１ｂ遺伝子の発現を低値／検出しない（ＣＴ＞３５）。
パネル２.２概要：Ａｇ２３２１  このパネルの全試料において、ＮＯＶ４１ｂ遺伝子の発現を低値／検出しない（ＣＴ＞３５）。
パネル４Ｄ概要：Ａｇ２３２１  このパネルの全試料において、ＮＯＶ４１ｂ遺伝子の発現を低値／検出しない（ＣＴ＞３５）。
【０９２０】
ＡＤ．ＮＯＶ４２ａおよびＣＧ５９８８９−０２およびＮＯＶ４２ｃ：ＫＩＡＡ１１９９
表ＡＤＡに記載するプライマー−プローブのセットＡｇ３６２６を用いて、遺伝子ＮＯＶ４２ａ、変異体ＣＧ５９８８９−０２および全長クローンＮＯＶ４２ｃの発現を評価した。ＲＴＱ−ＰＣＲ実施の結果を表ＡＤＢ、ＡＤＣ、ＡＤＤ、ＡＤＥおよびＡＤＦに示す。遺伝子配列の予想を確認しつつ、ＮＯＶ４２ｃがＮＯＶ４２ｃ遺伝子の物理学的クローン全長を表すことに注意されたい。
【表４８２】
2005505247.tif 000483
【０９２１】
【表４８３】
2005505247.tif 000484
【０９２２】
表ＡＤＢの続き
【表４８４】
2005505247.tif 000485
【０９２３】
【表４８５】
2005505247.tif 000486
【０９２４】
【表４８６】
2005505247.tif 000487
【０９２５】
表ＡＤＤの続き
【表４８７】
2005505247.tif 000488
【０９２６】
【表４８８】
2005505247.tif 000489
【０９２７】
表ＡＤＥの続き
【表４８９】
2005505247.tif 000490
【０９２８】
【表４９０】
2005505247.tif 000491
【０９２９】
表ＡＤＦの続き
【表４９１】
2005505247.tif 000492
【０９３０】
【表４９２】
2005505247.tif 000493
【０９３１】
表ＡＤＧの続き
【表４９３】
2005505247.tif 000494
【０９３２】
ＡＩ_包括的_パネル_ｖ１.０概要：Ａｇ３６２６  ＮＯＶ４２ａ転写物を、正常組織および疾患組織の両方において発現する。転写物の発現は、ＯＡ骨試料における最も高発現（ＣＴ＝２８.５）を伴ない、正常関節組織を対照として、骨関節炎患者（ＯＡ）から分離したいくつかの関節組織においてより高発現する。これらの発見は、その遺伝子がコードする転写物またはタンパク質を、関節炎組織を検出するのに用い得ることを示す。さらに、この転写物によりコードしたタンパク質でデザインした治療法は関節炎の処置において重要であり得る。
【０９３３】
ＣＮＳ_神経変異性_ｖ１.０概要：Ａｇ３６２６  このパネルは、ＮＯＶ４２ａ遺伝子の発現がアルツハイマー病において差がないことを示す。しかしながら、この発現の特性は、脳におけるこの遺伝子の存在を示す。それゆえ、この遺伝子の発現または機能の治療的調節は、神経性疾患の処置において有用であり得る。
【０９３４】
一般的_スクリーニング_パネル_ｖ１.４概要：Ａｇ３６２６  ＮＯＶ４２ｃ遺伝子での１つの実験結果を挙げていない。アンププロットは、この実施に伴なう実験的困難を示す。
【０９３５】
パネル２．２概要：Ａｇ３６２６  この遺伝子を、正常肺組織由来の試料において最も高発現（ＣＴ＝３０.８）する。加えて、肺癌、膀胱癌、乳癌、卵巣癌、および結腸癌由来の他の試料において有意に発現する。従って、この遺伝子の発現を、このパネルの正常肺組織を他の試料と区別するのに用い得る。さらに、この遺伝子の低分子薬、タンパク質療法または抗体の使用を通じた治療的調節は、肺癌、膀胱癌、乳癌、卵巣癌および結腸癌の処置において有益であり得る。
【０９３６】
パネル３Ｄ概要：Ａｇ３６２６  この遺伝子を、肺癌細胞株（ＬＸ−１）由来の試料において最も高発現（ＣＴ＝２７.５）する。加えて、結腸癌細胞株および胃癌細胞株由来の他の試料において高発現するようである。従って、この遺伝子の発現を、そのパネルのＬＸ−１細胞を他の試料と区別するのに用い得る。さらに、この遺伝子のタンパク質療法または抗体の使用を通じた治療的調節は、低分子薬、大腸癌または胃癌の処置において有益であり得る。
【０９３７】
パネル４.１Ｄ概要：Ａｇ３６２６  ＮＯＶ４２ｃ遺伝子を、ＴＮＦαおよびＩＬ−１βで処置した星状膠細胞において最も高発現する。この発現は、この遺伝子によりコードしたタンパク質に対してデザインした治療法が多発性硬化症のような炎症性ＣＮＳ疾患の処置に対して有用であり得ることを示す。加えて、この遺伝子を、処置したおよび処置していない肺線維芽細胞および皮膚線維芽細胞由来の試料群において発現する。それゆえ、この転写物によりコードするタンパク質の発現または活性の調節は、喘息、慢性閉塞性肺疾患のような肺炎症性疾患、乾癬、アトピー性皮膚炎、潰瘍性皮膚炎、潰瘍性大腸炎のような炎症性皮膚疾患の処置に対して有益であり得る。
【０９３８】
(他の実施態様)
特定の実施態様は本明細書で詳しく開示されているが、これは例示のみの目的で実施例としてなされたもので、前述の添付した請求項の範囲に関して限定することを意図するものでない。特に、請求項により規定される本発明の精神おおび範囲から逸脱することなく本発明に種々の置換、変更および修飾を行い得ることは、本発明者等の意図するところである。核酸の出発原料、興味のあるクローンもしくはライブラリータイプの選択は、本明細書で説明される実施態様の知識を持つ当業者にとって日常茶飯事であると信じられる。提示される請求項は、本明細書で開示される本発明の代表的なものである。他の態様、利点、および変更は、以下の請求項の範囲内にあるとみなされる。他の請求項に無い発明もまた意図される。本出願者は、今後の請求項でそのような発明を追求する権利を保持する。
【国際公開パンフレット】
2005505247.tif 000495
2005505247.tif 000496
2005505247.tif 000497
2005505247.tif 000498
2005505247.tif 000499
2005505247.tif 000500
2005505247.tif 000501
2005505247.tif 000502
2005505247.tif 000503
2005505247.tif 000504
2005505247.tif 000505
2005505247.tif 000506
2005505247.tif 000507
2005505247.tif 000508
2005505247.tif 000509
2005505247.tif 000510
2005505247.tif 000511
2005505247.tif 000512
2005505247.tif 000513
2005505247.tif 000514
2005505247.tif 000515
2005505247.tif 000516
2005505247.tif 000517
2005505247.tif 000518
2005505247.tif 000519
2005505247.tif 000520
2005505247.tif 000521
2005505247.tif 000522
2005505247.tif 000523
2005505247.tif 000524
2005505247.tif 000525
2005505247.tif 000526
2005505247.tif 000527
2005505247.tif 000528
2005505247.tif 000529
2005505247.tif 000530
2005505247.tif 000531
2005505247.tif 000532
2005505247.tif 000533
2005505247.tif 000534
2005505247.tif 000535
2005505247.tif 000536
2005505247.tif 000537
2005505247.tif 000538
2005505247.tif 000539
2005505247.tif 000540
2005505247.tif 000541
2005505247.tif 000542
2005505247.tif 000543
2005505247.tif 000544
2005505247.tif 000545
2005505247.tif 000546
2005505247.tif 000547
2005505247.tif 000548
2005505247.tif 000549
2005505247.tif 000550
2005505247.tif 000551
2005505247.tif 000552
2005505247.tif 000553
2005505247.tif 000554
2005505247.tif 000555
2005505247.tif 000556
2005505247.tif 000557
2005505247.tif 000558
2005505247.tif 000559
2005505247.tif 000560
2005505247.tif 000561
2005505247.tif 000562
2005505247.tif 000563
2005505247.tif 000564
2005505247.tif 000565
2005505247.tif 000566
2005505247.tif 000567
2005505247.tif 000568
2005505247.tif 000569
2005505247.tif 000570
2005505247.tif 000571
2005505247.tif 000572
2005505247.tif 000573
2005505247.tif 000574
2005505247.tif 000575
2005505247.tif 000576
2005505247.tif 000577
2005505247.tif 000578
2005505247.tif 000579
2005505247.tif 000580
2005505247.tif 000581
2005505247.tif 000582
2005505247.tif 000583
2005505247.tif 000584
2005505247.tif 000585
2005505247.tif 000586
2005505247.tif 000587
2005505247.tif 000588
2005505247.tif 000589
2005505247.tif 000590
2005505247.tif 000591
2005505247.tif 000592
2005505247.tif 000593
2005505247.tif 000594
2005505247.tif 000595
2005505247.tif 000596
2005505247.tif 000597
2005505247.tif 000598
2005505247.tif 000599
2005505247.tif 000600
2005505247.tif 000601
2005505247.tif 000602
2005505247.tif 000603
2005505247.tif 000604
2005505247.tif 000605
2005505247.tif 000606
2005505247.tif 000607
2005505247.tif 000608
2005505247.tif 000609
2005505247.tif 000610
2005505247.tif 000611
2005505247.tif 000612
2005505247.tif 000613
2005505247.tif 000614
2005505247.tif 000615
2005505247.tif 000616
2005505247.tif 000617
2005505247.tif 000618
2005505247.tif 000619
2005505247.tif 000620
2005505247.tif 000621
2005505247.tif 000622
2005505247.tif 000623
2005505247.tif 000624
2005505247.tif 000625
2005505247.tif 000626
2005505247.tif 000627
2005505247.tif 000628
2005505247.tif 000629
2005505247.tif 000630
2005505247.tif 000631
2005505247.tif 000632
2005505247.tif 000633
2005505247.tif 000634
2005505247.tif 000635
2005505247.tif 000636
2005505247.tif 000637
2005505247.tif 000638
2005505247.tif 000639
2005505247.tif 000640
2005505247.tif 000641
2005505247.tif 000642
2005505247.tif 000643
2005505247.tif 000644
2005505247.tif 000645
2005505247.tif 000646
2005505247.tif 000647
2005505247.tif 000648
2005505247.tif 000649
2005505247.tif 000650
2005505247.tif 000651
2005505247.tif 000652
2005505247.tif 000653
2005505247.tif 000654
2005505247.tif 000655
2005505247.tif 000656
2005505247.tif 000657
2005505247.tif 000658
2005505247.tif 000659
2005505247.tif 000660
2005505247.tif 000661
2005505247.tif 000662
2005505247.tif 000663
2005505247.tif 000664
2005505247.tif 000665
2005505247.tif 000666
2005505247.tif 000667
2005505247.tif 000668
2005505247.tif 000669
2005505247.tif 000670
2005505247.tif 000671
2005505247.tif 000672
2005505247.tif 000673
2005505247.tif 000674
2005505247.tif 000675
2005505247.tif 000676
2005505247.tif 000677
2005505247.tif 000678
2005505247.tif 000679
2005505247.tif 000680
2005505247.tif 000681
2005505247.tif 000682
2005505247.tif 000683
2005505247.tif 000684
2005505247.tif 000685
2005505247.tif 000686
2005505247.tif 000687
2005505247.tif 000688
2005505247.tif 000689
2005505247.tif 000690
2005505247.tif 000691
2005505247.tif 000692
2005505247.tif 000693
2005505247.tif 000694
2005505247.tif 000695
2005505247.tif 000696
2005505247.tif 000697
2005505247.tif 000698
2005505247.tif 000699
2005505247.tif 000700
2005505247.tif 000701
2005505247.tif 000702
2005505247.tif 000703
2005505247.tif 000704
2005505247.tif 000705
2005505247.tif 000706
2005505247.tif 000707
2005505247.tif 000708
2005505247.tif 000709
2005505247.tif 000710
2005505247.tif 000711
2005505247.tif 000712
2005505247.tif 000713
2005505247.tif 000714
2005505247.tif 000715
2005505247.tif 000716
2005505247.tif 000717
2005505247.tif 000718
2005505247.tif 000719
2005505247.tif 000720
2005505247.tif 000721
2005505247.tif 000722
2005505247.tif 000723
2005505247.tif 000724
2005505247.tif 000725
2005505247.tif 000726
2005505247.tif 000727
2005505247.tif 000728
2005505247.tif 000729
2005505247.tif 000730
2005505247.tif 000731
2005505247.tif 000732
2005505247.tif 000733
2005505247.tif 000734
2005505247.tif 000735
2005505247.tif 000736
2005505247.tif 000737
2005505247.tif 000738
2005505247.tif 000739
2005505247.tif 000740
2005505247.tif 000741
2005505247.tif 000742
2005505247.tif 000743
2005505247.tif 000744
2005505247.tif 000745
2005505247.tif 000746
2005505247.tif 000747
2005505247.tif 000748
2005505247.tif 000749
2005505247.tif 000750
2005505247.tif 000751
2005505247.tif 000752
2005505247.tif 000753
2005505247.tif 000754
2005505247.tif 000755
2005505247.tif 000756
2005505247.tif 000757
2005505247.tif 000758
2005505247.tif 000759
2005505247.tif 000760
2005505247.tif 000761
2005505247.tif 000762
2005505247.tif 000763
2005505247.tif 000764
2005505247.tif 000765
2005505247.tif 000766
2005505247.tif 000767
2005505247.tif 000768
2005505247.tif 000769
2005505247.tif 000770
2005505247.tif 000771
2005505247.tif 000772
2005505247.tif 000773
2005505247.tif 000774
2005505247.tif 000775
2005505247.tif 000776
2005505247.tif 000777
2005505247.tif 000778
2005505247.tif 000779
2005505247.tif 000780
2005505247.tif 000781
2005505247.tif 000782
2005505247.tif 000783
2005505247.tif 000784
2005505247.tif 000785
2005505247.tif 000786
2005505247.tif 000787
2005505247.tif 000788
2005505247.tif 000789
2005505247.tif 000790
2005505247.tif 000791
2005505247.tif 000792
2005505247.tif 000793
2005505247.tif 000794
2005505247.tif 000795
2005505247.tif 000796
2005505247.tif 000797
2005505247.tif 000798
2005505247.tif 000799
2005505247.tif 000800
2005505247.tif 000801
2005505247.tif 000802
2005505247.tif 000803
2005505247.tif 000804
2005505247.tif 000805
2005505247.tif 000806
2005505247.tif 000807
2005505247.tif 000808
2005505247.tif 000809
2005505247.tif 000810
2005505247.tif 000811
2005505247.tif 000812
2005505247.tif 000813
2005505247.tif 000814
2005505247.tif 000815
2005505247.tif 000816
2005505247.tif 000817
2005505247.tif 000818
2005505247.tif 000819
2005505247.tif 000820
2005505247.tif 000821
2005505247.tif 000822
2005505247.tif 000823
2005505247.tif 000824
2005505247.tif 000825
2005505247.tif 000826
2005505247.tif 000827
2005505247.tif 000828
2005505247.tif 000829
2005505247.tif 000830
2005505247.tif 000831
2005505247.tif 000832
2005505247.tif 000833
2005505247.tif 000834
2005505247.tif 000835
2005505247.tif 000836
2005505247.tif 000837
2005505247.tif 000838
2005505247.tif 000839
2005505247.tif 000840
2005505247.tif 000841
2005505247.tif 000842
2005505247.tif 000843
2005505247.tif 000844
2005505247.tif 000845
2005505247.tif 000846
2005505247.tif 000847
2005505247.tif 000848
2005505247.tif 000849
2005505247.tif 000850
2005505247.tif 000851
2005505247.tif 000852
2005505247.tif 000853
2005505247.tif 000854
2005505247.tif 000855
2005505247.tif 000856
2005505247.tif 000857
2005505247.tif 000858
2005505247.tif 000859
2005505247.tif 000860
2005505247.tif 000861
2005505247.tif 000862
2005505247.tif 000863
2005505247.tif 000864
2005505247.tif 000865
2005505247.tif 000866
2005505247.tif 000867
2005505247.tif 000868
2005505247.tif 000869
2005505247.tif 000870
2005505247.tif 000871
2005505247.tif 000872
2005505247.tif 000873
2005505247.tif 000874
2005505247.tif 000875
2005505247.tif 000876
2005505247.tif 000877
2005505247.tif 000878
2005505247.tif 000879
2005505247.tif 000880
2005505247.tif 000881
2005505247.tif 000882
2005505247.tif 000883
2005505247.tif 000884
2005505247.tif 000885
2005505247.tif 000886
2005505247.tif 000887
2005505247.tif 000888
2005505247.tif 000889
2005505247.tif 000890
2005505247.tif 000891
2005505247.tif 000892
2005505247.tif 000893
2005505247.tif 000894
2005505247.tif 000895
2005505247.tif 000896
2005505247.tif 000897
2005505247.tif 000898
2005505247.tif 000899
2005505247.tif 000900
2005505247.tif 000901
2005505247.tif 000902
2005505247.tif 000903
2005505247.tif 000904
2005505247.tif 000905
2005505247.tif 000906
2005505247.tif 000907
【国際公開パンフレット（コレクトバージョン）】
2005505247.tif 000908
2005505247.tif 000909
2005505247.tif 000910
【国際調査報告】
2005505247.tif 000911
2005505247.tif 000912
2005505247.tif 000913
2005505247.tif 000914